(57)【要約】  本明細書に記載されているものは、様々な実施形態、および関連するシステム、インターフェースおよび使用方法における、指に装着される装置である。幾つかの実施形態では、指に装着される装置は、他の装置に接続され、切断され得る。幾つかの実施形態では、指に装着される装置は、前記指に装着される装置に、および/または、前記指に装着される装置を操作する指に、触覚情報を中継し得るものである。幾つかの実施形態では、指に装着される装置は、音を生成するために操作され得る一方で、幾つかの実施形態では、指に装着される装置は、視覚的な出力を生成するために操作され得る。幾つかの実施形態では、指に装着される装置は、位置を変更できる制御装置を有し得る。幾つかの実施形態では、スイッチは、リングに接続され得る。幾つかの実施形態では、インターフェースは、１または複数の指に装着される装置によって、反応し、または指に装着される装置またはその複数によって制御されるか、影響を受けるように意図される。幾つかの方法では、指に装着される装置は、音を感知し、処理できるシステム内の入力を記録するために操作され得る一方で、他の方法では、指に装着される装置は、光を感知し処理できるシステム内の入力を記録するために操作され得る。【選択図】  図9Ｂ
2012503244.tif 000002
【特許請求の範囲】
【請求項１】
指に装着される装置を別の装置に物理的に接続するためのアダプタであって、
前記アダプタは、前記指に装着される装置の空洞に嵌合できるセクションを含んでいる、
ことを特徴とするアダプタ。
【請求項２】
別の装置へと接続するための手段を含んでいる指に装着するための装置であって、
前記指に装着される装置は、前記別の装置に接続されている間と、指に装着されている間とに操作可能なものである、
ことを特徴とする装置。
【請求項３】
前記別の装置に接続されている間と、指に装着されている間とに前記指に装着される装置を操作することは、前記別の装置内に入力を記録するためのものである、
ことを特徴とする請求項２記載の装置。
【請求項４】
指に装着される装置の空洞に嵌合できるセクションを含んでいる装置であって、
前記セクションは、前記指に装着される装置を前記装置に接続するための手段を含んでいる、
ことを特徴とする装置。
【請求項５】
(a) 指に装着される装置と、
(b)スタイラスであって、前記指に装着される装置および前記スタイラスの少なくとも1つが他方に接続するための手段を有しているスタイラスと、
を含んでいることを特徴とするシステム。
【請求項６】
(a) 声の音を歪めるための手段を有している指に装着される装置と、
(b)声の音を歪めるための前記手段によって歪められた声の音を感知するための手段と、
(c)入力として声の音を記録するための手段と、
を含んでいることを特徴とするシステム。
【請求項７】
声の音と、声の音をひずませるための前記手段によってひずまされた声の音と、を識別するための手段をさらに含んでいる、請求項６記載のシステム。
【請求項８】
(a)指に装着される装置で、口の近くで一般に話された声の音を歪める工程と、
(b)前記指に装着される装置によって歪められた声の音を感知する工程と、
(c)感知された声の音の歪を同定する工程と、
を含んでいる入力を記録するため方法。
【請求項９】
前記指に装着される装置を操作する工程をさらに含む、請求項８記載の方法。
【請求項１０】
(a) タッチスクリーンに表示された第１オブジェクトをタッチする工程と、
(b)前記タッチスクリーンに表示された第２オブジェクトをタッチする工程と、
(c)指に装着される装置を操作する工程と、
を含むインターフェースアイテムを選択する方法。
【請求項１１】
(a)タッチスクリーンに表示されたオブジェクト上のタッチを検知する工程と、
(b)前記タッチスクリーンにメニューを表示する工程と、
(c)前記メニューのアイテムのタッチを検知する工程と、
(d)指に装着される装置を操作する工程と、
を含むインターフェースの値を調節する方法。
【請求項１２】
(a)指に装着される装置から入力のためにコンテキストをセットする工程と、
(b)前記指に装着される装置の操作を検知する工程と、
(c)前記指に装着される装置の操作を認識する工程と、
(d)前記操作に対応する入力を記録する工程と、
を含むインターフェースのコマンドを実行する方法。
【請求項１３】
入力のために前記コンテキストに触覚指標を与える工程を、さらに含む請求項１２記載の方法。
【請求項１４】
(a)第１手法で指に装着される装置を操作することによって、前記インターフェースのアイテムの状態を変更する工程と、
(b)前記タッチ-スクリーンをタッチすることによって前記アイテムと相互作用する工程と、
(c)第２手法で前記指に装着される装置を操作することによって前記アイテムの状態を変更する工程と、
を含むタッチスクリーンのインターフェースの機能を実行する方法。
【請求項１５】
(a)指に装着された指に装着される装置の位置を検知する工程と、
(b)前記指に装着された装置の方向を検知する工程と、
を含む指の先の位置を予測するための方法。
【発明の詳細な説明】
【技術分野】
【０００１】
<関連出願への相互参照>
本発明は、米国仮特許出願No.61/098,764（2008年9月20日に出願された）、No.61/147,775（2009年1月28日に出願された）、No.61/148,127（2009年1月29日に出願された）、からの優先権の利益を請求する。これらの全ての内容は、引用することによって、本明細書に組み入れられる。
【０００２】
本発明は、一般に、ヒューマン・コンピュータ・インタラクション（HCI）に関係し、特に、入力装置およびユーザ・インターフェース（UI）に関係する。
【背景技術】
【０００３】
技術分野において、様々な機能または用途の指に装着される装置（あるいは「リング装置」）が知られている。いくつかのものは、グラフィックユーザーインターフェース（GUI）操作のために、コンピュータマウスまたはいわゆる「トラックボール」の代替物として知られている。しかしながら、そのような装置は、それらを使用するのにかさばっていて不快なものにする不必要な要素および特徴を含んでいる一方で、前記特徴のうちの幾つかは、タッチスクリーン、視覚認識のような他の技術でより良い代替物を見出すことができる。前記代替物は、本発明で示唆するように、指に装着される装置の操作との協力（または「相互作用」）によって使用されるようにすることもできる。（「小型化」（例えばMEMS）として知られている）小さな電子式、光学式、そして機械式の部品の急な進展は、指に装着する装置中に小さな部品を組み入れると同時に、前記装置が適切なサイズで、市場での（製造費に関係するような）実施可能性、（有用性に関係するような）好ましさを得られる状態にある、ということを促進した。装着可能な装置が市場に成長する需要を見出したので、異なる技術を統合するための新たな解法が、相互作用（インタラクション）に対する新たな方法とともに、要求されている。
【０００４】
本発明は、種々の実施形態において、指に装着され得る装置（換言すれば「指に装着される装置」）を提供する。操作によって特定のタイプの相互作用を促すような、入力装置として利用可能な装置を提供する。さらに、そのような装置を操作する（あるいは「使用する」）方法を提供する。さらに、そのような指に装着される装置を利用する相互作用の方法が与えられる。
【０００５】
本発明は、種々の実施形態にかかる装置を提供する。該装置は、指に装着される装置と、前記指に装着される装置を、物理的な取り付け部品、電力伝送、および/またはデータ伝送等の、他の装置に接続することを促すコネクタと、を備える。幾つかの実施形態では、指に装着される装置は、特に他の装置と相互作用するために、前記他の装置に接続されている間、操作され得る。前記他の装置は、一例として、いわゆる「ホスト装置」を、含み得る。指に装着される装置は、該ホスト装置に対し、スクロールホイールとして機能し得る。他の装置の別の実施例は、スタイラスでもよい。
【０００６】
発明は、様々な実施形態の、指に装着される装置を提供する。該装置は、異なるサイズの指に前記指に装着される装置を装着しやすくするセクションを含む。幾つかの実施形態では、前記セクションは、同様の目的のもので相互に交換され得る。本発明によって更に与えられるものは、指に装着されたセクションであって、前記装置を前記指に装着されたセクションに接続することによって、装置を指に装着しやすくするものである。
【０００７】
本発明は、さらに様々な実施形態の、指に装着される装置を提供する。該装置は、ユーザが前記指に装着される装置を操作する時に、前記指に装着される装置の、異なるセクション、および/または、異なる状態の区別をするため等、触れることのできるタンジブルマーク（又は「フィールマーク」）を含む。さらに本発明によって与えられるものは、指に装着される装置であって、インターフェース又はプログラムへの応答等、異なる触覚出力を生成するダイナミックな触覚インジケータを含むものである。前記触覚出力は、前記指に装着される装置を装着している指に、および/または、前記指に装着される装置を操作している指に、与えられてもよい。本発明によってさらに与えられるものは、ダイナミックセクションを含む指に装着できる装置である。該セクションは、異なるサイズの指を前記指に装着される装置を取り付けやすくするものであり、かつ、前記指に装着される装置を装着している指に、触覚出力および/または触覚フィードバックを生成しやすくするものである。本発明によってさらに与えられるものは、触覚出力が相互作用において利用可能な種々の方法である。
【０００８】
本発明は、種々の実施形態の、音を生成する指に装着される装置を与える。該装置は、音を生成するように操作され得、その一方で、前記音は、入力を記録するために、感知され、同定され得るものである。本発明によって更に与えられるものは、種々の実施形態の、指に装着される装置であって、該装置は、音声認識および/または声認識システムにおいて相互作用するように用いられ得る、前記指に装着される装置のため等の、ユーザが前記指に装着される装置の近く又は該装置を通じて話をした時に、人の声を歪まし得るものである。本発明によってさらに与えられるものは、音声を歪ませる指に装着される装置が音声認識および/または声認識システムにおいて相互作用するように用いられる方法である。
【０００９】
本発明は、種々の実施形態の、タッチスクリーン、指に装着される装置、およびインターフェースおよび/またはプログラムを、さらに与える。ここで、前記指に装着される装置は、相互作用のために用いられ得る。幾つかの実施形態では、指に装着される装置は、状態間を変えるのに操作され得る一方で、インターフェース、または、プログラム要素又は状態は、状態間を変える前記指に装着される装置によって影響を受け得るものである。本発明によって更に与えられるものは、種々のインターフェースとプログラムであって、異なる機能のために、指に装着される装置を操作することによって、および/または、タッチスクリーンをタッチすることによって、相互作用するものである。本発明によって更に与えられるものは、指に装着される装置が、タッチスクリーン上でタッチしている間、操作される等、タッチスクリーンと相互作用するように協働して用いられる方法である。
【００１０】
本発明は、種々の実施形態の、システムを更に与える。該システムは、視覚認識システム（特にジェスチャー認識システム）、および指に装着される装置を含む。該指に装着される装置は、視覚認識システム（特にジェスチャー認識システム）との相互作用に用いられる。本発明によって更に与えられるものは、特に指に装着される装置であって、視覚認識システムと通信し、かつ、前記指に装着される装置の操作をユーザに視覚的に表示する、ための視覚出力（換言すれば「光線出力」）を生成できるものである。
【００１１】
本発明は、種々の実施形態の、指に装着される装置を更に与える。該装置は、指周りの前記指に装着される装置（またはそのセクション）の回転からの入力を記録し、かつ、（指に装着する装置を装着している）手の動きまたは特に指の動きからの入力を記録するための、２以上の加速度計を含む。
【００１２】
本発明は、種々の実施形態の、制御装置、換言すれば、任意の操作可能なセクションを含んでいる指に装着される装置を、更に与える。前記制御装置は、状態間を変えるように操作でき、かつ、複数の位置の間等で、再配置されるように特に操作され得るものである。幾つかの実施形態では、指に装着される装置の制御装置は、カメラのシャッターボタン用に周知の、いわゆる「半押し」、あるいは、「半押しされた」状態の特徴を有し得る。本発明によって更に与えられるものは、前記特徴が相互作用に用いられ得る、種々の方法である。
【００１３】
本発明は、種々の実施形態の、システムを更に与える。該システムにおいては、指に装着される装置は、前記タッチスクリーンを指で触れることなく、タッチスクリーンのインターフェースを制御し又は影響を及ぼすのに用いられ得る。より明確に、幾つかの実施形態では、指に装着される装置は、タッチによる相互作用の前、又は後に、相互作用のために用いられ得る。本発明によって更に与えられるものは、指に装着される装置が該装置を装着している指先の大体の位置を予測するのに用い得る、種々のシステムである。本発明によってまた与えられるものは、タッチスクリーンを含んでいる、種々のシステムと、タッチスクリーンと相互作用するための方法と、である。前記の方法は、指の大体の位置を予測するのに指に装着される装置を用いるのと同様の結果を促し得るものである。本発明は、種々の実施形態の、ゲーム用インターフェースと、画像編集アプリケーションおよびCADアプリケーション用インターフェースと、をさらに提供する。
【図面の簡単な説明】
【００１４】
本発明は、添付の図面を参照しつつ、ほんの一例として、本明細書に記載される。
【図１Ａ】本発明の実施形態の斜視図である。
【図１Ｂ】本発明のプラグおよび本発明のアダプタの斜視図である。
【図１Ｃ】本発明の別の実施形態の斜視図を示す。
【図１Ｄ】本発明の別の実施形態の斜視図を示す。
【図１Ｅ】本発明の装置に接続される準備ができている本発明の別の実施形態の斜視図を示す。
【図１Ｆ】図１Ｅに示される実施形態の斜視図を示す。
【図１Ｇ】本発明の装置に接続される準備ができている本発明の別の実施形態の斜視図を示す。
【図１Ｈ】本発明の別の実施形態の斜視図を示す。
【図１Ｉ】本発明の別の実施形態の斜視図を示す。
【図１Ｊ】本発明の別の実施形態の斜視図を示す。
【図１Ｋ】キーチェーンに接続されるような図１Ｉおよび図１Ｊに示される実施形態の斜視図を示す。
【図１Ｌ】本発明のまた別の実施形態の斜視図を示す。
【図２Ａ】本発明の別の実施形態の斜視図を示す。
【図２Ｂ】本発明の別の実施形態の斜視図を示す。
【図２Ｃ】着用されて、操作される、本発明の指に装着される装置を示す。
【図２Ｄ】本発明の装置から分離されている状態の、図２Ｃに示される指に装着される装置を示す。
【図３Ａ】本発明の別の実施形態の斜視図を示す。
【図３Ｂ】本発明の別の実施形態の斜視図を示す。
【図３Ｃ】操作中の図３Ａおよび図３Ｂに示された実施形態を示す。
【図３Ｄ】本発明の結合機構を示す。
【図３Ｅ】本発明の装置に接続されている本発明の指に装着される装置の断面図を示す。
【図３Ｆ】本発明の装置に接続されている本発明の指に装着される装置の断面図を示す。
【図３Ｇ】本発明の装置に接続されている本発明の指に装着される装置の断面図を示す。
【図４Ａ】本発明の別の実施形態の斜視図を示す。
【図４Ｂ】本発明の別の実施形態の斜視図を示す。
【図４Ｃ】本発明の別の実施形態の斜視図を示す。
【図４Ｄ】本発明の別の実施形態の斜視図を示す。
【図５Ａ】本発明の別の実施形態の斜視図を示す。
【図５Ｂ】本発明の別の実施形態の斜視図を示す。
【図５Ｃ】指に装着される装置の本発明のセクションの斜視図を示す。
【図５Ｄ】指に装着されるセクションおよび装置を含む本発明の実施形態の斜視図を示す。
【図６Ａ】本発明の別の実施形態の斜視図を示す。
【図６Ｂ】本発明の別の実施形態の斜視図を示す。
【図６Ｃ】本発明のまた別の実施形態の斜視図を示す。
【図７Ａ】図７Ｂと異なる状態の本発明の指に装着される装置の斜視図を示す。
【図７Ｂ】図７Ａと異なる状態の本発明の指に装着される装置の斜視図を示す。
【図７Ｃ】図７Ｄと異なる状態の本発明の別の、指に装着される装置の斜視図を示す。
【図７Ｄ】図７Ｃと異なる状態の本発明の別の、指に装着される装置の斜視図を示す。
【図７Ｅ】操作される、図７Ｃ、７Ｄに示す指に装着される装置を示す。
【図８Ａ】本発明の別の、指に装着される装置の斜視図を示す。
【図８Ｂ】図８Ａに示される指に装着される装置の断面図を示す。
【図８Ｃ】図８Ａに示される指に装着される装置の断面図を示す。
【図８Ｄ】図８Ａに示される指に装着される装置の断面図を示す。
【図８Ｅ】本発明の別の、指に装着される装置の断面図を示す。
【図８Ｆ】本発明の別の、指に装着される装置の断面図を示す。
【図８Ｇ】本発明の別の、指に装着される装置の断面図を示す。
【図８Ｈ】本発明の別の、指に装着される装置の断面図を示す。
【図９Ａ】インタラクション（相互作用）のために用いられた本発明の実施形態の斜視図を示す。
【図９Ｂ】インタラクション（相互作用）のために用いられた本発明の別の実施形態の斜視図を示す。
【図９Ｃ】着用され、操作される、本発明の指に装着される装置の斜視図、および前記指に装着される装置の断面図を示す。
【図１０Ａ】本発明の指に装着される装置の断面図示す。
【図１０Ｂ】本発明の指に装着される装置の断面図示す。
【図１０Ｃ】操作されている、図１０Ａ、１０Ｂに示されている、指に装着される装置の断面図を示す。
【図１１】２つの、指に装着される装置が、通信を行っている、本発明のシステムの断面図を示す。
【図１２】本発明の方法のフローチャートを示す。
【図１３Ａ】本発明の指に装着される装置の断面図を示す。
【図１３Ｂ】本発明の指に装着される装置の断面図を示す。
【図１３Ｃ】本発明の指に装着される装置の断面図を示す。
【図１３Ｄ】本発明の指に装着される装置の断面図を示す。
【図１３Ｅ】音声通信を行っている、図１３Ａ乃至１３Ｄに示された指に装着される装置に類似の、本発明の指に装着される装置の断面図を示す。
【図１４Ａ】本発明の指に装着される装置の断面図を示す。
【図１４Ｂ】本発明の別の、指に装着される装置についての断面図を示す。
【図１５】操作されている本発明の指に装着される装置の斜視図と、入力を記録するために生成されている音声と、を示す。
【図１６】人の声を歪めるために用いられる本発明の指に装着される装置の斜視図を示す。
【図１７】本発明の方法のフローチャートを示す。
【図１８Ａ】本発明の指に装着される装置についての断面図を示す。
【図１８Ｂ】本発明の指に装着される装置についての断面図を示す。
【図１８Ｃ】本発明の指に装着される装置についての断面図を示す。
【図１８Ｄ】本発明の指に装着される装置についての断面図を示す。
【図１８Ｅ】本発明の別の指に装着される装置についての断面図を示す。
【図１８Ｆ】指に装着される装置が相互作用のために用いられている、本発明のシステムの斜視図を示す。
【図１８Ｇ】指に装着される装置が相互作用のために用いられている、本発明のシステムの斜視図を示す。
【図１８Ｈ】指に装着される装置が相互作用のために用いられている、本発明のシステムの斜視図を示す。
【図１８Ｉ】図７Ａ、７Ｂに示す指に装着される装置が相互作用のために用いられている、本発明のシステムの斜視図である。
【図１８Ｊ】図７Ａ、７Ｂに示す指に装着される装置が相互作用のために用いられている、本発明のシステムの斜視図である。
【図１８Ｋ】図７Ａ、７Ｂに示す指に装着される装置が相互作用のために用いられている、本発明のシステムの斜視図である。
【図１８Ｌ】別の指に装着される装置が相互作用のために用いられている、本発明のシステムの斜視図である。
【図１９Ａ】本発明のゲームの描写を示す。
【図１９Ｂ】本発明のゲームの描写を示す。
【図１９Ｃ】本発明のグラフィック編集インターフェースの描写と、異なる状態にある図７Ａ、７Ｂに示す指に装着する装置とを、示す。
【図１９Ｄ】本発明のグラフィック編集インターフェースの描写と、異なる状態にある図７Ａ、７Ｂに示す指に装着する装置とを、示す。
【図２０Ａ】指に装着された装置が相互作用のために用いられている、本発明のシステムの斜視図である。
【図２０Ｂ】指に装着された装置が相互作用のために用いられている、本発明のシステムの斜視図である。
【図２０Ｃ】指に装着された装置が相互作用のために用いられている、本発明のシステムの斜視図である。
【図２０Ｄ】指に装着された装置が相互作用のために用いられている、本発明のシステムの斜視図である。
【図２０Ｅ】システムが図２０Ａ乃至図２０Ｄに示されるものである場合に、２つの指に装着される装置が相互作用のために用いられている、システムの斜視図を示す。
【図２０Ｆ】本発明の方法のフローチャートを示す。
【図２１Ａ】指に装着される装置が相互作用のために用いられている、本発明のシステムの斜視図を示す。
【図２１Ｂ】指に装着される装置が相互作用のために用いられている、本発明のシステムの斜視図を示す。
【図２１Ｃ】指に装着される装置が相互作用のために用いられている、本発明の、別のシステムの斜視図を示す。
【図２１Ｄ】指に装着される装置の操作をシミュレートすることによって手が実行する相互作用の斜視図を示す。
【図２１Ｅ】２つの指に装着される装置が相互作用のために用いられている、本発明のシステムの斜視図を示す。
【図２２Ａ】指に装着される装置が指に装着される装置がビジュアル（visual）インジケーション指示のために用いられている、本発明のシステムの斜視図を示す。
【図２２Ｂ】本発明の方法のフローチャートを示す。
【図２３Ａ】指に装着される装置がタッチスクリーンと通信している、本発明のシステムの斜視図を示す。
【図２３Ｂ】図２３Ａに示される、指に装着される装置およびタッチスクリーン、の概略の側面図を示す。
【図２４Ａ】動かされる、指に装着される装置の断面図を示す。
【図２４Ｂ】動かされる、指に装着される装置の断面図を示す。
【図２４Ｃ】それぞれ、図２４Ａおよび２４Ｂに対応し、手に装着され、動かされる、図２４Ａ、図２４Ｂに示されている指に装着される装置の斜視図を示す。
【図２４Ｄ】それぞれ、図２４Ａおよび２４Ｂに対応し、手に装着され、動かされる、図２４Ａ、図２４Ｂに示されている指に装着される装置の斜視図を示す。
【図２５Ａ】本発明の指に装着される装置の断面図を示す。
【図２５Ｂ】図２４Ａに示される指に装着される装置のスイッチの斜視図を示す。
【図２５Ｃ】組み立てられる、図２４Ａに示される指に装着される装置の斜視図を示す。
【図２５Ｄ】操作される、図２４Ａに示される指に装着される装置の斜視図を示す。
【図２５Ｅ】本発明のインターフェースの描写を示す。
【図２５Ｆ】本発明のインターフェースの描写を示す。
【図２５Ｇ】本発明のインターフェースの描写を示す。
【図２６Ａ】発明の指に装着される装置の断面図を示す。
【図２６Ｂ】発明の指に装着される装置の断面図を示す。
【図２６Ｃ】発明の指に装着される装置の断面図を示す。
【図２６Ｄ】リングに接続される本発明のスイッチの斜視図を示す。
【図２６Ｅ】図２６Ｄに示されるスイッチの異なる斜視図を示す。
【図２７Ａ】本発明の指に装着される装置の断面図を示す。
【図２７Ｂ】本発明の指に装着される装置の断面図を示す。
【図２７Ｃ】本発明の指に装着される装置の断面図を示す。
【図２７Ｄ】図２７Ａに対応し、図２７Ａに示す指に装着される装置を操作することによって影響を受ける、本発明のインターフェースの描画を示す。
【図２７Ｅ】図２７Ｂに対応し、図２７Ｂに示す指に装着さされる装置を操作することによって影響を受ける、本発明のインターフェースの描画を示す。
【図２７Ｆ】図２７Ｃに対応し、図２７Ｃに示す指に装着さされる装置を操作することによって影響を受ける、本発明のインターフェースの描画を示す。
【図２７Ｇ】本発明の方法のフローチャートを示す。
【図２７Ｈ】本発明の別の方法のフローチャートを示す。
【図２８Ａ】本発明の指に装着される装置の斜視図を示す。
【図２８Ｂ】図２８Ａに示される指に装着される装置が相互作用のために用いられている、本発明のシステムの斜視図を示す。
【図２８Ｃ】指に装着される装置が相互作用のために用いられている、本発明の別のシステムの斜視図を示す。
【図２８Ｄ】本発明のプログラムの描写を示す。
【図２８Ｅ】相互作用に用いられる、本発明の指に装着される装置の概略側面図を示す。
【図２８Ｆ】相互作用に用いられる、本発明の指に装着される装置の概略側面図を示す。
【図２８Ｇ】相互作用に用いられる、本発明の指に装着される装置の概略側面図を示す。
【図２８Ｈ】相互作用に用いられる、本発明の指に装着される装置の概略側面図を示す。
【図２８Ｉ】相互作用に用いられる、本発明の指に装着される装置の概略側面図を示す。
【図２８Ｊ】相互作用に用いられる、本発明の指に装着される装置の概略側面図を示す。
【図２８Ｋ】本発明の指に装着される装置を幾つか装着している手の概略正面図を示す。
【図２９Ａ】図２９Ｂとは異なる機能のためにタッチスクリーンと相互作用している手の斜視図を示す。
【図２９Ｂ】図２９Ａとは異なる機能のためにタッチスクリーンと相互作用している手の斜視図を示す。
【図３０Ａ】タッチスクリーンへの接近感知によって相互作用する指の概略側面図を示す。
【図３０Ｂ】タッチスクリーンへの接近感知によって相互作用する指の概略側面図を示す。
【図３１Ａ】本発明の方法のフローチャートを示す。
【図３１Ｂ】本発明の方法のフローチャートを示す。
【００１５】
図面は、本明細書の一部を構成し、様々な形態で具体化される、発明に対する典型的な実施形態を含み得る。幾つかの例において、本発明の種々の態様が、本発明の理解を促すために、誇張され、または拡大して示され得ることが理解される。
【発明を実施するための形態】
【００１６】
特定の図の破線は、異なる目的の描写、または、異なる機能の例示を有してもよいことが、理解される。例えば、特定の図では、破線は（一般的な分解図に見られるような）接続用のガイドラインであり得る。しかし、別の図では、破線は、前面にある要素によって隠されているとおもわれる後ろ側の要素を示し、描くものでもよい。
【００１７】
「指に装着される装置」として記載に後に導入された後、発明の任意の指に装着される装置は、単に「装置」と呼ばれ得る、ことに注意する。本明細書に記載の本発明の指に装着される装置は、入力装置（即ち、入力の記録のため等の、操作を行い得る装置）であり得る、ことにさらに注意する。
【００１８】
図１Ａは、本発明の実施形態１１０を示す。該実施形態１１０は、装置１１０と、装置１１０に嵌合するプラグ１０４と、を含む（図には、装置１１０とプラグ１０４とは分離して示されており、また、プラグ１０４は装置１００に嵌合することは明らかである）。プラグ１０４は、プラグ形状の、装置、又は、装置のセクション、であり得る。例えば、プラグ１０４は、一般的にはプラグ形状のアダプタであり得る。装置１００は、指に装着できる装置（または、単に「指に装着される装置」）であり得る。より具体的には、装置１００は、入力装置（例えば、遠隔制御装置）であり得る。前記入力装置は、指に装置を装着するため指を挿入可能な、装置１００の囲いの中にある穴のような、人の指に嵌る空洞１０３を有していることによって人の指に装着され得るものである。
【００１９】
幾つかの実施形態では、装置１００は、装置を装着する指と同じ手の親指によって、入力の記録等の操作を行い得る（図２Ｃの指に装着される装置２００を操作している親指２３４を参照）。例えば、親指は、機械式ベアリングの回転と同様に、装置１００の静止セクション（例えばベースリング）のまわりの装置１００の回転可能なセクション（例えば外部リングまたはノブ）等の、装置１００のセクションを回転し、または動かすこともできる（例えば図７Ａおよび７Ｂの指に装着される装置７００の回転可能なセクション７０２、定置部７０４を参照）。別の実施例では、親指のタッチおよび又は動作は、（随意に表面に結合される）タッチセンサを装置１００に含むことによる等、（任意の検知手段によって）装置１００の表面上で感知され得るものである（例えば図７Ｃおよび７Ｄで指に装着される装置７１０のタッチ表面７１４を参照）。また別の実施例では、装置１００は、スイッチ、キー（一般のキーボードに含まれているようなキー）またはそれら複数のもののような、親指によって操作することができる制御装置（あるいは「コントローラ」）を含んでもよい。図１Ａでは、プラグ １０４は、装置１００、特に装置の空洞１０３へと、挿入される状態で示されている（挿入ガイドラインが装置１００からプラグ１０４への破線によって示されている）。従って、プラグ１０４は、空洞１０３に嵌合し得る実施形態１１０の任意のセクションでもよい。
【００２０】
さらに、図１Ａに示されるように、装置１００は、空洞１０３に向かい合うことのできる（さもなければ、囲むことのできる）表面１０１上に位置する接続ユニット１０２ａを含んでいる。接続ユニット１０２ａは、装置１００とプラグ１０４の間の接続を促す任意の手段でもよい。従って、接続ユニット１０２ａは、装置１００とプラグ１０４の間の接続を促すことができる。
【００２１】
接続ユニット１０２ａは、図１Ａに破線で示されており、表面１０１、特に図の視認方向に示されていない面側、に位置することが示唆されている、ことに注意する。幾つかの実施形態では、図１Ａに示される様に、プラグ１０４は、接続ユニット１０２ａに接続するために設計された接続ユニット１０２ｂを含み得るものであり、その結果、接続ユニット１０２ｂおよび接続ユニット１０２ａの間の接続（図１Ｃの接続１０２を参照）は、装置１００とプラグ１０４の間の接続を促進することができる。従って、プラグ１０４が装置１００の空洞１０３へ差し込まれる場合、接続ユニット１０２ａ，ｂは機械的に連結すること等によって、互いに接続されてもよく、その結果、装置１００とプラグ１０４間の接続が、促される。
【００２２】
両接続ユニット１０２ａ，ｂの何れかは、装置１００とプラグ１０４の間の接続を促進する任意の数の手段を含み得ることが明らかである、ことに注意を要する。
【００２３】
幾つかの実施形態では、接続ユニット１０２ａ及び/又は接続ユニット１０２ｂ、または接続ユニット１０２ａ，ｂ間の接続は、装置１００とプラグ１０４間の物理的な取り付けを促進するものでもよい。例えば、接続ユニット１０２ａは、特に、プラグ１０４が空洞１０３を占有している（即ち空洞に挿入されている）場合、装置１００をプラグ１０４にクリップできる任意の数の機械式クリップを含んでもよい。別の実施例では、接続ユニット１０２ｂは、バネ機構を含んでいる。該バネ機構は、装置１００がプラグ１０４に接続される時、力を加えることによって、装置１００を押すことができるものであり、これによって、前記力はプラグを装置に固定できる。
【００２４】
幾つかの実施形態では、データ（デジタル情報のような、又は、符号化信号のような）は、装置１００とプラグ１０４の間（即ち、装置１００からプラグ１０４へ、および/または、プラグ１０４から装置１００へ）を伝送する（または転送される）ことができる。換言すれば、接続時、装置１００およびプラグ１０４は、（互いに）通信してもよい。随意に、装置とプラグの間のデータ転送（換言すれば通信）は、何れかの、あるいは両方の接続ユニット１０２ａ，ｂによって、または接続ユニット１０２ａ，ｂ間の接続によって促進され得る。例えば、装置１００は、第１の記憶装置（例えば、図１Ｅおよび１Ｆの装置１３０の記憶装置１３８ａを参照）を含んでもよい。しかし、プラグ１０４は、第２記憶装置を含んでもよく、これにより、（記憶装置からの）データは、接続ユニット１０２ａ，ｂ間の接続を利用する等によって、前記第１、第２記憶装置間で交換でき、換言すれば、前記第１記憶装置から第２記憶装置へと転送できる。データ転送を促進する接続を、「データ接続」ともいうことに注意する。幾つかの実施形態では、（電気のような）電力は、装置１００とプラグ１０４との間（すなわち装置１００からプラグ１０４へ、および/またはプラグ１０４から装置１００）を伝送する（または転送される）。随意に、装置とプラグ間の電力転送は、接続ユニット１０２ａ及び/又は接続ユニット１０２ｂ、または、接続ユニット１０２ａ，ｂ間の接続によって促進され得る。例えば、図１Ａに示されるような、電源１０８を含んでもよい。一方、プラグ１０４からの電力（例えば、電源アダプタから、またはコンピュータから等、プラグ１０４に接続されている装置由来の電力）は、装置１００へと伝送し、電源１０８（電源１０８の場合、充電式電池）を充電する。電力転送を促進する接続は、「電力接続」と呼ばれ得ることに注意する。
【００２５】
実施形態１１０は、分離された（または「切断された」）または接続された、装置１００とプラグ１０４とを含んでおり、その結果、実施形態１１０は、モジュール式のものでもよく、その一方で、装置１００とプラグ１０４とは、実施例のモジュールであり得る、ことが明らかなことに注意する。
【００２６】
図１Ｂは、アダプタ１０６（あるいはそのセクション）が、（アダプタ１０６とプラグ１０４との間の破線によって挿入の図ガイドラインに示されているように）差し込まれる準備ができている（図１Ａに示されたものと異なる視点からの）プラグ１０４を示す。例えば、図１Ｂに示されるように、プラグ１０４は、接続ユニット１０５ａを含んでもよい。一方で、アダプタ１０６は、接続ユニット１０５ｂを含んでもよい。接続ユニット１０５ａ，ｂは、コネクタ、又は、プラグ１０４とアダプタ１０６間の接続を促進する任意の手段のもの（接続ユニット１０５ａが接続ユニット１０５ｂのサイズに合うソケットである場合に、前記接続ユニット１０５ｂは、前記ソケットに嵌合する適切なサイズのプラグ形状のもの）、を連結するものでもよい。接続ユニット１０５ａは、一般のアダプタへの接続を促進する標準のサイズ（一般の電源アダプタに適合するようなサイズ等）（そしてそれによってアダプタへの接続を促す）ものでもよい、ことが明らかにされる。
【００２７】
図１Ｂにおいて、アダプタ１０６は、一般にプラグ（接続ユニット１０５ｂ）とケーブルとを含んでいるように示されているが、本発明の範囲には、当業者に周知のアダプタが含まれることは明らかである。
【００２８】
図１Ｃは、本発明の実施形態１１２であって、装置１００とプラグ１０４とアダプタ１０６とを含むものを示している。図１Ｃにおいて、プラグ１０４は、装置１００へと、特に装置１００の空洞１０３へと差し込まれる。換言すれば、プラグ１０４は、装置１００の空洞１０３を占有しているものが示されている。上に記述されたような、および、図１Ａに示されるような、装置１００およびプラグ１０４は、一緒に、実施形態１１０を形成するものでもよい。図１Ｃには、接続ユニット１０２ａと１０２ｂとの間の接続１０２が示されている（接続１０２は、接続ユニット１０２ａと接続ユニット１０２ｂとの連結しているものとして示されており、また、接続１０２は、（一般に装置１００とプラグ１０４との間に位置するため）図１Ｃに示す視点からは、不可視に支持され、又は、不明瞭に支持されており、かつ描画目的のみに示されている、ことは明らかである）。さらに、図１Ｃにおいて、プラグ１０４に接続された状態のアダプタ１０６が、示されている。
【００２９】
図１Ｃにおいて、装置１００は、プラグ１０４に接続されたものが示されており、プラグ１０４は、アダプタ１０６に接続されたものが示されているが、任意の装置１００、プラグ１０４、アダプタ１０６が、実施形態１１２のモジュールである、ということは明らかなことである。それらは、互いを切断し（または切断され）（そして、互いに再結合し、または再結合され）、それゆえ、実施形態１１２は、モジュール式のものであり得る。
【００３０】
幾つかの実施形態では、データ（例えばコード化された情報）は、アダプタ１０６とプラグ１０４間（すなわちアダプタからプラグへ、および/または、プラグからアダプタまで）を伝送する（または転送される）。換言すれば、データ接続は、アダプタ１０６とプラグ１０４間に形成され得る。随意に、前記データ接続は、接続ユニットの何れか又は両方がアダプタとプラグ間のデータ転送を促すことができる場合、接続ユニット１０５ａ，ｂの何れか又は両方を利用することによって、形成し得る。幾つかの実施形態では、アダプタ１０６は（プラグ１０４に接続されているのに加えて）、装置（たとえばコンピュータ）に接続され得るのだが、データは、前述のデータ接続等によって、前記装置からプラグ１０４へ、および/または、プラグ１０４から装置へと、転送され得る。
【００３１】
幾つかの実施形態では、電力（例えば電流）は、アダプタ１０６とプラグ１０４間を伝送するものでもよい。換言すれば、電力接続は、アダプタ１０６とプラグ１０４間に形成され得る。随意に、前記電力接続は、アダプタ１０６がプラグ１０４に接続されたときに互いに接触する電気接触子を含む場合等において、接続ユニット１０５ａ，ｂの何れか又は両方を利用することによって形成され得る。幾つかの実施形態では、アダプタ１０６は、プラグ１０４に接続されているのに加えて、一般の電気ソケット等の、電源に接続され得る。幾つかの実施形態では、アダプタ、装置およびプラグが接続された場合（図１Ｃに示されるように）、データ及び/又は電力は、プラグ１０４を利用することによってアダプタ１０６と装置１００間を伝送し得る。換言すれば、プラグ１０４は、データおよび/または電力を、アダプタ１０６から装置１００へと、および/または、装置１００からアダプタ１０６へと伝送することを促し得るものである。例えば、データ及び/又は電力は、（アダプタ１０６が記憶装置および/または電源を含んでおり、または、アダプタがコンピュータに接続されている等において）アダプタ１０６からプラグ１０４へと転送されたのち、プラグ１０４から装置１００へと転送され得る。随意に、データ及び/又は電力転送は、接続１０２によって、および/または、接続ユニット１０５ａ，ｂ間の接続によって、促され得る。幾つかの実施形態では、本発明の指に装着される装置（例えば装置１００）は、前記指に装着される装置の空洞（例えば、空洞１０３）に差し込まれているプラグ（例えばプラグ１０４）を用いずに、アダプタに直接接続できる、ことがあきらかになっていることに注意する。随意に、データ及び/又は電力は、データ接続および/または電力接続の接続を利用すること等によって、前記アダプタと、前記指に装着される装置との間を伝送することができる。例えば、本発明の指に装着される装置の空洞は、ある種のアダプタ、又は、それら（前記空洞を完全に占有できる円形の押出形成部分を有しているアダプタ等）のセクション、を完全に収容できるサイズであり得る。
【００３２】
図１Ｄは、装置１００と同様の指に装着される装置１００’とアダプタ１１４と、を含む実施形態１１６を示す。アダプタ１１４は、装置１００’に適合するソケット１１８を含んでおり、その結果、装置１００’がソケット１１８に差し込むことができるようになっている（装置からソケットの破線によって、差し込みガイドラインが示されている）。例えば、アダプタ１１４は、装置１００'を収容することができるソケット１１８がある囲い壁を含んでもよい。
【００３３】
図１Ｄでは、装置１００の接続ユニット１０２ａ（図１Ａを参照）と同様の接続ユニット１０２ａ’を含む装置１００’が示されている一方で、接続ユニット１０２ｂと同様の接続ユニット１０２ｂを含むアダプタ１１４が示されている（破線で示す部分は、ソケット１１８内に位置している接続ユニット１０２ｂ’を示唆している）。接続ユニット１０２ａ’は、装置１００の表面１０１に置かれる、図１Ａに示された、装置１００の接続ユニット１０２ａと反対側の、装置１００’の外表面（即ち、図示するように、装置１００’の空洞１０３には面していない面）に置かれ得るものである。
【００３４】
幾つかの実施形態では、アダプタ１１４は、装置１００’の空洞に嵌合するセクション、特に、装置が差し込まれるアダプタのソケット１１８内側に位置するセクション、を含み得る。図２Ａ、２Ｂ内の装置２１０のセクション２１２を参照。
【００３５】
幾つかの実施形態では、装置１００’の接続ユニット１０２ａ’および/またはアダプタ１１４の接続ユニット１０２ｂ’は、装置１００’とアダプタ１１４間の接続を促す（図１Ｃに示される様に、装置１００とプラグ１０４間の接続を、例えば参照）。特に、接続ユニット１０２ａ’、１０２ｂ’の何れか又は両方は、装置がアダプタに取り付けられた時の、物理的な取り付け、装置１００’とアダプタ１１４間のデータ接続および/または電力接続、を促し得る。
【００３６】
図１Ｅは、指に装着される装置１３０およびアダプタ１３２を含み得る、本発明の実施形態１２０を示す。図１Ｅは、さらに、コンピュータや携帯電話等の、当業者に既知の任意の装置であり得る、装置１１４を示す。装置１００と同様に、装置１３０は、指を差し込み得る空洞１０３を有するものが示される。図１Ｅに示されるように、アダプタ１３２またはそのセクション（例えば、図１Ｅに示される様に、アダプタ１３２内に含まれ得るプラグ１４０）は、空洞１０３が指によって占有されていない場合（換言すれば指に装置１３０を装着していない場合）、装置１３０の空洞１０３へと差し込むことができる。例えば、アダプタ１３２は、図１Ｅに示される様に、装置１３０の空洞１０３に嵌合可能な、プラグ１４０等のセクションを有し得る。プラグ１４０の幅は、一般のヒトの指と同様でよく、この結果、プラグ１４０は空洞１０３を占有するように嵌合できる。幾つかの実施形態では、図１Ｅに示される様に、アダプタ１３２は、装置１４４に接続するためコネクタ１４２を含み得るものであり、一方で、装置１４４は、アダプタ１３２に接続するためコネクタ１４６を含み得るものである。コネクタ１４２および１４６は、装置１４４とアダプタ１３２間の接続を促す任意の手段であり得る。従って、装置１４４のアダプタ１３２及び/又はコネクタ１４６のコネクタ１４２は、アダプタと装置１４４の間の接続を促進し得る。前記接続は、物理的な取り付け、データ接続及び/又は電力接続であり得る。例えば、アダプタ１３２のコネクタ１４２は、プラグ（例えばユニバーサル・シリアル・バス（USB）プラグ）でもよく、一方で、装置１４４のコネクタ１４６は、コネクタ１４２が差し込め、結果、装置１４４とアダプタ１３２間に接続（例えばUSB接続）が形成されるような、ソケット（例えばUSBソケット）でもよい。従って、コネクタ１４２がコネクタ１４６に接続される場合、アダプタ１３２および装置１４４は、技術分野で既知の任意のタイプのコネクタによって接続され得る。
【００３７】
図１Ｅにおいて、アダプタ１３２、特にアダプタのプラグ１４０は、装置１３０、特に空洞１０３へと差し込む準備（破線でガイドラインが示されている）ができており、一方で、アダプタ１３２、特にアダプタのコネクタ１４２は、装置１４４、特にコネクタ１４６へと差し込む準備（破線矢印で図に向きが示されている）ができている、ことに注意する。
【００３８】
図１Ｅにおいて、データコネクタ１３４ａとパワーコネクタ１３６ａを含む装置１３０が示されている。両方は、装置１３０の空洞１０３に直面する面１３１に設けることができる（データコネクタ１３４ａとパワーコネクタ１３６ａは、破線で図内に示されており、図の視点から見てそれらが示されない（換言すれば隠れている）ことを示唆している）。さらに、データコネクタ１３４ｂとパワーコネクタ１３６ｂを有しているアダプタ１３２、特にプラグ１４０が、図示されている。データコネクタ１３４ａは、アダプタ１３２と装置１３０間のデータ接続（図１Ｆ内のデータ接続１３４を参照）を促すために（換言すれば、アダプタと装置１３０間の通信を促すために）、データコネクタ１３４ｂに繋がり得る（または接続される）、一方で、パワーコネクタ１３６ａは、アダプタ１３２と装置１３０間の（パワーコネクタ１３６ａ，ｂ間の接続を利用することによって、アダプタ１３２から装置１３０へと、および/または装置１３０からアダプタ１３２へと、電気が伝送でき、又は転送され得る）電力接続（図１Ｆ内の電力接続１３６を参照）を促すために、パワーコネクタ１３６ｂに接続され得る。
【００３９】
アダプタ１３２と装置１３０との間の電力接続およびデータ接続について前述したのと同様に、電力接続及び/又はデータ接続は、アダプタ１３２が追加データコネクタ（即ちデータコネクタ１３４ｂに追加するもの）と追加パワーコネクタ（即ちパワーコネクタ１３６ｂに追加するもの）とを含む場合、そして、装置１４４が同様のコネクタを含む場合等において、アダプタ１３２と装置１４４間に促し得る。例えば、アダプタ１３２のコネクタ１４２は、特にデータコネクタおよびパワーコネクタ（随意にデータコネクタ１３４ｂおよびパワーコネクタ１３６ｂを含むアダプタ１３２のプラグ１４０に追加される）を含んでもよい。一方で、コネクタ１４６は、特にデータコネクタおよびパワーコネクタを含み、コネクタ１４２がコネクタ１４６に接続（例えば、差し込まれる）とき、コネクタ１４２のデータ、パワーコネクタは、特にコネクタ１４６のデータ、パワーコネクタにつながる。
【００４０】
幾つかの実施形態では、図１Ｅに示される様に、装置１３０は、記憶装置１３８ａを含み得る一方で、装置１４４は、記憶装置１３８ｂを含み得る。記憶装置１３８ａ、１３８ｂは、データを記憶するための任意の手段または容量のもの（例えばフラッシュメモリ）でよい。さらに、アダプタ１３２は、装置１３０と装置１４４間のデータ転送を促すことができる。より具体的には、アダプタ１３２は、装置１３０の記憶装置１３８ａと装置１４４の記憶装置１３８ｂ間のデータ転送を促すものでもよい。従って、データは、装置１３０、特に装置１３０の記憶装置１３８ａから、装置１４４、特に装置１４４の記憶装置１３８ｂへと伝送し、および/または、装置１４４、特に装置１４４の記憶装置１３８ｂから、装置１３０、特に装置１３０の記憶装置１３８ａへと伝送することができる。データは、装置１３０と装置１４４間のデータ交換を促し得る場合等、アダプタ１３２を利用することによって伝送する（または転送される）。幾つかの実施形態では、装置１４４に随意に接続され得る、アダプタ１３２に接続されている間、装置１３０は、操作され得る。例えば、装置１３０は、回転可能なセクションおよび静止セクション（例えば、図７Ａおよび７Ｂに示される様な、装置７００の、回転可能なセクション７０２、静止セクション７０４）を含み得る。一方で、前記静止セクションは、アダプタ１３２に直接つながり、装置１３０が、前記静止セクションに対し、そして、アダプタ１３２に対し、前記静止セクションを回転することによって操作されている間、静止しつづける。前記回転可能なセクションを回転させることは、アダプタ１３２が装置１４４（さらに装置１３０に接続されている）に接続されるとき、装置１４４に（典型的なデータとして）中継され得る入力を記録するためのものでもよい。例えば、装置１３０は、装置１３０から装置１４４へとデータを伝送するのにアダプタ１３２を随意に利用することによって、入力を記録し、前記入力を装置１４４に伝送するのに、相互作用され得る入力ユニット（例えば、図５Ａに示される様に、装置５００の入力ユニット５１４を参照）を含んでもよい。
【００４１】
本発明の指に装着される装置は、他の装置、アダプタまたはコネクタに接続されている間に操作され得る、ということが本明細書の記載によって明らかにされていることに注意する。
【００４２】
図１Ｆは、アダプタ１３２が装置１３０に接続される、実施形態１２０を示す。より具体的には、アダプタ１３２のプラグ１４０は、装置１３０へ差し込まれ（装置１３０の空洞１０３占める）、それによって装置とアダプタの間の接続を形成するものでもよい。実施形態１２０では、アダプタ１３２が装置１３０に接続されるとき、（アダプタ１３２の）コネクタ１４２を利用すること等によって、別の装置（例えば装置１４４）に接続され得る、ことに注意する。
【００４３】
図１Ｆでは、データ接続１３４を形成するデータコネクタ１３４ｂ（例えば、コネクタの接触子は、互いに重複し、互いに接し得る）に接続されたデータコネクタ１３４ａが示されている。さらに図には、パワーコネクタ１３６ｂに接続され、電力接続１３６を形成するパワーコネクタ１３６ａが示されている（データ接続１３４および電力接続１３６は、描写目的のためだけに図１Ｆに示されており、それらは、一般には、図１Ｆの視点からは不可視の、装置１３０とアダプタ１３２との間に位地するものである）。
【００４４】
図１Ｇは、指に装着される装置１５４およびアダプタ１５２を含み得る本発明の実施形態１５０を示す。装置１３０およびアダプタ１３２用の記述と同様に、アダプタ１５２（あるいはそのセクション）は、またヒトの指を差し込むことができる（あるいは、指が差し込まれている）空洞でもあり得る装置１５４の空洞１５３に差し込む（または差し込まれる）ことができる。アダプタ１３２のコネクタ１４２用の記述と同様に、アダプタ１５２は、アダプタ１５２を装置１６０に接続するために、従ってアダプタ１５２が装置１５４に接続されるときに、実施形態１５０を装置１６０に接続するために、コネクタ１５８を含み得るものである。
【００４５】
幾つかの実施形態では、装置１５４は、物理的なコネクタ１５６ａ（破線によって示されている）を含み得るものである。一方で、アダプタ１５２は、物理的なコネクタ１５６ｂを含み得るものである。物理的なコネクタ１５６ａおよび/または物理的なコネクタ１５６ｂは、特にアダプタ１５２（あるいはそのセクション）が装置１５４に差し込まれるときに、アダプタ１５２と装置１５４間の物理的接続（また「取り付け」）を促し得る。例えば、物理的なコネクタ１５６ａは、アダプタ１５２が装置１５４の空洞１５３に差し込まれるときに、それに接することにより、物理的なコネクタ１５６ｂにつながり得る。別の実施例について、アダプタ１５２の物理的なコネクタ１５６ｂは、磁石を含み得るものである。一方で、装置１５４は、強磁性体からなる囲い壁を含み得るものであり、その結果、物理的なコネクタ１５６ｂが前記囲い壁に接するとき、磁気式取り付けがアダプタと装置間で形成され得る。
【００４６】
図１Ｇに示される様に、物理的なコネクタ１５６ｂは、空洞１５３に嵌合し得るアダプタ１５２のセクションに置かれ得る。しかし、物理的なコネクタ１５６ａは、装置１５４の表面１５１に配置され得る。表面１５１は、装置１５４の空洞１５３を取り囲み（換言すれば面し）、その結果、アダプタ１５２の前記セクションが空洞に差し込まれるとき、物理的なコネクタ１５６ａ，ｂは、互いに接するか、換言すれば任意の方法で繋がる。
【００４７】
幾つかの実施形態では、コネクタの内の1つが磁石を含み、別のコネクタが強磁性体を含むような場合、物理的なコネクタ１５６ａは、物理的なコネクタ１５６ｂに磁気的に接続し得る。例えば、物理的なコネクタ１５６ｂは、強磁性体（例えば鉄）からなり得、一方で、物理的なコネクタ１５６ａは、磁石を含み得るものである。その結果、装置１５４がアダプタ１５２に取り付けられる（例えば、アダプタ１５２のセクションが装置１５４の空洞１５３に差し込まれる）とき、磁気引力がアダプタと装置間で促進され得る。
【００４８】
図１Ｇでは、装置１６０は、コネクタ１６２を含んでいるものが示されている。コネクタ１６２は、アダプタ１５２、特にアダプタのコネクタ１５８の、装置１６０への物理的な接続を促し得る。例えば、コネクタ１６２およびコネクタ１５８は、何れかのコネクタが他のコネクタを収容できるように、設計され得る。
【００４９】
図１Ｈは、指に装着される装置１７０およびアダプタ１７６を含み得る、本発明の実施形態１７８を示す。装置１７０は、本発明の他の指に装着される装置用に記述されるような空洞に対するものとして、間隙１７３を含んでいるものが示されている。間隙１７３は、装置１７０の囲い壁または本体の開口であり得る。従って、装置１７０は、ヒトの指を収容できる間隙１７３を利用することによって、指に着用され得る。
【００５０】
幾つかの実施形態では、図１Ｈに示される様に、間隙１７３は、アーム１７５ａ，ｂによって形成され得る。例えば、装置１７０は、アームが指（又は、例えば、アダプタ１７６またはそのセクションのような、任意の同様のオブジェクト）上でクリップ留めされるように、アーム１７５ａを延ばすセクション（例えば囲い壁）を含み得るものである。
【００５１】
図１Ｈでは、アダプタ１７６（特にその円形セクション）は、装置１７０の間隙１７３を占めるものが示されている。従って、アダプタ１７６（あるいはそのセクション）は、間隙１７３に差し込まれ得る。換言すれば、装置１７０は、アダプタ１７６、または特にそのセクション（例えばアダプタのプラグ）、に取り付けられた（また、「装備された」、「置かれた」あるいは「位置された」）ものでもよい。例えば、装置１７０のアーム１７５ａ，ｂは、アダプタ１７６、またはそのセクション上にクリップ留めされてもよい。
【００５２】
さらに、図１Ｈでは、接続ユニット１７２ａを含む装置１７０（例えば、コネクタ、または接続を促進するための任意の手段）が示されている一方で、アダプタ１７６は、接続ユニット１７２ｂを含むものが示されている。接続ユニット１７２ａ及び/又は接続ユニット１７２ｂは、物理的接続（例えば、取り付け）、電力接続、及び/又は、データ接続（すなわちデータ転送に利用される接続）のような、装置１７０とアダプタ１７６間の接続を促進し得る。図１Ｈでは、接続ユニット１７２ａ，ｂは、互いに接しているようには示されておらず、また、接続ユニット１７２ａ，ｂ間の接続は、幾つかの実施形態では、接続ユニットが互いに接するようにする必要がある、ことは明らかである、ことに注意する。
【００５３】
図１Ｈでは、装置１７０は、入力の記録用、また換言すれば装置の操作用に、入力ユニット１７７を含めて示される。従って、装置１７０は、入力を記録するために操作し得る入力装置であり得る。例えば、入力ユニット１７７は、タッチセンサ（すなわちタッチを感知できるセンサ）であり得、その結果、入力ユニット１７７のタッチは、入力を記録し得るものである。別の実施例については、入力ユニット１７７は、１つのスイッチ、または複数のスイッチでもよい。
【００５４】
図１Ｉおよび１Ｊは、装置１００およびコネクタ１８２を含み得る本発明の実施形態１８０を示す。コネクタ１８２は、装置１００と、コネクタ１８２に接続され、又はコネクタ１８２を含む、ことのできる別の装置間の接続を促進することができる、任意の装置（あるいはそのセクション）、装置または手段でもよい。例えば、コネクタ１８２は、装置１００を前記特定の装置に接続することを促し得る、特定の装置のセクションでもよい。別の実施例については、コネクタ１８２は、装置１００、および別の装置にすることによる等、装置１００の別の装置への接続を促進するアダプタであり得る。
【００５５】
コネクタ１８２は、空洞１０３を通って装置１００を把持すること促進するために、フック型のようなものとして（すなわち、一般にフックとして形作られた）、図１Iおよび１Ｊに示されている。従って、幾つかの実施形態では、コネクタ１８２の形は、装置の空洞１０３を介して、装置１００を把持すること、または装置１００を連結すること、を促進し得る。
【００５６】
図１Iでは、コネクタ１８２は、装置１００への接続準備ができているものが特に示されている（接続ガイドが曲がった破線矢印で示されている）。
【００５７】
図１Ｊでは、コネクタ１８２は、装置１００に接続したものが特に示されている。上記に続いて、コネクタ１８２は、装置の空洞１０３を利用して、装置を把持し、または装置を連結することによって、装置１００に接続され得る。換言すれば、コネクタ１８２は、当該技術分野で既知の手段、特に空洞１０３を利用することによって、装置１００に特に取り付け得る。
【００５８】
幾つかの実施形態では、コネクタ１８２は、装置１００への接続促進のために、接続ユニット１０２ｂ（図１Ａ，１Ｂのプラグ１０４の接続ユニット１０２ｂを参照）を含んでもよい。例えば、コネクタ１８２が装置を把持しているとき、コネクタ１８２の接続ユニット１０２ｂは、装置１００の接続ユニット１０２ａに接続し得る。接続１０２が図１Ｊに示されているが、コネクタ１８２と装置１００間に一般に配置されているので、図の視点からは不明瞭に示唆されている、ということに注意する。
【００５９】
幾つかの実施形態では、装置１００は、（別の装置に接続されている間に操作可能な本発明の指に装着される装置のために本明細書に記載されているような）コネクタ１８２に接続さている間に操作され得る。
【００６０】
図１Ｋは、コネクタ１８２に接続された装置１００を示す一方で、キーホルダ１８８に接続されたコネクタ１８２を示す。従って、装置１００（あるいは本発明の任意の指に装着される装置）は、コネクタまたはアダプタ（例えば図１Ｈに示されるようなアダプタ１７６）を利用すること等によって、キーチェーン（例えばキーチェーン１８８）に一般に接続され得る。
【００６１】
幾つかの実施形態では、本発明の指に装着される装置は、前記指に装着される装置と前記キーチェーンの間の接続を促進することができる接続ユニットを含む等によってキーホルダに直接接続し得る。従って、本発明の実施形態は、指に装着される装置およびキーチェーンを含み得る一方で、前記指に装着される装置は、コネクタまたはアダプタを随意に利用することによって、前記キーチェーンに接続され、かつ、キーチェーンから分離され得る。例えば、本発明の実施形態は、装置１５４（図１Ｇを参照）およびキーホルダ１８８（図１Ｋ）を含んでもよい。ここで、装置１５４は、装置の物理的なコネクタ１５６ａの利用によりキーホルダに物理的に付けられてもよい。
【００６２】
図１Ｌは、装置１００'（図１Ｄを参照）、および、コネクタ１８２と同様のコネクタ１８２'、を含み得る本発明の実施形態１９０を示す。図１Ｌにおいて、コネクタ１８２'は、装置とコネクタとが接続されたときに、装置１００’の接続ユニット１０２ａに接触するように配置されている、接触ユニット１０２ｂ’を含むものが示されている（図１Ｄのアダプタ１１４の接続ユニット１０２ｂ’を参照）。従って、本発明のコネクタは、それら接続コネクタの何れか又は両方が配置されている場所によらず、本発明の指に装着される装置に接続し得る。
【００６３】
２つのコネクタ又は２つの接続ユニット（例えば、接続ユニット１０２ａ，ｂによって形成された接続１０２、あるいはコネクタ１３４ａ，ｂによって形成された接続１３４）によって、形成又は促進される接続について、前述したが、幾つかの実施形態では、任意の数のコネクタ又は接続ユニットが接続を促進し得ることが明らかなことに、注意する。例えば、指に装着される装置（例えば装置１３０）と、アダプタ（例えばアダプタ１７６）またはそのセクション（例えば、アダプタ１３２のプラグ１４０）との間の接続、または、指に装着される装置とプラグ（例えば、プラグ１０４）の間の接続は、単一のコネクタ又は単一の接続ユニットによって促進される。
【００６４】
本明細書に記載のコネクタと接続ユニットは、取り付け、電力転送、データ転送用の任意の数の手段を含むこと等によって、物理的接続、電力接続及び/又はデータ接続を、さらに促進し得る。従って、本明細書に記載の接続（例えば接続１０２）は、任意のタイプの接続、すなわち、物理的、電力的及び/又はデータ的なタイプのものでもよい。
【００６５】
幾つかの実施形態では、本発明の指に装着される装置とコネクタ又はプラグとの間に、物理的接続（また「取り付け」）を促進するための何のコネクタ又は接続ユニットも要求されない、ことにさらに注意する。特に幾つかの実施形態では、本発明の指に装着される装置の形、及び/又は、コネクタ、アダプタまたはプラグの形は、前記指に装着される装置と、前記コネクタ、アダプタまたはプラグと、の間の物理的接続を促進し得る。例えば、装置１７０（図１Ｈ）は、アダプタのプラグへの物理的接続を、（例えばアームのような前記プラグ上にクリップ留めできるセクションを含むことによって）促進する形状のものでもよい。従って、幾つかの実施形態では、装置１７０は、コネクタまたは接続ユニットを含むことなく、アダプタ（あるいはそのセクション）に物理的に接続し得る。
【００６６】
本発明の指に装着される装置の空洞または間隙は、前記指に装着される装置のセクション、特に前記指に装着される装置の囲い壁または本体の形によって形成され得ることに、さらに注意する。
【００６７】
図２Ａは、指に装着される装置２００および装置２１０を含み得る、本発明の実施形態２２０を示す。装置２００は、入力装置（すなわち入力を記録するために操作可能な装置）であり得、かつ、指に差し込むことができる（結果、装置を指に装着できる）空洞２０３を含むものが示されている。好ましくは、指に装着されたとき（図２Ｃを参照）、親指によって操作でき、別の装置に接続されたとき（図２Ｂを参照）操作され得る、ものである。装置２１０は、コンピュータ、ポータブルのディジタルアシスタント（PDA）または携帯型のコンソール等の、当該技術分野で既知の任意の装置でもよい。
【００６８】
図２Ａでは、装置２１０は、視覚的な出力を表示するためのディスプレイ２１４を含むものが示されている。あるいはまたはさらに、装置２１０は、出力を生成または与えるための任意の手段を含み得る（例えば、音声出力のための音スピーカー）。
【００６９】
幾つかの実施形態では、装置２１０は、その操作（例えばプログラム又はいわゆる“実行中の”ソフトウェアを実行する）を促進し得るプロセッサ２１６を含んでもよい。
【００７０】
幾つかの実施形態では、装置２１０は、装置を操作、または装置との相互作用を促進し得る制御装置２１８を含んでもよい。換言すれば、装置２１０は、制御装置２１８の利用によって操作され得る。
【００７１】
実施形態２２０では、装置２１０は、装置２１０の装置２００への接続を促進し得るセクション２１２を含んでもよい。より具体的には、装置２００が装置２１０に取り付けられ（「取り付けられ」、また、「配置され」、あるいは「位置を定められ」）得るように、セクション２１２は、装置２００の空洞２０３に嵌合し得る（図に破線で示された取り付けガイドライン）。従って、装置２１０は、装置２１０の差し込みセクション２１２の装置２００の空洞２０３への、または換言すれば特にセクション２１２の取付手段２００によって、装置２００に接続し得る。
【００７２】
幾つかの実施形態では、そして本発明の装置および実施形態中のコネクタまたは接続ユニット用に前述されたものと同様に、装置２００は、コネクタ２０２ａを含み得る一方で、コネクタ（すなわちコネクタ２０２ａ，ｂ）の何れか又は両方が、装置２１０と装置２００との間の接続を促進できるように、セクション２１２は、コントローラ２０２ｂを含み得る。前記接続は、物理的接続、電力接続及び/又は、データ接続でもよい。例えば、装置２００は、装置２１０のセクション２１２を装置２００の空洞２０３へ差し込むことによって装置２１０に接続され得る一方、装置２１０のコネクタ２０２ｂが、装置２００またはそのセクションをつかみ、その結果、コネクタ２０２ｂが装置２００（例えば、磁気手段または機械的手段等によって、それ自身がコネクタ２０２ａに物理的に取り付けられている）のコネクタ２０２ａに接続できるように、前記差し込みが実行される。別の実施例では、データは、コネクタ２０２ａ，ｂ間の接続を利用すること等によって、装置２００と装置２１０間を伝送し得る。
【００７３】
図２Ｂは、装置２００が、装置２１０に接続、特に、装置２１０のセクション２１２に取り付けられている、実施形態２２０を示す。上記に続いて、装置２００は、装置２１０に接続されている間、操作できる入力装置であり得る。例えば、装置２００またはその回転可能なセクションは、回転され、装置２１０及び/又は装置２００での入力を記録するものでもよい。別の実施例については、入力を記録するために、指（例えば親指）は、装置２００の表面にタッチしつつ動かす（また「摺動する」）ものでもよい。図２Ｂでは、装置２００を操作するため、回転または摺動方向を示唆する、両矢印の曲がった破線が示されている。
【００７４】
幾つかの実施形態では、装置２１０は、技術分野で既知の、装置２００に対するドッキング装置（またはステーション）、ホスト装置、又は、クレードル装置（例えば、ラップトップコンピュータ用のドッキング装置又はハンドヘルドデバイス用クレードル装置として既知のもの）でもよい、ことに注意する。例えば、装置２１０は、装置２００（特に電源は装置２００に含まれていた）を充電し、または装置２００に保存された（特に装置２００の記憶装置中の）データを回収し利用するために使用されてもよい。
【００７５】
実施形態２２０は、モジュール式のものである一方で、装置２１０と２００は、接続し、切断できる、モジュールであり得る、ことにさらに注意する。
【００７６】
図２Ｂでは、インターフェース要素２２２（例えばグラフィックバーまたはスライダ）を表示する装置２１０のディスプレイ２１４がさらに示されている。インターフェース要素２２２は、装置２１０のインターフェースまたはプログラムの（視覚的、あるいはその他の）任意の要素であり得る、ことに注意する。図では、インターフェース要素２２２が制御又は操作される（そのセクションの）方向（例えば、インターフェース要素のハンドルを動かす方向）を示唆している、矢印を有している直線状の破線が示されている。幾つかの実施形態または装置２００の任意の操作方法において、（図に前述の曲がった破線によって示唆されている方向の）装置２００またはそのセクションの回転、あるいは装置２００の面上での摺動は、インターフェース要素２２２（またはそのセクション）を制御または操作するためのものでもよい。より具体的に、装置２００（あるいはそのセクション）の回転方向、または装置２００の面上での摺動方向は、インターフェース要素２２２（あるいはそのセクション）の制御（あるいは操作）の方向に相当し得る。例えば、装置２００の回転可能なセクションを回転させることは、好ましくは、装置２００の前記回転可能なセクションの回転方向に相応し、インターフェース要素２２２の特性または変数を増減し、および/または、インターフェース要素２２２またはそのセクションを動かす、ことができる。随意に、同じ実施例のために、前記回転可能なセクションを回転させることは、コネクタ２０２ａ，ｂの接続等によって、装置２００から装置２１０へと伝送する（または転送される）ことのできる入力を記録するためのものでもよい。
【００７７】
前述されたものは、特に装置２００（またはそのセクション）の回転、または装置２００の面上での摺動を指すが、記載されたものは、装置２００によって（または「により」、あるいは「の上で」）実行されるその他の操作を同様に指す、ことが明らかである、ことに注意する。例えば、装置２００は、技術分野で既知のいわゆる親指スティック（アナログスティック）を含み得る。前記親指スティックは、２以上の方向にチルト操作し得るものである（その結果、回転または摺動方向のため、前述されたものを、チルトさせた方向に適用できる）。
【００７８】
図２Ｃは、手２３０の指２３２に装着されている装置２００を示す。本発明の指に装着される装置は、人差し指に装着されるように、指に装着されたとき、大半がここに示され（本明細書に記載され）るものである一方、本発明の指に装着される装置は、手の任意の指に装着可能であることが明らか、ということに注意する。
【００７９】
図２Ｃに示されるように、装置が指２３２、または同じ手の他の指に装着されたとき、装置２００は、手２３０の親指２３４によって操作され得る。例えば、装置２００、またはそのセクションは、矢印を有している曲がった破線によって図２Ｃに示されている方向に、親指２３４によって回転され得る。前記曲がった破線は、装置２００の面上の親指２３４を摺動する方向を、換言すれば示唆するものでもよい。
【００８０】
幾つかの実施形態では、装置２００が指に着用されているとき装置２００を（例えば、装置のセクションを回転させて）操作することは、入力、特に装置２１０の入力を記録するためのものでもよい。換言すれば、装置２００が指に装着されているとき、装置２００を操作することは、入力を（無線で）装置２１０に（例えばインターフェース要素２２２のような、装置２１０のインターフェース要素の制御用に）伝えるためのものでもよい。従って、装置２００を操作することは、装置２１０（あるいは特に装置２１０のインターフェースまたはプログラム）を遠隔で制御または操作し得る（また「影響を与える」）（すなわち、装置２００は、装置２１０に物理的に接続されておらず、また信号を送信すること等によって、装置２１０と通信できる）。例えば、装置２００は、トランシーバ（例えば、図３Ａのトランシーバ３１５ｂを参照）を含み得る一方で、装置２１０は、無線通信（装置２００から装置２１０へ入力データの転送又は送信）を促進するトランシーバ（例えば、図３Ａのトランシーバ３１５ａを参照）を含み得る。前記トランシーバは、またいわゆる片方向通信用の送信機と受信機でもよい。
【００８１】
上記に続いて、幾つかの実施形態では、装置２００は、装置２１０のインターフェース（又はプログラム）又は要素を、制御するため、指に装着されたとき（図２Ｃ  ）又は装置２１０に装着されたとき（図２Ｂ）、操作し得る。図３Ｃで、装置３１０に接続されているときに、指によって操作される装置３００を、参照。
【００８２】
幾つかの実施形態では、指に装着される装置が指に装着されている間の装置２００の操作は、それが物理的に装置２００に装着されている間の装置２００の操作のように、同じ入力を記録するためのものであり得る。あるいは、指に装着される装置が指に装着されるとき、又は装置２１０に装着されるときで、装置２００の操作は（例えば同じ操作、例えば同じ方向に回転させた場合であっても）、異なる入力（または記録）を生じる。
【００８３】
幾つかの実施形態では、装置２００の操作は、（指に装着されたとき、又は装置２１０に接続されたときの何れでも）特に制御装置を操作する代わりのもの等、装置２１０の操作を代替し得る。同様に、幾つかの実施形態では、装置２００を操作することは、装置２１０の操作の共同作業で実行し得る。例えば、制御装置２１８は、装置２１０のインターフェース（又はプログラム）のインターフェース要素のスクロール機能（例えば、スクロールバーのハンドル移動）を促進するスクロール入力制御装置（例えば、インターフェース又はプログラムのスクロール機能を実行するために明示されるタッチパッドのセクション）を含み得る一方で、装置２００の回転可能なセクションは、同じスクロール機能を促進し、結果、前記スクロール機能は、制御装置２１８の前記スクロール入力制御装置を操作することによって、および／または装置２００の前記回転可能なセクションを操作する（回転させる）ことによって、実行できるようする。別の実施例については、制御装置２１８は、特定のインターフェースイベントを促すため操作（又は押下）され得る一方で、装置２００を操作している間、前記ボタンを操作することは、異なるインターフェースイベントを促すためのものであり得る（例えば、２つの手で、１つは前記ボタンを押下するとともに、他方は装置２００を操作する）。
【００８４】
幾つかの実施形態では、装置２１０からの装置２００の切断（また、「取り外し」、「解放する」または「除去する」）は、装置２１０を操作する（例えば、装置２１０のボタンを押下又はノブを回転する）ことによって促進され得る。
【００８５】
幾つかの実施形態では、装置２１０から装置２００を切断することは、装置２１０のセクション２１２の操作によるものでもよい。例えば、装置２００は、装置２１０のセクション２１２に取り付けられるとき、親指は、セクション２１２を押下する一方で、セクション２１２を押下することによって、装置２１０の機構は、装置２１０から装置を除去するために作動され得る。より具体的には、セクション２１２を押下することは、（コネクタ２０２ａ，ｂが２つの装置間接続を促進している場合）コネクタ２０２ａ，ｂ間の物理的接続を解放（又は切断）し得るものであり、この結果、装置２００は、セクション２１２から除去され得、または装置２００は、セクション上のその位置から自動的に「ポップアウト」することができる。あるいは、またはさらに、装置２１０から装置２００の切断は、セクション２１２上のその位置から手動で装置２００を引き抜くことによるものでもよい。
【００８６】
図２Ｄは、指２３２によって装置２１０'から切断された装置２００を示す。装置２１０'は、指に装着される装置の空洞（例えば図示されるような装置２００の空洞）を占有するように嵌合されるセクション２１２'（装置２１０のセクション２１２に似ている）を有する点で、装置２１０に似ている。装置２１０'では、セクション２１２は、装置２１０’に接続されたときに装置２００に嵌合する、装置２１０’のソケット（図１Ｄのソケット１１８を参照）内に配置されたものが示されている。従って、装置２００が装置２１０'に接続されたとき、装置２１０’のセクション２１２ｈ、装置２００の空洞２０３に嵌合する一方で、装置２００は、装置２１０の前記ソケット２１０’内に嵌合する。随意に、装置２００は、前記ソケットの内部に差し込まれているとき、手動で引き抜くことができない。従って、幾つかの実施形態では、指（例えば、図２Ｄに示されるような指２３２）は、セクション２１２’を押下（指からセクションへの破線矢印によって押下方向が示されている）し、装置２１０’から、特に装置２１０’の前述のソケットから、装置２００を切断することができる。装置２００は、指が装置２１０’のセクション２１２’を押下する（または、さもなくば任意の方法で操作する）とき、装置２１０’のソケットの「ポップアウト」を（機械的にそれを押すための手段等によって、随意に自動的に）行うものでもよい（装置から離れる方向に向けられた破線矢印によって「ポップアウト」方向が示されている）。
【００８７】
図３Ａは、装置２００（および本発明（例えば装置１００）の他の指に装着される装置）と同様の指に装着される装置３００と、装置２１０と同様の装置３１０と、を含み得る、本発明の実施形態３２０を示す。装置３１０は、装置３１０を操作するための（換言すれば装置３１０と相互作用するための）制御装置３０８を含むものが示されている。図３Ａでは、装置３００は、装置３１０に接続される準備ができているものが示されている。特に、装置３００は、装置３１０のスロット３１２に差し込まれる準備ができているものが示されている。スロット３１２は、任意のソケット、または換言すれば、装置３１０の、空洞、間隙又は開口であり得る。好ましくは、装置３００が（指に装着されているとき等）装置３１０に接続されていないとき、装置は、無線データ接続を確立する等によって、無線通信できる（それによって、装置３００から装置３１０及び/又は、装置３１０から装置３００までデータは無線で転送され得る）。例えば、図３Ａに示されるように、装置３００と同様で、トランシーバ３１５ｂを含んでいる装置３００’に対し、信号は、トランシーバ３１５aを含み得る装置３１０から装置３００'、および装置３００'から装置３１０へと転送され得る。あるいは、任意の装置３１０、３１０’は、送信機を含み得る一方で、他の装置は、いわゆる片方向通信用の受信機を含み得る、ことにさらに注意する。本発明の任意の装置は、無線通信用の送信機及び/又受信機（換言すればトランシーバ）を、含み及び/又は利用し得ることに、さらに注意する。実施形態３２０は、無線通信を描くために示された装置３００'を含み得ることに、さらに注意する。
【００８８】
上記に続いて、（実施形態２２０の）装置２００、２１０に対して記載されたのと同様に、指に装着されているとき等、装置３００は、装置３１０に接続されていない間（又は「時」）、（無線通信を利用することによって）操作され得る。幾つかの場合（例えば、装置３１０の幾つかのインターフェースまたはプログラム）では、装置３００を操作することは、それが装置３１０に接続されているとき、接続されていないとき、同じ機能のためのものでもよい。他の場合では、装置３００が装置３１０に接続されているときに装置３００を操作することは、装置３００が装置３１０から切断されているときのものと異なる機能のためのものでもよい。例えば、装置３００の外形面上で指（例えば手２３０の親指２３４）を摺動させることは、装置３００が装置３１０に（例えば、スロット３１２を占有することによって）物理的に接続されているとき、装置３１０が別の指（例えば、指２３２）に装着されると共に装置３１０と（例えば、送信信号を送ることによって）無線通信するとき、の何れにおいても、（装置３１０がディスプレイ２１０（例えば図２Ａ，２Ｂの装置２１０のディスプレイ２１４を参照）を含んでいる場合）装置３１０によって表示されたテキストまたはＷｅｂドキュメントをスクロールするためのものであり得る。装置３００が内部スロット３１２にある（また「占有する」）ことによって、装置３１０に物理的に接続されるとき、指がスクロール機能のために摺動できる、装置３００の前述した外部表面は、好ましくは、スロット３１２を通って露出される（図３Ｂ、３Ｃのスロットから突出している装置３００のセクションを参照）。従って、装置３００の任意の操作可能な要素またはセクションは、装置３００が内部スロット３１２、または換言すれば任意の方法で装置３１０に接続されているとき、露出（あるいは換言すれば到達可能またはアクセス可能に）されることが示唆される。
【００８９】
図３Ｂは、スロット３１２の内部に一般に（すなわちある程度まで）あって、装置３１０に接続された装置３００を示す。幾つかの実施形態では、（実施形態２２０（図２Ａおよび２Ｂを参照）の）装置２００および装置２１０用に記述されたものと同様に、装置３１０に接続された時（また「その間」）、および指に装着された時のように、装置３１０に接続されていない時、装置３００は、操作され得る（例えば、図２Ｃで指２３２に装着されているとき、操作される装置２００を参照）。図３Ｂでは、装置３１０に接続された時、装置３００を操作する方向を示唆している、両矢印の曲がった破線が示されている（例えば、装置３００又はそのセクションを回転する方向、または装置３００の面上で指を摺動させる方向）。
【００９０】
幾つかの実施形態では、装置３００は、通常の共通メモリカード（例えば技術分野で既知のSDカード）用スロットを有し、前記共通メモリカードを押すことによって、カードを前記スロットから「ポップアウト」することによって除去することで、ラップトップコンピュータから前記共通メモリカードを切断するのと同様に、（装置間の接続がスロット３１２を占有している装置３００によって促進される場合）スロット３１２の内部方向に装置３００を押すことによって、スロット３１２の「ポップアウト」等によって、装置３１０から切断（また「解放」、「除去」）し得る。幾つかの実施形態では、装置３００は、（また、ラップトップコンピュータのスロットに共通メモリカードを挿入するのと同様に）スロット３１２へ押し入れることによって、装置３１０に同様に接続され得る。例えば、装置をスロット内に固定するため、装置３００がスロット内に押されたときに、スロット３１２内の機構（例えば、図３Ｄの機構３５０）に力がかけられるものでもよい。その後、装置がスロットにあるとき、前記機構が装置３００のロックを解除し、装置が（随意にスロットの「ポップアウト」によって）スロットから解放されるように、力は、（装置３００を押すことによって）前記機構にかけられてもよい。代わりの実施形態では、装置３１０上の制御は、スロット３１２から装置３００を解放するために操作され得る。前述されたものは、装置３００が、装置３１０から切断するためにスロット３１２から手動で引き出せないときに有益かもしれない、ことに注意する。
【００９１】
図３Ｃは、手２３０によって操作されている実施形態３２０を示す。特に、親指２３４は、装置３１０の制御装置３０８を操作し（または、換言すれば装置３１０と相互作用し）得る一方で、指２３２は装置３００を操作し得る。実施形態３２０の装置３００および３１０は、図３Ｃにおいて接続されたものが示されている。
【００９２】
幾つかの実施形態では、技術分野では知られているように、装置３００が装置３１０に接続されているとき装置３００を操作することは、スクロールホイール（例えばコンピュータマウス・スクロールホイール）を操作するのと同様であり得る。
図３Ｃでは、特に（スクロールホイールを回転させると同様に）装置またはそのセクションを回転させるために、または装置３００の突出しているセクション（すなわち装置３１０のロット３１２外側の、したがって図３Ｃの視点から見て可視の、装置のセクション）上で指を摺動させる等のために、装置３００を操作するため指２３２を動かす方向を示唆している、破線矢が示されている。
【００９３】
上記に続いて、装置３００は、遠隔で、装置３１０内に入力を記録するため、または換言すれば装置３１０を制御するため、または、換言すれば、前述したように、装置２１０内に入力を記録するように操作された装置２００と同様に（図２Ａ乃至２Ｃを参照）、利用され得る。
【００９４】
図３Ｄは、装置３００を装置３１０に接続するための、装置３１０の内部、特にスロット３１２の内部の、典型的な装置として、装置３００および機構３５０を示す。装置３００は、前述したような接続ユニットまたはコネクタと同様、空洞３０３および接続ユニット３０２ａ（空洞３０３に面し、図３Ｄの視点から不明瞭である接続ユニットを示唆する破線が示されている）を含んでいるものが図３Ｄに示されている。機構３５０は、それぞれ、ばね３５６ａおよびばね３５６ｂに据え付けられたセクション３５４ａおよびセクション３５４ｂを一般に含む図に示されている。機構は、セクション３５４ｂに配置された接続ユニット３０２ｂを含むものが、さらに示されている。セクション３５４ａ，ｂは、機構３５０によって促進された物理的接続のために、装置３００の空洞３０３の内部で嵌合し得る。随意に、装置３００と装置３１０間の電力及び/又はデータ接続は、装置３００の接続ユニット３０２ａと機構３５０の接続ユニット３０２ｂ間の接続によって促進され得る（図３Ｇの接続３０２を参照）。
【００９５】
図３Ｅ乃至３Ｇは、装置３００および機構３５０の断面視野を示す一方で、機構は、装置内、特にスロット３１２内部に含まれているものが示されている。図は、装置３００の機構３５０への接続、したがって、機構を含み得る装置３１０への接続のプロセスを示している。
【００９６】
図３Ｅは、機構３５０に接近する装置３００を特に示す（例えば、装置３００を保持しているユーザは、機構の方へそれを押し得る）。一般にばね３５６ａ，ｂに据え付けられたセクション３５４ａ，ｂを含んでいる、機構３５０は、装置３１０内部、特に（装置３００が差し込まれ得る）スロット３１２の内部に、示されている。装置３００の空洞３０３は、装置３００内に示されている４本の直線の破線間に位置することが示唆されている（図３Ｅ乃至３Ｇ）。
【００９７】
図３Ｆは、スロットへ差し込まれている装置３００によって、セクション３５４ａおよび３５４ｂが、それぞれ部分的に下方および上方に押される間に、スロット３１２に部分的に差し込まれた装置３００を特に示す。セクション３５４ａおよび３５４ｂは、それぞれ、ばねに据え付けられ、その結果、それらは、装置３００がスロット３１２へと差し込まれ得るように、力学的に押され得るようになっている。
【００９８】
図３Ｇは、スロット３１２に一般に差し込まれている（一方で、装置３００が装置３１０に接続されている間、装置３００を操作することを促進する等するために、スロットから部分的に突出している）装置３００を特に示す。図３Ｇでは、セクション３５４ａ，ｂは、装置３００の空洞３０３の内部に嵌合する一方で、（セクション３５４ｂに位置している）接続ユニット３０２ｂは、接続３０２（任意の物理的接続、電力接続およびデータ接続）のために、（空洞に面している装置３００に位置している）接続ユニット３０２ａに接続される。図３Ｇの装置３００の位置から、装置３１０への接続のように、指は、スロットから突出している装置３００上で指を回転又は摺動させる等によって、装置３００を操作し得る（図３Ｃにおいて操作されている接続された装置を参照）。
【００９９】
図３Ｅ乃至３Ｇの本明細書に記載されているものは、特定の装置（すなわち機構３５０）の接続のためのものである一方で、技術分野で既知の任意の他の手段は、装置３００を装置３１０に接続するために利用され得る、ことに注意する。
【０１００】
上記（そしてまた図４Ａおよび４Ｂに示され、記載されるものの）に続けて、本発明の指に装着される装置は、装置、特に、前記指に装着される装置によって制御され（換言すれば作用を受け）得るインターフェース又はプログラムを含む装置、につながり（又は「接続され」）得るものでもよい。好ましくは、本発明の指に装着される装置は、指を差し込み、接続を促進するのに適した空洞等、前記指に装着される装置の空洞を利用することによって、別の装置につながり得る。
【０１０１】
図４Ａおよび４Ｂは、他の装置へとつながっている指に装着される装置として前述されたのと同様に、互いに接続（および互いに切断）可能な指に装着される装置４００とスタイラス４１０を含み得る、本発明の実施形態４２０を示している。装置４００は、（ヒトの指に嵌合し、又はそのために設計された）空洞４０３、接続ユニット４０２ａ、電源４０８および出力ユニット４０６を含んでいるものが示されている一方で、スタイラス４１０は、電源４１８、接続ユニット４０２ｂおよび出力ユニット４１６を含むものが示されている。他の指に装着される装置のために、本明細書に記載されているように、装置４００は、入力装置であり得る。スタイラス４１０は、いわゆるタブレットＰＣによって操作される、電子ペン等の技術分野で既知の任意のスタイラスでもよい。
【０１０２】
図４Ａは、スタイラス４１０に接続される準備ができている装置４００を特に示す。特に、スタイラス４１０は、（共通スタイラスで既知のように）手による掌握を促進するセクションであり得る細長い本体４１１を含み得る。装置４００がその上で適合することができるように、本体４１１が設計されてもよい（換言すればそれに取り付けられる一方で、取り付けガイドラインは、装置４００からスタイラス４１０への破線として、図４Ａに示されている）。換言すれば、空洞４０３は、スタイラス４１０の本体４１１の幅を収納するように、合わされたものが示されている。
【０１０３】
図４Ｂは、スタイラス４１０の本体４１１に取り付けられた装置４００を特に示す。随意に、装置４００の接続ユニット４０２ａ及び/又はスタイラス４１０の接続ユニット４０２ｂは、取り付け（また「物理的接続」）、電力接続及び/又はデータ接続等の、装置とスタイラス間の接続を促進し得る。従って、装置４００とスタイラス４１０間の接続は、接続ユニット４０２ａ，ｂの何れか又は両方によっても促進され得る。幾つかの実施形態では、装置４００がスタイラス４１０の本体４１１に取り付けられているとき、接続ユニット４０２ａは、接続ユニット４０２ｂにつながり得る。接続ユニット４０２ａ，ｂ間の接続は、スタイラス４１０から電源４０８へ、及び/又は装置４１０からスタイラス４００へ、データ及び/又は電力の伝送を促進し得る。
【０１０４】
幾つかの実施形態では、電力は、接続ユニット４０２ａ，ｂ間の接続等によって、装置４００の電源４０８からスタイラス４１０の電源４１８へ、及び/又は電源４１８から電源４０８へと、伝送し得る。例えば、電源４０８は、電源４１８によって充電され得る一方で、かわりに、または追加で、電源４１８は、電源４０８によって充電され得る。電源４０８及び/又は電源４１８は、幾つかの実施形態では、他の手段によって充電され得る、ことに注意する。例えば、電源４１８は、スタイラス４１０が前記コンピュータに接続され（例えば、ドックに入れられ）たとき、コンピュータからの電力供給によって充電され得る。
【０１０５】
幾つかの実施形態では、データは、装置４００からスタイラス４１０へと、及び/又はスタイラスから装置へと、伝送し（又は転送され）得る。例えば、装置４００は、第１記憶装置（例えば、図４Ｃの指に装着される装置４３０の記憶装置４０４）を含み得る一方で、スタイラス４１０は、第２記憶装置（例えば、図４Ｃのスタイラス４５０の記憶装置４１４）を含み、その結果、データは、前記第１記憶装置から第２記憶装置へと、及び/又は前記第２記憶装置から前記第１記憶装置へと、（例えば、接続ユニット４０２ａ，ｂ間の接続によって）伝送し得るようになっている。
【０１０６】
幾つかの実施形態では、装置４００からスタイラス４１０へ転送されたデータは、出力（例えば着色光のような視覚的な出力）を生成するように出力ユニット４１８を促し得る一方で、スタイラス４１０から装置４００に転送されたデータは、出力を生成するように出力ユニット４０８を促す（出力ユニット４０８および４１８は、発光ダイオードまたは音楽スピーカー等の、出力を発生するかまたは生成するための任意の数の手段であり得る、ことに注目する）。例えば、装置４００は、スタイラス４１０に取り付けられる間に操作され得る一方で、（例示のデータとして）装置を操作することによって記録された入力は、スタイラスに含まれた要素を制御又は操作する（また、「作用する」）（例えば、スタイラス４１０の出力ユニット４１６に出力を生成するように促す）等のため、または、前記データを別の装置に中継するようにスタイラスを促す等のため、装置からスタイラスへと転送されてもよい。データは、幾つかの実施形態では、装置４００から別の装置および/または別の装置から装置４００へと転送され得、および、データは、幾つかの実施形態では、スタイラス４１０から別の装置および/または別の装置からスタイラス４１０へと転送され得る、ことに注意する。例えば、スタイラス４１０からのデータは、スタイラスおよび前記コンピュータ間の無線通信等によって、コンピュータに転送され得る。別の実施例については、装置４００は、コンピュータから送信信号または信号を受け取るものでもよい。
【０１０７】
幾つかの実施形態では、接続ユニット４０２ａ及び/又は接続ユニット４０２ｂ（換言すれば接続ユニット間の接続）は、装置４００とスタイラス４１０間の物理的接続（また「取り付け」）を促進してもよい。例えば、磁気接続（すなわち磁気引力のための手段による取り付け）は、接続ユニット４０２ａ，ｂの間で促進されてもよい。別の実施例については、それが本体４１１に搭載されるときに、装置４００を押すばね機構（随意に接続ユニット４０２ｂに含まれた）は、装置４００をスタイラス４１０に（ある程度まで）固定し得る。
【０１０８】
幾つかの実施形態では、スタイラス４１０は、装置４００がスタイラスを使用し及び／又は装置を操作する（例えば、装置を操作している間にスタイラスを使用する）便宜上の目的のために搭載され得る、非電気製品（また「アイテム」又は「オブジェクト」）であり得る。他の実施形態では、スタイラス４１０および装置４００の何れかまたは両方は、電源を含まなくてもよく、また、前記別々の装置によってスタイラス、装置のいずれか（あるいは両方）の場所を追跡する等のために、（例えば技術分野で既知のような、いわゆる「受動の」無線周波数または共振回路を含むことによって）別々の装置から発信される信号を変調してもよい。
【０１０９】
幾つかの実施形態では、装置４００は、スタイラス４１０の本体４１１に搭載されている間、操作され得る（さらにまたは代わりに指に装着されている間操作可能となる）。例えば、装置４００（またはそのセクション）は、両矢印を有している曲がった破線によって、図４Ｂに示された、示唆された回転方向のように、入力を記録するため一般に本体４１１まわりに回転され得る。
【０１１０】
図４Ｃおよび４Ｄは、本発明の実施形態４４０を示す。実施形態４４０は、装置とスタイラスが互いに接続し、切断できるように、指に装着される装置４３０およびスタイラス４５０を含むもの（すなわち、モジュールの実施形態、したがってモジュール）でもよい。装置４３０は、記憶装置４０４を含んでいるものが示されている一方で、スタイラス４５０は、（図３Ａ，３Ｂに示されているような、装置３００のソケット３１２と同様に）記憶装置４１４およびソケット４１２を含んでいるものが示されている。ソケット４１２は、装置４３０の（ソケットの中への）差し込みのために嵌合し得るものである。換言すれば、ソケット４１２は、装置４３０を収容し得る。
【０１１１】
図４Ｃは、スタイラス４５０に接続される準備ができている装置４３０を特に示す。より具体的には、装置４３０は、スタイラス４５０のソケット４１２へ差し込まれる準備ができていてる一方で、挿入ガイドラインは、装置からスタイラス（および特にソケットに）までの破線として図４Ｃに示されている。
【０１１２】
図４Ｄは、部分的にソケット４１２の内部にある（換言すればソケットを占有している）ことによって、スタイラス４５０に接続されている装置４３０を特に示す。スタイラス４５０に接続されている間、または換言すればスタイラス４５０のソケット４１２を占有している間、装置４３０は、操作され得る。図４Ｄでは、装置４３０は、スタイラスの本体が十分に薄い場合（例えば、図４Ａ、４Ｂのスタイラス４１０の本体４１１を参照）、およびソケット４１２が２つの開口を有している場合（換言すれば、スタイラスが、スタイラス４５０の本体内部の空洞部を共有する２つのソケットを含み得る場合）、スタイラス（特にスタイラス本体）の２つの側面から、スタイラス４５０から突出しているものが示されている。
【０１１３】
幾つかの実施形態では、装置４００（あるいはそのセクション）は、回転可能であると共に、ソケット４１２内部は、スタイラス４５０（又は特にスタイラス本体）の１又は２つの側面を形成している。同様に、幾つかの実施形態では、装置４３０は、1つまたは２つ以上の触覚感知可能な表面（触覚を感知できる表面）を含み得るもので、その結果、スタイラスと相互作用され（即ち、入力を記録するためにタッチされ）得る装置４３０がソケット４１２内部にあるとき、任意の触覚感知可能な表面がスタイラスから露出されるようになっている。換言すれば、装置４３０は、装置が、スタイラス４５０のソケット４１２の内部にあるときに、操作（又は相互作用）できるように、露出されまたは換言すれば動かしやすい任意の入力ユニットを、含み得る（例えば、図５Ａの指に装着される装置の入力ユニット５１４を参照）。
【０１１４】
上記に続いて、特に前記スタイラスの本体に搭載されること等によって、本発明の指に装着される装置がスタイラスにつながり得るもので、および前記スタイラスに接続されている間操作され得る、ことは明らかである。
【０１１５】
図５Ａは、セクション５１０および入力ユニット５１４を含み得る、指に装着される装置５００として、本発明の実施形態を示す。セクション５１０は、基本的に装置５００の本体であり得る一方で、入力ユニット５１４は、入力を記録することを促進（例えば、制御）する任意の手段でもよい。換言すれば、入力ユニット５１４は、センサまたは複数のセンサを含む等によって、操作し又は相互作用され得る。
【０１１６】
図５Ａに示される様に、装置５００は、指が差し込まれる、空洞５０３を囲む（換言すれば、その中に空洞５０３が位置する）セクション５２０を更に含んでもよい。セクション５２０は、指によって装置５００の快適な装着を促進するために、快適な物質から作られても（または含んでも）よい。前記快適な材料は、空洞５０３の内部でさまざまな異なる指サイズへの順応を（例えば、大きなサイズの指のために屈曲することによって）促進する等のため、さらにまたは代わりに、柔軟なもの（例えば、技術分野で既知のシリコーンゴム材料）でもよい。従って、セクション５２０がセクション５１０に接続されている間、指（特に特定の範囲の指サイズにあるサイズの指）は、（空洞５０３が位置している）セクション５２０へ差し込まれ得る。
【０１１７】
幾つかの実施形態では、セクション５２０は、セクション５２０が、セクション５１０に接続し、およびセクション５１０から切断できるような、モジュールでもよい。さらに、装置５００は、セクション５２０と同様に、異なる範囲の指サイズへの順応を促進するため、異なるサイズの複数のセクション（換言すれば、セクション５２０と同様の複数のセクション）を含み得る。前記複数のセクションの各々は、セクション５１０に接続され、およびセクション５１０から切断されるものでもよい。前記複数のセクションから特定セクションを接続することは、（前記範囲内で異なる指サイズ用に異なる程度に屈曲する前記特定セクション等によって）前記特定セクションによって順応し得る範囲の指サイズにある指に最も良く嵌まり得る（またはそれに順応することを促進する）ためのものである。換言すれば、前記複数のセクションからの各セクションは、指が差し込まれ得る異なる空洞サイズを有し得る一方で、前記複数のセクションからの任意のセクションは、装置５００の空洞５０３のサイズを変更するためにセクション５１０に接続され得る。例えば、装置５００は、第１セクション５２０と第２セクション５２０と第３セクション５２０とを含み得るものであり、ここで、前記第１セクションは、４６．５mm乃至５４mm幅の範囲（共通の尺度で既知のリグサイズ４乃至７）のサイズにある指に順応でき、前記第２セクションは、５５．３mm乃至６１．６mm幅の範囲（リングサイズ７．５乃至１０）のサイズにある指に順応でき、前記第３セクションは、６２．８mm乃至６９．１mm幅の範囲（リングサイズ１０．５乃至１３）のサイズにある指に順応できる。その結果、前記第１、２、３の何れかは、この例のために特定された、接続されたセクションの順応範囲内にあるサイズの指に、装置５００を装着することを促進するために、セクション５１０に接続され得る。
【０１１８】
図５Ｂは、（セクション５２０がセクション５１０に接続されている、図５Ａに示されているものと反対に）セクション５２０がセクション５１０から切断される、装置５００を示している。
【０１１９】
図５Ｃは、（セクション５２０に追加の、又は代わりの）装置５００の実施形態に含まれているセクション５４０を示す。示されるように、セクション５４０は、セクション５２０異なる指サイズの範囲に順応し得るものである。特に、セクション５４０は、セクション５２０の空洞５０３と異なるサイズの空洞５０３’を含み得る（その結果、セクション５２０，５４０が屈曲できる程度を考慮することによって、セクションの各々は、異なる範囲の指サイズに順応できる）。上記に続いて、セクション５２０は、セクション５４０に置きかえることができ、その結果、装置５１０の空洞（空洞５０３が置き換えによって空洞５０３’に代えられた）は、セクション５２０がセクション５１０に接続されたときよりも、セクション５４０がセクション５１０に接続されたときに、異なるサイズとなる。
【０１２０】
本発明の範囲内にある実施形態は、指に装着される装置と、前記指に装着される装置に接続され、および前記指に装着される装置から切断され得る任意の数のセクションと、を含み得る一方で、前記セクションの各々は、指サイズの範囲内のサイズの指に順応し得る（および一方で、前記指サイズの範囲は、指が他のセクションに順応する任意の範囲のものとは異なり得る）、ことが明らかなことに注意する。そのような実施形態は、前記指に装着される装置および前記任意の数のセクションを含んでいる製品として市販され得る一方で、特定サイズの指を有しているユーザは、前記サイズを前記指に装着される装置に最も順応される前記セクションの何れかに接続し、かつ、残りの前記セクションを使用しない（例えば、廃棄または保存する）、ものでもよい。
【０１２１】
図５Ｄでは、装置５６０と指に装着されるセクション５７０とを含み得る、本発明の実施形態５５０が示されている。装置５６０は、入力を記録するために操作され得る小型の入力装置のような、任意の装置でもよい。特に、装置５６０は、（入力ユニットが制御装置を含んでいる場合に）操作され得る入力ユニット５６４を含んでいるものが、図５Ｄに示されている。指に装着されるセクション５７０は、指に装着され得る任意のアイテム又はオブジェクトでもよい。特に、指に装着されるセクション５７０は、指に装着されるセクションを指に装着するために、指が差し込まれ得る空洞５７３を含んでいるものが示されている。
【０１２２】
幾つかの実施形態では、装置５６０は、指に装着される部分５７０に接続し（または接続される）、及びそこから分離する（または分離される）（図５Ｄでは、装置５６０および指に装着される部分５７０は、分離されるように示される一方で、それらは互いに接続されることが明確にされることに注目する）。指に装着される部分５７０への装置５６０の接続は、装置を指に直接着けることができない場合のように、指に装置を着けることを促進出来る（ユーザが指に、指に装着される部分５７０を装着し、装置５６０を指に装着される部分５７０に接続できるようにし、その結果、装置は前記指の上に本質的にされる）。例えば、空洞５７３は、指の上に指に装着される部分５７０を装着できるように、指を適合させることができる。一方で指に装着される部分は、第２コネクタを含む別の装置に指に装着される部分の接続を促進する第１コネクタ（または接続ユニット）を含み、一方で装置５６０は、装置が指に装着される部分に接続され、本質的に指に装着されるように、前記第２コネクタを含む（指に装着される部分が指に装着され、装置に接続される間に）。
【０１２３】
本発明の範囲内にあるものは、指に前記装置を装着することを促進するため、指（例えば指に装着される部分５７０）に装着でき、装置（例えば装置５６０）が接続されるアイテムまたは物体である、ことが明らかにされることに注目する。具体的には、前記アイテムまたは物体は、特定の装置、明確には、前記アイテムまたは物体に接続することができる装置を装着することを促進する製品として、市場に出される。他の場合には、本発明の実施形態は、装置、および該装置が接続できる指に装着される部分を含み、その結果、前記装置は指に本質的に装着されることが出来る。
【０１２４】
図６Ａは、指に装着される装置６１０（手２３０の指２３２に装着した状態で示される）と装置６２０を含む実施形態６００を示す。装置６２０は、キーボードまたはタッチスクリーンを含む装置のような、任意の入力ユニットでもよい。装置６２０は、指で明確に操作され、または相互に作用されてもよい。図６Ａにおいて示されるように、装置６２０は、（タッチを感知するための機器などにより）入力を記録するために操作され、または相互に作用される、入力表面６２２を含む。装置６１０は、任意の指に装着される入力ユニットでもよい。
【０１２５】
幾つかの実施形態では、装置６１０は、装置６２０と相互に作用する間に操作されてもよい。言い換えれば、親指が装置６１０を動かす間、装置６１０と６２０は、（装置６２０がタッチスクリーンである場合に）例えば装置６２０に触れる指によって、協力的に操作される。例えば、装置６２０は、装置６２０を動かす及び／又は装置６１０を動かすことによって操作することが可能なインターフェース（例えば、装置６２０のディスプレイによって表示されたグラフィックユーザーインターフェース）を有する。幾つかの実施形態では、装置６１０から装置６２０へ入力を送信するように、装置６１０と装置６２０が互いに伝達するということが明確にされることに注意する。言い換えれば、データは、幾つかの実施形態では、装置６１０から装置６２０及び／又は装置６２０から装置６１０へと転送する（または転送される）。
【０１２６】
幾つかの実施形態では、装置６２０は、無線の電力転送ユニット６２４（図において破線で示される）を含む。無線の電力転送ユニット６２４は、当該技術分野において知られているように、（接触子の間の直通の電気的な導電接触子がないといったように）物理的な接触子を必要としない、電力を転送するための任意の手段でもよい（またはその手段を含む）（米国特許第７０４２１９６号、米国特許出願第１０／５１４，０４６号、第１１／５８５，２１８号および第１１／８１０，９１７号を参照）。従って、装置６２０は、動作する電力を必要とする装置６１０（例えば、図６Ｂにおける電力が作動した指に装着される装置６１０’のユニット６１８を参照）の電子部品の動作を促進するように、装置６１０に電力を（例えば誘導によって）転送する。例えば、装置６１０は、出力を生成する電力を必要とする出力ユニット（例えば、図４Ａにおける装置４００の出力ユニット４０６を参照）を含み、その結果、電力は装置６２０、明確には無線の電力転送ユニット６２４から、装置６１０、明確には前記出力ユニットに転送され、出力は前記出力ユニットによって生成される。
【０１２７】
幾つかの実施形態では、装置６１０は、図６Ａにおいて示されるように、電源６１４を含む。該電源６１４は、電力を蓄える及び／又は（例えばマイクロプロセッサを）作動する電力を必要とする装置６１０の構成要素などへと供給するための任意の手段でもよい。上記の次に、装置６１０の電源６１４は、装置６２０、明確には無線の電力転送ユニット６２４から転送されている電力によって充電される（米国特許出願第１０／１７０，０３４号を参照）。
【０１２８】
図６Ｂは、実施形態６００（図６Ａ）に類似する本発明の実施形態６３０を示す。実施形態６３０は、装置６１０に類似する指に装着される装置６１０’と、装置６２０に類似する装置６２０’を含んで示される。従って、装置６１０’は、指に装着される入力ユニットでもよく、一方で装置６２０’は、任意の入力ユニット（入力ユニット６２２を含んで示される）、明確には指によって（例えば指の接触、または装置６２０’の指操作制御装置によって）、操作または相互に作用されてもよい装置でもよい。装置６１０’は、電力を作動したユニット６１８を含み、該ユニット６１８は、作動する（またはそうでなければ作動される）電力を必要とする装置６１０’の、任意の構成要素でもよい。装置６２０’は、電力転送ユニット６２４’を含んで示される。
【０１２９】
幾つかの実施形態では、電力転送ユニット６２４’は、装置６１０’（装置６１０’の電力を作動したユニット６１８など）に電力を転送し、その結果、電力を作動したユニットは、作動できる。具体的には、電力転送ユニット６２４’は、装置６１０’に、明確には電力を作動されたユニット６１８に電力を転送する、装置６１０’を装着する指（または同じ手の他の指）を利用する。より具体的には、装置６１０’を装着する指（図６Ｂにおいて装置を装着する指２３２）、あるいは同じ手（図６Ｂにおいて示された手２３０）の他の指が、（装置６２０’と相互に作用するように）装置６２０’の入力ユニット６２２に接する場合、電力は、前記指（ヒトの指が一般に導電材料であるように）を通して、好ましくは電力転送ユニット６２４から装置６１０’へと伝導される。任意に、装置６１０’が装着される手の指（該装置は、同じ指または同じ手の他の指の上に装着されてもよい）が、入力ユニット６２２に接すると（例えば、入力ユニット６２２またはその任意の部分に触れると）、前記指はまた、電極または電力転送ユニットの接触子が入力ユニット６２２へ統合されるか、そうでなければ入力ユニット６２２に沿って位置する場合などにおいて、電力転送ユニット６２４’に接してもよい。あるいは、当該技術分野において知られているように、電力転送ユニット６２４’は、電磁界（例えば、図６Ｃにおける電磁界６５６を参照）を生成する。指が前記電磁界の内側にある場合（そうでなければ前記電磁界が指に達する場合）、電力は、前記指を通して電磁界から転送される（一方で前記電力は、前記指または同じ手の別の指の上に装着された装置６１０’に達する）。ユーザの指を通して転送された（または伝導された）電力は、図６Ｂに関して記載されたように、前記ユーザによって前記電力が一般的に感じられない（またはそうでなければ、前記指を通して転送する間に気づかない）ようになる。例えば、前記電力は低電圧の低い電流でもよい。
【０１３０】
図６Ｃは、装置が電力転送ユニットに近い場合、装置６７０に電力を転送することができる、指に装着される装置６７０と電力転送ユニット６５０を含む実施形態６４０を示す。装置６７０は、電力、明確には電力転送ユニット６５０から転送された電力を受ける（例えば、吸収する）電力受信器６７４を含んで示され、受信電力を利用する装置６７０を促進する。
【０１３１】
幾つかの実施形態では、電力転送ユニット６５０は、電力転送ユニットから一定の範囲（間隔）内、明確には電磁界の範囲内で装置に電力を転送することを促進するために、電磁界６５６を発生させる。従って、例えば装置を装着する指が電力転送ユニット６５０に接近する場合に装置６７０が前記一定の範囲内にあると、装置６７０の電力受信器６７４は、電力転送ユニットによって発生した電磁界６５６から電力を受けることができる。
【０１３２】
上記の次に、本発明の範囲は、無線の電力転送ユニット６２４を含む入力ユニットのような、電力を無線で転送することができる入力ユニットから無線で電力を受ける、指に装着される装置であることが明らかとなる。幾つかの実施形態では、前記指に装着される装置は、前記指に装着される装置の構成要素（またはユニット）の動作のため、及び／又は前記指に装着される装置の電源を充電するため、受信電力を利用する。さらに、本発明の範囲は、指（例えば前記装置の表面に触れる指）によって操作することができ（または相互に作用する）、前記入力ユニットを操作する指、または同じ手の指によって装着された、指に装着される装置に電力を無線で転送することができる入力ユニットであることが明らかにされる。前記指に装着される装置が前記入力ユニットを操作する指の上に（または同じ手の指の上に）装着される場合、前記指に装着される装置が前記入力ユニットから電力を受けるように、本発明の実施形態は、指と指に装着される装置によって操作することができる入力ユニットを含むことがさらに明確にされる。
【０１３３】
図７Ａと７Ｂは、指に装着される装置７００として本発明の実施形態を示す。装置７００は、指の上に装着することができ、定常のセクション７０４（または単に「セクション」）を含む入力ユニットでもよく、その場合指に挿入できる空洞７０３がある。装置７００は、例示の制御装置（また「コントローラ」）としての回転可能なセクション７０２（または単に「セクション」）をさらに含む。前記回転可能なセクション７０２は、セクション７０４の周り、および従って（かつ一般に）装置が装着される指（そうでなければ指に関するもの）の周りに、（例えば、押すといったように、それに力を加える親指によって）回転する。好ましくは、セクション７０２が回転されている間、セクション７０４は定常のままであり、その結果、２つの部分の間に相対的な回転が存在する。
【０１３４】
幾つかの実施形態では、定常のセクション（例えばセクション７０４）以外に、本発明の指に装着される装置が回転可能なセクション（例えばセクション７０２）のみを含むことに注意する。前記回転可能なセクションは、装置７００におけるセクション７０４の周りの回転部分７０２と同じ装置を装着する指のまわりで回転する。
【０１３５】
幾つかの実施形態では、回転部分７０２は、入力の記録のためのものでもよい。従って、回転部分７０２は、装置７００と通信する別の装置のインターフェースのような、インターフェース（またはその要素）またはプログラム（またはその要素）を制御すること（また「操作すること」、「影響を及ぼすこと」）のためのものでもよい。任意に、部分７０２の特定の回転した位置は、特定の入力、またはそうでなければ、インターフェースあるいはプログラム要素またはイベントに対応する。言い換えれば、特定の回転した位置へとセクション７０２を回転させることは、インターフェース要素（又はプログラム要素）に影響を与えるため、（装置７００において、又は装置７００に通信する別の装置において）異なる入力の記録を促進する。例えば、セクション７０２の異なる回転した位置は、ファイル、メニューアイテム、書記記号（例えばアイコン）、及びツールなどの異なるインターフェースオブジェクト、実行コマンドまたは操作などの異なるインターフェース機能、又は異なるインターフェース状態（states）或いはモードに関連した入力の記録に対応する。より特定の例では、第１回転位置へセクション７０２を回転させることは、第１コマンドを促すため、またはインターフェースの第１状態を作動するためのものであり、その一方で第２回転位置への回転セクション７０２は、第２コマンドを促すため、またはインターフェースの第２状態を作動するためのものである。別の例では、装置７００は、インターフェースプログラム（例えば操作システムまたはOS）を含む（そうでなければ実行する）別の装置（例えばコンピュータ）に通信している一方で、異なる入力は、セクション７０２の異なる回転位置に対応して、前記別の装置へと通信される（または通信により前記別の装置にて記録される）。そうでなければ、異なる信号は、セクション７０２の異なる位置（すなわち回転の異なる角度）に対応して、（装置７００から）前記別の装置へと通信され、その場所で異なる入力として記録される一方で、他の装置に記録された前記異なる入力は、異なるインターフェース操作（例えばインターフェース機能又はコマンド）を促す。
【０１３６】
本発明の指に装着される装置の回転可能セクションの回転位置は、特定の入力に対応する位置の各々を示す、「入力位置」と称されることに注意する。さらに、指に装着される装置の異なる回転位置は、前記指に装着される装置の異なる状態に対応することに注意する。言い換えれば、回転可能セクションが異なる回転位置にある指に装着される装置は、異なる状態にあるものとみなされる。
【０１３７】
図７Ａでは、装置７００のセクション７０２の上に（又はその中に含まれる）、フィールマーク７０６ａ−ｃがさらに示される。具体的には、フィールマーク７０６ａ−ｃは、セクション７０２の外部表面に位置し、それらは剥き出しにされ（そうでなければ接近可能である）、セクションに触れる指により感じられる。フィールマーク７０６ａ−ｃは、当該技術分野において知られている任意の触角特徴（例えば点字）である。フィールマーク７０６ａ−ｃは、突き出る要素及び／又はインデントされた要素（また「くぼんだ」、「切り込んだ」、「埋め込まれた」、「掘り込まれた」、または「刻まれた」要素）（例えばセクション７０２の外部表面から浮き彫りにされた形状又はマーク）として、図７Ａにおいて具体的に示される。より具体的に、フィールマーク７０６ａ，ｂは、点突起といったように突き出た状態で示される一方で、フィールマーク７０６ｃは、小さな空洞といったようにセクション７０２へとインデントされた状態で示される。
【０１３８】
好ましくは、セクション７０２の前述の外部表面は、（例えば、セクション７０２を回転させるため、又は多少なりともセクション７０２に力を加えるためにそれを押す又は引っ張るため）装置７００を操作するために指が触れることを要求される表面である。例えば、図に示されるように、フィールマーク７０６ａは、点字において知られる点字の点に類似した膨らんだ点（また盛り上がった点）である。また示されるように、フィールマーク７０６ｂは、一組の点字の点である一方、フィールマーク７０６ｃは、くぼんだ点（また盛り上がった点の反対側）である。
【０１３９】
図７Ｂでは、図７Ａで示される位置から時計回り方向（図７Ａにおいて曲線状の破線の矢印として図示される、示された回転方向）に回転されるように、セクション７０２が図７Ａにおける異なる回転位置（また「入力位置」）にあることを示す、（図の視点から）セクション７０２の上にフィールマーク７０６ｂ−ｄが示される。フィールマーク７０６ｄは、（一例ではあるが）図７Ｂにおいて示されるように、特定のキーボードのキー上の（通常はキーボード上の文字ＦとＪのキーの上の）盛り上がった線に類似した、盛り上がった線（盛り上がった線の反対側）である。
【０１４０】
好ましくは、フィールマーク７０６ａ−ｄ（図７Ａと７Ｂ）の各々は、装置７００のセクション７０２の入力位置（すなわち、特定の入力、又はそうでなければ特定のインターフェースまたはプログラム要素或いはイベントに対応する回転位置）を表す（そうでなければ示す）。したがって、装置７００のユーザがフィールマークのいずれかを感じる場合、前記ユーザはその時、装置の入力位置セクション７０２がどこにあるかを知る。例えば、図７Ａに示すように、セクション７０２が位置づけられ、その結果フィールマーク７０６ｂが特定の方向（セクション７０４の上の小さな矢印により図示された方向）に面している場合、第１入力は記録される一方で、セクション７０２が位置づけられ、その結果フィールマーク７０６ｄ（図７Ｂに示されるように、セクション７０４の上の小さな矢印により図示された方向に面するフィールマーク７０６ｄ）が同じ特定の方向に面している場合、第２入力は記録される。したがって、異なる入力（例えば前記第１入力と前記第２入力）は、装置７００のセクション７０２を異なる入力位置へと回転させることによって記録される。さらにしたがって、装置７００を操作するユーザは、フィールマーク７０６ａ−ｄのいずれかが、任意の与えられた時点で特定の方向に面していることを感じるように、マークのいずれかを感じることによって、セクション７０２の異なる入力位置の間を識別する。例えば、好ましいフィールマークが親指に面するまで、前記好ましいフィールマークに対応する（又はそうでなければ、前記親指に面するため、セクション７０２が前記好ましいフィールマークのために回転される位置に対応する）入力を記録するため、親指は、装置７００が同じ手の指に装着されている場合、フィールマークのいずれかが親指に面していることを感じ、装置のセクション７０２を回転させる。上記の次に、ユーザは、小さな空洞に触れるといったように、単にセクション７０２の外部表面を感じることにより、セクション７０２を好ましい入力位置に回転させる方法を知る。
【０１４１】
図７Aと７Bでは、セクション７０４の外部表面（すなわち、空洞７０３を通る指に装着される装置７００に接触する表面）に（又は側面に）位置する、接続ユニット７０８（以前に記載された接続ユニットおよびコネクタに類似する）を含む装置７００をさらに示す。接続ユニット７０８は、物理的な接続、動力の接続、及び／又は装置７００と別の装置の間のデータ接続を促す。例えば、接続ユニット７０８は、装置７００の空洞７０３へ挿入される「ホスティング装置」に含まれ、具体的には前記「ホスティング装置」の一部又はセクションの上にある、別の接続ユニットとの接続を形成し、ここで、前記別の接続ユニットは、装置７００を「ホスティング装置」に接続させるため、前記部分又はセクションが空洞に挿入される場合、接続ユニット７０８に接触する。
【０１４２】
複数の入力位置のために別のセクションの周りを回転できるセクションを有する、指に装着される装置に関して上述した一方で、本発明の指に装着される装置は、回転操作の必要なく、様々な入力位置へと移動（そうでなければ再配置）される様々な動的な要素又はセクションを有することが明らかとなるということに注意する。例えば、本発明の指に装着される装置は、固定セクション７０４（装置７００に関して図７Aと７Bに示されるように）を含む。固定セクション７０４は、ノブが差し込まれ、トラックに沿って押され又は引っ張られるものであり、ここで、前記トラックに沿った前記ノブの異なる位置は、異なる入力に対応する。
【０１４３】
図７Cから７Eは、指に装着される装置７１０として本発明の実施形態を示す。装置７１０は、指、およびセクション７１２上のタッチ表面７１４（または単に「表面」）に装着される入力ユニットであり、指の上への装置の装着を促進するセクション７１２を含む。タッチ表面７１４は、タッチ及び／又はタッチ動作を感知できる（例えば、表面に沿って親指をスライドさせる動きを感知することができる）表面であり、またはそうでなければ、タッチ及び／又はタッチ動作を感知するための手段と結合し、その結果、（例えば入力を記録するために）装置７１０の操作は、表面７１４上のタッチ及び／又はタッチ動作によるものである。例えば、二つの対向する方向において表面７１４の上に親指をスライドさせることにより、ユーザは、（典型的なインターフェース機能として）次の書面又はウェブページを上下にスクロールすることができ、一方、スライドさせる各々の方向は、スクロールする各々の方向（すなわち、前記二つの対向する方向）に対応する。
【０１４４】
図７Ｃから７Ｅでは、装置７１０は、表面７１４の上に（またはその地点に、或いはその付近に）位置する、触覚インジケータ７１６ａ−ｃ（または単に「インジケータ」）をさらに含むと示され、その結果、インジケータは表面に触れる際に（例えば、表面に親指が触れることによって）感じられる。触覚インジケータ７１６ａ−ｃは、情報を中継するためなどに、触覚出力（すなわち、感じられる、又はそうでなければ触知できる出力）を促進、そうでなければ触覚出力を生成又は作り出す、様々な要素（下記に延べられるように、任意に動的な要素）である。したがって、（図７Ａと７Ｂで示される、装置７００の）フィールマーク７０６ａ−ｄに関して述べられたものと同じように、インジケータ７１６ａ−ｃは、装置７１０を操作する際に感じられる。
【０１４５】
いくつかの実施形態では、触覚インジケータ７１６ａ−ｃは動的（また「変化可能」）であり、二つ以上の状態を有しており、その結果それらは各々の状態で（例えば、表面７１４に触れる、したがってインジケータに触れる親指に）異なって触れる。したがって、触覚インジケータ７１６ａ−ｃは、二つ以上の状態の間で変化する一方で、各々の状態は接触時に異なる感覚を有する。例えば、インジケータ７１６ａ−ｃの各々は、（一応はアクチュエーターに差し込まれる又は接続される）ピンを含むソケットであり、前記ピンが前記ソケットに格納される（又はそうでなければ「その中にある」）第１状態と、前記ピンが前記ソケットにまで延ばされる（又はそうでなければ「突き出る」）第２状態を有する。
【０１４６】
図７Cでは、インジケータ７１６ａ−ｃは、各々のインジケータのピンがソケットに格納される状態などの、全て同じような状態であると具体的に示される。
【０１４７】
図７Ｄでは、インジケータ７１６ａ，ｂは、ピンがソケットから突き出る状態などの、図７Ｃにおける物とは異なる状態であると具体的に示される。インジケータ７１６ｃは、図７Ｄにおいて、図７Ｃにおいて示されたものと同じ状態であると示される。
【０１４８】
ソケットの中にある、（一例ではあるが）動的なピンであるインジケータ７１６ａ−ｃに関して本明細書に記載されているものは、当該技術分野において知られているように、再生可能な点字ディスプレイ（又は「点字端末」）において盛り上がった点と同じように促進さることに注意する（米国特許第６７００５５３号参照）。
【０１４９】
本発明の指に装着される装置の触覚インジケータの状態の間の任意の変化（触覚インジケータを生成するための任意の手段である）は、前記触覚インジケータ、そのセクション、又はその中に含まれる要素の形状及び／又は位置を変化させるアクチュエーター（例えば、図８Ｂから図８Ｃのアクチュエーター８０６ａ，ｂを参照）を操作する（またはそうでなければ「信号を送る」）、指に装着される装置のマイクロプロセッサにより、電気的に及び／又は機械的に促進される（また、任意の電気的及び／又は機械的手段により促進される）。例えば、本発明の指に装着される装置は、電気作動ポリマー（当該技術分野において「電気作動ポリマーアクチュエーター」としても知られている）を含み、このポリマーはタッチ及び／又は圧力を感知するためにタッチセンサーに組み合わせられ（例えば、タッチ感知アクチュエーターを覆う）、一方で、前記電気作動ポリマーは、電圧またはそれに適応される電流によってその形状を変化させ、そして形状を変化することにより、触覚インジケータを生成する。
【０１５０】
いくつかの実施形態において、インジケータ７１６ａ−ｃの状態は、（好ましくはタッチ表面７１４に触れることなどにより、インジケータのいずれかに接触している）装置７１０のユーザに、インターフェースまたはプログラム状態、又はその要素の状態を指し示す。同じように、インジケータ７１６ａ−ｃの状態の間の変化は、（触覚（haptic）技術の分野において、又は触覚（tactile）フィードバックに関する分野において知られているように）インターフェースまたはプログラムイベント、及び／又はインターフェースまたはプログラム要素における変化についてユーザに通知することを促進する。言い換えると、インジケータ７１６ａ−ｃの状態、及び／又はインジケータ７１６ａ−ｃの状態の間の変化は、装置７１０のユーザに情報又はフィードバック、好ましくはインターフェースまたはプログラム（例えば、装置７１０に通信する装置のプログラム）を中継するために利用される。前記情報は、インジケータ７１６ａ−ｃの状態、及びその変化を通知する（好ましくは識別する）ためにタッチの感覚を利用するユーザによって、前記ユーザに中継される。例えば、（一例として上述されるように）インジケータ７１６ａ−ｃがピン又はソケットである場合、前記ピンが前記ソケットから突き出している状態は、特定の情報を中継するためのものである一方で、前記ピンが前記ソケットに格納されている状態は、異なる情報を中継するためのものである。同じような例では、前記ピンが前記ソケットから突き出ている状態と、前記ピンが前記ソケットに格納されている状態の間の変化は、表面７１４に触れるユーザが前記変化を通知する場合において、特定の情報を中継する。また別の同じような例では、（本発明の指に装着される装置の動的な触覚インジケータにおいて）ピンのソケットからの延長およびソケットへの格納の連続は、ユーザによって感じられ、インターフェースイベントが生じている、又はインターフェース機能が実行される通知のような、特定のメッセージとして識別される。
【０１５１】
インジケータ７１６ａ−ｃの状態の間の変化は、情報を中継するため、プログラム指示がインジケータ７１６ａ−ｃ（例えばアクチュエーター）の状態を変化させるための手段に命令を出す場合において、インターフェース（またはその要素或いはイベント）またはプログラム（またはその要素或いはイベント）によって促進される（また誘発される）ことに注意する。したがって、インターフェースまたはプログラムは、インジケータ７１６ａ−ｃの状態における変化を制御または操作する。例えば、装置７１０は、インジケータ７１６ａ−ｃの状態を変化させる手段を含み、インターフェースを有し、またはプログラムを運営する別の装置に通信する（またはそうでなければ、そこから信号を受け取る）。その結果、インジケータの状態の変化のためのコマンドは、前記別の装置から送られる（好ましくは、前記インターフェースまたはプログラムにより指示されている）。別の例では、装置のインターフェースにおける、インターフェースイベント（例えば、前記インターフェースの状態における変化、又は手順の始動）は、装置７１０に信号を伝達するために前記装置を促進し、その結果、装置７１０による前記信号の受け取りは、インジケータ７１６ａ−ｃのいずれかの状態の変化の連続を始動する一方で、前記連続は、前記インターフェースイベントに対応する触覚メッセージである。
【０１５２】
いくつかの実施形態では、触覚インジケータ７１６ａ−ｃは、特定の入力に対応するタッチ表面７１４の特定の領域を示す。例えば、タッチ表面７１４は、領域へと分割される一方で、前記領域の各々でのタッチは、（例えばインターフェースにおける異なる機能のため）異なる入力に対応し、そして一方で、インジケータ７１６ａ−ｃは、インジケータを感じることにより領域の間の識別を促進するため、前記領域の中に分配される。例えば、インジケータ７１６ａ−ｃのいずれかは、表面７１４の真ん中の位置に位置付けられ、原則的に表面を二つの領域に分割し、異なる入力を記録するのに対応する前記領域の各々に触れる。
【０１５３】
図７Ｃでは、（一般的に、図において図示された破線の円により囲まれた）タッチ表面７１４の領域７２６ａ−ｃを示す。領域７２６ａ−ｃのいずれかのタッチは、異なる入力を記録するためのものであり、その結果、タッチ領域７２６ａは、タッチ領域７２６ｂとは異なる入力、及びタッチ領域７２６ｃとは異なる領域も記録する（一方、タッチ領域７２６ｂは、タッチ領域７２６ｃとは異なる入力を記録する）。任意に、領域７２６ａ−ｃのいずれかから別のものへとタッチを動かすこと（例えば、表面７１４上でスライドさせること）は、任意の他の領域へとタッチを動かすこととは異なる入力を記録するためのものである（タッチジェスチャーに関しては図７Ｅを参照）。
【０１５４】
いくつかの実施形態において、触覚インジケータ７１６ａ−ｃの状態は、（インジケータを含む指に装着される装置の模範的な操作として）インターフェース又はプログラム（又は様々なそれらの要素）を制御するため装置７１０を操作するコンテキスト、又は具体的には、タッチ表面７１４に触れること（及び／又は表面７１４をスライドさせること）により記録された入力のためのコンテキストを示す（また「意味する」）。そうでなければ、インジケータ７１６ａ−ｃの異なる状態は、入力を記録するための異なるコンテキストに対応し、その結果、異なる入力は同じ操作から記録され、一方でインジケータ７１６ａ−ｃは異なる状態にある。前記コンテキストは、インターフェース又はプログラム（又は様々なそれらの要素）が中にある状態に対応し、その結果、インターフェース又はプログラム（又は様々なそれらの要素）の異なる状態は、入力を記録するための（そうでなければ入力を加工するための）異なるコンテキストを設定し、一方でインジケータ７１６ａ−ｃの状態は、（例えば、特定の状態にインジケータのいずれかを配置するためアクチュエーターに命令を出すインターフェースにより）したがって設定される。例えば、インジケータ７１６ａが第１状態にある場合、第１入力は特定の方法で装置７１０を操作する（例えば、タッチ表面７１４の上に親指をスライドさせる）際に記録され、一方で、インジケータ７１６ａが第２状態にある場合、第２入力は同じ方法（すなわち、前記特定の方法と同じ方法）で装置７１０を操作する際に記録される。そうでなければ、同じ入力（例えば、前記第１入力）は、同じ方法での装置の操作から記録される一方で、前記同じ入力は、異なるコンテキストにおいて（又はそうでなければ任意の方法において）加工され、インジケータ７１６ａが前記同じ入力が記録される際に中にある状態に依存する（又はそうでなければそれに対応して）。したがって、ユーザは同じ方法（また「やり方」或いは「様式」）で装置７１０を操作し、又はそうでなければその装置で（又はその上で）同じ操作を実行する一方で、異なる入力はインジケータの異なる状態に対応して記録される。そうでなければ、同じ方法で装置７１０を操作する際、記録された入力は、前記入力が記録される際に装置７１０のインジケータが中にある状態とは異なって、又は対応して加工される。特定の例では、インジケータ７１６ａ−ｃがソケットに差し込まれたピンである場合、インジケータが前記ソケットに格納された前記ピンの状態である際に（装置７１０の）タッチ表面７１４の上に親指をスライドさせることは、第１機能（例えば、インターフェースにおいて第１ドキュメントを通じてスクロールすること）を始動又は実行するためのものである一方、インジケータがソケットから延長されたピンである際に、表面の上に親指をスライドさせることは、第２機能（例えば、開いたアプリケーションを通じてブラウジングすること）を始動又は実行するための、又は異なるインターフェース上の同じ機能（例えば、前記第１ドキュメントを通じてスクロールすることとは対照的に、第２ドキュメントを通じてスクロールすること）を始動又は実行するためのものである。特定の同じ例では、インジケータの状態の間の変化は、（例示的なインターフェース又はプログラムイベント、或いはインターフェース又はプログラムにおける例示的な変化として）一つの開いたドキュメントから別の開いたドキュメントへと（システムを操作する一般の「ウィンドウズ」において知られているように）「焦点」を切り替えるシステムを操作することなど、インターフェースまたはプログラムにおける変化によって促進される。別の例では、ユーザは、インジケータ７１６a-bのいずれかの示されたピンがインジケータの示されたソケットに格納される際、インターフェースのメニューのオプションを通じてブラウジングするために、タッチ表面７１４の上に親指をスライドさせ、一方、制限されたオプション（そうでなければ消去オプションのような事柄を要求するオプション）に達する際、そのインジケータのピンは、インジケータのソケットから延長され、前記ユーザがタッチ表面７１４の上でさらに実行する二つの可能な操作をユーザに通知する。具体的に、インジケータの前記ピンは、タッチ表面７１４の真ん中に位置づけられ、タッチ表面を第１領域と第２領域（すなわち、ピンのいずれかの側面からのタッチ表面７１４の二つの空洞）に分ける。一方で、前記第１領域に触れることは、前記「制限された」オプションを選択又は承認するためのものであり、そして一方で、前記第２領域に触れることは、インターフェースの前記メニューにおける以前のオプションへと戻る（又はそこに留まる）ためのものである。
【０１５５】
上記の次に、触覚インジケータ７１６ａ−ｃは、状態を変化させる（また「状態の間で変化する」）一方で、各々の状態はインジケータに触れるユーザにより識別される（又は区別する）。インジケータ７１６ａ−ｃの各々の状態は、好ましくはインターフェースまたはプログラム要素（又はそれらの状態）、又はインターフェースまたはプログラムイベントの指標である。したがって、インジケータ７１６ａ−ｃの各々は、インターフェースまたはプログラム要素（例えば、プログラムの対象）、又はインターフェースまたはプログラムイベント（例えば、インターフェースにおける手順又は過程）に関連する、触覚情報（また、「触覚フィードバック」或いは「触覚指標」）を受け取るためユーザにより感じられる。例えば、インジケータ７１６ａ−ｃは、ソケットに格納される又はソケットから延長されるピンを含む一方、前記ピンが格納される間に表面７１４の上を親指がスライドすることは、ドキュメントを介してスクロールするためのものであり、一方、前記スクロールが前記ドキュメントの終了又は始動に達することを知らせるためピンはソケットから延長する。これは、インターフェースからのフィードバックが、ディスプレイによって視覚的に中継されるのとは反対に、触覚インジケータにより中継されるため、装置７１０を操作することにより制御される装置（例えば、携帯電話などの、小さなスクリーンを有する装置）における、ディスプレイ空間を守るのに都合がよい。
【０１５６】
図７Cから７Eでは、装置７１０は、装置７１０と様々な他の装置の間の通信を促進する、通信ユニット７１８（例えば、トランシーバー）を含むことがさらに示される。任意に、他の装置は、入力が装置７１０の操作により記録され、又は装置７１０からの入力（例えば、装置７１０から信号を送ることにより、前記他の装置のいずれかに通信した入力）を利用した、様々なインターフェース又はプログラムを含む。前記インターフェース又はプログラムは、触覚インジケータ７１６ａ−ｃの状態における変化を促進する。
【０１５７】
本発明の指に装着される装置に含まれる任意の触覚インジケータ（動的又はそうではない）は、いくつかの場合（例えば、いくつかのインターフェース又はプログラムでは）といくつかの実施形態では、点字の触覚フィードバックを生成する（すなわち、点字の形態における触覚情報を中継する）ことに注意する。したがって、本発明の指に装着される装置のいくつかの実施形態の触覚インジケータは、点字を利用することにより情報を中継するため、点字の異なる特性を形成する。例えば、装置７１０は、異なる点字に関する点の組み合わせを形成するため、突き出る又は格納される、様々な点を含む。
【０１５８】
本発明の指に装着される装置に含まれる任意の触覚インジケータは、いくつかの場合といくつかの実施形態において、モールス信号の触覚フィードバックを生成する（すなわち、モールス信号の形態における触覚情報を中継する）ことにさらに注意する。したがって、本発明の指に装着される装置に含まれるいくつかの実施形態の触覚インジケータは、モールス信号を利用することによって情報を中継する一方で、この中継は、状態を変化させる前記触覚インジケータにより促進される。
【０１５９】
図７Ｅは、装置７１０と、装置のタッチ表面７１４に触れ、それに沿って動かすことにより装置を操作する親指２３４を具体的に示す。親指２３４のタッチジェスチャー７３０ａ−ｃ（又は単に「ジェスチャー」）（すなわち、表面７１４に触っている間の親指２３４の動き）は、図７Ｅにおいて曲線状の破線の矢印によって図示され、動きの軌道を示している。したがって、タッチジェスチャー７３０ａ−ｃのいずれかは、親指２３４が、具体的には表面７１４に触れる間に動く経路である。ジェスチャー７３０ａは、第１方向に親指２３４をスライドさせるように示される（図の上方、著しくは図における装置７１０の位置に、又はそうでなければ表面７１４の領域７２６ａから領域７２６ｂまで図示される）一方、ジェスチャー７３０ｂは、第２方向に親指２３４をスライドさせるように示される（下方に、又はそうでなければ、領域７２６ｃから領域７２６ａの方へと図示される）。ジェスチャー７３０ｃは、下方へ、その後上方へスライドする動き（すなわち、最初の下方へのスライドとその後の上方へのスライドの組み合わせであり、その一方で表面７１４に触れ、又はそうでなければ領域７２６ｃから領域７２６ａへとスライドし、その後領域７２６ｃへと戻る）を示す。
【０１６０】
いくつかの実施形態において、異なるタッチジェスチャーは、異なる入力を記録するためのものである。言い換えると、異なる入力は、異なるタッチ動作（すなわち、ジェスチャー）を、具体的には装置７１０のタッチ表面７１４の上で実行することによって記録される。具体的に、異なるタッチジェスチャーは、異なるインターフェース又はプログラム要素を制御するため、又は異なるインターフェース又はプログラム機能を実行するため、或いは異なるインターフェース又はプログラムイベントを促進するためのものである。例えば、（表面７１４上の）ジェスチャー７３０ａの実行は、第１入力を記録するためのものである一方、ジェスチャー７３０ｂの実行は、装置７１０と通信する装置のインターフェース又はプログラムにおいて使用されるべき入力などの、第２入力を記録するためのものである。別の例では、インターフェースは、前記インターフェースが前記タッチジェスチャーを実行することにより（例えばディスプレイ上の図で）操作される要素を含む場合などにおいて、タッチ表面７１４上のタッチジェスチャーを実行することにより制御される。いくつかの場合では、表面７１４上のジェスチャー７３０aの実行は、前記要素を上方に操作するためのものである一方で、ジェスチャー７３０bの実行は、前記要素を下方に操作するためのものである。また別の例では、表面７１４上のジェスチャー７３０ｃの実行は、プログラムにおける第１イベント（例えば、前記プログラム又はその要素の状態を変化させること）を促進するためのものである一方、表面７１４を（親指２３４で）素早く二回叩くこと（一般的に、演算における、具体的にはタッチパッド及びタッチスクリーン上での「ダブルタップ」として知られている）により、第２イベント（例えば、前記プログラムにおける機能を作動又は実行すること）を促進する。
【０１６１】
タッチ表面７１４上で実行されるタッチジェスチャーの方向は、インターフェース又はプログラムにおける方向に必ずしも対応しないことに注意する。例えば、（図７Eにおける装置７１０の位置に対応して）表面７１４上で上方に指をスライドさせることは、オプションのリストをブラウジングするためのものである一方、下方に指をスライドさせることは、ファイルのローディングなどの、方向に関連しない機能を実行するためのものである。
【０１６２】
いくつかの実施形態では、表面７１４上でタッチジェスチャーを実行することにより記録される入力のための異なるコンテキストは、インジケータ７１６ａ−ｃの異なる状態に対応する。具体的には、表面７１４上で実行される任意のタッチジェスチャーは、インジケータ７１６ａ−ｃの異なる状態に対応して、異なるインターフェース又はプログラムイベントを促進するためのもの（又はそうでなければ異なる入力を記録するためのもの）である。言い換えると、インジケータ７１６ａ−ｃの状態と、（装置７１０の操作により、具体的には表面７１４のタッチジェスチャーを実行することにより記録される）入力のためのコンテキストは、互いに対応する。例えば、インジケータ７１６ａが第１状態にある間の（又は「場合の」）ジェスチャー７３０ａの実行は、インターフェース又はプログラム上に異なる影響を与え、又はそうでなければ、インジケータ７１６ａが第２状態にある間のジェスチャー７３０ａの実行とは異なる入力の記録を促進する。
【０１６３】
インジケータ７１６ａ−ｃのいくつかの状態は、前記触覚インジケータの静止状態である一方、他の状態は、変化の連続を繰り返すといったように、状態（例えば、位置における変化）を変化させることに注意する。例えば、触覚インジケータの状態は、（ソケットから）繰り返し延長され、格納されたピンである一方、前記触覚インジケータの別の状態は、延長されたままである前記ピンである。
【０１６４】
図７Cから図７Eで例示され、示されたものはピンとソケットを含む触覚インジケータである一方、触覚インジケータを生成又は提供する任意の動的な要素が利用され、本発明の範囲にあることは明らかにされていることにさらに注意する（例えば、図１０Aから１０Cの装置１０００のセクション１００４を参照）。触覚インジケータが装置７１０に関して記載されている一方、本発明の任意の指に装着される装置は、本明細書に記載の触覚インジケータを含み、及び本発明の範囲は、触覚インジケータを備えた任意の指に装着される装置を含むことにさらに注意する。指に装着される装置で（具体的には、装置の操作可能な要素またはセクション、又はその大多数で）実行される動作の任意の操作又は連続は、上述されるタッチジェスチャーに類似したジェスチャーとみなされ、その結果、タッチジェスチャーに関して上述されるものはまた、動作の任意の操作又は連続に適応することにさらに注意する。例えば、本発明の指に装着される装置は、第１スイッチと第２スイッチを含み、第１スイッチと第２スイッチを相互作用することにより操作可能である。任意に、前記第１・第２スイッチの相互作用は、いずれか又は両方を押すことによるものである一方、第１スイッチを押し、その後第２スイッチを押すことは（第１入力を記録するための）第１ジェスチャーとみなされ、そして一方で、両方を同時に押すことは、（第２入力を記録するための）第２ジェスチャーとみなされる。したがって、ジェスチャー（又はその大多数）は、本明細書に記載されるように、指に装着される装置の上で実行される操作又は動作（あるいはその連続）である。
【０１６５】
上述されるものはタッチ表面上に（又はその場所に、その付近に）位置づけられる（又は位置している）動的な触覚インジケータ（すなわち、インジケータａ−ｃ）に関するものである一方、類似のインジケータは、制御装置、ボタン、回転可能なセクション、いわゆる「親指スティック」、スクロールホイールなどの、操作可能な要素またはセクション、或いはその大多数の上で（又はその場所に、その付近で）、本発明の指に装着される装置の中に含まれることが明らかにされていることにさらに注意する。そのような動的な触覚インジケータは、指に装着される装置のユーザのため、動的な触覚フィードバックを生成又は作り出すことを促進するために（また、感覚手段により情報を中継するために）好ましくは利用される。
【０１６６】
上述されるものは、フィールマーク７０６ａ−ｄと触覚インジケータａ−ｃに関するものである一方、様々なフィールマークと触覚インジケータは、異なる入力に任意に対応する、本発明の装置の異なるセクションの間の区別、及び／又はその位置などの、同じ結果を促進するため、又は同じ目的のための、本発明の指に装着される装置に含まれることは明らかとされることに注意する。
【０１６７】
いくつかの実施形態において、タッチ表面７１４は、タッチ及び／又はタッチ動作を感じることに加え、又はその代わりに、圧力を感じることができる。したがって、入力は、タッチ表面、又はその特定の領域の上の圧力を感じることから記録される。上記の次に、触覚フィードバック（例えば、動的な触覚インジケータの状態の変化）は、圧力を感じるための（又はそうでなければ圧力から記録される入力のための）コンテキストを示す。さらに、圧力を感じるためのコンテキスト（例えば、インターフェース又はプログラムイベントが生じ、変化を促進するものはコンテキストである）は変化し、この場合、適切な触覚フィードバックは促進される（例えば、触覚インジケータは状態の間で変化する）。タッチ表面７１４において圧力検出を利用することにより、ユーザは、触覚インジケータに従って、前記ユーザがタッチ表面（又はその領域）を圧迫する（また、圧迫を適応する）、又はするかどうかを選択した後、タッチ表面に触れることにより（それにより入力は記録されない）、触覚インジケータ（また、「触覚フィードバック」）を受け取る。任意に、タッチ表面の接触（その間表面に圧力を加えない）は、触覚インジケータを受け取るためのものであり、（例えば、タッチ表面７１４がただ圧力に感受性があるだけで、タッチに感受性はない場合に）入力を記録するためのものではない。一方、タッチ表面（又はその領域）への圧力の適応は、入力を記録するためのものである。例えば、インジケータ７１６ａ−ｂの各々は、タッチ表面７１４が特定の入力を記録するために圧迫される特定の領域に対応する。具体的に、インジケータ７１６ａは、第１適応の閉鎖又は解放のために圧迫される領域に対応し、一方でインジケータ７１６ｂと７１６ｃは、第２及び第３適応の閉鎖又は開放のために圧迫される領域にそれぞれ対応する。さらに、インジケータ７１６ａ、７１６ｂ又は７１６ｃは、前記第１適応、前記第２適応、又は前記第３適応がそれぞれ開放されることを示す第１状態を有し、第１、第２、又は第３適応（それぞれインジケータ７１６ａ、７１６ｂ又は７１６ｃに対する）が閉鎖されることを示す第２状態を有する。そのような場合では、ユーザは、インジケータ７１６ａ−ｃが第１状態及び第２状態にあることを知るため、したがって前記第１、第２、又は第３適応が開放及び閉鎖されていることを知るために、タッチ表面７１４上で親指をスライドさせる。前記ユーザは、その後、閉鎖した適応を開放するため、（第２状態であることにより）閉鎖した適応を示すインジケータに対応する、タッチ表面７１４の領域を圧迫することを選択する。前記ユーザは同様に、前記開放した適応を閉鎖するために、開放した適応を示すインジケータに対応する領域を圧迫することを選択する。上述の例では、タッチ表面７１４の接触は、好ましくはインジケータ７１６ａ−ｃからの指示を受け取るため、入力を記録するためのものではなく、一方でインジケータに対応する領域への圧迫は、入力を記録するためのものである。これは、指に装着される装置を操作する指のために、ユーザが触覚指標を受け取ることが所望される場合に役立ち、その結果、前記感覚指標を受け取る前記ユーザは、いかなる方法で（又は「方式で」）前記指に装着される装置を操作するかどうかを選択する。
【０１６８】
図８Ａから８Ｄは、指に装着される装置８００としての本発明の実施形態を示す。図８Ａでは、装置８００の斜視図が示される一方、図８Ｂから８Ｃでは、装置の断面図が示される。装置８００は、セクション８０２を含んで示され、ここで、指に合う空洞８０３が存在する。言い換えれば、セクション８０２は、指に装置を装着するのを促進するように形作られる。装置８００は、好ましくは一般的に空洞８０３の付近に位置し、又は空洞に面して位置づけられ、又はそうでなければいくらか及び任意の範囲で空洞８０３に露出した、セクション８０４ａ，ｂを含んでさらに示される。
【０１６９】
いくつかの実施形態では、セクション８０４ａ，ｂは、空洞８０３のサイズに一般的に影響を与える又は制御するために（又はそうでなければ「空洞のサイズを一般的に変化させるために」）、動的（また、「変化可能」、或いは具体的に「動作可能」）である。言い換えると、セクション８０４ａ，ｂは、空洞８０３を人の指の異なるサイズに適応させるのを促進するために動的である（すなわち、変化される又は動かされる）（その結果、異なるサイズの指は、空洞へと挿入される）。具体的には、セクション８０４ａ，ｂは、空洞８０３を大きくし、小さくするために動かされ（また、移動又は再配置され）、又は変化される。その結果、より大きなサイズの指とより小さなサイズの指はそれぞれ、（装置８００が滑り落ちるのを防ぐために）空洞に適合し、空洞に適切に嵌る。より具体的には、いくつかの実施形態では、セクション８０４ａ，ｂは、セクション８０２から空洞８０３の方へと一般的に延長され、又はセクション８０２へと格納される。言い換えると、セクション８０４ａ，ｂは、図８Ａと図８Ｂに図示される方向によって示されるように、空洞８０３へと一般的に突出し、又は空洞８０３から引っ込む。
【０１７０】
図８Ｂから８Ｃでは、セクション８０４ａとセクション８０４ｂにそれぞれ接続される、アクチュエーター８０６ａとアクチュエーター８０６ｂ（セクション８０２の内側に位置することを示す破線の円で図示される）が示される。アクチュエーター８０６ａ，ｂは、上述されるように、セクション８０４ａ，ｂの動きと変化を促進する。アクチュエーターは、装置８００に含まれる動力供給から、操作するための動力を供給することが明らかにされることに注意する。
【０１７１】
図８Ｂでは、セクション８０２（破線で図示されるセクション８０４ａ，ｂの引っ込められた部品）へと部分的に引込められ（また、格納され）、空洞８０３へと部分的に延長されるセクション８０４ａ，ｂが示される。
【０１７２】
図８Dでは、空洞８０３から一般的に（大抵は）延長したセクション８０４ａ，ｂが、すなわち図８Bで示される異なる位置（配置）で示される。
【０１７３】
いくつかの実施形態では、セクション８０４ａ，ｂの各々は、図８Cで例示されるように、個々に動き、変化する。図８Cでは、セクション８０２から（空洞８０３へと）一般的に（大抵は）延長したセクション８０４ａが示され、一方でセクション８０４ｂがセクション８０２へと一般的に格納されて示される。したがって、セクション８０４ａ，ｂは、図８Ｃにおいて示される位置（又は配置）にあるように、二つの異なる方向（図８Ｃにおいて破線の弧で示される）において個々に動かされる。
【０１７４】
いくつかの実施形態では、装置７１０（図７Ｃから７Ｅを参照）の動的なインジケータに関して記載されたものと同様に、セクション８０４ａ，ｂは、異なるサイズの指を装置８００の空洞８０３に嵌める又は適応させることを促進することに加え或いはその代わりに、触覚情報の中継を促進し、又は触覚フィードバックを、具体的には装置８００を装着する指に生成する。したがって、情報は、物理的な状態又は位置の間で変化し、動き又は切り替わるセクション８０４ａ，ｂにより、装置８００のユーザ（すなわち、指に装置を装着し、任意に装置を操作する人）に中継される。装置の上に置かれる指（例えば、装置を操作するために装置の表面７１４に触れる親指）に直接、感覚手段により情報を中継する装置７１０の触覚インジケータに関して記載されたものに対向して、装置８００において、情報は、装置を装着する指（すなわち、空洞８０３を占める指）に（感覚手段、具体的にはセクション８０４ａ，ｂにより）中継される。例えば、図９Cにおける指に適応される触覚（haptic）フィードバックを参照する。例えば、セクション８０４ａ，ｂは、装置を装着する指に圧力を適応し、そこから圧力を開放するため、特定の連続においてセクション８０２から伸びて引っ込み、その結果、前記特定の連続は、前記連続が特定のメッセージ（例えば、モールス信号において知られているように、連続によってコード化された通知）を中継している場合、（前記指が装置８００を装着している）ユーザによって感じられ、そして前記ユーザによって任意に識別される。
【０１７５】
図８Eから８Hは、指に装着される装置８２０として、（断面図から）本発明の実施形態を示す。装置１７０（図１Hを参照）と同じように、装置８２０は閉鎖された空洞を含まないが、装置８２０が装着される場合に指によって満たされる間隙８２３を含む。さらに同じように、装置８２０は、前記指への装置の装着を促進するため、間隙８２３を定義し、間隙８２３の内側に指を嵌めるアーム８２４ａ，ｂを含んで示される。例えば、装置８２０は、前記指に装置を保持するため、アーム８２４ａ，ｂを利用することにより、指に「留められる」。
【０１７６】
図８Eから８Hでは、装置８２０は、入力ユニットを操作する、又は装置８２０上で（又は装置８２０を用いて）実行される動作を感じる入力ユニットにより入力を記録するためといったように、装置８２０を操作するための様々な手段である、入力ユニット８２２を含んでさらに示される。
【０１７７】
いくつかの実施形態では、アーム８２４ａ，ｂは動的なものであり、その結果、それらは位置を動かす又は変えることができる（又はそうでなければ物理的な状態の間でいくらか変わる）。図８Ｅから８Ｈで示されるものは、（図１８Ａから図１８Ｄに示されるように、装置８００のセクション８０４ａ，ｂのためのアクチュエーター８０６ａ，ｂと同様に）それぞれアーム８２４ａとアーム８２４ｂを移動又は再配置するための、アクチュエーター８２６ａとアクチュエーター８２６ｂである。
【０１７８】
図８Eでは、アーム８２４ａ，ｂは、（図示された破線の弧によって示されるように、図の視点から）それらが右又は左方向へ移動する位置において具体的に示される。
【０１７９】
図８Fでは、アーム８２４ａ，ｂは、（図８Fにおける図示された破線の弧を再配置する方向によって示されるように）図８Eにおけるそれらの位置から収縮されるように具体的に示される。装置８２０を装着する指は、その後、指が間隙８２３を占める間、前記指の上で収縮する両方のアームによって圧力を感じる。
【０１８０】
図８Ｇでは、アーム８２４ａは間隙８２３から外側に延長して示されるが、一方アーム８２４ｂは、間隙８２３へと収縮して示される。したがって、アーム８２４ａ，ｂの各々は、他のものから独立して（具体的には異なって）再配置されることが明らかにされる。任意に、アーム８２４ａ，ｂの各々の個々の（具体的には異なる）再配置は、特定の触覚情報を中継するためのものである。例えば、指に装置８１０を装着するユーザは、前記指の特定の側面に圧力（例えば、アーム８２４ａ，ｂの一つに適応される圧力）を感じる一方で、前記圧力は、（前記圧力が前記指に適応される間に生じる）第１インターフェースイベントを示すためのものである。同様に、（例えば、異なるアームによる）前記指の異なる側面への圧力の適応は、第２インターフェースイベントを示すためのものである。したがって、ユーザの指に圧力適応するアーム８２４ａ，ｂを感じる、及び区別するユーザにより、ユーザは、インターフェース（又はプログラム）イベントの指示を受け取る。アーム８２４ａ，ｂは、装置８００のセクション８０４ａ，ｂに関して上述されるものと同様に、特定の連続において動き（又は再配置する）、ここで前記連続は情報の指標であることに注意する。
【０１８１】
図８Ｈでは、アーム８２４ａ，ｂは、振動して（図において図示された破線の線によって示される振動）具体的に示される。従って、幾つかの実施形態において、装置８１０は、装置を振動させるアーム８２４ａ，ｂにより触覚フィードバックを中継する。
【０１８２】
図９Aは、指に装着される装置９２０と通信するジェスチャー認識システム９００（又は単に「システム」）を示す。具体的に、装置９２０は、手２３０の指２３２に装着されて示される一方で、手２３０は、（手２３０が指示ジェスチャーを実行して示される図において）手のジェスチャーを実行することにより、システム９００と相互作用している。一方でシステム９００は、図に示されるように、通信ユニット９１２を利用することによって、装置９２０に信号（又はそうでなければ任意のタイプの情報）を伝達する。
【０１８３】
システム９００は、手（または具体的に指）が、前記手（あるいは指）を感知する手段を利用することによって相互に作用する、任意のシステムである。言いかえれば、システム９００は、相互作用のため（例えば、前記手の動作を感じることによりインターフェースまたはプログラムを制御するための）手（または具体的に指）の感知を促進する、又は手の感知により相互作用を促進する、任意の手段を含む。具体的には、ジェスチャー認識システム９００は、姿勢、手及び／又は指の位置及び／又は動作を感じて認識する（また「識別する」）ことにより、またはそうでなければ、（姿勢、前記手及び／又は指の位置及び／又は動作に関連する）手及び／又は指のジェスチャーを認識することにより、相互作用を促進する。例えば、システム９００は、カメラの利用により、ジェスチャーを感知することができるジェスチャー識別コンピューターシステムである（例えば、米国特許第６７８８８０９号および米国特許出願第１２／２４２，０９２号を参照）。光の感知を利用しないジェスチャー認識手段が当該技術分野において知られているので、ジェスチャー認識システムに関して本明細書に記載されているものは、手、又は具体的に指のジェスチャーを感知し、認識することができる任意のシステムを指すことが明確にされることに注意する。
【０１８４】
図９Ａでは、システム９００は、手（あるいはその複数）及び／又は指（あるいはその複数）を感知するための、感知手段９０４を含んで示される。幾つかの実施形態では、感知手段９０４は、カメラまたは光センサのような、視覚感知手段９０６を具体的に含む。図９Ａに関して記載されたもの、及び図９Ａ内で示されたものは、視覚感知手段９０６を含む感知手段９０４を指す一方、感知手段９０４は、必ずしも視覚的又は光学的にではなく、ジェスチャーを感知するための、当該技術分野で知られている任意の手段を含む、又はその手段であることに注意する。さらに図９Ａ内で示さるものは、そこでインターフェース要素９０９ａ−ｄが表示される、ディスプレイ９０２を含む、又はそれに結合される、システム９００である。
【０１８５】
幾つかの実施形態では、システム９００は、手２３０の指し示すジェスチャーを感知して認識し、及び任意に、指し示すジェスチャーが位置しているインターフェース要素９０９ａ−ｄがどの方向を指しているか導き出す（インターフェース要素９０９ｂの方を指す、図９Ａで示された手２３０、および具体的に指２３２）。
【０１８６】
図９Ａでは、装置９２０は、触覚出力または視覚出力のような出力を生成する（あるいは「作り出す」）ための、出力ユニット９２２を含んで示される。幾つかの実施形態では、指２３２がインターフェース要素９０９ａ−ｄの何れかを指している場合、出力ユニット９２２は、手２３０により実行される指し示すジェスチャーが向く方向を導き出し、対応する出力を生成する出力ユニット９２２のための装置９２０に対応する信号を感知するシステム９００などにより、出力を生成してもよい。任意に、インターフェース要素９０９ａ−ｄの何れかを指すことは、出力ユニット９２２が（インターフェース要素９０９ａ−ｄから）任意の他のインターフェース要素の方を指すことにより生成された出力とは異なる出力を生成することを促進する。従って、ディスプレイ９０２において異なる位置を指すことによって、好ましくは装置９２０を装着する指によって、装置９２０のユーザは、指すことがインターフェース要素の方に向けられるかどうかに関する指示、そして任意に、どのインターフェース要素を指すことが向けられているかに関する指示を受ける。
【０１８７】
図９Ｂは、指に装着される装置９４０（手２３０の指２３２の上で装着されて示される）、および手および具体的に指の使用により相互に作用されることができる装置９３２を含む、本発明のシステム９３０を示す。装置９３２は、手および具体的に指の接触を感知するために、タッチスクリーン９３４を含んで示される。タッチスクリーン９３４は、インターフェース要素９３８ａ−ｄを表示して示される。
【０１８８】
幾つかの実施形態では、装置９３２は、装置９３２に含まれる通信ユニット９３６の利用などにより、指、好ましくは装置９４０を装着する指がタッチスクリーン９３４の上に触れている装置９４０に通信する。具体的には、装置９３２は、インターフェース要素がタッチスクリーン９３４に指が触れている場所に表示される、装置９４０に通信する。あるいは、装置９３２は、タッチスクリーンが触れられるタッチスクリーン９３４によりインターフェース要素が表示されるもの、装置９４０に対応する信号を伝達する。図９Ｂでは、指２３２は、インターフェース要素９３８ａが表示されるタッチスクリーン９３４に触れて示され、その結果、インターフェース要素９３８ａに対応する信号は、装置９３２から、具体的に通信ユニット９３６から装置９４０に送信される。
【０１８９】
図９Ｂでは、装置９４０は、触覚出力または視覚出力のような出力を生成するための出力ユニット９２２（図９Ａを参照）を含んで示される。図９Ａに関して記載されたものと同様に、出力ユニット９２２は、タッチスクリーン９３４が触れられる場合、どのインターフェース要素９３８ａ−ｄが表示されるかに対応する出力を生成する。これは、上述されるような装置９４０と通信する装置９３２によって促進される。
【０１９０】
さらに図９Ｂで示されるものは、手２３０以外に手２３０’であり、一方手２３０’は、インターフェース要素９３８ｄが表示されるタッチスクリーン９３４に触れて示されるその指の１つの上にある装置９４０（出力ユニット９２２に類似する出力ユニット９２２’を含んで示される）に類似する、指に装着される装置９４０’を装着して示される。従って、装置９４０’の出力ユニット９２２’は、（通信ユニット９３６の利用により、（装置９４０と通信することに加えて）装置９４０’とさらに通信する装置９３２などによって）手２３０’の指がタッチスクリーン９３４に触れているところで、どのインターフェース要素が表示されるかに対応する出力を生成する。
【０１９１】
上記の次に、本発明のシステムは、前記指に装着される装置を装着する指が触れているタッチスクリーンによって表示されたインターフェース要素に対応する出力を生成する、様々な指に装着される装置を含む。指と指に装着される装置の識別（すなわち、どの指がどのインターフェース要素に触れているか、又は具体的に前記インターフェース要素が表示される前記タッチスクリーンに触れているかを知ること）は、当該技術分野で知られる任意の手段により促進される（例えば、タッチスクリーン９３４が、当該技術分野において知られる「統合された感知ディスプレイ」である場合には、図２３Ａおよび２３Ｂに関して記載されたもの、また例えば、図２８Ａから２８Ｊに関して記載されたような指に装着される装置の位置を得るものを参照）。
【０１９２】
上記の次に、触覚インジケータを含む、本発明の指に装着される装置（例えば、図８Ａから８Ｄにおけるセクション８０４ａ，ｂを含む装置８００）は、いくつかの実施形態において、及びいくつかの指示に関して、前記指に装着される装置が、触覚出力を生成できない、又はそうでなければ任意の動的な触覚特徴を有していないタッチスクリーンをさらに含むシステムに含まれる場合などに、（当該技術分野において知られるように）触覚出力を生成できるタッチスクリーンの代わりとして機能することに注意する。そのようなシステムでは、触覚出力は、前記タッチスクリーンの代わりに（指に装着される装置を装着及び／又は操作せずに、触覚出力を生成することができるタッチスクリーンと相互に作用する代わりに）、前記指に装着される装置によって提供される。
【０１９３】
図９Ｃは、指２３２上の指に装着される装置９５０（図８Ａから８Ｄにおいて示されるような装置８００に類似する）を装着する、手２３０の斜視図を示す。図９Ｃでは、手２３０は、図（移動方向を示す、指２３２上の図示された破線の弧）の視点から、左へと一般に移動して示される。
【０１９４】
図９Ｃは、手２３０が一般的に左に移動している場合に装置を描写するため、装置９５０の拡大断面図をさらに示す。装置９５０は、拡大断面図における指２３２の上に装着されると示される。装置９５０は、指が挿入される空洞９５３を有するセクション９５２と、触覚（haptic）ユニット９５４ａ，ｂを含んで示される。触覚ユニット９５４ａ，ｂの両方の何れかは、装置を装着する手、または具体的に指が移動する場合、装置９５０から触覚フィードバックを生成する。図９Ｃでは、触覚ユニット９５４ａは、装置９５０を装着する（手２３０の移動による）指２３２の移動方向とは反対の、右方向に（力を加える方向を示す、図示された破線の弧）力を加えて具体的に示され、その結果、指２３２は、指２３２が動いている方向から適応される抵抗力（又は「カウンターフォース」、あるいはそうでなければ「フィードバックフォース」）を感じる。
【０１９５】
装置９５０の移動（手２３０と指２３２の移動に従って）の感知は、様々な加速度計（例えば、図２４Ａおよび２４Ｂにおける加速度計２４０４ａ，ｂを参照）を含む装置９５０になどよって、当該技術分野において知られる任意の手段によって促進されることに注意する。
【０１９６】
図１０Ａから１０Ｃは、横切りの視点断面図の視点から、指に装着される装置１０００として本発明の実施形態を示す。指は、装置のセクション１００２中の空洞１００３へ挿入されることにより、装置１０００を装着できる。装置１０００は、（図７Ｃから７Ｄに示されるように）装置７１０のタッチ表面７１４に類似し、タッチ及び／又はタッチ動作（例えば、タッチ表面に触れる指の動作）を感知できるタッチ表面１００６を含んで示され、その結果、装置１０００はタッチ表面に触れることにより（及び任意に触れる間に移動することにより）操作することができる。例えば、タッチ表面１００６が触れられる場合（例えば図１０Ｃを参照）、入力は記録される。
【０１９７】
図１０Ａから１０Ｃでは、装置１０００のタッチ表面１００６は、領域１００６ａ−ｃに分けられて示され、その結果、領域１００６ｂは動的なセクション１００４（あるいは単に「セクション」）に位置し、一方で部品（すなわち部品１００６ａ，ｃ）の残りは、セクション１００２に位置する。動的なセクション１００４は、形または位置の変化のような、物理的な状態の間で変わることができる。具体的には、物理的な状態の間で変わるセクションは、触覚情報の中継のためのものである。より具体的には、任意の与えられた時間でのセクション１００４の物理的な状態は、インターフェースまたはプログラム（あるいはその要素）の状態を示す。言いかえれば、インターフェースまたはプログラムは、与えられた時間での前記インターフェースまたはプログラム（あるいはその要素）がどの状態であるかに任意に対応して、与えられた時間でのセクションがどの物質の状態にあるか決定するために、セクション１００４を制御する。例えば、セクション１００４は、セクション１００２での調整からそれを延ばすことができるアクチュエーターに結合される（図１０Ａにおいて示されるように、セクション１００２の上の領域１００６ａ，ｃで調製されたセクション１００４の上の領域１００６ｂ）。図１０Ｂでは、動的なセクション１００４はセクション１００２から延ばされるように（又は「突き出て」）示され、その結果、領域１００６ａ−ｃは位置を調整されない。
【０１９８】
幾つかの実施形態では、セクション１００４は、タッチ表面１００６に沿ってタッチ及びタッチ動作の実行を促進するため、「調製された状態」（すなわち、領域１００６ｂが領域１００６ａ，ｃで位置を調整される物理的な状態）にある。同様に、セクション１００４は、表面１００６上のタッチ動作に対応するインターフェースにおける機能がアクセス不能であり、実行することが出来ないなどの場合、タッチ動作に対応する入力の記録を防ぐために、タッチ表面に沿った指の妨害する動作のため、「延ばされた状態」（すなわち、セクションがセクション１００２から伸びている物理的な状態）にある。従って、タッチ動作により入力を記録したいユーザは、その時に（セクション１００４が延ばされる時）、タッチ動作に対応する機能が実行できないことを通知される。
【０１９９】
幾つかの実施形態では、セクション１００４がセクション１００２から延びている場合、セクション１００４は、ボタンのような装置１０００の制御装置（例えば、図１８Ａから１８Ｄにおける、指に装着される装置１８００の制御装置１８０４）として機能することができる。任意に、多数の範囲又は位置の何れかに対し圧迫されるといったように、セクション１００４は重複状態の間で変わるために操作される。上記の次に、装置１０００は、タッチ表面１００６に触れることによって操作可能な状態（又はその複数）と、セクション１００４を操作することによって操作可能な状態（又はその複数）との間で切り替わる。
【０２００】
幾つかの実施形態では、領域の各々が触れられる際に異なる入力が記録されるといった場合、領域１００６ａ−ｃの各々は、個々にタッチを感知する。従って、表面１００６上のタッチ動作（すなわち表面に沿ったタッチの任意の動作）は、表面１００６に触れる指が一つの領域から別の領域に移動しているといった場合に、タッチを連続して感知するエリア１００６ａ−ｃの２つ以上によって検知される。例えば、領域１００６ａ−ｃの各々は、単一のタッチセンサーを含み、一方で連続的にタッチを感知している領域の２つ以上のセンサからの入力は、タッチ動作として解釈される。
【０２０１】
図１０Ｃは、装置１０００を操作するために、またはそうでなければ入力を記録するために、タッチ表面１００６に触れる親指２３４（すなわち、前の図に示されるような手２３０の親指）を具体的に示す（装置１０００が手２３０の指の上に装着されることを示す）。表面１００６に触れている間、親指２３４は、親指の近くに図示される破線の弧によって示されるように、（図の視点から）左又は右に動く。表面１００６上の任意のタッチ動作（すなわち、表面に触れる指の動作）は、図７Ｅで示されるジェスチャー７３０ａ−ｃに関して記載されるもののような、ジェスチャ（及び具体的にタッチジェスチャー）に関して記載されるものに類似すると見なされることに注意する。
【０２０２】
図１１は、指に装着される装置１１１０および指に装着される装置１１１０’を含む、本発明のシステム１１００を示す。装置１１１０および１１１０’の各々は、入力を記録するために操作することができる、又は操作されている装置の各々を感知することができる入力ユニット１１０６を含んで示される。装置１１１０および１１１０’の各々は、指に乗せることができるセクション１１０６を含んで、さらに示される。装置１１１０は、動的な触覚インジケータ（例えば、図７Ｃから７Ｅにおける装置７１０のインジケータ７１６ａ−ｃを参照）、又は触覚（haptic）インジケータ（例えば、図９Ｃにおける装置９５０の触覚ユニット９５４ａ，ｂ）である、インジケータ１１０４ａ，ｂを含んで示される。インジケータ１１０４ａ，ｂは、装置１１１０を装着する指によって、及び／又は装置１１１０を操作する指によって感知することができる、触覚（tactile又はhaptic）出力を生成することに注意する。
【０２０３】
幾つかの実施形態では、装置１１１０および１１１０’は、通信ユニット（例えば図７Ｃおよび７Ｄにおける装置７１０の通信ユニット７１８を参照）を含むことによって、互いの間で通信する。任意に、装置１１１０および１１１０’の何れかから送られた通信は、操作されている装置（図１１において示された、親指２３４によって操作される装置１１１０’）からの入力に対応する。さらに任意に、装置１１１０および１１１０’の何れかによって受け取られた通信は、触覚（tactile又はhaptic）出力を生成するためのインジケータ１１０４ａ，ｂ（破線の弧によって図示された方角に触覚出力を生成する装置１１１０の示されたインジケータ１１０４ａ）の両方の何れかを促進する。前記触覚（tactile又はhaptic）出力は、他の装置がどのように操作されているかに対応する。従って、装置１１１０および１１１０’の何れかを装着する及び／又は操作しているユーザは、装置がどのように操作されているかを示される。これは、他の通信手段がいつ利用可能でないか、または、好ましくないといった場合に、装置１１１０および１１１０’のユーザ間で触覚メッセージ（すなわち意味のあるメッセージを形成する触覚指標）を交換するのに有益である。例えば、装置１１１０のユーザおよび装置１１１０’のユーザは、互いに口頭で伝達しない商談に座っている。従って、及び上記の次に、前記ユーザの何れかは、他の装置を装着している他のユーザへ（触覚手段によって中継されている）メッセージを中継するために、そのユーザが装着する装置１１１０および１１１０’の何れかを操作する。
【０２０４】
図１２は、一般的にインジケータに関して上述されるものに従う、本発明の方法１２００のフローチャートを示す。
【０２０５】
いくつかの方法では、工程１２０２で、コンテキストは、指に装着される装置の操作により記録される入力のために設定される。前記コンテキストは、（指に装着される装置上で、又はそれによって行なわれる）操作が対応するインターフェース要素またはイベントのどちらかを指し、又は（恐らく指に装着される装置の操作から）記録された入力が対応するインターフェース要素またはイベントのどちらかを指す。例えば、指に装着される装置のタッチ感知可能な表面（例えば、図７Ｃおよび７Ｄで示される装置７１０のタッチ表面７１４）上で親指をスライドさせることは、工程１２１０で入力が記録される例示のジェスチャーである（以下を参照）。どの入力が工程１２１０で記録されるか決定することは、工程１２０２でコンテキストを設定することにより促進され、又は影響を受ける。従って、同じジェスチャーに関するコンテキストは、工程１２０２で変化し（前のコンテキストから工程１２０２で設定されたコンテキストまで）、その結果、前記タッチ感知可能な表面上で前記親指をさらにスライドさせることは、異なる入力を記録し、及び／又は異なるインターフェースイベントを促進する。
【０２０６】
いくつかの方法では、工程１２０４で、触覚インジケータ（例えば、図７Ｃおよび７Ｅにおける装置７１０のインジケータ７１６ａ）の状態、又はその複数は、変更されてもよい。
【０２０７】
いくつかの方法では、工程１２０６で、工程１２０２に関して言及された指に装着される装置は、特定の様式で操作される。前記特定の様式は、指に装着される装置上で（又はそれによって）、またはそのセクション（例えば制御装置）上で（又はそれによって）行なわれたジェスチャーを指す。
【０２０８】
いくつかの方法では、工程１２０８で、工程１２０６で行なわれたジェスチャーは、前に言及された指に装着される装置と通信し、ジェスチャー認識特徴を含む装置などにおいて、認識されてもよい。
【０２０９】
いくつかの方法では、工程１２１０で、工程１２０８で認識されたジェスチャーに対応する入力は、記録されてもよい。
【０２１０】
いくつかの方法では、工程１２１２で、コマンドは、工程１２１０で記録される入力に対応して実行される。
【０２１１】
工程５４６で、コンテキストは、方法５４０における指に装着される装置上で(又はそれによって)行なわれる任意のさらなる操作のため、または指に装着される装置の操作から記録されるさらなる入力のために変更される。工程５４８で、触覚フィードバックは、方法５４０の指に装着される装置；そうでなければ、入力を記録するために（工程５４２）及び／又は特定のインターフェースイベント（工程５４４）を促進するために操作された指に装着される装置において（又はそこで）促進される。前記触覚フィードバックは、インターフェースイベントが生じたとユーザに通知するなどのため。工程５４４で促進された前記インターフェースイベントを示す。例えば、インターフェースイベントは、任意の視覚表示を有していないインターフェース要素の状態における変化であることなどによって、「非視覚的」であり、又は視覚的に示されない。さらに又はあるいは、（工程５４８の）触覚フィードバックは、工程５４６でコンテキストの変更を示す。具体的には、触覚フィードバックは、感じることができる指に装着される装置における任意の変化（例えば、指に装着される装置の制御装置において、又は前記制御装置の近くで）であり、その結果、指に装着される装置に触れるユーザに、指に装着される装置上の特定のさらなる操作が、同じように又はそうでなければ、以前の操作により促進されたインターフェースイベントとは異なるインターフェースイベントに対応することを通知する。例えば、指に装着される装置のタッチ感知可能な表面上で親指をスライドさせることは、（例示のインターフェースイベントとして）機能を促進し、前記タッチ感知可能な表面上で前記親指をさらにスライドさせるためコンテキストの変更を促進し、一方で触覚の変更は、ユーザに前記機能が促進され、及び／又はタッチ感知可能な表面上で親指を任意にさらにスライドさせることが、（タッチ感知可能な表面からさらなる入力のための例示のコンテキストの変更としての）異なる機能を促進することを通知するために、その長さに沿って「飛び出る」プラグ（例えば、そのプラグが「急に飛び出る」状態であると示される、図５Ｄに示される装置５１０のインジケータ５１６ａ，ｂを参照）のような、タッチ感知可能な表面において（又はそこで、或いはその近くで）生じる。
【０２１２】
方法５４０に関して記載されたものは、触覚フィードバックを指す一方で、方法が入力のためのコンテキストの変更を示す（又は通知する）ことができる、任意のフィードバック（例えば、視覚的；例えば装置７００の視覚的なインジケータ７０６を示す図７Ａを参照）を指す（又は適用する）ことが明確にされることに注意する。例えば、指に装着される装置は、ボタンおよび複数色の発光ダイオード（ＬＥＤ）を有し、一方で前記ボタンを押すことは、グラフィック（例えばグラフィックの編集する適用）の編集に対してインターフェースでグラフィック（工程５４４の典型的なインターフェースのイベントとしての）を請求する第１のプロセスを始動してもよい（工程５４２でプレス盤から記録された入力から）。例えば、指に装着される装置は、ボタンと複数色の発光ダイオード（ＬＥＤ）を有し、一方で前記ボタンを押すことにより、グラフィック（例えば、アプリケーションを編集するグラフィック）を編集するためのインターフェースにおいて、（工程５４４の例示のインターフェースイベントとして）グラフィックを表す第１プロセスが（工程５４２で、圧迫から記録される入力から）始動される。好ましくは、グラフィックを表す前記第１プロセスが実行される間（そうでなければそのプロセスでグラフィックを表す間）、第１表示プロセスが完了するまで、（例えば、ハードウェアの制限のため）第２表示プロセスは始動されない。したがって、第１プロセスが（例示の「さらなる入力」として）実行される間に、（前記指に装着される装置の）前記ボタンを押すことから受け取られる入力のためのコンテキストは変えられ、その結果、（第１表示プロセスの間に）このような入力を受け取ることにより他のプロセスは始動されない。任意に、（指に装着される装置の）前記発光ダイオードは、第１表示プロセスの実行中にその色を赤色に変え、ボタンを押しても第２表示プロセスを始動しないということを示す。第１表示プロセスが完了した後、光を発するダイオードの色は緑色に変わり、絵を表示するための第２プロセスは指に装着される装置のボタンを押すことにより始動されることを示す。
【０２１３】
図１３Ａから１３Ｄは、指に装着される装置１３００として本発明の実施形態を（断面図の視点から）示す。装置１３００は、指が挿入される空洞１３０３がある、セクション１３０２（セクションの内側を明らかにする目的のため破線により図中に図示される）を含んで示される。装置１３００は、ノブのような、装置を操作するための制御装置１３０４をさらに含んで示される。図１３Ａから１３Ｄでは、制御装置１３０４は、押すことのできるボタンとして（一例で）示される。装置１３００の制御装置１３０４を操作することにより、音（図１３Ｃと１３Ｄにおいて、曲線の一般的に集中した線として図示される）が作り出される（又は生成される）。したがって、制御装置１３０４は、機械的に音を生成するための、当該技術分野において知られる任意の手段を含む、又は（例えば接続されることにより）制御する（米国特許第４８３６８２２号、３１０２５０９号、及び６９５４４１６号を参照）。
【０２１４】
いくつかの実施形態において、（例えば、制御装置１３０４を操作することにより）装置１３００により生成される（又はそうでなければそこから発せられる）音は、音センサ１３０８（具体的に図１３Ｃにおいて示され、マイクロフォンとして図示される）、又は当該技術分野において知られる、音を感知する他の任意の手段により感知される。音センサ１３０８は、音（そうでなければ音入力、又はそうでなければ音センサにより感知されるような音）を識別するため（そうでなければ「認識する」）の任意の手段に接続される。識別された音、又は音入力（すなわち、さらに識別された、感知された音により記録される入力）は、プログラムイベントのインターフェースを促進し、又はプログラムイベントのインターフェースに影響を及ぼす或いは操作し（そうでなければ制御する）、又はそうでなければインターフェース又はプログラムとの相互作用のために利用される。例えば、音センサ１３０８は、音認識手段（例えば、図１３Ｃにおける音認識システム１３２０を参照）を含むコンピュータに接続され、ここで、（前記音認識装置による）装置１３００から発せられる音の識別（又は認識）は、前記音に対応する入力の記録を促進する。具体的には、装置１３００により生成される異なる音は、前記コンピュータなどにおいて、異なるインターフェース又はプログラムイベントを促進するために感知及び識別される。
【０２１５】
図１３Ａから１３Ｄでは、制御装置１３０４は、セクション１３０２へと圧迫されることができる（図１３Ｂにおいて、破線の弧としての方向を圧迫して示される）。具体的には、図１３Ｃと１３Ｄにおける制御装置１３０４の位置により示されるように、制御装置１３０４は、（例えば、ボタンを押し、そうでなければボタンに力を加える指により）いかに押すのが大変か（及び遠いか）に依存して、「半分だけ押される」（すなわち、図１３Ｄに示されるように、セクションへと部分的に押される、又は部分的にクリックされる）又は完全に押されることができる。
【０２１６】
図１３Ｂでは、制御装置１３０４は、セクション１３０２へと制御装置を押す間にプレート１３０６ｂに影響を及ぼして示される。プレートは、（制御装置１３０４により）曲がった状態で図１３Ｂにおいて示される。（図１３Ｂにおける位置から図１３Ｃで示される位置へ）制御装置１３０４をさらに押すと、プレート１３０６ｂは、振動などにより、音を生成して（又は「作り出して」）、（プレートの曲げを引き起こした）プレート制御装置１３０４により加えられる力から放たれる。
【０２１７】
図１３Ｃでは、制御装置１３０４は、「半分に押される」位置で示され、一方、上記の次に、（デフォルト位置、または図１３Ａで示されるような「押されていない」位置から）前記「半分に押される」位置へ制御装置を押すと、プレート１３０６ｂが特定の音を生成する。
【０２１８】
さらに図１３Ｃでは、制御装置１３０４は、プレートが曲がって示されるように、プレート１３０６ａに影響を及ぼして示される。図１３Ｃにおける位置からさらに制御装置１３０４（ここで、制御装置は「半分押される」位置にある）を押すことによって、制御装置がセクションへと完全に押される、図６Ｄに示される位置に、プレート１３０６ａは（その曲がっている状態から）解放され、特定の音を生成する。
【０２１９】
幾つかの実施形態では、プレート１３０６ｂの解放から生成された音は、プレート１３０６ａの解放から生成された音とは異なり、その結果、音は識別可能である（例えば、マイクロフォンによって検知され、音認識システムによって処理された場合に）。従って、第１位置（例えば、「半分押される」位置）へ制御装置１３０４を押すことは、第２位置（例えば、完全に押される位置）へ制御装置を押すことは異なる音を生成するためのものであり、一方で異なる音は、感知され、識別される（又は認識される）ことにより識別可能である。
【０２２０】
上述の次に、制御装置１３０４を操作することは、異なる音を生成するためのものであり、該音のそれぞれは、制御装置を異なって操作することにより生成された音と識別可能である。さらに、感知及び識別される際、前述の各々の音は、例えば、音検知手段を含む音認識システムなどにより、異なる入力と対応する(あるいは、記録される)。より具体的には、図１３Ａから図１３Ｄにおいて示されるように、特定位置に対して制御装置１３０４を押すことは（制御装置を操作する具体的方法として）、第１音（例えば、機械的な反応により）を生成する。その一方で、異なる位置に対して制御装置を押すことは、第２音を生成する。前述の第１音を感知することは、特定の入力の記録を促進する。その一方で、前述の第２音を検知することで、異なる入力の記録を促進する。前述のマイクロホンが前述の第１音を検知する際に、例えば、音をキャプチャするとともに音をインターフェースのコマンドに変換するためのマイクロホン及びプログラムは、特定のインターフェースを実行する。一方、前述のマイクロホンが第２音を検知する際、前述のコンピュータが異なる機能を実行する。従って、装置１３００は、任意で、どのようにして装置の制御装置１３０４が押されるのかに依存して、音を生成することにより、異なるインターフェース又はプログラムイベントを促すように操作される。
【０２２１】
上述されるのが、制御装置１３０４の２つの位置（「半押し」と「全押し」）である一方、制御装置１３０４は、任意の数の位置を有する、又は任意の数の位置に再び位置されるように操作され、該位置の各々は、異なる音を生成する装置１３００（又は内部に含まれる手段）に対応することを注意すべきである。
【０２２２】
さらに、音を生成するのに上述されるのが特定のメカニズム（プレート制御装置６０４及びプレート６０６ａ、ｂである一方、音を生成（又は作成する）他の任意の手段は、特に機械的に、本発明の指に装着される装置に含まれることは明らかであり、これにより、上述の指に装着される装置は、音を生成するために（例えば、米国特許第６２６４５２７号、米国特許第４５５０６２２号）操作される（例えば、指に装着される装置の指での制御により適用される力により）ことを注意されたい。例えば、機器は、本発明の指に装着される装置の制御装置に接続され、これにより、上述の制御装置の操作により、上述の機器において、可聴摩擦（音又は振動として感知されうる）を引き起こし、その一方で、装置を異なって操作させることで、可聴摩擦が引き起こされる。好ましくは、本発明の指に装着させる装置を異なって操作することにより生成される異なる音は、識別可能であり、異なる入力に対応し、これにより、これらの音は、異なる入力を記録するのに感知されうる。
【０２２３】
さらに、上述されるのは、機械的反応(又はこれらの複数)により生成される音を指し示す一方、本発明のいくつかの実施形態により生成される音は、当該技術分野(例えば、図１３Ｅにおける装置１３１０の音声出力ユニット１３１８を参照)において周知のあらゆる手段により代替的に生成されることは明らかであるのを注意されたい。そのほかに、音は、当該技術分野に周知のあらゆる手段を含む及び/又は利用されることで、本発明の指に装着される装置により生成されることは明らかであり、好ましくは、異なる入力を記録するために、又はそのほかに、他の装置と通信を行う目的のために(音感知手段及び認識手段を含む)、又は上述の指に装着される装置の使用の表示を中継するために、生成される。例えば、音は、小型化された電子的手段(米国特許第5063698号参照)により生成され、該手段は、指に装着される装置に含まれ、上述の指に装着される装置を操作するユーザにより制御される。
【０２２４】
図１３Ｅは、装置１３００(図１３Ａから図１３Ｄ)と類似する指に装着される装置１３１０としての本発明の実施形態を示す。装置１３１０が示され、該装置は、制御装置１３０４と類似する制御装置１３０４’を含む。装置１３００とは対照的に、音は機械的手段により生成され、装置１３１０における音は、電子手段により生成される。
【０２２５】
図１３Ｅにおいて、電気接触子１３１６ａ、ｂ(又は単なる「接触子」)を含む装置１３１０が示され、その一方、特に電気接触子１３１４を含む制御装置１３０４’が示される。電気接触子１３０４’が、第一位置(例えば、一定の程度にまで押さえる)にある場合、電気接触子１３１４は、接触子１３１６ａと接触するようになり、その一方で、電気接触子１３１４は、制御装置１３０４’が第2位置(例えば、異なる程度にまで)にある場合、接触子１３１６ｂと接触するようになる。電気接触子１３１４を接触子１３１６ａと接触させることで、第1音が生成され、接触子１３１４を接触子１３１６ｂと接触させることで、第2音が生成される。従来技術において周知であるように、上述の第１音及び上述の第２音が異なる音を生成する音声出力ユニット１３１８により生成され、例えば、電子音生成装置(米国特許第5275285号を参照)により生成される。従って、装置１３１０は、異なる音を出力するために、異なって操作される。
【０２２６】
さらに、示される図１３Ｅは、音センサ１３０８に接続される音認識システム１３２０(図１３Ａから図１３Ｄを参照)であり、これにより、特に装置の音声出力ユニット１３１８により生成される装置１３１０は、音認識システムにより感知され認識され(又は「識別される」)、認識された音に対応する入力を記録する。
【０２２７】
図１４Ａは、指に装着される装置１４００としての本発明の実施形態の断面を示す。同様に、装置１３００(図１３Ａから図１３Ｄ）と同様に、装置１４００は、操作される際、音を生成することもある。図１４Ａにおいて示されるのは、回転可能なセクション１４１２（破線による円の輪郭により示される）及び空洞１４０３（本発明の他の、指に装着される装置に記される、指の挿入）を有する定置セクション１４１４を有する装置１４００である。セクション１４１２は、装置のセクション７０４の周りで回転可能なものとして、装置７００の上述されたセクション７０２と同様に、セクション１４１４に対して相対的に回転する（図７Ａ及び図７Ｂ参照）。セクション１４１２は、いずれか一方に、クリッカー１４１８ａ、ｂを含むプラグ１４１８を含む図において示される。セクション１４１４は、セクション１４１２Ｒの回転トラックに沿って配置された突起１４１６（４の突起が示される）を含む図において、示される。
【０２２８】
いくつかの実施形態において、セクション１４１２のプラグ１４１８は、一対の突起１４１６の間に取り付けられ、その一方で、セクション１４１２を回転させることにより、プラグは、任意の特定の対の突起の間から、もうひとつ別の対の突起へと移る。さらに、特定の方向におけるセクション１４１２（及びしたがって、セクションに含まれるプラグ１４１８）は、プラグ１４１８の１つのクリッカー１４１８ａ、ｂに影響を及ぼし、その一方で、反対方向におけるセクションを回転させることは、他のクリッカーに影響を及ぼす。より正確に言うと、時計方向にセクション１４１２を回転させる（図の観点においては、図１４Ａに破線の曲線状の矢印で示される）ことで、クリッカー１４１８ｂは、突起（即ち突起１４１６）により、回転のトラックに沿ってクリックされ、その一方で、セクション１４１２を反時計回りに回転させることで、クリッカー１４１８ａは、プラグによりクリックされる。クリッカー１４１８ａのクリックにより、クリッカー１４１８ｂのクリックとは異なる音が生じる。従って、一定方向での装置１４００の回転セクション１４１２は、特定の音を生成するためであり、その一方で、反対側の方向におけるセクションの回転は、異なる音を生成するためである。同様に、装置１３００(図１３Ａから図１３Ｄ)に記載されるのと同様に、装置１４００を操作させることで生成される音は、入力として感知され、記録されることにより、装置１４００は、異なる入力を記録するために（例えば、装置１４００から音を検知し、これらを区別するシステムにおいて）、異なる方法で操作される（即ち、２つの異なる方向において、装置のセクション１４１２を回転させる）。
【０２２９】
図１４Ｂは、指に装着される装置１４２０としての本発明の実施形態の断面を示す。セクション１４１２及び１４１４を含む装置１４００と同様に、装置１４２０は、定置セクション１４２４（空洞１４０３を含むように示される）および回転可能なセクション１４２２を含み、該回転可能なセクションは、セクション１４２４に対して相対的に回転する（又は回転される）（そしてしたがって、セクション１４２４の空洞１４０３を経て指に装着される装置１４２０に対して相対的に）。セクション１４２２は、４つの回転された位置のうちの１と対応する位置に、セクション１４２２を回転させることで、任意の間隙１４３６ａ−ｄに存するように位置されるプラグ１４２８を含むように示される。間隙１４３６ａ−ｄは、突起１４２６の間に形成される。各々の突起１４２６は、２つの異なるセクションを有するが、各々の間隙は、２つの突起により形成され、該突起の各々は、上述の間隙とは反対に位置される同様のセクションを有する。より明確には、図１４Ｂにおいて示されるように、間隙１４３６ａは、一対の突起１４２６により形成され、該突起のそれぞれは、間隙から外側を向いている（そのほかに、間隙の反対側に位置される）。同様に、各々の間隙１４３６ｂ、１４３６ｃ及び１４３６ｄは、セクション１４２６ｂ、１４２６ｃ又は１４２６ｄのそれぞれを有する一対の突起１４２６により形成され、該突起のそれぞれは、間隙から外側を向くように位置される。
【０２３０】
いくつかの実施形態において、回転セクション１４２２によって、プラグ１４２８が回転トラック(そのほかに回転経路に沿って)に沿って配置される任意のセクション１４２６ａ−ｄに影響を及ぼすとともに（クリックし）、セクション１４２２の回転の間に接近すると、プラグと接触するに至る。より明確には、プラグ１４２８が第１間隙から第２間隙に移動される、又は移される(回転セクション１４２２によって)場合、プラグは上述の第２間隙から外側を向くように位置される突起のセクションに影響を及ぼす。セクションが任意の間隙とは離れて位置されるのと同様に、特定の方向（すなわち、時計回り又は反時計回り）における間隙へと移動又は移されるプラグ１４２８により影響を受けた任意のセクションは、プラグが異なる方向に移動又は移された場合に、影響を及ぼしてきた他の任意のセクションと同一である。例えば、間隙１４３６ａ(プラグは図において間隙１４３６ａにおいて位置されるように示される）から間隙１４３６ｄへとプラグを移すことは、セクション１４２２を時計回りに回転させることで実行されるが、回転中にプラグは、セクション１４２６ｄと接触するに至る（ドット模様で満たされるように示される；最も右の突起のセクションとして図に示される）。同様に、プラグ１４２８を間隙１４３６ｂから間隙１４３６ｄへと移すことで、（図１４Ｂにおける位置から反時計回りにセクション１４２２を回転させることで）、プラグは、もう一つ別のセクション１４２６ｄと接触するに至るに違いない。反時計回りにセクション１４２２を回転させることで、間隙１４３６ａから間隙１４３６ｄへと移動され、この場合において、プラグは、その後、間隙１４３６ａから間隙１４３６ｃへと移り、それから間隙１４３６ｂへと移り、最後に、間隙１４３６ｄへと移ることに注意されたい。従って、最後に間隙の間は、間隙１４３６ｂから間隙１４３６ｄへと移り、このときに、上述したように、セクション１４２６ｄが影響を受ける。
【０２３１】
いくつかの実施形態において、セクション１４２６ａ−ｄ（１つの間隙からもう一つ別の間隙へと移されるプラグ１４２８により）の任意のセクションに影響を及ぼすことで、セクション１４２６ａ−ｄの任意の他のセクションに影響を及ぼすのとは異なる音を生成する。上述の次に、特定の間隙へとプラグ１４２８を移すことにより、移す方向に関わらず（回転セクション１４２２により決定される）同一の音を生成するが（結果として、移す操作の最後に）、プラグを異なる間隙に移すことで、異なる音を生成する（移す操作の終わりに）。プラグが移動されるのがどの間隙からであっても（及び、移すことを促進するセクション１４２２の回転方向）、プラグ１４２８により影響を受けると、プラグが移動される最後の間隙は、プラグの外側を向いている２つの同一のセクションを含むプラグにより定義され、プラグ１４２８により影響を受ける際、好ましくは、同一の音を生成する（一方、他の音は、プラグが回転セクション１４２２の経路に沿って異なるセクションに影響を及ぼす際、間隙の間でプラグを移す）。従って、プラグ１４２８が任意の間隙１４３６ａ−ｄに存する場合、セクション１４２２の回転方向（プラグを移す又は移動させる）に関わらず、プラグを上述の間隙へと移す又は移動させることで生じる最後の音１４２８は同一である。従って、セクション１４２２は、プラグ１４２８が４つの異なる間隙のうちの任意の１に存する、４つの異なる位置の任意の１へと回転される（すなわち、任意の間隙１４３６ａ−ｄ）が、回転操作の終わりに、セクション１４２２の回転の最後の位置は、上述の４の異なる位置のそれぞれとは異なる、はっきりと区別される音を生成する（最後の音は、セクション１４２２が上述の最後の位置に入る特に直前に生成される）。音を感知し、音の入力を記録するのに上述されるように、装置１４２０から生じる最後の音を感知することで、セクション１４２８の回転された位置に対応する入力、及び上述の最後の音が生成された後のプラグ１４２８の位置に対応する対応する入力の記録を促進するが、異なる音の間を区別することで、上述の最後の位置についての情報の獲得及び、対応する入力の記録を促進する。例えば、プラグ１４２８が間隙１４３６ｄに存する場合、装置１４２０から生じる最後の音は、プラグを間隙１４３６ｄへと移動させるのに、セクション１４２２が時計方向又は反時計方向に回転されるかどうかに関わらず、任意のセクション１４２６ｄに影響を及ぼすプラグにより生成される音である（２つは、図１４Ｂに示され、間隙１４３６ｄの外側を向いている）。上述の音は、他の音をキャプチャすることにより記録された入力とは異なる、対応する入力を記録するためのマイクロホンによってキャプチャされる。上述の他の音は、任意のセクション１４２６ａ−ｃに影響を及ぼすプラグにより生成され、該音は、任意の間隙１４３６ａ−ｃへのプラグの移動にそれぞれ対応する。
【０２３２】
プラグ１４２８が間隙に存する、４つの回転された位置を有する装置１４２０のセクション１４２２により、そして、異なる入力に対応する各回転された位置を有することで、上述された装置７００についての入力位置（図７Ａ及び図７Ｂ）と同様に、上述の４の回転位置は、「入力位置」として参照されることに注意されたい。
【０２３３】
さらに、本明細書に記載されているのが、装置１４２０の４の入力位置である一方、本発明の指に装着される装置は、任意の数の入力位置を有することは明らかであることに注意されたい。
【０２３４】
さらに、上述されているのは、音の生成（又は作成）を参照する一方、振動センサにより検出される任意の非音声振動についても参照することは明らかであることに注意されたい。そのほかに、本明細書に記述されるような音は、人間によって必ずしも聞かれない、あるいは、人間には聞くことができない任意の周波数、波長、ピッチ、振幅または強度でありえる。さらに、上述の音は、いわゆる「ピックアップ（pick-ups)」または同様の感知手段により、高感度マイクロホンによって検知することができる。
【０２３５】
図１５は、音（又はそのほかに振動）を出力する指に装着される装置１５００を示し、例えば、上述の本発明の指に装着される装置の音声出力などを、特に操作することで、音を出力する。図１５において、装置１５００が示され、該装置は、装置を操作する手２３０の親指２３４により生成される音などの音１５０２ａを出力する（図においても示される）（例えば、装置の回転可能なセクションを回転させる）。さらに、図１５に示されるのは、音認識システム１３２０（図１３Ｅを参照）に類似する音認識システム１５２０であり、音センサ１３０８を含む。
【０２３６】
いくつかの実施形態において、音認識システム１５２０は、装置１５００（例えば、装置を操作させることで生成される音）から生じる音を感知することで入力を記録する。上述の他の音は、特に装置１５００上ではなく(「又は用いずに」)手２３０によって実行された操作(あるいは動作)によって生成された音である。例えば、手２３０は、（例えば、親指ともう一つ別の指の間などを、引張ることで、クラック（cracking)又はクリックする音を生成する）いわゆる指の「スナップ(snapping)」を実行する。もう一つ別の例について、指２３２は、タップする音の生成のために表面１５１０をタップする。さらに、もうひとつ別の例について、図１５に示されるように、指２３２は、指の爪と表面との間の摩擦から生じる引っ掻く音といった、音１５０２ｂを生成するための表面１５１０上をドラッグする。上述の次に、音認識システム１５２０は、第１入力を記録するために、音１５０２ａを感知するとともに認識するが、音認識システムは、第２入力を記録するために、音１５０２ｂを感知及び認識する。上述の第１および第２入力は、例えば、異なる機能を実行する、又は異なるインターフェースイベントを促すために、インターフェース又はプログラムにおいて利用される。従って、ユーザは、本発明の指に装着される装置を操作し、音を生成する動作を実行することで（特に、指に装着される装置が装着される指の手により実行される動作）、これにより、異なる入力を記録し、したがって、インターフェース又はプログラムと相互作用する（例えば、音認識システム１５２０を含む装置のインターフェース）。このことは、音を生成する動作を実行するのみの手、又は本発明の指に装着される装置を操作するのみの手のいずれかによる音で、記録される入力の数を増大させるのに有益である。したがって、ユーザは、本発明の指に装着される装置を、手の動作（又は特に指）と組み合わせて利用することで、例えば、上述の装置のプログラムを制御する等のために、より多くの情報を装置と通信するが、上述の情報は、上述の装置において記録された異なる入力に対応する。
【０２３７】
図１６は、指に装着される装置１６００としての本発明の実施形態を示す。装置１６００は、空洞(該空洞を経て、指が挿入される）があるエンクロージャー等の、指の装置を装着することを促進するセクション１６０２を含むこともある。装置１６００は、声歪曲器（voice distorter) １６０４（又は単なる「歪曲器」）を含む図において、更に示される。声歪曲器１６０４は、音波、特に声を歪めるための従来技術で知られる任意の手段（例えば米国特許第５９６３９０７号、米国特許第４８２３３８０号、米国特許第５１２７８７０号、米国特許第５２７８３４６号、米国特許第４６５２６９９号、米国特許第７０２７８３２号及び米国特許第５４２８６８８号を参照のこと）である。従って、装置１６００を「経て」、または該装置の近くでの会話の音は、多少歪められる。あるいは、風が歪曲器を通る際に、歪曲器１６０４が、特定の音を生成する任意のメカニズムまたは機器であり得ることには注意されたい（例えば、米国特許第４９９８４５６号、米国特許第２２１９４３４号、米国特許第４９６２００７号、米国特許第３３０８７０６号、米国特許第１４４７９１９号、米国特許第４０３４４９９号、米国特許第４１０４６１０号、米国特許第３８８３９８２号、米国特許第４３９２３２５号、米国特許第６３１９０８４号及び米国特許第４３９８４９１号)。例えば、声歪曲器１６０４は、いわゆる管楽器、又は従来技術で周知である「木管楽器」、あるいは「カズー(kazoo)」でありうる。従って、ユーザが歪曲器１６０４を経て、または歪曲器の近くで会話する場合、上述のユーザの口からの風が歪曲器１６０４を通じて通過し、区別可能なノイズが生成される。さらに、従って、声歪曲器によりノイズが加えられた、声歪曲器１６０４を経て、又は声歪曲器１６０４の近くで会話する声は、声としてみなされる。図１６において、口１６２０(ユーザの)音声がさらに示される。特に、口１６２０は、装置１６００の声歪曲器１６０４を経て(あるいは近くで)音１６０８ａを生成する（作成もする）ことが示される。音１６０８ａは、口１６２０からの本来の声であり、より明確には、音１６０８ａは、ユーザの有する口１６２０の本来の声である。
【０２３８】
いくつかの実施形態において、図１６に示されるように、音１６０８ａは音１６０８ｂに歪められることもある。任意で、音１６０８ｂは、歪められた声(すなわち、本来の声である歪められた声１６０８ａである）である。あるいは、ノイズが加えられていた音（声歪曲器等による）１６０８ｂは、口１６２０からの本来の声である。音１６０８ｂは、音声認識システム１６１０に至る図において示されていて、特に音声認識システムに接続される（又は含まれる）マイクロホン１６１８に至る図において示されている（マイクロホン１６１８は、音を感知する任意の手段である又は含むことに注意されたい）。音声認識システム１６１０は、声を認識する従来技術において周知であるシステム又は装置（又はこれらのユニット）であり、該システム又は装置は、音声から入力を記録する従来技術において周知である（一方、従来技術において周知であるいくつかの音声認識システムは、バイオメトリック認証のために利用される)。従って、音声認識システム１６１０は、音声に従って入力を記録するために、音を感知する（または、特に上述の音声における単語又は文）を感知する。
【０２３９】
いくつかの実施形態において、マイクロホン１６１８により感知される（又はそのほかに「キャプチャされる」）音１６０８ｂは、例えば、音声認識システムのプログラム又は機能などにより、音声認識システム１６１０により分析される又は処理されうる。キャプチャされた音の処理又は分析は、単語(あるいは任意の音声要素、キュー、組合せまたは可聴情報)を認識する(あるいは識別すること)ためであり、そして、例えば、単語(キャプチャされ、認識される）を、インターフェース又はプログラムにおけるコマンドに「変換」させるなどといった、上述の単語に対応する入力の記録のためである。任意で、キャプチャされた音を処理する又は分析することは、さらに、上述のキャプチャされた音で認識される声を発する人を識別するためである。話をする人を識別することは、話し手(すなわち話をする人)のバイオメトリック認証のためである。従って、特定の人の声がキャプチャされた音で認識される場合にのみ、記録される。
【０２４０】
いくつかの実施形態において、音声認識システム１６１０がマイクロホン１６１８により（キャプチャされた音を処理又は分析することで）キャプチャされた音における声の歪み又はノイズを識別する（又は、そのほかに、「測定する」又は「情報を獲得する」）。従って、音声認識システム１６１０は、声の音が歪んでいるかどうか（及び、任意で声の上述の音における歪みの量）、及び／又はノイズが声の上述の音に存在するかどうか（及び任意で上述のノイズの量）を検出する。例えば、音声認識システム１６１０は、キャプチャされた音において声を識別することで、及びユーザの周知の声と比較することで、歪みを識別し、例えば、パターン認識のアルゴリズムを利用すること、及び／又はキャプチャされた音を声について保存された情報と比較する（又はそのほかに「マッチング」する）データベースにアクセスすること等によって、歪みを識別する。同様に、音声認識システム１６１０は、例えば、歪曲器１６０４を経て通過する空気により生成されることが知られている（例えば、音声認識システムに予めプログラムされた）ノイズを識別することなどにより、キャプチャされた音における特定のノイズの存在（及び、任意で上述の特定のノイズ）の存在を検知する。特定のノイズの検知は、上述のキャプチャされた音における上述の声を認識し、上述の声と他の可聴要素との間を識別することにより、促進される。ほかには、特定のノイズを検知することは、はっきりと区別されるノイズを認識するための音声認識方法を適用することで、促進される。
【０２４１】
いくつかの実施形態において、たとえ上述の人の声が歪められていて、ノイズが加えられている場合であっても、音声認識システムが感知された音を分析又は処理する際に、声歪曲器１６０４の歪みプロファイル（即ち、声歪曲器が声を歪め、又はノイズを加えるように）が考慮に入れられるので、音声認識システム１６１０は話す人を識別することが明らかであることに注意されたい。
【０２４２】
いくつかの実施形態では、声（及び／又は特定のノイズの存在）がキャプチャされた音において識別される場合にのみ、入力は、音声認識システム１６１０により記録される。例えば、人(あるいは「ユーザ」)は、音声認識システム１６１０の近くにて、口１６２０で話をし、音１６０８ａを生成するが、装置１６００が口から遠いところにある場合、音１６０８ａ（上述の人の本来の声）がシステム１６１０のマイクロホン１６１８によりキャプチャされる。一方、歪みが、本来の声である音１６０８ａにおいて識別されないため、入力は記録されない。しかしながら、装置１６００が口１６２０の近くに存する間に、上述の人が話すと、音１６０２ａ（話をする人により生成される）は、装置の声歪曲器により、音６８２ｂに歪められるが、（そのほかに、音１６０８ｂを構成するために、ノイズが、歪曲器１６０４により音１６０８ａに加えられる）マイクロホン１６１８及び歪みによりキャプチャされている音１６０８ｂ及び／又は音１６０８ｂにおけるノイズが識別される、又は検知され（例えば、音声認識システム１６１０の音声認識プログラムにより、データベースに保存されている、又はプログラムにおいてコードされているように、音１６０８ｂにおける声を上述の人の本来の声と比較する）、入力が記録される。上述の入力は、任意で音１６０８ｂにおいて単語(あるいは他の音声要素)と対応し、好ましくは、例えば、歪められ後でさえ相変わらず識別され得る音のパターン等といった、音１６０８ａが音１６０８ｂに歪められた後に認識される状態である単語（又は声の要素）と対応する。従来技術において知られているように、単語およびその組合せはインターフェースまたはプログラムの機能に対応する、あるいはインターフェース又はプログラム要素又はイベントに対応し、これによって、音における単語を認識することで、インターフェース又はプログラム機能を実行するために、又はインターフェースあるいはプログラム要素に影響を及ぼすために、あるいはインターフェース又はプログラムイベントを促すために、入力が記録されることに注意されたい。
【０２４３】
いくつかの実施形態において、声(及び／または特定のノイズの存在)の歪みが、キャプチャされた音において識別される場合にのみ、入力は音声認識システム１６１０により記録されるが、特定の人の声は、上述のキャプチャされた音で認識される（歪み及び／又はノイズのみを識別するのとは対照的に）。
従って、特定の人が装置１６００を経て又は装置１６００の近くで話す場合にのみ、入力が記録されるが、装置１６００の近く又は装置１６００を経て話すことにより、入力の記録を促さない。
【０２４４】
図１６において、装置１６００は、制御装置１６０６を含むように示され、該制御装置は、装置が操作されることによる任意の手段である。任意で、声歪曲器１６０４が作動されているか又は停止されているかどうかを制御装置１６０６が制御し、これにより、制御装置を操作することで（又は制御装置を操作せずに）、ユーザは、声（声歪曲器を経て又は声歪曲器の近くで生成されうる）が歪められているかどうか、あるいは、ノイズが生成されるかどうかを決定する。代替的に、制御装置１６０６は、特定の音を生成するための、従来技術で周知の音生成ユニットである（例えば、米国特許第６６６９５２８号及び米国特許第４６６２８５８号）が、上述の音を検知する音声認識システム１６１０により（例えば、音を検知するマイクロホン１６１８及び音を識別する音声認識システム１６１０）、例えば、特定の方法にて制御装置１６０６を操作することが、実行される特定の機能を停止する音声認識システム１６１０をコマンドする第１音を生成するためである場合、声を感知することから入力を記録する機能と、声の歪み、ノイズ及び／又は上述の声で話す人を識別する機能が作動される、又は停止される。その一方で、異なる方法にて制御装置１６０６を操作することは、上述の特定の機能（上述の第１及び第２音がはっきりと区別でき、音声認識システムにより識別される）の実行を開始する音声認識システムをコマンドする第２音を生成するためである。上述の選択は、音における声、声の歪み及び／又はノイズが音声認識システム１６１０に達する、又は特にマイクロホン１６１８に達する際に、ユーザの操作する（又は操作しない）制御装置１６０６は、入力が記録されているかどうかを決定するといった、類似する結果をもたらす。そして、上述の次に、入力が記録されるかどうかを決定するのは、歪曲器１６０４を作動しているか又は停止しているか、又は音声認識システムの機能（又は複数の機能）を作動又は停止する音を生成するかどうかのいずれかにより行われる。上述の機能は、任意の感知する音の機能（又は複数の機能）であり、声の歪みを識別し、ノイズを検知することに注意されたい。さらに、入力（声を感知すること、声の歪み、ノイズ及び／又は上述の声で話をする人を識別することから）を記録する上述の機能は、音を感知する機能と類似していて、これにより、音を感知する上述の機能を停止することで、入力（感知することから）は記録されず、また、音を感知する上述の機能を作動することで、音の感知から入力を記録することが促進されることに注意されたい。同様に、装置１６００の制御装置１６０６を操作することは、音声認識システム１６１０のマイクロホン１６１８の操作を起動及び／又は停止するためである。
【０２４５】
いくつかの実施形態において、本発明の指に装着される装置は必ずしも声歪曲器を含んでいないが、音生成ユニット又は音を生成するための任意の手段を含み、その結果、音(あるいはそのほかの任意の音声出力)は、上述の指に装着される装置を操作することで生成される。一方、上述の指に装着される装置（あるいはそのほかの「指に装着される装置から発生する音」）は、検知（例えば、音声認識システム１６１０により感知及び識別される）されることで、音を感知する機能（例えば、音声認識システム１６１０の機能）、及び／又は、感知される声を認識する機能、及び／又は単語を認識する機能（又は組合わせあるいは連続）の開始を促し、及び／又は上述の単語に対応して入力を記録する（又は、上述の組合せあるいは連続に対応して）。同様に、上述の機能が開始されてから、上述の任意の機能の終わりを促すために、指に装着される装置が操作される。代替的に、異なる音が、上述の任意の機能の終わりを促すために、異なる方法で、指に装着される装置を操作することで生成される。例えば、装置１３００は、異なる音を生成するために、異なる方法で操作される図１３Ａから図１３Ｄに示される（特に、装置の制御装置１３０４を、任意の２の異なる位置に再配置する）。例えば、本発明の指に装着される装置は、操作される際に、特定の音を生成する制御装置を備え、該特定のノイズは、音声認識システム１６１０により検知されると、音声認識システムに、対応する入力を記録するように促し、例えば、インターフェース又はプログラムでコマンドするように、上述の音において、音を感知し、単語を認識する音声認識システム１６１０の機能を開始するなどのために、対応する入力を記録するように促す。
同様に、上述の制御装置は、異なって操作されることで、異なるノイズを生成し、該ノイズは、音声認識システム１６１０により検知されると、音声認識システムは対応する入力を記録するように促し、例えば、音声認識システム１６１０の上述の機能を中止する又は不可能にするなどのために、対応する入力を記録するように促す。
【０２４６】
上述の次に、上述のユーザが話している際に、入力を記録しない音声認識システムの近辺（また「近くに」）で話し、例えば、音を感知しない、又は感知された音を処理しない（例えば、単語を認識する）のいずれかにより、話を行う。上述のユーザは、本発明の指に装着される装置を操作し、その後、声の音において単語をしゃべる（又はそのほかに、上述の指に装着される装置を操作している間に話をする）、一方で声の上述の音は、したがって、例えば音声認識システムなどにより、感知され、処理され（又は「分析される」）、例えば、上述の特定の単語が、インターフェース又はプログラムの予めプログラムされたコマンドを含む時に、特定の単語（又は単語の組合わせ又は連続）が認識されて、インターフェース又はプログラムを制御する又は影響を及ぼす。これにより、単語を認識することで、上述のプログラムされたコマンドを実行する。上述のユーザは、異なる又は類似する方法のいずれかにおいて、後に指に装着される装置を操作し、これにより、上述のユーザが話をする際に、入力は、その後記録されない。
ユーザは、インターフェース又はプログラムイベントを促す、又はインターフェース又はプログラム機能を実行する、又はインターフェース又はプログラム要素を制御するために、話された単語を認識される（例えば、音声の音を感知することから）ことを必要とする際には、このことは有益である。そして、インターフェース又はプログラムイベントを促す、インターフェース又はプログラム機能を実行する、又はインターフェース又はプログラム要素を制御する単語（上述のユーザにより話される又はそのほかに任意の人、上述のユーザにより話される）を用いずに、話を行う必要がある際に、このことは有益である。
【０２４７】
音声認識システム１６１０は、任意の数のプログラム（例えば、ソフトウェア又はアプリケーション）を利用し、音を処理又は分析する、又は特に声を認識する、及び／又は声の歪み及び／又はノイズを識別する（また「検知する」）、及び／又は単語を認識する（単語の組合せ又は連続）ことは明らかであるのに注意されたい。例えば、音声認識システムは、マイクロホン１６１８によりキャプチャされた音における単語を認識する任意の数の声分析アルゴリズムを実行するプログラムを利用するが、音声認識システムは、キャプチャされた音に存在する声の歪み又はノイズを検知するもう一つ別のプログラムを利用する。
【０２４８】
さらに、装置１６００の歪曲器１６０４により生成される上述のノイズは、可聴音である、又は任意の非可聴の波長又は振動（例えば、歪曲器を経て通過する風により引き起こされる）であることに注意されたい。任意で、非可聴の波長又は振動は、音声認識システム１６１０により利用される同一の感知手段により感知され、音（例えば、マイクロフォン１６１８）を感知するが、この場合、上述の同一の感知手段は、可聴音（特に声の音）を感知するのに十分感知可能である。
【０２４９】
従来技術で周知であるいくつかの声歪曲手段は、ユーザが直接声歪曲手段を「経て」（又は、該手段のセクションを経て）話すように設計され（例えば、膜又は口被覆装置を経て）る一方、本発明については、制限された歪みの量のみが本明細書、特に図１６において記載される結果に必要とされるので、ユーザがこのような手段（例えば、声歪曲器１６０４）の近くで話すことで十分である。例えば、音声認識システム(例えば音声認識システム１６１０)または声の歪み又はノイズを検知する任意の手段は、軽度の歪みを認識するのに十分感知可能である。声歪曲器を「経て」話さない場合には、本来の声の音（即ち、歪みのない声）がマイクロホン（例えば、上述の声歪曲器を通過しない音波）に至る一方、本明細書に記載されることについて、音声認識システム（又は声の歪み又はノイズを検知する任意の手段）は、声の歪みのない音（そして他の任意の背景ノイズ）を無視し、認識された又は検知された歪み又はノイズへの入力を記録する。同様に、風を利用することでノイズを生成するいくつかの手段は、ユーザが、最大の結果のために、直接、又は手段を経て息を吹くことを必要とする（例えば、マウスピースを有する笛）一方、例えば上述の少量のノイズを検知することが、高い感度の検知及び／又は認識手段により促進される場合などのように、ユーザの口がこのような手段の近くにのみ存在する場合に、本発明では少量のノイズが生成される。従って、音声認識システム、または声の歪みまたはノイズを検知する任意の手段は、アダプタ、セット又は目盛が付されていて（又はそのほかに「プログラムされていて」）、声の歪みの特定の範囲又は量、あるいはノイズにのみ関連し、この結果、声歪曲器（又は声及び／又はノイズの歪みを生成する任意の手段）からの特定の距離の範囲においてユーザが話す場合にのみ、入力が記録される。
【０２５０】
いくつかの実施形態において、本発明の指に装着される装置の声歪曲器は、任意の複数の方法（また、「手法」あるいは「仕方」）において、声を歪めることを促進する一方、上述の指に装着される装置を操作することで、ユーザは、上述の複数の方法からどのようにして、上記声歪曲器が声を歪める（好ましくは、上述のユーザの声）を選択（また「選ぶ」）することは明らかであることに注意されたい。言いかえると、例えば、上述の声歪曲器が任意の多数の状態にあるといった場合、ユーザは、上述の声歪曲器が声を歪曲する多数の方法の中から選択するために、声歪曲器を含む本発明の指に装着される装置のいくつかの実施形態を操作し、その一方で、上述の多数の状態のそれぞれは、異なる方法で、声を歪曲することに対応し、その一方で、指に装着される装置は、上述の多数の状態の間に変更するために操作する。例えば、いくつかの実施形態において、声歪曲器が声を歪めない第１状態（例えば、声歪曲器が停止している状態）、声歪曲器が声（即ち、装置１６００の近くで話される任意の声）を第１方法で歪める第２状態、及び声歪曲器が声を第２方法で歪める第３状態を有する。さらに、装置１６００の制御装置１６０６を操作することは、声歪曲器１６０４の上述の第１、第２及び第３状態を変更するためであり、装置１６００の近くで話される声が歪められないかどうか、上述の第１方法で歪められるかどうか、あるいは上述の第２方法で歪められるかどうかを決定する。
【０２５１】
声が歪められうる複数の方法についての上述の記載では、複数の異なるノイズを同様に記載し、該ノイズは、生成され、声の音に加えられることに注意されたい。
【０２５２】
図１７は、本発明の方法１７００のフローチャートを示す。
【０２５３】
工程１７０２にて、指に装着される装置が操作される。いくつかの方法において、上述の指に装着される装置は、操作される際に、音を生成する（例えば、図１３Ａから図１３Ｄを参照のこと）。方法１７００に記載されるように、音は、可聴である、又は非可聴である（即ち、人により聞き取ることが可能である音、又はそのほかに、人により聞き取ることが不可能である音）であり、音の任意の数の要素及び音のプロパティを含むことに注意されたい。上述の音は、従来技術で周知の任意の手段により生成されうる。いくつかの実施形態において、上述の音は、物理的（又はそのほかに「機械的な」）反応（又は複数の反応）により特に生成される。従って、いくつかの方法において、音は、工程１７０４での物理的反応により生成される。上述の音は、例えば、本発明の指に装着される装置を操作することにより音を生成することについて記載されるように、操作されている（工程１７０２）、上述の指に装着される装置により生成される。
【０２５４】
いくつか方法では、音は、指(またはそのほかに、「動作を実行する指により生成される」)での動作を実行することで、生成される。上述の動作を行なうことによって、物理的反応は工程１７０６にて、上述の音を生成することがある。上述の物理的反応(工程１７０６)は、指（又は複数の指）の動作（又は複数の動作）に対する、任意の物理的（又はそのほかに「機械的」）反応（すなわち、項目、オブジェクト、本体等からの反応）であり、上述の反応（即ち、反応から）音が生成される（又は作成される）。
例えば、手は、スナップする指（例えば、親指及び中指をスナップするのに周知である）であり、これにより、音をスナップすることは、スナップ動作により生成される。もうひとつ別の例について、指は表面でタップし、その結果、上述の表面からの反応は、振動(可聴である、あるいはそのほかである）である。
【０２５５】
音は工程１７０８で感知される。いくつかの実施形態において、工程１７０８で感知される音は、指に装着される装置を操作することでの物理的反応の音である（工程１７０４）。さらにまたはあるいは、工程１７０８で感知された音は、指により実行される操作を行うことでの物理的反応の音である（工程１７０６）。
【０２５６】
いくつかの方法において、物理的反応の任意の数からの音は、工程１７１０で識別される。従って、工程１７０４にて物理的反応により生成される音、及び／又は工程１７０６にて物理的反応により生成される音は、工程１７１０にて識別される。音を識別することは、音の識別を促進させる従来技術で周知の任意の手段により実行される。例えば、音声認識ソフトウェア及び／又はハードウェア（そのほかには、「音声認識システム」）は、手の動作により生成される音、及び／又は指に装着される装置を動作させることにより生成される音に適用され、その一方で、このような音は、はっきりと区別可能であるため、感知されてきた他の音とは隔離又は見分けることが可能であり（例えば、物理的反応からの音と必ず一緒にある背景音）、該音は、例えば、予めプログラムされる上述の音声認識ソフトウェアにより、異なる感知される音の中で、特定のはっきりと区別される音を検知する。
【０２５７】
いくつかの方法において、物理的な反応(指での動作を実行することの物理的反応、及び／又は指に装着される装置を操作することの物理的反応）により生成される音（又は複数の音）を識別することで、コマンド（又は複数のコマンド）が、工程１７２４で実行されうる。上述のコマンドは、例えば、上述のインターフェース又はプログラムにおける特定の機能を実行することなどのための、インターフェース又はプログラムの任意の制御又は扱い（又はそのほかに「任意の影響又は悪影響」）である。特に、特定の物理的影響（例えば、指により実行される特定の動作から、及び／又は特定の方法で指に装着される装置を操作することから）により生成される音は、はっきりと区別でき、コマンド（又は複数のコマンド）に対応し、この結果、上述のコマンドの実行を促進する上述の音を識別する。例えば、システムは音（例えば、マイクロホン又は音センサを利用することで）を感知し、指に装着される装置を操作することで、上述の音内にある生成された特定の区別される音を識別する。その一方、特に上述のはっきりと区別される音を識別することにより、上述のシステムは、例えば、上述の特定のはっきりと区別される音を識別する際に、上述のシステムをプログラムして、上述のインターフェース又はプログラムを促すことなどにより、インターフェース又はプログラムイベント（例示的コマンドとしての）を促す。
従って、システムがプログラムされる（又はそのほかに、適用される又は設計される任意の方法において）ことで、特に指で動作を実行することにより、及び／又は、指に装着される装置を操作することにより、生成されるはっきりと区別される音を識別する。
【０２５８】
いくつかの方法において、音声認識機能が、工程１７１２で開始され、特に物理的反応（又は複数の物理的反応）、すなわち工程１７１０の結果からの音を識別することで開始される。従って、特定の物理的な反応(例えば、特定の動作を実行する指から生成されるはっきりと区別される音、及び／又は指に装着される装置を操作することから生成されるはっきりと区別される音）により生成された音を識別することで、音声認識機能が開始される。例えば、音声認識システムは(すなわち、従来技術において周知である、音声認識を促進するハードウェア及び/又はソフトウェア）、特定の音（又は複数の音）を識別することで、作動のためにプログラムされ（音声認識機能の例示的な開始として）、例えば、音を感知して、特定の音を識別するために音声認識のアルゴリズムを適用することで、プログラムされる。
同様に、図１６において上述されているように、異なる音（即ち、上述の音とは異なる音）を識別することにより、又は、上述の音声認識が作動されている際（又は、そのほかに、任意の音声認識機能が実行されない場合）上述の特定の音を識別することにより、上述の音声認識システムは、さらに、停止するためにプログラムされる（または、そのほかに、任意の音声認識機能を中断する）ことに注意されたい。
【０２５９】
工程１７１２の音声認識機能は以下に記載されるように、工程１７１８、１７２０及び１７２２のいずれかを含むことを注意されたい。従って、工程１７１２で音声認識機能を開始することは、工程１７１８、１７２０及び１７２２のいずれかの工程を促進する任意の数の機能を開始するためである。
【０２６０】
いくつかの方法において、工程１７０２において、人、好ましくは指に装着される装置のユーザは、コマンドを工程１７１４にて、話す。工程１７０２にてコマンドを話すことは、インターフェース又はプログラムコマンドに対応する任意の単語（又は例えば文章といった、単語の組合わせ又は文章）を話す（「言う」ことも）ことであり、この結果、上述の単語（又は、単語の組合わせ又は連続）が識別されると（例えば、声の音を感知するとともに、声の上述の音における単語を識別するために音声認識システムにより）、上述のインターフェース又はプログラムコマンドが実行される（例えば、音声認識システムを含む装置のプログラムにおいて）。
【０２６１】
いくつかの方法において、工程１７１４にてコマンドを話す人の声は、本発明の指に装着される装置により、歪められうる。上述される図１６内での装置１６００の音声歪曲器１６０４のように、上述の人は、上述の人の声を歪曲するための任意の声歪曲手段を利用する、本発明の指に装着される装置の近くで又は該装置を経て話し、例えば、上述の指に装着される装置（上述されたようなノイズを生成する指に装着される装置）を経て通過する音波に対して、はっきりと区別されるノイズを加えることなどにより、話をする。本発明の指に装着される装置は、上述の指に装着される装置の声の歪みを作動又は停止する上述の指に装着される装置の制御を操作することなどにより、声の歪みを実行するよう操作される。上述の次に、工程１７０８では、音声コマンド（工程１７１４）又は歪められた声（工程１７１６）は、音として感知される。工程１７１６からの歪められた声は、例えば、音声コマンドの音（工程１７１４の結果）が工程１７１６で歪められるような場合、コマンドを話す声である。
【０２６２】
いくつかの方法において、話された声が工程１７１８にて認識され、特に工程１７１４（工程１７０８で感知されるように）で話される声が認識される。話される声の認識は、声認識の従来技術で周知であるように、上述の話される声で話す人のバイオメトリック認証のためでありえる。
【０２６３】
いくつかの方法において、声の歪みは、特に工程１７１６で実行される声の歪みは、工程１７２０で実行される（一方、歪められた声は、工程１７０９にて感知されてきた）。従って、声が歪められてどうかについての情報、及び任意でどのように声が歪められているか、及び／又はどの程度（すなわち歪みの量）声が歪められている情報は、工程１７２０にて獲得され、例えば声認識システムを適用し（例えば、プログラムされる上述の声認識システムのソフトウェア）指に装着される装置により生成される歪みを特に識別し、該装置は、任意の声で上述の指に装着される装置の近くで話される任意の単語に対して適用される。いくつか方法において、歪みが声の音に存在するかどうかを決定する工程は、工程１７２０にとって替えられることに注意されたい。このような方法において、歪みが声の音（例えば、工程１７０８にて感知される音における声の音）において存在するように決定される場合にのみ、コマンドが工程１７２４にて実行される。
【０２６４】
いくつか方法において、音声コマンドは、工程１７２２にて識別され、特にコマンドは工程１７１４にて話される。音声コマンドを識別することは、音声認識の従来技術において周知である任意の手段により促進される。工程１７２２は、音声認識に関し、話される単語が機械で読み取り可能な入力に変換され、一方、工程１７１８は声認識に関し、声認識にて、話す人（即ち、話す人）が、上述の話す人の声の音により、認識される。
【０２６５】
上に記述されるように、任意の工程１７１８、１７２０及び１７２２は、工程１７１２にて音声認識機能を開始することで促進される。代替的に、いくつかの方法において、工程１７１２は含まれない、そして、任意の工程１７１８、１７２０は、それにもかかわらず実行される。
【０２６６】
いくつかの方法において、コマンド(又は複数のコマンド）は、任意の工程１７１８、１７２０及び１７２２（及び上述される工程１７１０もまた）に起因することに対応して、工程１７２４にて実行される。従って、いずれかの工程１７１８、１７２０及び１７２２は、インターフェース又はプログラムなどのようなコマンド又は複数のコマンドの実行を促進（又はそのほかに「促す」）する。例えば、物理的反応から（好ましくは、指に装着される装置を操作することから、及び／又は指で動作を実行することから）はっきりと区別される音が、識別される場合、特定のコマンドが実行される（工程１７２４）。例えば、マイクロホンにより感知され（工程１７０８）、上述のはっきりと区別される音を識別するプログラムを処理する音により処理され（工程１７１０）、上述の特定のコマンドを実行するために対応する入力を記録することで、特定のコマンドが実行される。もうひとつ別の例について、特定の声で音声コマンドを話す人が認識される（工程１７１８）。例えば、上述の特定の声が物理的反応からの特定の音により促進されるのを認識することが識別され（工程１７１０）、話す人の声を認識する機能を開始する（上述で注意される工程１７１２の部分として、任意の工程１７１８、１７２０及び１７２２を促進する任意の数の機能を開始することを任意で含む）場合に話す人が認識される。さらに、音声コマンドを識別する機能が開始され（任意で、工程１７１２）、この結果、上述の音声コマンド（上述の話す人により話される）が識別され（工程１７２２）、入力として記録される。加えてさらに、上述の話す人が認識され、上述の音声コマンドが識別される際、プログラムは機能を実行する（工程１７２４の例示的コマンドとして）、その結果、上述の機能が工程１７２４にて実行される。同様の例について、話す人は、音声コマンドを歪められた声を含む指に装着される装置（例えば、図１６における声歪曲器１６０４を参照）の近くで、音声コマンド（工程１７１４）を話し、上述の指に装着される装置を操作することで、上述の音声コマンドが話される上述の話す人の声が歪められる（工程１７１６）。歪められた声（上述の話す人の）における上述の音声コマンドの音は、音センサにより感知され（工程１７０８）、プログラムによって処理され、この場合、上述の歪められた声における歪みが識別され（工程１７２０）、上述の音声コマンドが識別される（工程１７２２）。その結果、対応する入力が記録され、この記録により、特定のコマンド（工程１７２４）の実行を促す。
【０２６７】
工程１７１０、１７１８、１７２０及び１７２２は、コマンドの実行を促進する、又はそのほかに工程１７２４を促進する入力を記録される。
【０２６８】
図１８Ａから図１８Ｄは、指に装着される装置１８００としての本発明の実施形態を示す。装置１８００は、セクション１８０２における空洞１８０３を有するユーザ入力装置であり（内部要素を明らかにするための破線により図１８Ｂから図１８Ｄにおいて示される）、該空洞を介して、指に装置を装着するために、指が挿入される。図において示されるように、装置１８００は、装置が同一の手の指に装着される場合（例えば、図１８Ｆにおける手２３２に装着される、指に装着される装置１８００’を参照）、例えば親指などの指により操作される制御装置１８０４を含む。制御装置１８０４は、入力を記録するために操作される任意の要素又はユニットである。特に、制御装置１８０４は、２又はそれより多い状態（即ち、２またはそれより多い状態の任意の１である）を有し、その一方、制御装置を操作することは、状態間を切り替えることである（即ち、制御装置の状態、又は複数の状態を変更する）。制御装置１８０４は、例でボタンとして、図１８Ａから図１８Ｄにおいて示され、該ボタンは、指で、装置１８００のセクション１８０２に押される。特に、制御装置１８０４は、例えば中間まで押された位置（又は「半押状態」、即ち、セクション１８０２の一般的に中間まで押される）、及び完全に押された位置などのように、２又はそれより多い特定の位置又は程度（例示的状態として）まで押される。従って、いくつかの実施形態において、制御装置１８０４は、一般的なデジタルカメラの撮影ボタンに類似し、この場合、上述の撮影ボタンを中間まで押すことは、オートフォーカス機能のためであり、完全に撮影ボタンを押すことは、写真をとるためである（又は「撮影」）。
【０２６９】
図１８Ｂ(及び図１８Ｃ及び図１８Ｄ)において、制御装置１８０４を押す２つの位置を促進する例示的メカニズムで特に示されている一方、異なる入力が上述の任意の２つの位置に対して制御装置を押すことで、獲得される（又はそのほかに「記録される」）。制御装置１８０４は、接触子１８０６を有する図に示され、その一方で、セクション１８０２の内部は、接触子１８０８ａ、ｂに示される。図１８Ｂにおいて、制御装置１８０４は、例えば、図１８Ａに示されるのと同様に、制御装置が操作されない場合などでは、「押されていない」デフォルトの位置にある。
【０２７０】
図１８Ｃにおいて、特に装置１８００が示され、この場合、制御装置１８０４の位置は、セクション１８０２の中間であり、第１入力（即ち、第１入力を登録する）については、制御装置の「半押し」状態を示す。上述の第１入力は、図に示されるように、接触子１８０８ａと接触するようになる接触子１８０６により記録され、このような記録は、「半押し」の制御装置１８０４（すなわち、制御装置を「半押し」位置にまで押さえる）により促進される。接触子１８０６及び１８０８ａは、互いに接触するようになることで、制御装置１８０４の「半押し」位置の検出を促進する電気回路に接近する。上述の検出は、上述の第１入力を記録するために処理されうる（装置１８００、又は装置１８００と通信する任意の装置）。
【０２７１】
図１８Ｄは、特に制御装置１８００を示し、この場合、制御装置１８０４が第２入力のために、完全に押されている（即ち、可能な限りセクション１８０２に押される）。上述の第２入力は、制御装置１８０４の「押されていない」位置の入力とは異なり（即ち、図１８Ａ及び図１８Ｂにおいて示されるように、制御装置のデフォルトの位置が操作されない）、「半押し」位置の入力とは異なる（図１８Ｃに示される）。上述の第２入力は、図１８Ｄに示されるように、接触子１８０８ｂと接触するようになる接触子１８０６により記録される。
【０２７２】
いくつかの実施形態において、制御装置１８０４の半押しと完全に押された状態の間の触角の区別のために、物理的フィードバックが装置１８００で利用される。例えば、制御装置１８０４は、ばねのメカニズムに取り付けられ、これにより、半押しの制御装置１８０４は、最小の押付力を必要とし（例えば、制御装置を押す親指から）、その一方で、完全に制御装置を押すことは、実質上大きい量の押付力を必要とする（「半押し」位置から「完全に押された位置」まで制御装置を押すこと）。もうひとつ別の例について、小さな突起は、制御装置１８０４が完全に押されることを妨げ、これにより、制御装置を完全に押すためには、ユーザは、相当の制御装置上の圧力の増加量を適用する必要があるが、制御装置が完全に押されることを妨げる（即ち、上述の小さな突起に対応する「半押し」位置まで）位置に至るまで、制御装置を半押しすることは、上述のユーザが制御装置を押すことを必要とする。任意で、物理的フィードバックは、動的であり、その結果、例えば、インターフェースイベントに反応するなどで、インターフェース又はプログラムに反応して変化する。例えば、装置１８００は、装置１８００により制御可能なインターフェースを有するコンピュータ（該コンピュータを用いて、無線で通信を行うことが可能である）の入力装置である。装置１８００の制御装置１８０４を半押しすることから記録された入力は、上述のインターフェースの最初の機能を実行するためであるが、制御装置を完全に押すことは、上述のインターフェースの第２機能を実行するためである。上述の第２機能が、インターフェースにおいて使用不可能である場合、(例えば、インターフェースにおけるいわゆる読み取り専用のファイル上で実行不可能である削除機能)ユーザが完全に制御装置１８０４を押すことを妨げるために、ロックが装置１８００において起動され、これにより、上述のユーザは、第２機能が可能になるまで、制御装置の半押しを行うのみである。従って、本発明の指に装着される装置は、入力を記録するために、再配置される制御装置を含むが（又はそのほかに「状態を変化するために操作される」）、上述の制御装置の任意の再配置（又は、そのほかに「操作」）は、物理的フィードバックによる影響を受け、インターフェース又はプログラムイベント又は要素、又はインターフェース又はプログラム要素の状態に対応する動的な物理的フィードバックによる影響を特に受ける。
【０２７３】
いくつかの実施形態において、操作後に（例えば、押された後で）、装置１８００の制御装置１８０４は、位置にとどまっているが（例えば、「半押し」の位置、あるいは完全に押された位置における）、いくつかの実施形態において、制御装置１８０４は、操作前であった位置に戻る（例えば、図１８Ａ及び図１８Ｂにおいて示されるデフォルトの「押されていない」位置）。例えば、指は制御装置１８０４上を押し、装置１８００のセクション１８０２の中間に制御装置を位置させるが、制御装置１８０４から上述の指を取り除くことで、セクションが押される前に、制御装置をデフォルト（又は「押されていない」）の位置に戻される。代替的に又は追加的に、上述の指が制御装置１８０４上を押さえて、セクション１８０２の完全に内側に位置されるが（そのほかに、「完全に押された位置において制御装置を位置するために」）、制御装置１８０４から上述の指を取り除くことで、制御装置は、任意で、さらなる圧力がセクション１８０２の内側から制御装置を離すのに適用されるまで、セクション１８０２の完全に内側に維持される（そのほかに、「完全に押された位置において維持される」）。
【０２７４】
図１８Ａから図１８Ｄで本明細書に記載されるのは、指に装着される装置の制御装置を押す２つの特定の位置であるが（すなわち、上述の制御装置の２つの可能な「押された」位置、１つの「押されていない」位置）、本発明の指に装着される装置は、任意の数の位置へと再配置される（そのほかに「間に変化するように操作されうる」）任意の数の制御装置を利用することに注意されたい。そのほかに、本発明の指に装着される装置は、任意の数の状態を有する任意の数の制御装置を利用し（例えば、「押された」位置）、該状態は、上述の指に装着される装置を操作することにより変更される。同様に、本発明の指に装着される装置は、例えば、位置又は状態を変更しない制御装置を操作することなどにより、上述の指に装着される装置自体の任意の数の状態の間を変更するように操作される。
【０２７５】
図１８Ｅは、装置１８００に類似する指に装着される装置１８１０のもう一つ別の実施形態を示し、この場合、制御装置１８０４に類似する制御装置１８０４’は、圧力センサ１８１２（図１８Ｅにおいて、制御装置に接続される破線の円により示され、装置１８１０のセクション１８０２の内側を指し示す）に接続され、又は結合され、制御装置１８０４’の多数の押し位置の検知を促進し、それぞれは、特定の及び異なる（また「はっきりと区別される」）入力に対応する。言いかえれば、制御装置１８０４’は、異なる入力を記録するために操作され、異なる記録のそれぞれは、制御装置１８０４’に適用されると、圧力センサ１８１２により感知される圧力の異なる値に対応する。
【０２７６】
図１８Ｆから図１８Ｈは、本発明のシステム１８１０を示し、該システムは、指に装着される装置１８００’及び装置１８２０を含む。図において、手２３０は、装置１８００を装着して示される、及び装置１８２０と相互作用（「操作」も）して示される。装置１８２０は、タッチスクリーン１８２２を含み、これにより手２３０は、タッチスクリーン１８２２を指２３２で触ることで、装置１８２０と相互作用する（例として、装置１８００と類似する装置１８００’を装着して特に示される）。タッチスクリーン１８２２は、インターフェース１８３２を表示して示され、該インターフェースは、例えばグラフィックユーザーインターフェース(ＧＵＩ)、又は視覚的に示される任意の仮想環境（例えば、オペレーティングシステム（ＯＳ）、又はコンピュータアプリケーション）のような任意のユーザーインターフェース(ＵＩ)である。インターフェース１８３２は、例えば、ウェブページのフロントエンド、又は任意のソフトウェアであるプログラムの視覚的表示であるが、上述のプログラムはバックエンドである。例えば、装置１８２０は、インターフェース(すなわちインターフェース１８３２)の表示のためにタッチスクリーン(すなわちタッチスクリーン１８２２)を含むコンピュータ又はポータブルコンピューター（例えばラップトップ)であり、その結果、ユーザは装置と相互作用し、上述のタッチスクリーンをタッチすることで、特に上述のインターフェースと特に相互作用する。
【０２７７】
図１８Ｆから図１８Ｈまでにおいて、装置１８００’は手２３０の指２３２に装着して示されるが、手、又は特に指は、タッチスクリーン１８２０をタッチすることなどにより、装置１８２０と相互作用する。手２３０（装置１８００’を装着していない指など）の任意の他の指は、装置１８２０と相互作用し、追加的に又は代替的に装置１８００’を装着して示される指２３２と相互作用することに注意されたい。装置１８００(特に装置１８００の制御装置１８０４の)で上述されるのと同様に、装置１８００’は、任意の状態１８０１ａ−ｃ（例えば、制御装置の例示的状態、又は一般的に装置については、各図１８Ｂから図１８Ｄにおける装置１８００の制御装置１８０４の異なる押された位置を参照）にあり、一方、装置１８００’を操作することは、状態の間を変化させる。装置１８００’は、状態１８０１ａにある図１８Ｆ、状態１８０１ｂにある図１８Ｇ、状態１８０１ｃにある図１８Ｈにおいて特に示される。例えば、装置１８００’は、制御装置１８０４（図１８Ａから図１８Ｄで示される装置１８００の制御装置１８０４を参照）を含み、該制御装置は、図示されるように図１８Ｆにおいては押されない（また「押圧されない」、あるいはそのほかにデフォルト位置）であるが、制御装置は、図１８Ｇにおいては「半押し」であり（図１８Ｃにおける「半押し」の位置にある装置１８００の制御装置１８０４を参照）、図１８Ｈにおいては「完全に押されている」（図１８Ｇ及び図１８Ｈにおいて、装置１８００’の制御装置１８０４は、押すことを示唆する親指２３４により不明瞭である）。
【０２７８】
いくつかの実施形態において、装置１８００’の状態を変更することによって、インターフェース１８３２は、制御される(又は、「影響を受ける」、「扱われる」あるいは「影響を受ける」）。言い換えると、インターフェース１８３２を制御することは、装置１８００’の状態の間を変更（又は「トグリング」あるいは「切替える」）することであり、特に、装置（又は装置の制御装置）を操作することである。装置１８００’の制御装置１８０４を中間まで押すことで（即ち「半押し」位置にまで押すことで）、装置１８００’は状態１８００ｂであり、インターフェース要素１８２４（破線により示される）は、タッチスクリーンにより、特にインターフェース１８３２に表示される。特に図１８Ｈに示されるように、制御装置１８０４を完全に押すことで（すなわち、完全に押された位置にまで）、装置１８００’は状態１８００ｃであり、インターフェース要素１８２６は、タッチスクリーン１８２２により、特にインターフェース１８３２に表示される。例えば、インターフェース要素１８２４は、文字（例えば、英語文字）のバーチャルキーボード（即ち、グラフィックで表示されたキーボードであり、この表示は（インターフェース１８３２におけるタッチスクリーン１８２２により）装置１８００’の制御装置１８０４を、「半押し」位置にまで押すことにより促され、装置１８００’は、状態１８００ｂ（図１８Ｇ）である。同じ例について、インターフェース要素１８２６は、句読点及び/又は数のバーチャルキーボードであり、装置１８００’の完全に押圧する制御装置１８０４を完全に押圧された位置に促され、これにより、装置１８００’は、状態１８００ｃ（図１８Ｈ）である。また、同じ例で、装置１８０４が押されていない（そのほかに「デフォルト位置にある」）場合などといった、装置１８００’が状態１８００ａである際、要素１８２４及び１８２６は、タッチスクリーン１８２２により表示されず、これにより、いくつかの実施形態では、制御装置１８０４から指を離すことは（又は言い換えると、制御装置に適用される任意の圧力を解放する）、装置１８００’の状態を状態１８００ａに変更し、結果として、表示されていない要素などのインターフェース要素１８２４及び１８２６は、インターフェース１８３２から取り除かれる。従って、本発明の指に装着される装置（例えば、装置１８００’）は、任意の２又はそれより多い位置に装置の制御装置を再配置することなどで、装置の状態を切替えることにより、文字のバーチャルキーボードの表示、及び／又は句読点及び／又は数のバーチャルキーボードの表示を促すために操作される。任意の上述のバーチャルキーボードは、例えばインターフェースなどでタッチスクリーンにより表示される際、上述のバーチャルキーボードは、タッチスクリーン１８２２を接触することで相互作用される。さらに、従って、ユーザは、例えば、上述の指に装着される装置（例えば、指に装着される装置の回転可能なセクションを任意のいくつかの回転された位置に回転する）の状態を変更することなどで、本発明の指に装着される装置のいくつかの実施形態を操作し、バーチャルキーボード（例えば、第１言語のバーチャルキーボード及び第���言語のバーチャルキーボード）の異なるタイプの表示を促進するが、上述のバーチャルキーボードのそれぞれを表示することは、上述の指に装着される装置の異なる状態に対応する。上述のバーチャルキーボードの表示は、特にインターフェースのタッチスクリーンにより行なわれ、その結果、上述のユーザは、上述のタッチスクリーンを接触することで（任意で、上述の指に装着される装置を操作する間、前又は後に、上述の指に装着される装置の制御装置に圧力を保持することで、押された位置において上述の指に装着される装置の上述の制御装置を保持する）、上述のタッチスクリーンにより表示される任意のキーボートと相互作用する。
【０２７９】
いくつかの実施形態において、又はいくつかの場合において(例えば、タッチスクリーン１８２２により表示されるいくつかのインターフェースにおいて）、（バーチャルキーボードの）上述の例の次に、例えばインターフェース要素１８２４及び１８２６などの本発明の指に装着される装置を操作することで表示されるインターフェース要素（特に状態を変更する）は、ユーザーインターフェースとして従来技術で知られている、異なる制御パネル、メニュー、ツールバー、ライブラリ、オプションのリスト、いわゆる「ダッシュボード」又はダイアログボックスである。例えば、インターフェース要素１８２４は、グラフィック編集ツール又は音楽再生制御ツールなどといった、ツールのセットのツールバーであるが、インターフェース要素１８２６は、例えば、色見本（color-swatches)メニュー又は歌のプレイリストなどといった、ツールの上述のセットに関するメニューである（それぞれ、インターフェース要素１８２４のツールのセットの例に関する）。したがって、上記のものの次に、本発明の指に装着される装置は、上述の指に装着される装置の状態を変化することなどにより、任意の２又はそれより多い制御パネル、メニュー、ツールバー、ライブラリ、オプションのリスト、ダッシュボード又はダイアログボックスの表示を促進するために操作される。上述の表示は、タッチスクリーンによるものであり、その結果、上述の指に装着される装置（又は上述の指に装着される装置の前あるいは後）を任意で操作する間、上述の指に装着される装置を操作するユーザは、タッチ入力（即ち上述のタッチスクリーン)を記録することで、上述の制御パネル、メニュー、ツールバー、ライブラリ、オプションのリスト、ダッシュボード又はダイアログボックスと相互作用する。
【０２８０】
いくつかの実施形態において、タッチスクリーンのインターフェースにおけるインターフェース要素を表示することは、本発明の指に装着される装置を操作することで、タッチ入力（すなわち、上述のタッチスクリーン上にタッチを感知することにより記録される入力）に関連付けられ（そのほかに、「文脈を有している」又は「対応している」）、例えば指の装着する上述の指に装着される装置が接触している上述のタッチスクリーン上の場所に対応する、あるいは特に上述のタッチスクリーン上の上述の場所に表示されるインターフェース要素に特に対応するなどで関連付けられる。例えば、タッチスクリーン１８２２は、従来技術で周知であるメディアプレーヤを表示し、従来技術で周知である写真編集アプリケーションを表示する。上述のメディアプレーヤ（上述のメディアプレーヤが表示されるタッチスクリーン１８２２を接触する）を指２３２で接触することで、及び、装置１８００’を親指２３４で制御装置１８０４を半押しすることで、制御パネルの再生は、タッチスクリーン１８２２により表示されるが（その結果、指２３２又は任意の他の指は、上述の制御パネルの再生と関連付ける）、上述のメディアプレーヤを指２３２で接触する、及び制御装置１８０４を親指２３４で完全に押すことで、プレイリストが表示される（これにより、指２３２、又は任意の他の指は、上述の歌を再生するために上述のプレイリストにおける歌の名前を接触するなどで、上述のプレイリストと相互作用する）。同様に、指２３２で上述の写真編集アプリケーションを接触する、及び、親指２３４で制御装置１８０４を半押しすることにより、写真編集ダイアログボックスがタッチスクリーン１８２２で表示される（任意の指により相互作用される）が、指２３２で上述の写真編集アプリケーションを接触する、及び、親指２３４で制御装置１８０４を完全に押すことにより、色見本メニュー（即ち、上述の写真編集アプリケーションの機能として利用される色見本のメニュー）は、タッチスクリーン１８２２により表示される。
【０２８１】
いくつかの実施形態において、本発明の指に装着される装置の制御装置を再配置すること（例えば、図７Ａ及び図７Ｂに示される装置１８００’の制御装置を押す、又は、装置７００の回転可能なセクション７０２を回転する）、又はその他に、上述の指に装着される装置の状態の間を変更することは、タッチ入力（即ちタッチスクリーンにより感知される接触）を、インターフェースにおける特定の機能と関連付け、その結果、上述の制御装置のそれぞれの位置は、異なる機能と対応する。例えば、装置１８００’の制御装置１８０４を半押しすること（制御装置の例示として再配置される）は、装置１８２０のタッチスクリーン１８２２上での接触を（そのほかに、「タッチスクリーン１８２２により獲得される又は記録されるタッチ入力を関連付ける」）インターフェース１８３２における一般的な「削除」機能と関連付けるためであり（タッチスクリーンにより表示される）、その結果、制御装置が「半押し」である間、インターフェース要素が表示されるタッチスクリーンを接触することは、上述のインターフェース要素を削除すること、又は該インターフェース要素をインターフェース１８３２から取り除くためである。同様に、制御装置１８０４を完全に押すことは、タッチスクリーン１８２２を、一般的な「貼り付け」機能に関連付けるためであり、この結果、制御装置が完全に押される間に、タッチスクリーン１８２２により表示されるように、インターフェース１８３２における位置に接触することは、インターフェース要素（おそらく、一般的なソフトウェア機能として知られる、従前の「コピー」又は「切り取り」といったインターフェース要素）を貼り付けるためである。
【０２８２】
タッチ入力をインターフェースにおける特定の機能に関連付けるための上述の記載は、インターフェースにおいてツールを選択することと類似する（例えば、特定のソフトウェアにおけるインターフェース、例えばグラフィック編集ソフトウェアのツールバーにおけるツールなど）。従って、本発明の指に装着される装置の状態を変更することは、インターフェースのツールの間のツールを変更するためである。特に、上述のツールは、タッチ入力に関連付けられていて、その結果、本発明のシステムのタッチスクリーンを接触することは、本発明の指に装着される装置の状態により設定されるツールを用いるためである。例えば、本発明の指に装着される装置の制御装置を再配置することは、特定の機能をマウスカーソルに関連付けるためであり、例えば、ツールバーから特定のツールを選択することにより（例えば、上述のマウスカーソルのようなマウスのボタンを押すことで、上述のツールバーに表示されるように、上述のツールが、上述のように位置され、又は指し示される）関連付ける。もうひとつ別の例について、タッチスクリーンと相互作用することで、戦争ゲーム（インターフェースの例示として）を行なう際、指に装着される装置の回転可能なセクションを、第１回転位置に回転することは、第１銃弾タイプ（上述の戦争ゲームにおける例示的機能として、あるいは、例示的ツールとして）を選択するためであるが、上述の指に装着される装置の上述の回転可能なセクションを第２回転位置に回転することは、第２銃弾タイプを選択するためである。したがって、上述の指に装着される装置が上述の第１回転位置にある間、上述のタッチスクリーンを接触することは、第１銃弾タイプを発砲するためであるが、上述の指に装着される装置が上述の第２回転位置にある間、上述のタッチスクリーンに接触することは、第２銃弾タイプを発砲するためである。
【０２８３】
上述の次に、本発明の指に装着されるのは、タッチスクリーンと相互作用するためであり、この結果、上述の指に装着される装置の状態を変更することは、インターフェース要素を文脈を有して、指が接触する上述のタッチスクリーン上において、表示することを促し、任意で上述の指が接触するところに表示される。
【０２８４】
装置１８００’は、上述するように、タッチスクリーン装置１８２０と通信する（タッチスクリーン１８２２を含む）ことに注意されたい。例えば、装置１８００’は、信号を装置１８２０に伝送する通信ユニットを含むが(例えば、図７Ｃ及び図７Ｄにおいて装置７１０の通信ユニット７１８を参照）、上述の信号は、装置１８００’が任意の一定の時間における状態を示し、又はそのほかに、どのような装置１８００’が一定の時間に操作されることを表示する（例えば、装置１８００’の制御装置１８０４が、「半押し」又は「完全に押される」かどうか）。
【０２８５】
さらに、インターフェース要素１８２４及びインターフェース要素１８２６が図１８Ｇ及び図１８Ｈに示される（それぞれ）、該インターフェース要素１８２４及びインターフェース要素１８２６は、指２３２が特にタッチスクリーンを特に接触する装置１８２０のタッチスクリーン１８２２により表示される。その一方、いくつかの例において（例えば、いくつかのインターフェース）、インターフェース要素１８２４及び／又はインターフェース要素１８２６は、タッチスクリーン（例えば、インターフェース１８３２のどこであっても）上のどこでであっても表示されることに注意されたい。
他の場合に、インターフェース要素１８２４及び/又はインターフェース要素１８２６は、指２３２又は任意の他の指が接触するタッチスクリーン１８２２上の場所に対応して表示される（その他に「タッチスクリーンにより感知されるタッチ入力の座標と対応する」）。
【０２８６】
図１８Ｉから図１８Ｋは、本発明のシステム１８２２を示し、このシステムにおいて、装置７００（図７Ａ及び図７Ｂを参照）は、例えば、装置７００がどの状態にあるかを示す信号を送信する、あるいは、装置７００の状態に対応する入力を送信することなどで、装置１８２０と通信する。
【０２８７】
図１８Ｉにおいて、装置７００は、特に状態７００ａに示され、その一方、図１８Ｊ及び図１８Ｋにおいて、装置７００は特に状態７００ｂ及び７００ｃにおいてそれぞれ示される。装置７００の状態は、装置の回転可能なセクション７０２の回転した位置に対応する。例えば、装置７００の回転可能なセクション７０２は、各図において、異なる回転した位置（また、上述される「入力位置）である。図において示されるように、回転可能なセクション７０２は、図１８１において、第１回転位置であるが、図１８Ｊにおいて、回転可能なセクション７０２は、第２回転位置において示される、特に上述の第１回転位置から時計周りに９０度セクションを回転する位置で示される。図１８Ｋにおいて、回転可能なセクション７０２は、第３回転された位置に示され、特に、上述の第１回転位置から９０度反時計周りに９０度セクションを回転する位置に示される（図１８Ｉを参照）。回転可能なセクション７０２の回転は、装置７００の定置セクション７０４に対するものである（そして、従って、装置が指に装着される場合、回転は装置を装着する指に対するものである）ことに注意されたい。さらに、本発明の指に装着される装置は、単なる回転可能なセクションを含むが（定置セクションを除く）、上述の回転可能なセクションの回転位置は、上述の指に装着される装置の状態と対応することに注意されたい。
【０２８８】
いくつかの実施形態において、例えば、装置の状態を変更することなどにより、又は、回転セクション７０２を異なる回転位置に特に回転させることにより、装置７００を操作することは、装置１８２０のタッチスクリーン１８２２により表示されるインターフェース１８３２の状態（又は「状態間をトグリングする」）を変更するためである。このことは、図１８Ｆから図１８Ｈで示されるように、異なるインターフェース要素を表示することと類似する。したがって、装置７００の状態（あるいは、多数の状態にある本発明の任意の指に装着される装置）は、インターフェース１８３２の状態に対応する。図１８Ｉにおいて、インターフェース１８３２は、状態１８３２ａにおいて示されるが、図１８Ｊ及び図１８Ｋにおいて、インターフェース１８３２は、状態１８３２ｂ及び状態１８３２ｃにそれぞれ示される。図および上述の次に、インターフェース１８３２の状態１８３２ａ−ｃは、それぞれ装置７００の状態７００ａ−ｃに対応する。
【０２８９】
インターフェース１８３２(すなわち、状態１８３２ａ−ｃ)の状態、または本発明の任意の他のインターフェースまたは、プログラムは、インターフェース又は仮想環境で知られる任意の状態、モード又は状況である。例えば、インターフェース（例えば、コンピュータアプリケーション）は、第１ワークスペース（例えば、ユーザにアクセス可能な第１セットのツールバー）及び第２ワークスペース（例えば、第２セットのツールバー、又は上述の第１セットのツールバーにおける異なる配置のツール）を有するが、上述のインターフェースが第１状態にある場合、上述のインターフェースは、上述の第１ワークスペースを表示し、一方で、上述のインターフェースが第２状態にある場合、上述のインターフェースは、上述の第２ワークスペースを表示する。したがって、本発明の指に装着される装置（特に、上述の指に装着される装置の状態を変更することで、又は、例えば制御装置などの装置の任意の要素又はセクション）は、インターフェースのビューモード（例示的な状態）の間をトグリングするためである。ビューのモードの間のトグリングは、上述の指に装着される装置の状態を変更するために、本発明の指に装着される装置を操作することで、インターフェースの状態の間を変更することについて記載されるのと同様に記載される。ビューの上述のモードは、インターフェースの任意の状態であり、該モードは、例えば、いわゆる「ツールチップ」を示す及び隠す（示す及び隠すもののそれぞれは、ビューの例示的モードである）。例えば、グラフィック編集ソフトウェアは、グリッド又はルーラー（グラフィック編集において手助けする）を表示する、又は表示しないワークボード（即ち、グラフィックが編集される領域）を有し、この結果、指に装着される装置を操作することで、ビューのモードの間をトグリングする上述の記載は、上述のグリッド又はルーラーを示す（又は「表示する」）及び隠す（又は「表示しない」）のと同様に記載される。
【０２９０】
いくつか実施形態において、装置７００の回転可能なセクション７０２の第１回転位置、又は、言い換えると、装置７００の第１状態は、表示インターフェース要素１８２４に対応するが（図１８Ｆ）、セクション７０２の第２回転位置、又は、言い換えると、装置７００の第２状態は、インターフェース要素１８２６（図１８Ｇ）を表示することに対応し、この結果、従って、セクション７０２は、図１８Ｆから図１８Ｈに記載されるように、装置１８００’の制御装置１８０４を特定の押された位置に押すことと同様に、特定の回転位置に回転され、インターフェース要素１８２４を表示し、及び／又はインターフェース要素１８２６を表示するを注意されたい（インターフェース１８３２において、又はそのほかに、装置１８２０のタッチスクリーン１８２２により）。
【０２９１】
いくつかの実施形態において、装置７００の回転可能なセクション７０２の回転位置にて記載されるのと同様に、装置１８００’の制御装置１８０４のインターフェース１８００’の制御装置１８０４の「半押し」位置は、インターフェース１８３２の状態１８３２ａ（図１８Ｉ）に対応するが、制御装置の完全に押された位置は、状態１８３２ｂ（図１８Ｊ）に対応し、この結果、装置１８００’の制御装置１８０４は、インターフェース１８３２の状態を変更するために、異なる位置に押されることに注意されたい。したがって、本発明の指に装着される装置の制御装置は、インターフェースの任意の数の異なる状態の間を変更するために、任意の数のインターフェースの異なる状態に再配置され、特に該インターフェースは、タッチスクリーンにより表示されるインターフェース（例えば、装置１８２０のタッチスクリーン１８２２）である。
【０２９２】
さらに、インターフェースの状態は、タッチ入力の文脈を設定することに注意されたい（すなわち、上述のインターフェースを表示するタッチスクリーンにより感知されるように、どのような接触が、上述のインターフェース又は要素あるいはこれらのイベントに影響を及ぼすかを決定する）。したがって、指に装着される装置の状態を変更することは、タッチ入力の状況を設定するためである（例えば、上述の指に装着される装置の状態の表示を、上述のタッチスクリーンを含む装置へと伝送することなどにより、タッチスクリーンにより表示されるインターフェースの状態を変更することで）。
【０２９３】
さらに、上述の記載が、タッチスクリーンのインターフェースを差し示す（すなわち、タッチスクリーン１８２２のインターフェース１８３２）のだが、ジェスチャ認識システム又はその他に視覚認識システム（例えば、図２２Ａにおける視覚認識システム２２２０）の任意のインターフェースを同様に指し示すことは明らかであることには注意されたい。
【０２９４】
さらに、インターフェース要素及びインターフェースの状態の上述の記載は、プログラムにおける視覚的及び非視覚的要素及び状態、又はそのほかに視覚的に必ずしも示さないプログラム要素及び状態を指し示すことに注意されたい。
【０２９５】
図１８Ｌから図１８Ｎは、本発明のシステム１８１４を示し、該システムにおいて、指に装着される装置１８８０は、装置１８２０と通信する。図において、装置１８２０のタッチスクリーン１８２２は、プログラム１８５０のインターフェースであるインターフェース１８５２を表示することが示される。
【０２９６】
装置１８８０は、それぞれ状態１８８０ａ及び状態１８８０ｃである図１８Ｍ及び図１８Ｎにおいて特に示される。一定期間での装置１８００における状態１８８０は、装置又は装置のセクション又は要素を操作することで決定される。言い換えると、装置１８８０を操作することは、装置の状態の間を変更するためである。
【０２９７】
プログラム１８５０は、状態１８５０ａの状態である図１８Ｌにおいて特に示され、それぞれ状態１８８０ｂ及び状態１８８０ｃの状態である図１８Ｍ及び図１８Ｎにおいて特に示される。一定時間のプログラム１８５０における状態は、例えばプログラム１８５０の状態に対応する装置の状態の間を変更するなどといった、装置１８８０又は装置のセクション又は要素を操作することで決定される。言いかえると、装置１８８０を操作することは、プログラム１８５０の状態の間を変更するためである（好ましくは、装置の状態の間を追加的に変更する）。例えば、装置１８８０は、任意の第１回転位置、第２回転位置及び第３回転位置に回転されるが（回転位置のそれぞれは、装置の例示的位置にある）、装置１８８０が一定時間にどの位置にあるかについて、情報（特に「表示」）を装置１８８０から装置１８２０へと通信することで（又は、同様に装置がどの状態にあるかについて）、入力は、任意の上述の第１、第２及び第３回転位置に対応して、プログラム１８５０を、任意の状態１８５０ａ−ｃに設定する。
【０２９８】
いくつかの実施形態において、装置１８８０の各々の状態１８８０ａ−ｃに関して、装置は異なる視覚出力を産出（または「生じさせる」または「生成する」）することができる。図１８Ｌに具体的に示されるように、装置１８８０は、装置が状態１８８０ａである間、任意の視覚出力を産出することができず、一方で、図１８Ｍと１８Ｎで具体的に示されるように、装置１８８０は、視覚出力１８８２ｂをそれぞれ産出する。視覚出力１８８２ｂ、ｃ、または、任意の視覚出力（図の１８Ｌで示す）の欠如は、装置１８８０が（任意の所定の時間に）どの状態にあるのか、従って、プログラム１８５０がどの状態にあるのかを、ユーザに表示することができる。いくつかの実施形態において、プログラム１８５０の任意の状態は、装置１８８０からの出力（特に視覚的）によってのみ表示されることができる。例えば、いくつかの実施形態において、プログラム１８５０のインターフェース１８５２は、プログラム１８５０の状態についての任意の視覚的な表示を含み得る一方で、プログラム１８５０の状態は装置１８８０によって、具体的には、プログラムの状態に対応する装置１８８０からの視覚出力によって（図１８Ｍおよび１８Ｎでは、視覚出力１８８２ｂおよび視覚出力１８８２ｃは、それぞれ、プログラム１８５０の状態１８５０ｂ、状態１８５０ｃに対応するものとして示されている）、視覚的に表示され得る。プログラム１８５０の状態を表示するためのインターフェース１８５２を利用しないことは、タッチスクリーン１８２２のディスプレイ空間を節約するために有効であり得るため、小さなタッチスクリーンが、他の目的のために（節約される）前記ディスプレイ空間を利用し得るようになる。
【０２９９】
装置１８８０から視覚出力に関して記載された内容と同様に、プログラム１８５０の状態は、図７Ａ乃至図７Ｃで示される装置７１０の触角インジケータ７１６ａ−ｃに関して記載されたような、触覚情報（あるいは「触覚フィードバック」、または「触覚出力」）によって表示され得る。例えば、プログラム１８５０が状態１８５０ｂの場合、本発明の指に装着される装置のダイナミックな触覚インジケータ（または、複数の触覚インジケータ）が、第１の状態であり得る一方で、プログラム１８５０が１８５０ｃの状態の場合、前記ダイナミックな触角インジケータは第２の状態であり得る。その結果、ユーザは、プログラム１８５０がどの状態なのかを知るために、前記ダイナミックな触角インジケータを感じ得るようになる。
【０３００】
いくつかの実施形態において、プログラム１８５０が状態１８５０ａ−ｃの各々の状態にある際に、異なる機能がインターフェース１８５２によってなされ得るように、または、タッチスクリーン１８２２が（例えば、指で）触れられる際に、異なる機能が一般的にはプログラム１８５０によってなされ得るように、プログラム１８５０の状態は、タッチ入力のためのコンテキストを決定（あるいは「設定」）することができる。例えば、図１８Ｌ乃至図１８Ｎに示されるように、プログラム１８５０が状態１８５０ａ（図１８Ｌ）の際、いかなる機能もタッチスクリーン１８２２に触れることではなされ得ない一方で（記録されている任意の入力のないタッチスクリーンの表面に触れるか、または、さもなければ任意のインターフェースイベントを促すことなく、タッチスクリーンの表面に触れることが望ましい場合など）、プログラム１８５０が状態１８５０ｂ（図１８Ｍ）の際、機能１８５４ｂは、タッチスクリーン１８２２に触れる指（または複数の指）によって（好ましくは、インターフェース１８５２で）なされ、その一方で、プログラム１８５０が状態１８５０ｃ（図１８Ｎ）の際、機能１８５４ｃは、タッチスクリーンに触れる指によってなされ得る。プログラム１８５０の状態がタッチスクリーン１８２２によって視覚的に示されない実施形態において、プログラムがどの状態なのか、したがって、タッチスクリーンに触れることによって、本発明（例えば、装置１８８０）の指に装着される装置からの出力、具体的には、視覚出力および／または触覚出力を受信することによって、どの機能がなされることになるのか、ユーザは知ることができる。
【０３０１】
図１９Ａと１９Ｂは、本発明のインターフェース１９００の描写を示す。インターフェース１９００は、具体的には、ゲーム（具体的に、ビデオゲーム、または、コンピュータゲーム、または、さもなければ、電子システムによって管理される任意の他のゲーム）のインターフェースである。該ゲームは、タッチスクリーン（例えば、図１８Ｆ乃至１８Ｎの装置１８２０のタッチスクリーン１８２２を参照）上に表示され、または、ジェスチャー認識システム（例えば、図２１Ａ乃至図２１Ｅのジェスチャー認識システム２１２０を参照）につながれたディスプレイで表示され、その結果として、前記タッチスクリーンに触れることによって、または、前記ジェスチャー認識システムの視野内でジェスチャーを取ることによって、ユーザ（または複数のユーザ）が前記ゲームをすることができるようになる。
【０３０２】
図１９Ａと１９Ｂにおいて、インターフェース１９００は、インターフェース要素１９０２（一般的に、タンクユニットとして図示される）を含むように示されており、インターフェース要素は、例えば、キャラクター（例えば、３次元のアバター）、ゲームの技術分野で知られているようなノンプレイヤーキャラクター（ＮＰＣ）、ゲームの技術分野で知られているような破壊可能な環境下における照準マーク（ａｉｍｉｎｇ  ｍａｒｋ）またはオブジェクトなどの、ゲーム中の任意の要素であり得る。
【０３０３】
いくつかの実施形態において、インターフェース要素１９０２は、タッチ入力（例えば、インターフェース１９００を表示するように提案するタッチスクリーン上で検知されるタッチ）、または、ジェスチャー認識（例えば、インターフェース１９００を表示し得るディスプレイにつながれることを提案されたジェスチャー認識システムによって、検知および認識される手ぶり）によって、制御されるか、または、影響を受ける。さらに、または、あるいは、インターフェース要素１９０２は、指に装着される装置１９１０（手２３０の指２３２上で装着され、同じ手の親指２３４によって操作されるように図１９Ｂでは示されている）を操作することによって、制御されるか、または、影響を受ける。
【０３０４】
図１９Ａと１９Ｂにおいて、インターフェース要素１９０２は、インターフェース１９００を表示するように提案されるタッチスクリーンに触れる指２３２によって、および、装置１９１０を操作することによって、状態の間で変化するように示されている（タッチスクリーンに触れる指２３２に関する記載は、同様に、ディスプレイの方を指す指２３２を言及し、具体的には、インターフェース要素１９０２が表示される場所のことを言及し得る一方で、指を指すことがジェスチャー認識システムによって検知および認識され得るということに注目されたい）。図１９Ａにおいて、インターフェース要素１９０２は、インターフェース要素が表示される場合にインターフェース１９００を表示するタッチスクリーンが触れられないとき、および／または、装置１９１０が操作されないときといったデフォルト状態などの状態１９０２ａで具体的に示される。図１９Ｂにおいて、インターフェース要素１９０２は、インターフェース要素１９０２が表示される場合にインターフェース１９００を表示するタッチスクリーンが触れられるとき、および、装置１９１０が一定のやり方（例えば、装置の制御は「半押しされた」位置まで押される）で操作されるときといった状態１９０２ｂで具体的に示される。いくつかの実施形態において、インターフェース要素１９０２は、インターフェース要素が表示される場合に触れられるタッチスクリーンの上で提案されることなく、装置１９１０を操作することによって、制御されるか、または、影響を受けるということが明らかであることに注目されたい。
【０３０５】
いくつかの実施形態において、装置１９１０は、（インターフェース１９００を表示するように提案された）前述のタッチスクリーンが触れられない場合に表示されるインターフェース１９００の任意の数のインターフェース要素を制御するかまたはインターフェース要素に影響を与える。例えば、装置１９１０が操作される際、および／または、前述のタッチスクリーンが所定の場所で触れられる際、インターフェース要素１９０６は、インターフェース１９００内で表示され得る（または、さもなければ、「装置１９１０が操作されない際、および／または、前述のタッチスクリーンが前記所定の場所では触れられない際、インターフェース要素１９０６が存在する隠されたディスプレイとは正反対なように、表示された状態に設定され得る」）。
【０３０６】
いくつかの実施形態において、装置１９１０を操作すること、および／または、前記所定の場所でタッチスクリーンに触れることは、上記の記載に加えて、または、上記の記載の代わりに、インターフェース要素１９０６を制御するかまたはインターフェース要素１９０６に影響を与えるためのものであり得る。例えば、インターフェース要素１９０６のセクション１９０６ｂは、（黒で示されることによって）選択されて示され、このことは、任意に、インターフェース要素１９０２が表示される場合、および／または、装置１９１０が特定のやり方で操作される場合に、前述のタッチスクリーンに触れる指２３２の結果であり得る。
【０３０７】
いくつかの実施形態において、インターフェース要素１９０２が表示される場合に、指に装着される装置を操作することによって、および／または、前述のタッチスクリーンに触れることによって、制御されるか、または、影響を受けるインターフェース要素は、インターフェース要素１９０２に相当し得る。例えば、インターフェース要素１９０６は、
インターフェース要素１９０２の属性または統計のウィンドウ・ダイアログボックスであるか、または、インターフェース要素１９０２の「弾薬嚢」または「特殊能力」リストであり、その結果、インターフェース要素１９０６を制御することまたはインターフェース要素１９０６に影響を与えること（例えば、前記「弾薬嚢」から好ましい弾薬を選択すること、または、前記「特殊能力」リストから特殊能力を活性化すること）は、インターフェース要素１９０２、または、その任意のセクションを制御するためか、または、それらに影響を与えるためのものであり得る。
【０３０８】
上記に従って、本発明の範囲内であるのは、ゲーム、または、そのインターフェースであり、それは指に装着される装置を操作することによって、制御可能であるか、または、影響を与えることができる（または、その要素は、制御されるか、影響を受ける）。
【０３０９】
図１９Ｃおよび１９Ｄは、本発明のインターフェース１９２０の描写を示す。インターフェース１９００は、具体的に、写真編集を容易にする写真編集アプリケーションのインターフェースのような、または、コンピュータ支援設計（ＣＡＤ）プログラムのインターフェースのような、画像編集インターフェースである。
【０３１０】
いくつかの実施形態において、指に装着される装置の状態を変更することによって、異なる機能は、タッチ入力、または、手が（例えば、ジェスチャー認識システムを利用することによって）指している方向を得ることによる入力などといった、位置に関する入力に関連付けられる。図１９Ｃにおいて、状態７００ａになる装置７００（図７Ａと７Ｂ、および、図１８Ｉ乃至１８Ｋを参照）に対応するように、インターフェース１９２０で行われる機能１９２６ａが示されている。図１９Ｄにおいて、状態７００ｂになる装置７００に対応するように、インターフェース１９２０で行われる機能１９２６ｂが示される。
【０３１１】
上記に従って、本発明の範囲内であるのは、画像編集インターフェースか、または、任意の画像編集アプリケーションのインターフェースであり、それは、指に装着される装置を操作することによって、具体的には、前記指に装着される装置の状態を変更させることによって、影響を受けるか、または、制御されることが可能である。
【０３１２】
いくつかの実施形態において、本発明のインターフェース（または、本発明のインターフェースの状態）は、いわゆる「ワークボード（ｗｏｒｋ−ｂｏａｒｄ）」のみ、または、いわゆる「ステージ」のみを含み、あるいは、さもなければ、機能が作用するかまたはドキュメントが編集され得る領域、または、メニュー、オプションリスト、ツールバー、コントロールパネル、ダイアログボックスなどのような支持インターフェース要素を除く、ゲームがプレイされる領域のみを含み得ることに注目されたい。これは、前記支持インターフェース要素（類似する結果または同一の結果のために、前記支持インターフェース要素との相互作用の代わりに、操作されることによってなどして）前記支持インターフェース要素に類似する特徴または同一の特徴を提供する指に装着される装置によって促されてもよい。例えば、図１９Ｃおよび１９Ｄで示されるように、装置７００がそのようなインターフェース要素に取って代わるために利用され得るため、（例えば、機能１９２６ａと機能１９２６ｂのなかから選択するための）機能のなかから選択するのに役立つ任意のインターフェース要素を除外し得る。別の実施例については、図１９Ｃおよび１９Ｄで示されるように、インターフェース１９００は、ゲーム内のキャラクターであるインターフェース要素１９０２が存在するゲームであり得る一方で、インターフェースは、前記キャラクターと相互作用するために使用することができる任意の仮想制御（それらはインターフェースで表示されてきたかもしれない）を除外し得る。したがって、前記キャラクターと相互に作用することは、前記キャラクターが表示される場合にタッチスクリーンに触れることによって、および／または、装置１９１０を操作することによってである。随意に、装置１９１０が操作されていない際に、任意の仮想制御がインターフェース１９００から除外され得る一方で、装置１９１０を操作することによって、（図１９Ｂで示されるような典型的なインターフェース要素１９０６としての）仮想制御または複数の仮想制御が、作成され、表示され、さもなければ、その後、インターフェースに含まれ得る。
【０３１３】
上記に従って、本発明の範囲内であるものは、任意のグラフィックアプリケーション、または、そのインターフェース、または、その前記インターフェースの状態であり、それは、直接的な画像編集のために指定される領域のみを含み、前記の直接的な画像編集を支持する任意のインターフェース要素を除く。さらに、本発明の範囲内であるのは、任意のゲーム、または、そのインターフェース、または、その前記インターフェースの状態であり、それは実際のゲームプレイのために指定された領域のみを含み、実際のゲームプレイを支持する任意のインターフェース要素、あるいは、オプションメニューまたはアイテム表などの前記実際のゲームプレイの周辺である任意のインターフェース要素を除外する。
【０３１４】
（指に装着される装置を操作することによって代用され得る）特定のインターフェース要素を表示するかまたは含むために必要とされないインターフェースが、小さなタッチスクリーンには有益であり、該小さなスクリーン内では、前記特定のインターフェース要素が表示されない際に、ディスプレイ中の空間が解放され得るということに注目されたい。
【０３１５】
図２０Ａ乃至図２０Ｅは、本発明のシステム２０００を示す。該システム２０００は、タッチスクリーン２０２２を含み得て（図１８Ｆ乃至１８Ｎに示されるようなタッチスクリーン１８２２に類似しており、その結果、タッチスクリーン２０２２が、具体的に、出力および入力のための手段として、装置に含まれ得るようになることが明らかとなっている）、指に装着される装置２０１０（タッチスクリーン２０２２と通じているか、または、さもなければ、タッチスクリーン２０２２を含む装置と通じている）を含み得る。装置２０１０を操作することによって、ユーザは、タッチスクリーン２０２２によって表示されるインターフェースを、および／または、入力を受信する（あるいは、「記録する」または「獲得する」）ために、および／または、出力（特に視覚出力のことで、当該技術分野では知られているが、いくつかのタッチスクリーンは、触覚出力（または「触覚フィードバック」）を生じさせ、その結果、いくつかの実施形態では、タッチスクリーン２０２２は触覚出力を生じさせるために利用され得るようになる）を出力する（あるいは、「生じさせる」または「生成する」）ために、タッチスクリーン２０２２を利用するプログラムによって表示されるインターフェースを、制御し得る（あるいは、「影響を与える」、「操る」、または、「作用する」）。
【０３１６】
図２０Ａでは、（タッチスクリーンを含む）装置のプログラムが該インターフェースを表示するためにタッチスクリーン２０２２を利用している場合のような、インターフェース２０３２ａを表示しているタッチスクリーン２０２２が具体的に示されている。インターフェース２０３２ａにおいて、画像要素（例えば、いわゆる「アイコン」）のような、タッチスクリーン２０２２によって表示可能な任意の視覚的なオブジェクト（同様に「アイテム」）である要素２０２４が表示されている。随意に、インターフェース要素２０２４は、インターフェース２０２３ａがそのユーザ・インターフェースであるプログラムのような、プログラムの機能を表わし得る。そうでなければ、インターフェース要素２０２４は、インターフェース要素に触れる指（または、複数の指）によって入力が記録される際に実行されるインターフェース（または、プログラム）機能に対応し得るか、または、インターフェース要素に触れる指によって入力が（どれを介してインターフェース２０２３ａが表示されているのか、どこにインターフェース２０２３ａが表示さているのか、を検知するとともに触れることができるタッチスクリーンの特に表面上に、該インターフェースが表示される場合に、通常、ある位置上での接触を検知するタッチスクリーン２０２２などによって）記録される際に促されるインターフェース（または、プログラム）イベントに対応し得る。
【０３１７】
いくつかの実施形態において、インターフェース要素２０２４が表示される（インターフェース要素が表示されるタッチスクリーンに触れる手２３０’の指２３２’が示される）タッチスクリーン２０２２に触れることは、タッチスクリーン２０２２によってインターフェース要素２０２６の表示を促すためにあり得る。インターフェース要素２０２６は、インターフェース要素の「サブ要素」であるセクション２０２６ａ−ｄを含むよう示されている。例えば、インターフェース要素２０２６が、オプションのメニュー、または、オプションのリストであり得る一方で、セクション２０２６ａ−ｄの各々は、前記メニュー、または、前記リストの中のオプションでもあり得る。類似する例に関して、インターフェース要素２０２６は、ツールのツールバーであり得るため、その結果、セクション２０２６ａ−ｄは、選択されるツールであり得るようになる。
【０３１８】
いくつかの実施形態において、インターフェース要素２０２６が表示される際に、装置２０１０を操作することは、セクション２０２６ａ−ｄのいずれかを選択するためであり得る（図２０Ａでは、黒で示されることによって「選択されている」セクション２０２６ｂが示される）。随意に、セクション間２０２６ａ−ｄのいずれかを選択するために、インターフェース要素２０２６において、具体的にはセクション２０２６ａ−ｄの間でブラウズすることは、２以上の方向のいずれかに、該装置またはそのセクションを回転させること、または、該装置の表面上で親指をスライドさせることによるなどして、方向に関連するいずれかの方法で、装置２０１０を操作することによってであり得る。図２０Ａでは、前記２つの方向のいずれかに装置２０１０を回転させる親指２３４、または、前記２つの方向のいずれかに該装置の表面上でスライドする親指２３４によるなどして、（装置を操作する）親指２３４から伸張する破線の矢印によって図示される２つの方向（本明細書では、「操作方向」）のいずれかに対応するように操作される装置２０１０が示される。２つの他の方向（本明細書では「ブラウズ方向」）は、インターフェース要素２０２６がブラウズされる方向であるが、インターフェース要素２０２６の近傍の破線の矢印によって図示されており（前記２つの他の方向はタッチスクリーン２０２２によっては表示されないことが明らかである）、その一方で、装置２０１０を操作することが、ブラウズ方向のいずれかにインターフェース要素２０２６をブラウズするためのものであり得るように、ブラウズ方向は、前述の操作方向に対応し得る。例えば、インターフェース要素２０２６は、セクション２０２６ａ−ｄがアイテムであるメニューであり得る一方で、セクション２０２６ｂは（図２０Ａで示されるように）セクションの中から選択され得る。加えて、第１の方向に装置２０１０（または、そのセクション）を回転させることは、前のアイテムを選択するためのもの（さもなければ、「セクション２０２６ａを選択するための」）であり得る一方で、前述のブラウズ方向（例えば、インターフェース要素２０２６の近傍の破線の矢印によって示された方向）に従って、それぞれセクション２０２６ｂの「前」と「後」に配された、図のセクション２０２６ａとセクション２０２６ｂで示されるように、第２の方向に装置２０１０を回転させることは、次のアイテムを選択するための（さもなければ、「セレクション２０２６ｃを選択するための」）ものであり得る。
【０３１９】
図２０Ａでは、インターフェース要素２０２４が表示されるタッチスクリーン２０２２に触れる（手２３０’の）指２３２’が示されているが、（手２３０の）指２３２は装置２０１０を装着して示されていることに注目されたい。従って、インターフェース要素２０２４が表示されるタッチスクリーン２０２２に触れることは、指に装着する装置２０１０によってではなく、または、ましてや、同じ手の指（装置が装着される指の上の）によってでもない。
【０３２０】
図２０Ｂにおいて、インターフェース２０３２ｂを表示するタッチスクリーン２０２２が具体的に示されている。インターフェース２０３２ｂにおいて、インターフェース２０３２ｂ（図２０Ａ）と類似して、タッチスクリーン２０２２によって表示される（インターフェース要素２０２４と類似した）インターフェース要素２０２４’が示されている。いくつかの実施形態において、具体的に装置２０１０を装着する指（該装置を装着する指２３２が示されている）で、インターフェース要素２０２４’が表示されるタッチスクリーン２０２２に触れることは、インターフェース要素２０２６の表示を促すためのものであり得る（図２０Ｂに示されるように、インターフェース要素２３２’が表示されるタッチスクリーンに触れる指２３２、および、該タッチスクリーンによって表示されるインターフェース要素２０２６）。指に装着する装置２０１０によってのみインターフェース要素２０２６の表示を促すために、インターフェース要素２３２’が表示される場合、インターフェース２０３２’（図２０Ａ）、インターフェース２０３２ｂとは対照的に、タッチスクリーン２０２２が触れられるということがはっきりとした。
【０３２１】
図２０Ｃには、インターフェース２０３２ｃを表示するタッチスクリーン２０２２が具体的に示されており、該インターフェース２０３２ｃでは、インターフェース要素２０４２、２０４４、および、２０４６が表示されている。該インターフェース要素の各々が表示される場合、タッチスクリーン２０２２に触れることで、異なる機能を実行するか、または、異なるイベントを促し得る。あるいは、異なる組み合わせの位置で、インターフェース要素２０４２、２０４４、および、２０４６のいずれかが表示される前記位置の各々において、該タッチスクリーンに同時に触れることは、「マルチタッチ」技術およびインターフェースの技術分野で知られているように、異なる機能を実行するか、または、異なるイベントを促すためのものであり得る（したがって、いくつかの実施形態において、タッチスクリーン２０２２は、具体的にタッチスクリーンに触れる２以上の指によって、タッチスクリーン上の２以上の位置などで、タッチの同時インスタンスを検知し得ることが明らかである）。
【０３２２】
いくつかの実施形態において、インターフェース要素２０４２が表示されるとともにインターフェース要素２０４４が表示されるタッチスクリーン２０２２に同時に触れることは（インターフェース要素２０４２が表示されるタッチスクリーンに触れる指２３２と、同時に、インターフェース要素２０４４が表示されるタッチスクリーンに触れる指２３２’が示される）、インターフェース要素２０２６の表示を促すためのものであり得る一方で、該インターフェース要素に触れている間に装置２０１０を操作することは、先に記載されたように、インターフェース要素２０２６をブラウズするためのものであり得る。いくつかの実施形態において、具体的にインターフェース要素２０４２が表示されるタッチスクリーン２０２２に触れる指を、タッチスクリーンに触れないように外すこと（例えば、図２０Ｃで示されるような指２３２）、または、インターフェース要素２０４４が表示されるタッチスクリーンに触れる指をタッチスクリーンに触れないように外すこと（例えば、該図で示されるような指２３２’）は、インターフェース要素２０２６がタッチスクリーン２０２２によって表示されないように外すためのもの（例えば、任意の相互作用からインターフェース要素を隠すこと、および／または、無効にすること）であり得る。
【０３２３】
いくつかの実施形態において、インターフェース要素２０４２が表示されるとともにインターフェース要素２０４４が表示されるタッチスクリーン２０２２に（例えば、指で）同時に触れることは（図２０Ｂで示されるものの代わりに）、タッチスクリーン２０２２によって、インターフェース要素２０２８の表示を促すためのものであり得る（図２０Ｂにおいて、いかなる指も、インターフェース要素２０４６が表示されるタッチスクリーンには触れておらず、インターフェース要素２０２８は破線で示されており、インターフェース要素２０２８がタッチスクリーン２０２２によっては表示されないことを示唆しているということに注目されたい）。これに応じて、上記に従って、インターフェース要素が表示されるタッチスクリーン２０２２の位置の組み合わせは、装置２０１０を操作することによって制御され得る（例えば、該装置を操作する方向に対応する方向に従ってブラウズされ得る）インターフェース要素の表示を促すために、同時に触れられることがあり得る。
【０３２４】
図２０Ｄには、インターフェース２０３２ｄを表示するタッチスクリーン２０２２が具体的に示されている。インターフェース２０３２ｄでは、インターフェース要素２０２４が表示されており、その結果、図２０Ａの記載と同様に、インターフェース要素２０２４が表示されるタッチスクリーン２０２２は、インターフェース要素２０２６の表示を促すために触れられる（該図において、インターフェース要素２０２４が表示されるタッチスクリーンに触れる指が示されており、従って、インターフェース要素２０２６が表示される）。
【０３２５】
図２０Ｄには、インターフェース要素２０２６のセクション２０２６ｂが表示されるタッチスクリーン２０２２に触れる指２３２がさらに具体的に示されている。いくつかの実施形態において、インターフェース要素２０２６のセクション２０２６ｂに触れることは、タッチスクリーン２０２２によってインターフェース要素２０６０ｂの表示を促すためのものであり得る（図のタッチスクリーンによって図内に表示されるように示される）。インターフェース要素２０６０ｂが表示される際、該インターフェース要素は装置２０１０を操作することによって制御され得る。例えば、指２３２’が、インターフェース要素２０２４が表示されるタッチスクリーン２０２２に触れている間、および、指２３２が、インターフェース要素２０２６のセクション２０２６ｂが表示される該タッチスクリーンに触れている間、装置２０１０は、インターフェース要素２０６０ｂが、２つの反対の方向のいずれかに動かすことが可能なハンドルを含むスライダーであるような場合などのように、２つの対応する方向（インターフェース要素の下の破線の矢印によって図２０Ｄで示される２つの対応する方向）のいずれかにインターフェース要素２０６０ｂを制御するために、２つの方向のいずれかに操作され得る（例えば、親指２３４などによって、前記２つの方向のいずれかに回転させる）。
【０３２６】
インターフェース要素２０６０ｂの表示を促すことに関する記載と同様に、インターフェース要素２０２６のセクション２０２６ａが示されるタッチスクリーンに触れることは、タッチスクリーン２０２２によって、インターフェース要素２０６０ａ（該図では破線で示されており、セクション２０２６ａが該図で触れられていないように、タッチスクリーンによって表示されていないことを示唆している）の表示を促すためのものであり得る。いくつかの実施形態において、インターフェース要素２０６０ａは、インターフェース要素２０６０ｂに関する記載と同様に、装置２０１０を操作することによって制御され得る。
【０３２７】
上記に従って、本発明の指に装着される装置は、（例えば、前記指に装着される装置の表面を触れるとともに、２つの反対方向のいずれかにスライドする親指によって）複数の方向のいずれかに操作され得る。
【０３２８】
図２０Ｅには、インターフェース要素２０４２と２０４４（図２０Ｃを参照）と類似する（インターフェース内に表示されて示される）インターフェース要素２０４２’とインターフェース要素２０４４’を含み得るインターフェース２０３２ｅを表示するタッチスクリーン２０２２が具体的に示されている。さらに、インターフェース２０３２ｅに含まれるインターフェース要素２０７０が示される。
【０３２９】
いくつかの実施形態において（または、インターフェース２０３２ｅのいくつかの実施形態において）、インターフェース要素２０４２’と２０４４’のいずれかが表示される場合にタッチスクリーンが触れられているかどうかにかかわらず、インターフェース要素２０７０は、タッチスクリーン２０２２によって、または、具体的にはインターフェース２０３２ｅにおいて、表示され得る。他の実施形態において、インターフェース要素２０４２’と２０４４’のいずれかまたは両方が表示される場合に、タッチスクリーンが触れられている際にのみ、インターフェース要素２０７０はタッチスクリーンによって表示され得る。図において、タッチスクリーンは、インターフェース要素２０４２’と２０４４’がそれぞれ表示される場合に、指２３２と指２３２’によって触れられるということが示されているが、インターフェース要素２０７０は、具体的にインターフェース２０３２ｅにおいて、タッチスクリーンによって表示されるように示されている。
【０３３０】
いくつかの実施形態において、インターフェース要素２０４２’が配されているタッチスクリーン２０２２が触れられる際に、インターフェース要素２０７２ａの表示が促され得る一方で、インターフェース要素２０４４’が配されるタッチスクリーンが触れられる際に、インターフェース要素２０７２ｂの表示が促され得る。随意に、両方のインターフェース要素２０７２ａと２０７２ｂは、インターフェース要素２０４２’と２０４４’が表示される（図２０Ｅで示されるように）タッチスクリーンが触れられる際に、表示され得る。
【０３３１】
いくつかの実施形態において、インターフェース要素２０７２ａがタッチスクリーン２０２２によって表示される際に、インターフェース要素２０７２ａを制御することまたはインターフェース要素２０７２ａに影響を与えることは、指に装着される装置２０１０を操作することによって促され得る一方で、インターフェース要素２０７２ｂが表示される際に、インターフェース要素２０７２ｂを制御すること、または、インターフェース要素２０７２ｂに影響を与えることは、装置２０１０に類似する指に装着される装置２０１０’を操作することによって促され得る。
【０３３２】
いくつかの実施形態において、インターフェース要素２０７２ａは、インターフェース要素２０７０の第１のプロパティに対応し得る一方で、インターフェース要素２０７２ｂはインターフェース要素２０７０の第２のプロパティに対応し得る。これに応じて、上記に従って、インターフェース要素２０７０のプロパティ（具体的に、前記第１のプロパティと前記第２のプロパティ）を制御すること、または、該プロパティに影響を与えることは、装置２０１０および／または装置２０１０’を操作することによって促され得る。例えば、インターフェース要素２０７０は、インターフェース要素２０７２ａと対応し得るサイズプロパティと、インターフェース要素２０７２ｂと対応し得る透明性プロパティとを含む図形要素であり得ることから、その結果、インターフェース要素２０７０のサイズは、インターフェース要素２０４２’が表示されるタッチスクリーン２０２２に触れることと装置２０１０を操作することによって、制御（例えば、増加、または、減少）され得る一方で、インターフェース要素２０７０の透明性プロパティは、インターフェース要素２０４４’が表示されるタッチスクリーン２０２２に触れることと、装置２０１０’によって操作されることによって制御され得る。別の実施例については、インターフェース要素２０７２ａがインターフェース要素２０７０の長さに対応し得る一方で、インターフェース要素２０７２ｂがインターフェース要素２０７０の幅に対応し得ることから、その結果、インターフェース要素２０７０は、上記の記載と同様に、２つの軸（一方はインターフェース要素の長さに関連し、他方はインターフェース要素の幅に関連する）のいずれかで伸縮し得る。
【０３３３】
いくつかの実施形態において、インターフェース要素２０４２’が表示されるタッチスクリーン２０２２に触れることよって、どのインターフェース要素が表示されるように促されるかを測定することは、具体的には、タッチの別のインスタンスがタッチスクリーンによって検知される場合にインターフェース要素が表示されるように、タッチスクリーン２０２２が触れられる他のどこかに対するコンテキストであり得る。例えば、図２０Ｅで示されるように、手２３２’の指２３２’が、インターフェース要素２０４２’が表示されるタッチスクリーンに触れている際に、インターフェース要素２０４４’が表示されるタッチスクリーンに触れることは（手２３０の指２３２に関する図で示されるように）、インターフェース要素２０７２ａの表示を促し得る一方で、手２３２’の指２３２’が、インターフェース要素２０４６’が表示されるタッチスクリーンに触れている際に、（指２３２’以外の任意の指によって）インターフェース要素２０４２’が表示されるタッチスクリーンに触れることは、異なる（すなわち、インターフェース要素２０４６と異なる。例えば、図２０Ｃでのインターフェース要素２０２８を参照）インターフェース要素の表示を促し得る。
【０３３４】
対応する方向にインターフェース要素（例えば、図２０Ｄでのインターフェース要素２０６０ｂ）を制御するために、特定の方向に装置２０１０を操作することに関する先の記載と同様に、インターフェース要素２０７２ａ、ｂは、装置２０１０と２０１０’がそれぞれ操作される方向と対応する方向に、同様に制御され得ることに注目されたい。
【０３３５】
図２０Ａ乃至２０Ｅに関する記載がインターフェース要素の表示を促すことに言及している一方で、上記記載は、インターフェース要素の状態またはプロパティの任意のセッティング、または、具体的には、インターフェース要素の表示を促すことに関する記載を、インターフェース要素を作動させること、または、機能を始動することに置き換えるなどの、機能変数の任意のセッティング（または、さもなければ「変化」）のことにも言及するということに注目されたい。これに応じて、インターフェース要素の表示を促すことについての記載は、前記インターフェース要素の状態を「表示された」状態に設定すること、または、前記インターフェース要素の透明性プロパティを０に設定することについて言及し得る。
【０３３６】
図２０Ｆは、本発明の方法２０８０のフローチャートを示し、一般的に、図２０Ｅに関する記載に従う。
【０３３７】
工程２０８２において、タッチスクリーンは第１の位置で触れられる。
【０３３８】
いくつかの方法において、工程２０８４では、工程２０８２の結果として（例えば、工程２０８２の結果として記録される入力によって）、第１のインターフェース要素が（好ましくは、工程２０８２について記載されたタッチスクリーンによって）表示され得る。あるいは、工程２０８４では、前記第１のインターフェース要素の状態は、「隠された」状態から「表示された」状態までなどと、第１の状態から第２の状態まで変更され得る。さらに、あるいは、工程２０８４では、前記第１のインターフェース要素のプロパティ（または、複数のプロパティ）が変更され得る。
【０３３９】
いくつかの方法において、工程２０８６では、工程２０８２の結果として、第１の機能が、第１の指に装着される装置に関連付けられ得る。これに応じて、前記第１の機能は、前記第１の指に装着される装置を操作することによって行われるか、または、制御され得る。
【０３４０】
いくつかの方法において、工程２０８８では、工程２０８２の結果として、第２の機能が、第２の指に装着される装置に関連付けられ得る。これに応じて、前記第２の機能は、前記第２の指に装着される装置を操作することによって行われるか、または、制御され得る。
【０３４１】
いくつかの方法において、工程２０９０では、工程２０８２に関して記載されたタッチスクリーンは、第２の位置で触れられる。以下に記載される工程に関して、タッチスクリーン上の第１の場所は、工程２０８２で言及されたように、工程２０９０を行う間も、および／または、工程２０９０を行った後もまだ触れられるということが明らかであることに注目されたい。
【０３４２】
いくつかの方法において、工程２０９２では、工程２０９０の結果として、（工程２０８４に関して言及された）第１のインターフェース要素は、隠され得るか、または、さもなければ、表示されるのを停止し得る。あるいは、工程２０９２では、第１のインターフェース要素の状態は、「表示された」状態から「隠された」状態までのように、（工程２０８４に関して記載された）第２の状態から、（工程２０８４に関して記載でされた）第１の状態まで変更され得る。さらには、また、工程２０９２では、第１のインターフェース要素のプロパティ（または、複数のプロパティ）が変更され得る。
【０３４３】
いくつかの方法において、工程２０９４では、工程２０９０の結果として、第２のインターフェース要素が表示され得る。あるいは、工程２０９４では、前記第２のインターフェース要素の状態は、「ロックされた」状態（例えば、前記第２のインターフェース要素が相互に作用されない状態）から、「ロックされていない」状態（例えば、前記第２のインターフェース要素が、前の工程に関して記載されたタッチスクリーンに触れることによるなどして相互に作用され得る工程）までなどと、第１の状態から第２の状態まで変更され得る。さらには、また、工程２０９４では、前記第２のインターフェース要素のプロパティ（または、複数のプロパティ）が変更され得る。
【０３４４】
いくつかの方法において、工程２０９６では、工程２０９０の結果として、第３の機能が、（工程２０８６に関して記載された）第１の指に装着される装置に関連付けられ得る。これに応じて、前記第３の機能は、第１の指に装着される装置を操作することによって、行われるか、または、制御され得る。
【０３４５】
いくつかの方法において、工程２０９６では、工程２０９０の結果として、第４の機能が、（工程２０８８に関して記載された）第２の指に装着される装置に関連付けられ得る。これに応じて、前記第４の機能は、第１の指に装着される装置を操作することによって、行われるか、または、制御され得る。
【０３４６】
いくつかの方法において、前述の第１と第２の位置のいずれかまたは両方からタッチを外すことによって、上記の工程、具体的には、工程２０８４、２０８６、２０８８、２０９２、２０９４、２０９６、および、２０９８のいずれかとは逆の工程が行われ得ることが明らかであることに注目されたい。例えば、（工程２０８２で記載された）第１のタッチを外すことによって、（工程２０８４で記載された）第１のインターフェース要素が（工程２０８４に対する典型的な逆の工程として）隠され、その一方で、（工程２０９０で記載された）第２のタッチが維持される間は、（工程２０９４で記載された）第２のインターフェース要素がまだ表示され得る。
【０３４７】
上記に従って、本発明のいくつかの方法は、工程２０８４、２０８６、２０８８、２０９２、２０９４、２０９６、および、２０９８のいずれかとは逆の工程の後に、前述の第１のタッチおよび／または前述の第２のタッチを外す工程を含み得るということがはっきりしている。
【０３４８】
図２１Ａと２１Ｂは、ジェスチャー認識システム２１２０（または、単に「システム」）と指に装着される装置２１１０とを含み得る本発明のシステム２１００を示す。装置２１１０は、手２３０の指２３２の上で装着されて示されている。システム２１２０は、前記視覚的な検出（さもなければ、「光学的な検知」）から入力を記録するために、人間のジェスチャー、具体的には、手または指のジェスチャーの視覚的な（または、さもなければ、「光学的な」）検知および認識（または、「識別」）を容易にすることができる任意のシステムであり得る。システム２１２０は、可視光または非可視光（例えば、赤外線、またはＩＲ）のいずれかの光の検知を容易にすることができ、それによって、手または指のジェスチャーが、入力を記録するために認識され得るということが明らかであることに注目されたい。図２１Ａで示されるように、システム２１２０は、写真を撮るカメラなどの、可視光または非可視光の光を検知するための任意の手段である検知手段２１２２ａを含むとともに、認識手段２１２２ｂを含み得る。該認識手段は、ジェスチャーの画像を処理または分析するとともに、記録を入力するために前記ジェスチャーについての情報を獲得することが可能なハードウェアおよび／またはソフトウェアを含むことなどによって、具体的には、検知手段２１２２ａによって検知される光から、手や指のジェスチャーを認識するための任意の手段である。いくつかの実施形態において、いくつかのジェスチャー認識システムで知られているように、システム２１２０は照明手段を含み、該照明手段は、ＩＲ光などによって手を照らすための任意の手段であり得るということに注目されたい。
【０３４９】
システム２１００において、システム２１２０は、スクリーンまたはモニターのような映像を表示するための任意の手段であり得るディスプレイ２１２４につながれて示されている。ディスプレイ２１２４は、インターフェース要素２０２６に類似したインターフェース要素２１２６が存在するインターフェース２１３２を表示する図において示される（図２０Ａ乃至２０Ｄを参照）。セクション２０２６ａ−ｄを含むインターフェース要素２０２６と同様に、インターフェース要素２１２６は、セクション２１２６ａ−ｄを含むように示される。
【０３５０】
いくつかの実施形態において、装置２１１０は、手２３０の親指２３４などによって、状態を変化させるために操作され得る。図２１Ａでは、装置２１１０は、状態２１１０ｂで具体的に示される一方で、図２１Ｂでは、装置２１１０は、状態２１１０ｃで具体的に示される。好ましくは、システム２１２０の検知手段２１２２ａは、装置２１１０を検知し得るが、認識手段２１２２ｂは、装置２１１０が任意の所定の時間においてどの状態なのかを認識し得る。これは、手からの光を検知する検知手段２１２２ａと、手または指のジェスチャーを認識する認識手段２１２２ｂとに加えられる。例えば、装置２１１０は、光を出力することができる出力装置（例えば、図４Ａと４Ｂにおける装置４００の出力ユニット４０６を参照）を含み得る一方で、前記光は、装置２１１０が任意の所定の時間においてどの状態なのかを示す。これに応じて、システム２１２０は、どのジェスチャーが手２３０によって行われるのか、および、装置２１１０がどの状態なのかを認識するために、手２３０からの光（例えば、手から反射された光）と、装置２１１０から出力された光とを検知し得る。他の実施例において、装置２１１０は、出力ユニットを含み得ないが、該装置が視覚的に識別できる複数の物理的状態のいずれかにある場合などのように、検知手段２１２２ａによって検知可能な任意の状態であり得る。
【０３５１】
いくつかの実施形態において、インターフェース要素２１２６のセクション２１２６ａ−ｄのなかから選択すること（または、さもなければ、「インターフェース要素２１２６をブラウズすること」）は、状態間で変化させるために、装置２１１０を操作することによるものであり得る。具体的には、装置２１１０の状態は、セクション２１２６ａ−ｄのどれが選択されるかを測定する入力を記録するために、システム２１２０によって検知および認識され得る。例えば、手２３０と状態２１１０ｂの装置２１１０とからの光２１１２ｂは、図２１Ａで示されるように、システム２１２０に到達し得る一方で、入力は、（随意に、手２３０によってどのジェスチャーが行われるのかに加えて）状態２１１０ｂに対応して記録され得ることから、その結果、図で示されるように、前記入力は、インターフェース要素２１２６のセクション２１２６ａ−ｄの中からセクション２１２６ｂ（図２１Ａで選択されて示される）を促し得るようになる。同様に、図２１Ｂで示されるように、手２３０と状態２１１０ｃの装置２１１０とからの光２１１２ｃは、システム２１２０に到達し得る一方で、入力は状態２１１０ｃに対応して記録されることから、その結果、図で示されるように、前記入力は、セクション２１２６ｃ（図２１Ｂで選択されて示される）を促し得るようになる。
【０３５２】
図２１Ｃは、ディスプレイ２１２４につながれたジェスチャー認識システム２１２０と、同様にディスプレイ２１２４につながれた通信ユニット２１２８と、および、指に装着される装置２１４４を示す。装置２１４４は、通信ユニットを含む装置２１４４によるなどして通信ユニット２１２８と通信することができる。
【０３５３】
いくつかの実施形態において、装置２１１０に類似した装置２１４４は、状態間で変化するように操作され得る。装置２１４４の状態は、具体的には、インターフェース２１３２において、ディスプレイ２１２４上に表示されるよう示されるセクション２１２６ａ−ｄに対応し得る。さらに、装置２１１０に関する記載と同様に、装置２１４４が任意の所定の時間においてどの状態にあるのかを通信することによって、セクション２１２６ａ−ｄのいずれかを選択すること、具体的には、装置２１４４が前記の任意の所定の時間における状態に対応するセクションを選択することを容易にし得る（図２１Ｃにおいて、装置２１４４は、セクション２１２６ｄと対応し得る状態２１４４ｄであると示され、該セクションは、装置２１４４の状態２１４４ｄに対応し得るため、図において選択されるように提案される）。さらに、装置２１１０に関する記載と同様に、装置２１４４は、具体的には、装置２１４４がシステム２１２０の視野にある際に（その結果、該装置からの光はシステムによって検知され得る）、ジェスチャー認識システム２１２０によって検知および認識され得る光を出力させることによって（または、「光の出力を生じさせることによって」）、装置２１４４がどの状態にあるのかを通信し得る。装置２１１０に関する記載に加えて、または、装置２１１０に関する記載の代わりに、装置２１４４は、無線周波信号を通信ユニットに送るなどして、通信ユニット２１２８と通信することによって、装置２１４４がどの状態にあるのかを示唆し得る（その一方で、前記無線周波数信号は、該装置の状態に対応し得る）。装置２１４４が任意の所定の時間においてどの状態なのかを通信ユニット２１２８に示唆することは、（セクション２１２６ａ−ｄの中から選択するために、検知および認識される、装置２１１０から出力される光に関する記載と同様に）前記任意の所定の時間における装置２１４４の状態に対応するセクション２１２６ａ−ｄのいずれかを選択するのを容易にし得る。通信ユニット２１２８と通信する装置２１４４は、システム２１２０によって検知および認識される光を出力する装置２１４４の代わりになるか、または、該装置２１４４に加えられるということに注目されたい。通信ユニット２１２８と通信することは、装置２１４４がシステム２１２０の視野にないとき、または、さもなければ、システム２１２０と装置２１４４との間の見通し線が（オブジェクトがシステム２１２０によって装置２１４４の検知を妨害し得る場合、例えば、前記オブジェクトが該システムと該装置との間に位置づけられるような場合に）確立されることができないときに、有効的であり得る。そのような場合、装置２１４４は、光を出力させることによってシステム２１２０と通信することができず（それは装置の状態を示す）、その結果、通信の他の形態は、通信ユニット２１２８と通信する装置２１４４などによって必要とされるようになる。
【０３５４】
図２１Ｃでは、装置２１４４は、システム２１２０（反対方向に面するものとして示されたシステム）の視野の外で具体的に示されており、通信ユニット２１２８と通信している。
【０３５５】
いくつかの実施形態において、装置２１４４は、通信形式を（すなわち、通信ユニット２１２８と通信すること、光を出力すること、および、通信ユニットと通信することに加えて光を出力することの間で）切り替える（あるいは、「スイッチする」、または「変更する」）ことができる。これに応じて、装置２１４４は、通信ユニット２１２８と通信し得るか、または、光出力を生じさせ得るかのいずれかである。随意に、装置２１４４は、（該装置の状態をユーザに示す光の出力などのための光出力、および、セクション２１２６ａ−ｄの中から選択することを容易にするために、または、さもなければ、任意のタイプの相互作用、具体的には、インターフェース２１３２を任意に制御することを容易にするために、該装置の状態を示唆するための通信ユニットと通信している光出力などの）光出力を生じさせることに加えて、通信ユニット２１２８と通信することもできる。
【０３５６】
いくつかの実施形態において、システム２１２０が装置２１４４から出力された光を検知できないとき、装置２１４４は、通信形式を変更するために、先の記載に従って、異なる通信形式に変更する（すなわち、光出力を生じさせることから、任意の他の通信形式、または、通信形式の組み合わせに変更する）ように促される（例えば、「命令される」）。同様に、システム２１２０が装置２１４４から出力された光を検知できるとき、装置２１４４は、通信ユニット２１２８と通信することをやめるなどするために、異なる通信形式に変更するよう促される。例えば、システム２１２０が装置２１４４から出力された光を検知できないとき、該システムは、装置２１４４から出力された光を検知できず、この場合、システム２１４０は、装置の状態を示す無線周波数信号を送るなどすることによって、装置がどの状態にあるのかを通信ユニット２１２８に示唆するように、装置２１４４に命令（例えば、命令をコードする信号）を送る通信ユニット２１２８によって、装置２１４４に命令をするということを、システム２１４０の別の要素またはセクション（例えば、プロセッサーおよび／またはプログラム）に通知し得る。いくつかの場合、装置２１４４は光の出力をまだ生じさせることができ、その結果、システム２１２０が装置２１４４から出力された光を後に検知し始めることが可能な場合（例えば、指に装着する装置はシステム２１２０の視野に入る）、システム２１４０は、該装置がどの状態にあるのかを通信ユニット２１２８に示唆するのをやめるように装置２１４４に命令を出すことができる。
【０３５７】
図２１Ｃに関する記載は、装置２１４４がシステム２１４０で利用される際に有益となりえる一方で、装置がシステム２１２０の視野にはないときもあれば、装置がシステム２１２０の視野にあるときもある。
【０３５８】
図２１Ｄは、具体的には、上記のシステム２１２０の前方で、指に装着される装置の使用をシミュレートする手２３０を示す。言い換えれば、図２１Ｄでは、手２３０は、指に装着される装置を操作するのと同様の動作を含む手のジェスチャー２１５０を行うことができるが、その手は、その指のいずれの上でも指に装着される装置を装着しておらず、具体的には、システム２１２０が前記手のジェスチャーを検知することができるように、指に装着される装置を模倣（または、「まねする」）して操作しているのみである。例えば、手２３０の親指２３４は、その手の指２３２上でのスライド運動を行うことができ、その結果、親指が指に装着される装置を回転させているかのように見えるが、前記スライド運動は任意のそのような指に装着される装置の上では行われない。
【０３５９】
いくつかの実施形態において、システム２１２０は、状態を変更する前記指に装着される装置を示す、指に装着される装置から出力された光を検知するシステム２１２０から記録される入力に類似または同一の入力を記録するために、指に装着される装置を操作するのに類似した手のジェスチャー（指に装着される装置上ではまだ行なわれていない）を検知するとともに、前記手のジェスチャーを認識することができる。これに応じて、指に装着される装置を操作する手に類似した手のジェスチャーである手のジェスチャー２１５０を行う手２３０を検知することによって、および、手のジェスチャー２１５０を認識することによって、システム２１２０は、インターフェースまたはプログラムイベントを促す入力、または、インターフェースまたはプログラム機能を実行するのを容易にする入力を記録することができ、それらは、指に装着される装置からの光を検知することによって、入力を記録するシステムによって促されるまたは実行されるインターフェースまたはプログラムのイベントまたは機能と類似または同一であり得る。例えば、図２１Ｄでは、（システム２１２０につながれ得るディスプレイ２１２４によって表示され得る）インターフェース２１５２が示され、該インターフェース２１５２には、インターフェース要素２１２６が存在し、インターフェース要素２１２６をブラウズすることに関する先の記載に従って、該インターフェース要素２１２６は、指に装着される装置からの光（例えば、装置２１１０からの、装置の状態間の変化に対して表示される光）の変化を検知するシステム２１２０か、または、手のジェスチャー２１５０を行う手２３０を検知するシステム２１２０のいずれかによってブラウズされ得る（図２１Ｄにおいて、インターフェース２１５２内のインターフェース要素２１２６の近傍に、破線の矢印が示されており、該矢印は、特定の方向において指に装着される装置を操作することに対応し得る方向に、および／または、図で親指から伸張する破線で示される方向のいずれかに指２３２上に親指２３４をスライドさせるように、特定の方向において手のジェスチャーを行うことに対応し得る方向に、ブラウズするよう提案する）。
【０３６０】
いくつかの実施形態において、手のジェスチャー２１５０を検知するとともに認識するシステム２１２０によって、（図２１Ｄで表示された２１２４によって表示されて示される）インターフェース要素２１５６は、インターフェース２１５２に表示され、（手のジェスチャーが、指２３２の上で親指２３４をスライドさせる方向などのような、特定の方向で行なわれる場合に）手のジェスチャー２１５０が行われる方向に対応するように制御される。例えば、図２１Ｄで示されるように、インターフェース要素２１５６は、親指２３４が特定の方向で指２３２の上をスライドする場合に、第１の方向に回転するように表示される指に装着される装置、および、親指２３４が反対方向で指２３２の上をスライドする場合に、第２の方向に回転するように表示される指に装着される装置の、視覚表示（例えば、インターフェース２１５２中の画像のレンダリング）であり得る。
【０３６１】
図２１Ｅは、２つ以上の指に装着される装置と、視覚出力ユニット（例えば、図２１Ｅのディスプレイ２１２４）につながれたジェスチャー認識システム２１２０とを含み得る。図２１Ｅでは、具体的に、手２３０の指に装着された指に装着される装置２１６２ａと、手２１７０の指に装着された指に装着される装置２１６２ｂとを含むシステム２１６０が示されている。画像２１７４ａは、手２３０と装置２１６２ａとを含む任意の画像であり得る一方で、画像２１７４ｂは、手２１７０と装置２１６２ｂとを含む任意の画像であり得る。画像２１７４ａ、ｂは、手２３０および２１７０と、装置２１６２ａ、ｂとを含む単一画像を形成し得ることに注目されたい。さらに、手２３０および／または手２１７０が、手のジェスチャー２１５０に関する上記記載と同様に、ジェスチャーを行うことにも注目されたい。
【０３６２】
いくつかの実施形態において、装置２１６２ａを装着する手２３０と、装置２１６２ｂを装着する手２１７０は、各々の手、具体的には、各々の手の位置、場所、および／またはジェスチャーに対応する別々の入力を記録するなど、システム２１２０が手２３０と手２１７０とを区別するのを容易にすることができる。例えば、ディスプレイ２１２４は、システム２１２０による検知と認識とから記録された入力を利用することによってなどして、システム２１２０により制御し得るインターフェース２１７２を表示し得る。インターフェース２１７２には、手２３０に対応し得るインターフェース要素２１７６ａと、手２１７０に対応し得るインターフェース要素２１７６ｂとが存在し得る（例えば、各々のインターフェース要素は、その対応するインターフェース要素を制御するための各々の手など、その対応する手に反応することが望ましい）。システム２１２０は、ディスプレイ２１２４の前から画像をキャプチャー（または「検知」）し得るため、その結果、画像２１７４ａ、ｂは、該システムによってキャプチャーされるようになり、このとき、手２３０は、画像２１７４ａ内で装置２１６２ａを検知すること（または、「識別すること」）によって認識され、および、このとき、手２１７０は、画像２１７４ｂ内で装置２１６２ｂを検知することによって認識され、その結果、入力は、各々の手とは無関係に記録され得る。これに応じて、インターフェース要素２１７６ａは、手２３０、具体的には、特に任意の所定の時間における手の場所とジェスチャーに反応する（または、さもなければ、「影響を受ける」）一方で、インターフェース要素２１７６ｂは手２１７０に反応し得る。随意に、インターフェース要素２１７６ａと２１７６ｂは、画像２１７４ａ、ｂを検知するシステム２１２０によって記録される入力が、装置２１６２ａ、ｂの状態に対応し得る場合のように（図２１Ａ乃至２１Ｃを参照のこと）、手２３０と２１７０（それぞれ）に反応することに加えてまたは代わって、装置２１６２ａと２１６２ｂ（それぞれ）に反応し得る。前記入力は手２３０と２１７０の位置、場所、またはジェスチャーに、追加的にまたは代替的に対応し得るということがはっきりしている。インターフェース２１７２が事前にプログラムされたことによって、該インターフェースにおいて、インターフェース要素２１７４ａが装置２１６２ａを装着する手に反応し、インターフェース要素２１７４ｂが装置２１６２ｂを装着する手に反応し得ることに注意されたい。
【０３６３】
上記にしたがって、各々の手（例えば、各々の手を検知すること）から独立して入力を記録すること、または、さもなければ、異なる入力を記録することで前記異なる入力の各々が前記複数の手の各々に対応するようになることなどのために、複数の手を識別することは、指に装着される装置を装着する各々の手によって容易にされ得る。このことは、一人のユーザが両手を使ってインターフェースと相互作用する際に有益であり得る一方で（例えば、前記両手を検知することによる入力は、前記インターフェースのためにまたは前記インターフェースで利用され得る）、各々の手が、異なるインターフェース要素、機能、または、イベントに対応することが望ましい（例えば、各々の手が、インターフェース内に表示された異なるオブジェクトを制御すること、または、各々の手が、インターフェース内で異なる機能を実行すること）。このことは、複数のユーザがインターフェースと相互作用する際に有益であり得る一方で、前記インターフェースは、各々のユーザの手（または、両手）を識別し、各々の手からの異なる入力を記録し、または、具体的には、異なるユーザの手（または、両手）の影響を受ける異なるインターフェースの要素、機能、または、イベントを容易にすることが望ましい。これに応じて、１以上の手が存在する場合に、画像（または複数の画像）を検知する際に、各々の手は、他の手に装着された指に装着される装置とは異なる指に装着される装置か、または、さもなければ、前記他の手に装着された指に装着される装置とは異なる通信と通信する（例えば、異なる信号を伝えるか、または、異なる光出力を生じさせる）指に装着される装置を装着することによって、他の手から区別され得る（例えば、特定のユーザに属するものとして特定され、または、異なるインターフェース機能に関連付けられるなどして特定される）。上記に加えて、このことは、手を識別することが容易ではない際、そのなかでも前記手の上に装着された指に装着される装置が前記手の違いの差として役に立つ場合に、さらに有益になり得る。
【０３６４】
いくつかの認識システムは、光を検知するための手段ではない検知手段によって、ジェスチャー認識を容易にすることができるということが従来技術では知られているため、そのようなシステムも本発明の範囲内であることに注目されたい。
【０３６５】
図２２Ａは、指に装着される装置２２００を含み得る本発明のシステム２２１０の実施形態を示す。装置２２００は、手２３０の指２３２の上で装着されて、該装置を操作可能な制御部２２０４を含むように示されている。装置２２０は、さらに、視覚インジケータ２２０６（または、単に「インジケータ」）を含むように示され、該視覚インジケータによって、該装置は視覚出力を生じさせる（または、「出力する」）ことができる。制御部２２０４は、好ましくは、インジケータ２２０６によって生じた（「または、「生成された」）視覚出力を制御するために、操作する（または、相互作用する）ことができる任意の要素であり得る。インジケータ２２０６は、発光ダイオード（ＬＥＤ）のような視覚出力を生じさせるための任意の手段であり得る。好ましくは、インジケータ２２０６からの視覚出力は特徴的で、容易に同定されることができる。例えば、インジケータ２２０６は、異なる色の光を放つことが可能で、かつ、異なる速度で随意に明滅または点滅することが可能な多色のＬＥＤであり得る。これに応じて、制御部２２０４を操作することによって、異なる視覚出力が、異なるインジケータ２２０６、具体的には、異なる色、随意に異なる速度における点滅によって生じ得る。
【０３６６】
図２２Ａでは、好ましくは、装置２２００を（手２３０上に）装着および操作しているユーザの目２２１０がさらに示される。目２２１０は、ユーザが装置２２００から視覚出力を見ることができることを示すために、前記ユーザの視界を表す。随意に、装置からの視覚出力は、装置上で（によって）行われる操作を示すことから、その結果、ユーザは、装置（具体的には、装置のインジケータ２００６）を見ることによって、装置から視覚フィードバックを受け取ることができる一方で、前記視覚フィードバックは、該装置が（おそらく、前述のユーザによって）どのように操作されているかを示唆する出力であり得る。例えば、装置２２００の制御部２２０４は、２つの「押し程度」（例えば、図１８Ａ乃至Ｄにおける装置１８００の制御部１８０４を参照）を有するボタンであり得る一方で、制御部を第１の程度まで押すことは、装置２２００の視覚インジケータ２２０６に青い色の光を放つように促し得る一方で、制御部を第２の程度まで押すことは、視覚インジケータに黄色の光を放つように促し得る。この実施例については、装置２２００を見ているユーザは、制御部２２０４がどの程度に押されているかを知ることができる。類似の実施形態において、装置２２００の視覚インジケータ２２０６は、本発明の指に装着される装置の状態に関する記載と同様に、装置２２００がどの状態にあるのかを視覚的に示唆し得る。
【０３６７】
図２２Ａでは、入力を記録するために、装置２２００から、具体的には、インジケータ２２０６から、視覚出力を検知および認識することができる視覚認識システム２２２０（例えば、米国特許第４９１７５００号、第６０６９６９６号、第５１１１５１６号、第５３１３５３２号、第７２９８８９９号、第６７６３１４８号、第４４１４６３５号、第６８７３７１４号、および、第６１０８４３７号を参照）がさらに示される。システム２２２０は、一例として、視覚検知を容易にすることができる視覚センサ２２２２（例えば、可視光の検知、または、さもなければ、画像のキャプチャー）を含むとともに、視覚センサによって検知される映像を処理することができる視覚認識プログラム２２２４を含むように、図では示されている。上記に従って、システム２２２０によって認識することができる装置２２００からの視覚出力は、該装置の（または、装置２２００の状態の）操作を示すため、システム２２２０によって記録される入力は、具体的には制御部２２０４を操作することによって、装置２２００上で（または、装置によって）行なわれる操作に対応し得る。
【０３６８】
これに応じて、本発明の指に装着される装置からの視覚出力は、前記指に装着される装置上での（または、該装置による）操作を示唆する（さもなければ、「指に装着される装置がどのように操作されているかを示唆する」）視覚フィードバックとして、および、視覚認識システムに、または、視覚認識システムを含む装置に、前記操作を示唆する手段として、利用され得る。言いかえれば、本発明の指に装着される装置からの視覚出力は、人間のユーザ、および、前記視覚出力を認識することができるシステムに、前記指に装着される装置の使用を示唆し得る（前記指に装着される装置の前記使用に対応する入力を記録することを容易にするために）。
【０３６９】
上記に従って、本発明の方法は、ユーザに装置の使用を示唆するために、および、別の装置に前記使用を示唆するために、指に装着される装置からの視覚出力を利用することを容易にし得るということがはっきりしている。
【０３７０】
上記の記載が視覚出力を生じさせることができる指に装着される装置を操作（または、使用）するためのものである一方で、本明細書の開示内容は任意の装置（必ずしも指に装着されていない）について言及し得るということがはっきりとしていることに注目されたい。これに応じて、本発明のいくつかの方法では、任意の装置からの視覚出力は、ユーザのための示唆手段として、および、別の装置で（光プロパティに対応するように）入力を記録するための通信手段として、利用し得る。
【０３７１】
図２２Ｂは、入力を通信するために利用される視覚フィードバックのための方法２２４０のフローチャートを示す。
【０３７２】
方法２２４０の工程２２４２では、指に装着される装置は、前記指に装着される装置の回転可能なセクションを回転させることによって、または、指に装着される装置のボタンを押すことによるなどして、操作し得る。
【０３７３】
工程２２４４では、視覚フィードバックは、指に装着される装置を操作することによって促される（工程２２４２）。例えば、指に装着される装置の回転可能なセクションを、第１の入力位置（図７Ａと７Ｂで示される装置７００に関して記載されるような「入力位置」を参照）を設定することは、青色光を放つように装置のＬＥＤを促し得る一方で、前記回転可能なセクションを第２入力位置に設定することは、赤色光を放つように前記ＬＥＤを促し得る。随意に、回転可能なセクションを押すことは（該セクションを押すことが可能であると仮定するとともに、該セクションを押すことがＬＥＤに影響を与えると仮定する）、
該回転可能なセクションが前記第１の入力位置にある際に、前記青色光の明滅を促し得る一方で、該回転可能なセクションが前記第１の入力位置にある際に、該回転可能なセクションを押すことが、前記赤色光の明滅を促し得る。
【０３７４】
工程２２４６では、工程２２４４で促された視覚フィードバックは、カメラまたは視覚センサなどによって検知され得る。工程２２４４で促された視覚フィードバックの検出は、アクティブピクセルセンサ（ＡＰＳ）などによって可視光線を検知するための当該技術分野で知られている任意の数の手段によって、容易にすることができる。
【０３７５】
工程２２４８では、工程２２４６で検知される視覚フィードバックは、視覚認識システムおよび／またはプログラムなどによって、識別され（または、「認識され」）得る。具体的には、前記視覚フィードバックの要素またはプロパティは、視覚出力における色（同様に、「光の波長」）、および／または、明滅速度などのように、識別され得る。例えば、（工程２２４８における）視覚出力のプロパティを識別することは、指に装着される装置から放たれた光が明滅している速度、および／または、前記光の色を獲得する速度を測定することであり得る。
【０３７６】
いくつかの方法において、工程２２５０では、工程２２４６で検知される視覚フィードバックが探し出される。言いかえれば、視覚フィードバックが促される（工程２２４６）場所に関する情報が（工程２２５０で）得られ、それに応じて、前記視覚フィードバックを促す指に装着される装置の場所が推定される。さらに言い換えれば、工程２２５０では、検知される視覚フィードバックは、前記視覚フィードバックを促した指に装着される装置の場所を推定するために、処理または分析され得る。前記視覚フィードバックが促される指に装着される場所を推定するために視覚フィードバックを処理または分析することは、光源（すなわち、方向および距離）の位置を探し出すことが可能な当該技術分野で知られている任意の手段によって実行され得る（例えば、米国特許第５９１４７８３号、第５５０２５６８号、および、第５６４４３８５号を参照）。（視覚フィードバックが前記指に装着される装置によって促される場所を探し出すことによって）指に装着される装置の場所を推定することは、インターフェース要素の場所（例えば、ＧＵＩ内のカーソルの場所）を対応するように制御するなどのために、前記指に装着される装置を装着する指の運動を追跡するためのものであり得る。
【０３７７】
工程２２５２では、入力は、検知される視覚フィードバックに対応するように記録され得る（工程２２４６）。入力を記録することは、検知された視覚フィードバックをコードに変換すること、または、インターフェースまたはプログラム（例えば、機能を実行すること）におけるインターフェースイベント（同様に、「反応」）またはプログラムイベント（同様に、「反応」）を促すことについて言及し得る。例えば、検知される視覚フィードバックは、視覚フィードバックを検知および識別する装置のインターフェースにおけるコマンドに変換され得る。
【０３７８】
いくつかの方法において、工程２２５２で記録されるのは、工程２２４８で行なわれるように、視覚フィードバック、または、そのプロパティの識別に対応する入力であり得る。例えば、（視覚フィードバックの典型的なプロパティとしての）色は、工程２２４８における視覚フィードバックで識別され得ることから、その結果、前記色に対応する入力は工程２２５２で記録され得る。
【０３７９】
いくつかの方法において、識別によって記録される入力に加えて、または、該入力の代わりに、工程２２５２で記録されるのは、工程２２５０で探し出されるような、視覚フィードバックが促される場所に対応する入力であり得る。例えば、指に装着される装置が視覚フィードバックを促す場所に関する情報は、インターフェース要素（例えばカーソル）の場所を測定するために、（入力として）利用され得ることから、その結果、ユーザは、前記インターフェース要素を移動させるために、前記指の運動に対応する入力を記録する前記指に装着される装置を装着する指を移動させることができる。
【０３８０】
上記に従って、方法２２４０は、視覚フィードバックとしたがって装置の使用とに対応する入力を記録する通信手段として、指に装着される装置からの視覚フィードバック（同様に、「視覚出力」）を利用することを容易にし、および／または、視覚出力のソースである前述の指に装着される装置を探し出す（同様に、「追跡する」、または、さもなければ、「位置を検知する」）ために同じ視覚出力を利用することを容易にする。
【０３８１】
図２３Ａは、（手２３０の指２３２の上で装着されて示される）指に装着される装置２３１０と装置２３２０とを含み得る本発明の方法２３００を示す。装置２３２０は、タッチスクリーン２３２２と処理手段２３２４とを含むように示されている。装置２３２０のタッチスクリーン２３２２は、当該技術分野で知られているような、「一体型の検知ディスプレイ」であり得る（例えば、米国特許第７５３５４６８号を参照）。これに応じて、タッチスクリーン２３２２は、光出力を生じさせることができ、タッチ検知を容易にするため、または、タッチスクリーンの前方から画像をキャプチャーするためなどのように、光を入力として検知することができる。処理手段２３２４は、装置２３１０によって生じるとともにタッチスクリーン２３２２によって検知される光に従って入力を記録するなどのために、装置２３１０によって生じた光を処理するための任意の手段であり得る。
【０３８２】
図２３Ｂは、装置２３１０の拡大図を示す。図２３Ｂにおいて、装置２３１０は、装置の要素およびセクションを描くことを容易にするために、指の上で装着されずに示されている。装置２３１０は、光発生ユニット２３１２（または、単に「ユニット」）と光検知ユニット２３１４（または、単に「ユニット」）とを含み得る。好ましくは、ユニット２３１２と２３１４は、装置２３１０が装着される際（指が挿入される装置の空洞を取り囲む表面など）、指に接する内側表面２３１６に面して位置決めされ得る。これに応じて、光発生ユニット２３１２は、指に装着する装置２３１０に向かって光（例えば、図で示されるような光出力２３１８ａ）を生じさせ得る一方で、前記光（あるいは、特定の部分またはその特定の波長）は、好ましくは前記指を通り抜けることができる。さらに、これに応じて、光検知ユニット２３１４は、指に装着する装置２３１０を通り抜ける光（例えば、図で示されるように、タッチスクリーン２３２２に由来する光２３１８ｂ）を検知し得る。
【０３８３】
上記に続いて、装置２３１０を装着し、タッチスクリーン２３２２をタッチし、あるいは（タッチスクリーンの感度範囲に応じる等して）タッチスクリーンにごく接近している、指は、装置とタッチスクリーン間の通信促進のために、装置２３１０からタッチスクリーン２３２２へ光（例えば光２３１８ａ）を、および/またはタッチスクリーン２３２２から装置２３１０へ光（例えば光２３１８ｂ）を通し得る。通信は、装置２３１０由来の光を、特に検知又は同定するために、タッチスクリーン２３２２によって感知された光入力を処理する、処理手段２３２４によって、また促進される、ことに注意する。幾つかの実施形態では、システム２３００は、装置２３１０と同様の複数の指に装着される装置を含み得る一方で、前記複数の指に装着される装置の各々は、同じ手または他の手の異なる指に装着され得る。前記複数の指に装着される装置の各々によって、異なる、別の光を生成し、特に指に装着された装置を装着している指がタッチスクリーンをタッチした（又は、タッチスクリーンにごく接近するため、タッチスクリーンを近づけている）時、タッチスクリーン２３２２によって特定の指に装着される装置からの光を感知することは、前記複数の指に装着される装置の何れであるのかを同定し得るもので、従って、前記特定の指に装着された装置を装着している指を同定することを、促進する。従って、異なる指に装着された装置からの光を感知することは、まだ任意の他の指に装着される装置と特に関与しない機能を実行する等、前記異なる指に装着される装置の各々の間の識別を促進し得る。この結果、前記指に装着された装置からの光を感知し、前記指に装着される装置を同定することは、前記指に装着される装置に関与する機能を実行することを促進する（図２１Ｅのシステム２１６０を参照）。
【０３８４】
図２４Ａ、２４Ｂは、２つ以上の加速度計を含み得る、指に装着される装置２４００として、本発明の実施形態を示す。セクション２４０２に、またはその上で位置し得る加速度計２４０４ａ，ｂを特に含めるために、装置２４００は、図に示されている。
【０３８５】
図２４Ａでは、（右を指す破線矢印によって図２４Ａに示唆されている方向）特定の方向に移動された装置２４００を特に示す一方で、図２４ｂでは、（曲げられた破線矢印によって図２４Ｂに示唆される回転方向）回転された装置２４００を示している。
【０３８６】
図２４Ｃは、図２４Ａにおいて動かされる装置２４００を示すため、装置２４００を装着し、特定の方向に動かしている手２３０（特に指２３２）を示している。
【０３８７】
図２４Ｄは、それぞれ、図２４Ｂにおいて回転される装置２４００を示すため、装置２４００を装着している手２３０（特に指２３２）を示す一方で、親指２３４が装置を回転しているものを示している。
【０３８８】
装置２４００に加速度計２４０４ａ，ｂを含み、および互いに向き合う位置（図２４Ａ、２４Ｂには、セクション２４０４の一般に向かい合う側に位置されたものが示されている）に特に置くことによって、装置２４００が何れの向きに動かされたのか（図２４Ａ、２４Ｃを参照）、装置２４００が何れの向きに回転されたのか（図２４Ｂ、２４Ｄを参照）、を検知することを促進し得る。加速度計２４０４ａ，ｂが同じ一般的な方向を指すように位置決めされるように、加速度計２４０４ａを整列させること要求されてもよい、ことに注目する（図２４Ａおよび２４Ｂでは、黒丸は、加速度計２４０２ａ，ｂの各々を示し、および、両方の加速度計が同じものである場合等、各加速度の同じ側が同じ向きを指していることを示唆するため、図を見る方向から見て、各加速度計の右側に位置決めされているものが示されている）。例えば、装置２４００が（図２４Ａおよび２４Ｃで示唆されたように）右に動かされるとき、加速度計２４０４ａ，ｂは、同じ加速力によって同様にまたは同一に影響を受け得る（例えば、両方の加速度計は正の重力（例えば感知と出力）を記録し得る）。同様に、装置２４００が（図２４Ｂおよび２４Ｄで示唆されたように）反時計回りに回転されるとき、加速度計２４０４ａ，ｂは、装置２４００内のそれらの位置（および各々に対する位置）によって、異なる影響を受け得る（例えば、加速度計２４０４ｂが正の重力を記録している間、加速度計２４０４ａは、負の重力を記録し得る）。
【０３８９】
上記に続いて、本発明の指に装着される装置は、配置され、位置決めされた、２つ以上の加速度計を含んでもよく、この結果、それらは、（指に装着される装置を装着している指が動いた時等）前記指に装着される装置の絶対的な動き、および（前記指に装着される装置を装着している指が回転している時等）前記指に装着される装置の回転、を検知することができ、および、絶対的な動きと回転間の識別が、（前記２つ以上の各々から記録された入力を処理すること等によって）促進され得る。上記されたものは、指に装着される装置（例えば装置２４００）を回転させることを述べたが、２つ以上の加速度計を（即ちそのセクション内に）含み得る、指に装着される装置のセクションを回転させることと同様に言及し得る、ことが明確にされる、ことに注意する。前記２つ以上の加速度計の何れか又は全ては、技術分野において既知のように、単一の軸芯の加速度計または多重軸芯加速度計でもよい、ことにさらに注意する。図２４Ａ乃至２４Ｄのために記載されたものは、１組の加速度計（加速度計２４０２ａ，ｂ）を指すが、明らかに、任意の数の加速度計が、特性の追加の検出、認識のために、装置２４００に含まれ得る、ことにさらに注意する。装置２４００を回転後、例えば、加速度計２４０４ａ，ｂは、上または下を指すような、位置に決められ得る一方で、（図２４Ａ、２４Ｂに示唆されるように、左または右を指すような、位置に決められ得るときと反対に）加速度計が単一の軸芯の加速度計である場合、装置の右または左の動きを検知することは、できない。そのような場合、追加の加速度計は、空間の任意の軸芯中の装置２４００の移動を感知することを促進するために、含まれ得る。幾つかの実施形態では、装置２４００は、加速度計２４０４ａ，ｂが任意の与えられたときにどの位置を指しているのかを検知するため、ジャイロスコープを含み得るもので、この結果、加速度計２４０４ａ，ｂが多重軸芯加速度計の場合に、加速度計が動きを検知している空間内の軸を知ることが促進され得る、ことに注意する。これは、装置２４００の回転後、加速度計２４０４ａ，ｂは、装置を回転する前よりも、違うように（地面のような外部オブジェクトに対して）位置を決めされ得る、ことが理由である。
【０３９０】
図２５Ａは、指に装着される装置２５００として、断面視野からの、本発明の実施形態を示す。装置２５００は、指が差し込まれ得る（装置２５００を指の上に取り付けることを促進した空洞２５０３を有している、セクション２５０４が示されている）セクション２５０４、および親指等の指によって操作され得るセクション２５０２、を含んでいる図に示されている。特に、セクション２５０２は、（例えば、指操作セクション２５０２がセクション２５０２の表面ですべることを防ぐため）セクション２５０２を、押し、引き、および/または傾けることを促進し得る、グリップ２５１２（図２５Ａのセクションの隆起として示されている）を含んでいるものが示されている。
【０３９１】
幾つかの実施形態では、セクション２５０２は、任意の重複状態にあるために、操作され得るスイッチ２５１０に据え付けられてもよい。幾つかの実施形態では、換言すれば、セクション２５０２が操作されるとき、スイッチ２５１０が操作されるように、スイッチ２５１０は、セクション２５０２およびセクション２５０４に接続され得る。
【０３９２】
図２５Ｂは、特に（斜視図からの）スイッチ２５１０を示す。図２５Ｂでは、スイッチ２５１０が操作され得る方向（可能な５つの方向が示されている）を示唆している、破線が示されている。
【０３９３】
図２５Ｃは、セクション２５０４、特にセクション２５０４に配置されたものが示されているスイッチ２５１０に、取り付けられる準備のできている、装置２５００のセクション２５０２（斜視図）を示す。装置２５００は、任意の方法で構築され得るものであり、この結果、操作セクション２５０２は、スイッチ２５１０を操作し得る、ことが明確である、ことに注意する。
【０３９４】
幾つかの実施形態では、多方向でのセクション２５０２での操作は、前記多方向の各々に、２つ以上再配置する操作を含み得るものである。言いかえれば、図１８Ａ乃至１８Ｃの装置１８００の制御装置１８０４用に記述されたものと同様に、セクション２５０２は、各方向（即ち、セクションが再配置される各方向）の２つ以上の位置へと再配置され得る。従って、セクション２５０２は、多方向の何れかに、（制御装置１８０４に対する上記記載と同様に）「半押し」されてもよく、および、完全におされてもよい。例えば、セクション２５０２は、「半押しされ」、「半分引き戻しされ」、又は「半分傾けられ」得る。
【０３９５】
図２５Ｄは、装置２５００の斜視図を示す。図には、セクション２５０２のグリップ（例えばグリップ２５１２）から一般にのびており、セクション２５０２が操作される（または親指によって押し又は引っ張られる等によって、特に再配置される）方向を示唆している、破線矢印が示されている。各方向（示された４つの方向）に対して、各方向のために、セクションが再配置される特定の２方向を、セクション２５０２が有している、ことを示唆している、２つの破線矢印が示唆されている。例えば、セクション２５０２は、第１方向で第１位置へと押され、次に、前記第１方向で第２位置へと押され得るものである。同様に、セクション２５０２は、反対方向（すなわち前記第１方向と反対の方向）で第１位置へと引かれ、そして次に前記反対方向で第２位置へと引かれてもよい。さらに、同様に、セクション２５０２は、（例えば、前述の第１方向に対して垂直な）追加方向にある第１位置へと傾けられ、この後、前記追加方向にある第２位置へと傾けられ得る。
【０３９６】
装置２５００のために上に記載されたものは、再配置しにくい、操作可能なセクションまたは制御装置を含んでおり、または、リングの一般に共通の外観とは異なるようなビジュアル上の魅力のない、幾つかの既知の指に装着される装置とは反対に、指に装着される装置のためのリングと同様の一般的な外観を提供するのに、有益なものであり得る、ことに注意する。
【０３９７】
図２５Ｅ乃至２５Ｇは、インターフェース２５５０として本発明の実施形態を示す。インターフェース２５５０は、操縦装置２５００（図２５Ａおよび図２５Ｄを参照）によって制御又は影響を受け得るインターフェース要素２５５６を含むものが示される。幾つかの場合では、図２５Ｅおよび２５Ｇに特に示されるように、装置２５００が操作されないとき、インターフェース要素２５５６は、（インターフェースを表示するタッチスクリーン等によって）インターフェース２５５０に表示され得ない。さらに、図２５Ｆにおいて特に示されるように、インターフェース要素２５５６またはその任意のセクション（図中、示され、番号の付されているのは、セクション２５５６ａ、２５５６ｃ）は、装置２５００が操作されるとき、インターフェース２５５０に示され得る（装置２５００は、図２５Ｆにおいて手２３０の親指２３４によって操作されているものが示されている）。あるいは、装置２５００が操作される時、インターフェース要素２５５６、またはそのすべてのセクションは、表示されなくてもよく、またインターフェース要素のセクションは、（下記に述べられるように）表示されることなく選択され得る。
【０３９８】
装置２５００用に記述されたことに従って、インターフェース要素２５５６のセクション２５５６ａ（黒で示されている、図２５Ｆで選択されるように示唆されたセクション２５５６ａ）を、選択するため、そして、随意に、インターフェースおよびその要素を表示し得るディスプレイによって表示されたビジュアルインジケーション等によって、セクション２５５６ａが選択されたことを示すために、装置のセクション２５０２は、特定の方向に「半押しされ」得る。同様に、セクション２５５６ｃを選択するため、および随意に、（セクション２５０２を特定の方向に押し又は引きくことが、インターフェース要素２５５６のセクションの位置又は配列に対応し得る場合等、インターフェース要素２５５６のセクション２５５６ａとは概して反対の位置に示されている）セクション２５５６ｃが選択されたことを示すために、装置２５００のセクション２５０２は、（前記特定の方向に対して）反対方向に、「半分引かれ」得る。
【０３９９】
幾つかの実施形態では、装置２５００のセクション２５０２を「半押しする」あるいは「半分引く」（あるいは任意の方法で再配置する）ことは、セクション２５０２が「半押しされた」位置または「半分引かれた」位置（あるいは他の位置）にある間、前記インターフェース要素を表示するタッチスクリーンをタッチすることによって相互作用できるインターフェース要素（またはその複数のもの）のため、のものであり得る。随意に、前記「半押しされた」位置または前記「半分引かれた」位置（あるいは他の位置から）は、前記インターフェース要素を隠し、または削除するためのものであり得る。さらに随意に、セクション２５０２を、同じ方向（即ち、セクションが「半押され」又は「半分引かれ」ている同じ方向）に、完全に押す、または完全に引く、ことは、前記インターフェース要素の状態を変えるため、または、異なるインターフェース要素の表示を促すため、のものであり得る。例えば、セクション２５０２を「半押しする」ことは、英語文字のソフトウェアキーボードを表示するためのものであり得る一方で、同じ向きにセクションを完全に押すことは、ソフトウェアキーボードの句読点を表示するためのものであり得る。また、「半押しされた」位置または完全に押された位置の何れかからの、セクション２５０２の解法は、前記ソフトウェアキーボードを隠すためのものであり得る。
【０４００】
幾つかの実施形態では、インターフェース要素２５５６の任意のセクションが選択されたとき（装置２５００のセクション２５０２が「半押しされ」または「半分引かれ」、または任意の方法で再配置されているとき）、インターフェース２５５０を表示するタッチスクリーンをタッチすることは（または、換言すれば、「タッチ入力を記録することは」）、特定のインターフェース機能を実行するため、又は、選択されているインターフェース要素の任意の他のセクションの代わりに、特定のインターフェースイベントを促すため、のものであり得る。例えば、図２５Ｆに示されているように、インターフェース要素２５５６のセクション２５５６ａが選択されている間（セクション２５０２が特定の方向に「半押し」されている間等）、指２３２は、機能２５６６ａを実行するため、タッチスクリーン（恐らくインターフェース２５５０を表示しているタッチスクリーン）をタッチし得る。
【０４０１】
幾つかの実施形態では、装置２５００のセクション２５０２が、セクションが「半分押される」又は「半分引かれる」同じ方向で完全に押される又は完全に引かれ、その結果、記録されているタッチ入力により特定の機能が実行され、或いは特定のインターフェースイベントが促される場合、前記機能または前記インターフェースイベントは、承認される又は終了される。あるいは、前記機能または前記インターフェースイベントからの結果（又はその複数）は、（前記結果が完全に押される又は完全に引かれるセクション２５０２の前にあった状態から別の状態にといったように）状態間で変わる。さらにあるいは、前記機能または前記インターフェースイベントからの結果（又はその複数）が促される。例えば、機能２５６６ａからの結果２５５６ｂは、指２３２が機能２５５６ａを行なうためにタッチスクリーンに触れることを促進するためセクションが「半分押された」又は「半分引かれた」同じ方向で、装置２５００のセクション２５０２が完全に押された又は完全に引かれたことを示して、図２５Ｇ内で示される。より多くの特定の例について、特定の方向に装置２５００のセクション２５０２を「半分押すこと」は、描画機能のようなタッチ入力のための特定の機能に対応するインターフェース要素２５５６のセクションを選択するためのものであり、その結果、セクションが「半分押される」場合、インターフェース２５５０を表示するタッチスクリーンに触れる指は、インターフェース要素（例えば円の図面）の表示を促すといったように、前記特定の機能の実行を促す。その後、前記特定の方向にセクション２５０２を完全に押すことは、描画機能によって行なわれる描画をレンダリングするといったように、前記特定の機能を終了させるためのもの、又は描かれた円（例えば、前記描かれた円は、完全に再現される状態にタッチスクリーンと相互作用するユーザに示される状態の間で変更し得る）のような、前記具体的な機能の結果であるインターフェース要素の状態を変更するためのものである。（インターフェース２５５０を表示するタッチスクリーンに指が触れる場合に）特定の方向に「半分押される」又は「半分引かれる」セクション２５０２に対応し、及び記録されているタッチ入力により実行される機能の結果は、前記機能が行われてきた（又は「実行されてきた」）、変化した（又は「変更した」或いは「修正された」）又は再配置した（又は「移動した」）インターフェース要素である一方で、前記インターフェース要素は、セクション２５０２を「半分押す」又は「半分引く」前に存在していたことが明らかにされることに注意する。或いは、（インターフェース２５５０を表示するタッチスクリーンに指が触れる場合に）「半分押される」又は「半分引かれる」セクション２５０２に対応し、及び記録されているタッチ入力により実行される機能の結果は、前記機能の結果として生成される（又は「作り出される」）新しいインターフェース要素である。さらに、前記特定の方向へセクション２５０２を完全に押す又は完全に引くことは、前記変化した又は再配置したインターフェース要素、又は前記新しいインターフェース要素の状態を変えるためのものである。
【０４０２】
幾つかの実施形態では、装置２５００のセクション２５０２は、（例えば、セクション上に押す力又は引く力を加える指の削除によって）「半分押される」又は「半分引かれる」ことから解放される場合、完全に押される又は完全に引かれるセクションなしに、セクションが（タッチ入力を記録することにより）「半分押される」又は「半分引かれる」間に実行される機能又は促されるインターフェースイベントの結果（又はその複数）は、キャンセルされる（又はそうでなければ「消去」或いは「除去」される）。或いは、前記機能又は前記インターフェースイベントからの結果（又はその複数）は、（「半分押される」又は「半分引かれる」同じ方向に）セクション２５０２が完全に押された又は完全に引かれた場合に変化された状態以外の状態へと変化される。さらに或いは、結果は、（それぞれ実行又は促される）前記機能又は前記インターフェースイベントから促されない。例えば、親指により特定の方向にセクション２５０２を「半分押すこと」は、インターフェース２５５０を表示するタッチスクリーン上のバーチャルキーボードの表示を促すためのものであり、その結果、前記タッチスクリーンに触れる指は、（例示の機能として）前記バーチャルキーボードをタイプし、その間に親指は「半分押される」セクション２５０２を保持している。セクション２５０２が前記特定の方向に完全に押されない場合、指が前記バーチャルキーボードをタイプした後、前記指のタイピングによりタイプされたものは何でも消去される。さらに及び上記の次に、セクション２５０２が前記特定の方向に完全に押される場合、タイピングによりタイプされたものは何でも、チャットセッションの受信機に送られ、又はいわゆるテキスト領域へと伝えられるといったように、承認される。別の例では、指は、（例示の機能として）円の大きさを変更するため、円を表示するタッチスクリーンに触れ、その間セクション２５０２は、特定の方向に「半分引かれている」。セクション２５０２が前記特定の方向に完全に引かれている場合、前記円のサイズの再調整は終了される（例えば、インターフェース２５５０により受け入れられ、及び／又はレンダリングされる）。セクション２５０２が、完全に引かれることなく「半分引かれる」ことから解放される場合、前記円のサイズの再調整はキャンセルされ、前記円は本来のサイズに戻る。
【０４０３】
図２５Ｅから２５Ｇに関して上述されたものは装置２５００のセクション２５０２を「半分押す」又は「半分引く」ことを指す一方で、セクションが「半分押される」及び「半分引かれる」ことに加え「半分傾けられる」場合などに、セクションは２つ以上の程度に様々な数の方向に再配置されることが明らかにされることに注意する。
【０４０４】
図２６Ａから２６Ｃは、操作されることのできる内部セクション２６０４（又は単に「セクション」）と外部セクション２６０２（又は単に「セクション」）を含む、指に装着される装置２６００として本発明の実施形態を示す。装置２６００は、セクション２６０２とセクション２６０４の間に一般的に位置づけられるスイッチ２６０６をさらに含む。スイッチ２６０６は、スイッチが「半分押される」位置にある状態、及びスイッチが完全に押される位置にある状態のような、２つ以上の状態を有する。セクション２６０２を操作することは、セクション２６０２が、スイッチ２６０６の状態を変更するように再配置される場合、スイッチ２６０６に影響を与える。
【０４０５】
図２６Ａは、デフォルト位置にあるセクション２６０２を具体的に示す一方で、図２６Ｂと２６Ｃはそれぞれ第２位置及び第３位置にあるセクション２６０２を示す。従って、図２６Ａでは、スイッチ２６０６はデフォルト状態にある一方で、図２６Ｂと２６Ｃでは、スイッチ２６０６はそれぞれ第２位置及び第３位置にある。例えば、セクション２６０２は図２６Ｂにおいて「半分押され」、第２状態にあるべきスイッチ２６０６に影響を与える一方で、セクション２６０２は、図２６Ｃにおいて完全に押され、第３状態にあるべきスイッチ２６０６に影響を与える。
【０４０６】
いくつかの実施形態では、装置２６００は、セクション２６０４を除き、セクション２６０２とスイッチ２６０６を含むことに注意する。そのような実施形態では、スイッチ２６０６は、セクション２６０２が前記指の方へ押される際、セクション２６０２と指の間で押されるといったように、装置２６００を装着する指に対してセクション２６０２を再配置することにより操作される。
【０４０７】
図２６Ｄは、スイッチ２６０６に類似し、リング２６５０に接続されるスイッチ２６６０を示す。リング２６５０は、指に装着できる任意のリング又はジュエリーである。スイッチ２６６０は、リング２６５０の内部表面（すなわち、リングが装着される際に指に接触する表面）に接続され、その結果、リングが装着される際に隠される。スイッチ２６６０は小型化電気回路を含むことなどにより一般的に平らであり、その結果、リング２６５０の装着の邪魔をせず、又はそうでなければリングを不快に装着しないことに注意する。いくつかの実施形態では、スイッチ２６６０は、スイッチが接続される間にリング２６５０を装着する際、快適さを促進するため、柔軟及び／又は快適な物質を詰められる。
【０４０８】
好ましくは、スイッチ２６６０が接続される間にリング２６５０が指に装着される場合、リングを押すことなどによりリングを操作することはスイッチ２６６０に影響を与え、その結果、入力が記録される。例えば、リング２６５０の外部表面（すなわち、リングが指に装着される際に露出される表面）を押すことは、スイッチ２６６０がリングの内部表面に接続される際、スイッチ２６６０を押し（又は装置２６００のスイッチ２６６０に関して示されるように、「半分押す」）、又はそうでなければ状態を変化させる。
【０４０９】
図２６Ｅは、図２６Ｄに示されるものとは異なる視点から、リングに接続されないスイッチ２６６０を示す。図２６Ｅでは、スイッチ２６６０は、スイッチとリングの接続を促進する接続手段２６６４を含んで示される。接続手段２６６４は、スイッチとリングの接着を促進するエポキシ樹脂である又はそれを含むことによるなどといったように、接続手段２６６４がリングに接続されることによる任意の手段である。図２６Ｅでさらに示されるものは、通信ユニット２６６８を含む、スイッチ２６６０である。通信ユニット２６６８は、スイッチ２６６０の状態に対応する入力を記録するためといったように、送信信号を送り、又は信号を調節するための任意の小型化された手段である。スイッチ２６６０がリング２６５０の操作により影響を受ける場合、リングを装着する指は、スイッチが近距離にある際、スイッチと通信する装置に対して近くなる。したがって、スイッチ２６６０の通信ユニット２６６８は、前記装置との通信を促進する。例えば、リング２６５０を装着する指は、（通信ユニット２６６８がスイッチ２６６０のいわゆる「受動的な」ＲＦＩＤ電気回路のためのアンテナである場合などに）通信ユニット２６６８により調節できる本来の信号を（ＲＦＩＤリーダーにより）生成できるタッチスクリーン装置（すなわち、タッチスクリーンを含む装置）と相互作用しており、一方で調節された信号は、（例えば前記本来の信号を任意に生成したRFIDリーダーにより）前記タッチスクリーン装置において検出される。
【０４１０】
図２７Ａから２７Ｃは、断面図の視点から、空洞２７０３を通して装着できる指に装着される装置２７００として本発明の実施形態を示す。装置２７００は、（空洞２７０３がある）定置セクション２７０４と、回転可能なセクション２７０２（又は単に「セクション」）を含んで示される。回転可能なセクション２７０２はスイッチ２７０６ａ，ｂを含み、一方で定置セクション２７０４は、セクションにおける任意の突起している部分である突起２７０８ａ−ｄ、又はそうでなければセクション２７０２が回転される際にスイッチ２７０６ａ，ｂのいずれかに影響を及ぼす任意の要素を含む。従って、いくつかの場合では、セクション２７０２を回転することにより、スイッチ２７０６ａ，ｂのいずれかは、突起２７０８ａ−ｄのいずれかにより影響を受ける（作動される）。
【０４１１】
図２７Ａでは、セクション２７０２は具体的に回転されずに示される一方で、図２７Ｂでは、セクション２７０２は特定の範囲（例えば、図２７Ａから２７Ｃにおいて図示される矢印の頭によって示されるように、わずかに、一方で図２７Ｂでは前記矢印の頭は図２７Ａで示されたものとはわずかに異なる方向に位置して示される）で回転して示される。さらに、スイッチ２７０６ｂは、前記特定の範囲で回転するセクション２７０２の結果として、突起２７０８ｂにより影響を受けて（例えば、押される及び／又は作動されて）示される。図２７Ｃでは、セクション２７０２は、さらに回転して（すなわち、図２７Ｂで示されるより大きな範囲で回転して、具体的に図２７Ａから２７Ｃの視点から時計方向に）示され、一方図２７Ｂでは、スイッチ２７０６ａとスイッチ２７０６ｂのどちらも、突起２７０８ａ−ｄのいずれかにより影響を受けて示されない。セクション２７０２の回転した位置、具体的にはスイッチ２７０６ａとスイッチ２７０６ｂのどちらも影響を受けない回転した位置を検知すること（又はそうでなければ、「セクション２７０２の回転した位置に対応する入力を記録すること」）は、当該技術分野において知られる任意の手段により促進されることが明らかにされることに注意する。任意に、スイッチ２７０６ａ，ｂのいずれかが影響を受けるセクション２７０２の回転した位置を検知することは、スイッチのいずれかが押される及び／又は作動されるかを検知するといったように、スイッチ２７０６ａ，ｂへの影響を検知することによるものである。
【０４１２】
いくつかの実施形態では、セクション２７０２は、親指がセクションに力を加えていない又は様々な数の位置でセクションを保持していない場合といったように、セクション２７０２が操作されていない場合の状態である様々な数の位置（また「回転した位置」又は「入力位置」）へと回転される。さらに又は或いは、セクション２７０２は、親指がセクションに力を加えるのをやめる場合といったように、操作されない場合、セクション２７０２が以前の位置（すなわち、セクションが以前に回転されていた位置）へと戻る様々な数の位置へと回転される。例えば、図２７Ａから２７Ｃで示されるように、セクション２７０２は、定置セクション２７０４の突起２７０８ａ−ｄのいずれかの間の間隙を占める突出部２７１０を含む。突出部２７１０が任意の一定時間に占める間隙はどれかを検知することは、当該技術分野において知られる任意の手段により促進される。さらに、セクション２７０２が回転されない又は力がセクションに加えられない場合、（セクション２７０２が操作されない場合に）固定された位置にある突出部を保持するバネの機構などによって、突出部２７１０は、前記間隙のいずれかを占め、その間隙（図２７Ａでは突起２７０８ａと２７０８ｂの間の間隙の真ん中に示され、図２７Ｃでは突起２７０８ｂと２７０８ｄの間の間隙の真ん中に示される突出部）の真ん中に位置づけられる。さらに加えて、セクション２７０２は、突出部２７１０が前記間隙のいずれかを占める間に回転され、この場合、スイッチ２７０６ａ，ｂのいずれかは（例えば突出部が一般的に位置づけられる間にある突起のいずれかにより）影響を受ける。セクション２７０２が特定の範囲へと回転されれば、突出部２７１０は、突起２７０８ａ−ｄの間、セクション２７０２が回転される前に突出部が位置付けられる間に残る。セクション２７０２が前記特定の範囲へと回転され、指（例えば親指）がセクションから取り除かれる（その結果セクションに力が加えられない）場合、セクションは、いわゆる「反発する（snap-back）」特徴により、突出部が占める間隙の真ん中の位置に戻る。しかし、より大きな範囲へのセクション２７０２の回転で、突出部２７１０にセクション２７０２が回転される前に突出部が占めた間隙とは異なる間隙を占めさせ、その時、突出部は指がセクション２７０２から除かれる場合に真ん中に位置づけられる。
【０４１３】
次に、セクション２７０２は回転した位置の特定の数のいずれか一つにあり、一方でセクションは、回転した位置（本明細書では「本来の位置」）から前記特定の数の回転した位置（本明細書では「次の位置」）のいずれかへと（「半分押すこと」に関して本明細書に記載されるものと同じく）「半分押される」又は「半分引かれ」、一方でその後セクションは、セクション２７０２の回転が止まるなどの場合、「次の」位置（すなわち、セクション２７０２が回転される前の場所にある前記特定の数の回転した位置のいずれか他のものの次にある、又は前記「本来の位置」の次にある、前記特定の数の回転した位置のいずれか）、又は前記「本来の位置」への「反発」へと完全に押され、外部の力は（例えば親指により）セクションに加えられない。前記特定の数の回転した位置のいずれか一つへとセクション２７０２を回転させることは、対応する入力を記録するためのものであり、一方でセクション２７０２を「半分押すこと」又は「半分引くこと」は、さらに対応する入力（すなわち、セクションが、入力が記録される場合にある、セクションの任意の「半分押された」又は「半分引かれた」位置に対応する入力）を記録するためのものである。
【０４１４】
図２７Ｄから２７Ｆは、インターフェース２７２０として本発明の実施形態を示す。インターフェース２７２０は、セクション２７２６ａ−ｃを含むインターフェース要素２７２６を含む。いくつかの実施形態では、セクション２７２６ａ−ｃのいずれかは、インターフェース要素２７２６がツールバーでありセクション２７２６ａ−ｃがツールである場合、又はインターフェース要素がオプションメニューであり、セクションが前記メニューにおけるオプションである場合、任意の一定時間に選択される。
【０４１５】
いくつかの実施形態では、インターフェース要素２７２６は、装置２７００を操作することにより制御される又は影響を受ける（図２７Ａから２７Ｃを参照）。具体的に、装置２７００を操作することにより記録される入力は、インターフェース要素のセクション２７２６ａ−ｃの間で選択するために、インターフェース要素２７２６に影響を与える又は制御するために利用される。
【０４１６】
図２７Ｄでは、インターフェース要素２７２６のセクション２７２６ｂは、（例えば、インターフェース２７２０を「起動する」装置の表示により）インターフェース２７２０に表示され、セクションが選択されることを示し、一方でセクション２７２６ａ，ｃは表示されない（表示されないインターフェース要素２７２６のセクションを描写する図に図示される破線）。図２７Ｄは、図２７Ａに示されるように装置２７００のセクション２７０２の回転した位置に対応して、インターフェース２７２０、具体的にはインターフェース要素２７２６を示す。したがって、突出部２７１０が突起２７０８ａと２７０８ｂの間にある間隙を占める場合、セクション２７２６ｂは、（装置２７００がインターフェース２７２０を表示するタッチスクリーンを含む装置に通信する場合に）インターフェース２７２０において選択される及び表示される。あるいは、突出部２７１０が突起２７０８ａと２７０８ｂの間にある間隙を占める場合、セクション２７２６ｂは、表示されていないインターフェース要素２７２６の他のセクション（セクション２７２６ｂとは反対に、選択されていない）に加え、インターフェース２７２０において選択されるが、表示されない。
【０４１７】
図２７Ｅでは、セクション２７２６ａ−ｃはインターフェース２７２０で表示される。好ましくは、セクション２７２６ａ−ｃがインターフェースで表示される場合、セクションは、視覚的に拡大され、又は視覚的に印付けられることなどにより、セクション２７２６ａ−ｃからどのセクションが選択されることかをインターフェースにおいて示される。図２７Ｅでは、セクション２７２６ｂは、選択されて示され（他のセクションの反対側に、黒色で図示される）、一方でセクションは好ましくは選択されて示される。図２７Ｅでさらに示されるものは、選択されようとしているセクション２７２６ａであり、一方で指標２７２８は、選択されようとしているセクション２７２６ａを指して示される。図２７Ｄと２７Ａに関して上述されるものと同様に、図２７Ｅは、図２７Ｂで示されるような装置２７００のセクション２７０２の回転した位置に対応して、インターフェース２７２０、具体的にはセクション２７２６ａ−ｃを示す。したがって、セクション２７０２が回転されて、その結果スイッチ２６０６ｂが突起２７０８ｂにより影響を受ける場合、セクション２７２６ｂは（選択されるセクション２７２６ｂにも対応する図２７Ａに示されるものと同様に、突起２７０８ａと２７０８ｂの間にある間隙を占める突出部２７１０に対応して）選択され、一方でセクション２７２６ａは、選択された状態及び選択されない状態とは異なる、特定の状態（本明細書では「半選択された」状態）にあり、選択されようとする状態で任意に示される（又はそうでなければ前記「半選択された」状態であることが示される）。言い換えると、セクション２７０２が図２７Ａに示される位置から図２７Ｂに示される位置へと「半分押される」又は「半分引かれる」場合、セクション２７２６ｂは選択され、一方でセクション２７２６ａは、「半選択された」状態にあり、前記「半選択された」状態であることが任意に示される。いくつかの実施形態では、図２７Ｅに示されるものの代わりに、セクション２７０２が図２７Ｂに示される位置へと「半分押される」又は「半分引かれる」場合、セクション２７２６ａ，ｂのみが、インターフェース２７２０で表示され、一方でインターフェース要素２７２６のセクションの残り（すなわちセクション２７２６ｃ）は表示されないことに注意する。
【０４１８】
図２７Ｆでは、インターフェース要素２７２６のセクション２７２６ａは、インターフェース２７２０で表示され、セクションが選択されることを示し、一方でセクション２７２６ｂ，ｃは表示されない（表示されないインターフェース要素２７２６のセクションを描写する図で図示される破線）。図２７Ｄは、図２７Ｃで示されるような装置２７００のセクション２７０２の回転した位置に対応して、インターフェース２７２０、具体的にインターフェース要素２７２６を示す。したがって、突出部２７１０が突起２７０８ｂと２７０８ｄの間にある間隙を占める場合、セクション２７２６ａは、インターフェース２７２０で選択され、表示される（あるいは、図２７Ｆに示されるものとは反対に、セクション２７２６ａは選択されるが表示されない）。
【０４１９】
上記の次に、本発明の指に装着される装置は、インターフェース要素又はそのセクションを選択及び「半選択」するため、又は選択、インターフェース要素又はそのセクションの準備のために操作される。そうでなければ、本発明の指に装着される装置は、インターフェース要素又はそのセクションを選択された状態、選択されない状態、及び前記選択された状態又は前記選択されない状態ではない他の任意の状態のいずれかへと設定するために操作される。そのような指に装着される装置は、様々な数のインターフェース要素、又はそのセクション、任意の様々な数の位置の各々に対応するものの各々の状態の設定を促進するため、様々な数の位置へと再配置できる制御装置（例えば、様々な数の回転した位置へ再配置できる回転可能なセクション）を含むことが明らかにされることに注意する。
【０４２０】
図２７Ｇは、図２７Ａから２７Ｆに関して記載されたものと一致して、本発明の方法２７３０を示す。
【０４２１】
工程２７３２では、指に装着される装置は、「半分押され」、限られた範囲（例えば、上述されるように、「半分押される」、「半分引かれる」、又は「半分傾けられる」）で操作される（又は具体的に再配置される）指に装着される装置又はそのセクション（例えば制御装置）を指す。そうでなければ、前記指に装着される装置（又はそのセクション）は、任意の特定の手法（また「方法」）における工程２７３２にて操作される。例えば、指に装着される装置は、親指が特定の方向にスライドするタッチ表面（すなわち、タッチを感知できる表面、図７Ｃにおけるタッチ表面７１４を参照）を含む（例えば、図７Ｅにおけるジェスチャー７３０ａを参照）。
【０４２２】
いくつかの方法では、工程２７３４にて、工程２７３２の結果として（例えば、工程２７３２にて行われる操作から記録される入力により）、第１及び第２インターフェース要素のいずれかは表示される。そうでなければ、様々な数のインターフェース要素の表示は、工程２７３２の結果として工程２７３４にて促される。いくつかの方法では、前記第１及び第２インターフェース要素、及び任意の他のインターフェース要素のいずれかの表示は、促されないことが明らかにされることに注意する。
【０４２３】
いくつかの方法では、工程２７３６にて、工程２７３２の結果として（工程２７３４に関して言及されるように）第１インターフェース要素の状態は変えられる。言い換えると、第１インターフェース要素が、工程２７３２が行われる前にある状態は、異なる状態へと変更される。
【０４２４】
いくつかの方法では、工程２７３８にて、工程２７３２からの指に装着される装置は、完全に押され、指に装着される装置、又はそのセクションを指し、前記工程２７３２に関して制限された範囲の言及よりも大きな範囲で操作される。そうでなければ、指に装着される装置は、工程２７３２に関して言及された特定の手法とは異なる任意の手法における工程２７３８にて操作される。例えば、工程２７３２で指が特定の方向へと指に装着される装置のタッチ表面の上をスライドする一方、工程２７３８で前記指は反対の方向へと前記タッチ表面の上をスライドする。
【０４２５】
いくつかの方法では、工程２７４０にて、工程２７３８の結果として、（工程２７３４と２７３６に関して言及される）第１インターフェース要素の状態は、別の状態へとさらに変えられる。言い換えると、第１インターフェース要素が、工程２７４０が行われる前にある状態は、異なる状態（第１インターフェース要素が、工程２７３２が行われる前にある状態とも異なる）へと変更される。例えば、第１インターフェース要素は、（工程２７３０に関して言及される）指に装着される装置又はそのセクションが操作される前に第１状態にあり、一方で工程２７３２を行うことにより、第１インターフェース要素の状態は第２状態へと変わり、一方で工程２７４０を行うことにより、第１インターフェース要素の状態は第３状態へと変わる。
【０４２６】
いくつかの方法では、工程２７４２にて、工程２７３８の結果として、（工程２７３４に関して言及される）第２インターフェース要素の状態は変えられる。言い換えると、第２インターフェース要素が、工程２７３８が行われる前にある状態は、異なる状態へと変えられる。例えば、第２インターフェース要素は、工程２７３８が行われる前に、「選択された」状態にあり、一方で工程２７３８を行うことにより、第２インターフェース要素の状態は「選択されない」状態へと変えられる。同様に及び上記の次に、第１インターフェース要素は、工程２７３２が行われる前に「選択されない」状態にあり、それにより工程２７３２を行うことで、第１インターフェース要素の状態は（図２７Ｄから２７Ｆに関して上述されるように）「半選択された」状態へと変える。（同じ例に関して）いくつかの方法では、工程２７３８を行うことにより、第１インターフェース要素の状態は「選択された」状態へと変わる。
【０４２７】
図２７Ｈは、図２７Ａから２７Ｆに関して記載されるもの、図２５Ｅから２５Ｇに関して記載されるものに一般的に一致して、本発明の方法２７５０を示す。
【０４２８】
工程２７５２にて、指に装着される装置は第１手法で操作される。本発明の指に装着される装置に関して記載されるものと同様に、前記第１手法で前記指に装着される装置を操作することは、制限された範囲で前記指に装着される装置又はそのセクションを操作すること（具体的には再配置すること）を示す。いくつかの方法では、前記第１手法は、制限された範囲での捜査が必ずしも必要のない任意の手法であることが明らかにされることに注意する。
【０４２９】
いくつかの方法では、工程２７５４にて、工程２７５２の結果として、インターフェース要素は選択される。そうでなければ、前記インターフェース要素の状態は、（例えば、「選択されない」状態から「選択された」状態へと）工程２７５２にて変えられる。したがって、工程２７５２にてインターフェース要素を選択することは、前記インターフェース要素の状態を、具体的に前記インターフェース要素が、工程２７５３が行われる前にある状態から、異なる状態へと変えることを指すことに注意する。前記インターフェースは、オプションメニューにおけるオプション、又はフォルダにおけるファイルのように、当該技術分野において知られる任意のインターフェース又はプログラム要素である。
【０４３０】
いくつかの方法では、工程２７５６にて、工程２７５２の結果として、インターフェース要素（又はその任意の視覚的な表示）は、タッチスクリーン又は当該技術分野で知られる他の任意のディスプレイにより表示される。前記インターフェース要素は、工程２７５４に関して言及されるインターフェース要素及び／又は様々な数の他の要素（例えば、インターフェース要素がツールである、ツールバー、又はそのセクション）である。任意に、工程２７５６にて、状態間で選択される又は変わる、工程２７５４に関して言及されるインターフェース要素の指標は、インターフェース要素（及び／又は様々な数の他の要素）の表示に加えて、表示される。いくつかの方法では、インターフェース要素は、状態の間で選択される又は変わる（工程２７５４）、前記インターフェース要素無しに、表示される（工程２７５６）ことに注意する。例えば、工程２７５２を行うことにより、（例示のインターフェース要素として）バーチャルキーボードは表示される。
【０４３１】
いくつかの方法では、インターフェース要素は選択される、又は工程２７５４にて変化される状態、その間にさらに同じインターフェース要素又はその視覚的な表示は工程２７５６にて表示される（任意に様々な数の他のインターフェース要素に加えて）ことが明らかにされることにさらに注意する。いくつかの方法では、異なる状態へと変化するための選択される前記同じインターフェース要素（又はその視覚的な表現）の指標は、前記同じインターフェース要素の表示に加えて表示される。
【０４３２】
いくつかの方法では、工程２７５８にて、工程２７５２の結果として、機能が始動される（又は「作動される」）。前記機能は、タッチ入力又はジェスチャー認識（あるいはジェスチャー認識から記録される入力）に関連する。例えば、前記機能は、タッチスクリーンで行われる任意の相互作用に適応される。別の例では、前記機能は、（工程２７５２に関して言及される指に装着される装置のユーザにより）行われ、感知され、及び（ジェスチャー認識システムにより）認識される任意の手のジェスチャーに適応される。より特定の例では、始動される前記機能により（工程２７５８）、タッチ入力は前記機能の特定の特徴を促進するために、前記機能に対応して記録及び／又は処理される。別の特定の例では、前記機能は、工程２７５８にて作動され、その結果、手のジェスチャーを行うことから記録される任意の入力は、認識される前記手のジェスチャーにより得られる変化するものに対応して、前記機能を実行するためのものである。
【０４３３】
いくつかの方法では、工程２７６０にて、タッチスクリーンは触れられ（一方で前記タッチスクリーンに触れることは前記タッチスクリーンにより検知される）、又はそうでなければタッチ入力は記録される。言い換えると、工程２７６２にて、手又は指は、ジェスチャーを実行しており（一方で前記ジェスチャーは、光センサー、具体的にはカメラによって感知される）、又はそうでなければ入力は、（実行される手又は指のジェスチャーの）ジェスチャー認識から記録される。したがって、方法２７５０は、指標に触れること（すなわち、タッチスクリーン、具体的にはタッチスクリーンに触れることにより行われる操作）又はジェスチャー認識相互作用（すなわち、ジェスチャー、具体的には手又は指のジェスチャーを感知及び認識することにより、促進される相互作用）に付随する。
【０４３４】
いくつかの方法では、工程２７６４にて、（機能が始動された）工程２７５８に関して言及される機能は、工程２７６０からのタッチ入力又は工程２７６２からのジェスチャー認識（認識される、ジェスチャーからの入力、又はその複数）に具体的に対応して実行される。そうでなければ、工程２７６４にて、機能は、タッチ入力（工程２７６０）又はジェスチャー認識（工程２７６２）に適応される。例えば、機能は工程２７５８にて「作動」状態へと設定され（又はそうでなければ作動される）、その結果、任意のタッチ入力又はジェスチャーの認識は、（工程２７６４にて）作動される間に機能を実行するために変わるものを提供する。より具体的な例では、指はタッチスクリーンに触れている又はジェスチャー認識システムに対してポインティングジェスチャー（pointing gesture）を行っており（例えば、図２１Ａから２１Ｅにおけるジェスチャー認識システム２１００を参照）、一方で（前記タッチスクリーンから又は前記ジェスチャー認識システムからの）出力は、前記タッチング又は前記ポインティングジェスチャーに従って、及び工程２７５８にて始動された機能の特徴に従って決定される。
【０４３５】
いくつかの方法では、工程２７７２にて、指に装着される装置（又はそのセクション）の操作は、工程２７５２に関して記載されたように、停止する（又は、「止まる」）。そうでなければ、工程２７７２にて、工程２７５２に関して言及される指に装着される装置は、工程２７５２に関して言及される第１手法および工程２７６６に関して下記に述べられるような第２手法とは異なる手法で操作される。例えば、工程２７５２で指に装着される装置を操作することは、第１位置から第２位置へ（例えばデフォルト位置から「半分に押された」位置へ）再配置されるように、前記指に装着される装置、またはそのセクションを促し、一方で工程２７７２にて、前記指に装着される装置又はそのセクションは、前記第２位置から前記第１位置へ（例えば「半分に押された」位置からデフォルト位置へ）再配置され、ゆえに、工程２７５２で行なわれた前記指に装着される装置の操作を止める。別の例では、工程２７７２に関して言及される第１手法で指に装着される装置を操作することは、指に装着される装置のセクションに圧力を加える（例えば押す）といった行為を連続的に行い、一方で工程２７７２にて、指に装着される装置は、前記セクションからの圧力を除く（例えば押さない）ことなどにより、第１手法で操作されることを止める。
【０４３６】
上記の次に、及び本明細書に記載されているものに関して、指に装着される装置を操作することは、連続操作（例えば指に装着される装置のセクションの圧力を保持すること）または前記指に装着される装置に結果として生じる様々な数の操作例、又は前記指に装着される装置が操作されるのと同じ状態（又は具体的に位置）又はその前よりも異なる状態（又は具体的に位置）にあるそのセクションであることが明らかにされることに注意する。いくつかの方法では、工程２７７４にて、工程２７７２の結果として、工程２７５８および２７６４に関して言及される機能は、（工程２７６８に関して下記に述べられるように）終了する。他の方法では、工程２７７６にて、工程２７７２の結果として、工程２７５８および２７６４に関して言及される機能は、機能の結果（又はその複数）を廃棄すること（あるいは「放置すること」、「消すこと」、又は「消去すること」）などによって、キャンセルされる。例えば、工程２７５２及び／又は工程２７５８を行なうことにより、および工程２７６０を行なうことにより任意に始動された、工程２７６４で行なわれた、（機能の例示の実行としての）プロセスまたはインターフェースイベントは、工程２７７２を行なうことにより終了され、一方で前記プロセスまたはインターフェースイベントの終了は、また前記プロセスまたはインターフェースイベントの停止及びその結果の取消、又は前記プロセスまたはインターフェースイベントの終結のいずれかである。
【０４３７】
工程２７７２の結果として、工程２７５８および２７６４に関して言及される機能は、図２７Ｈ内でまだ示されない、本発明のいくつかの方法に含まれている工程にて、終了又はキャンセルされずに、単に止められる。
【０４３８】
工程２７７４および２７７６を指す例では、指に装着される装置のセクションは、親指により「半分傾けられ」、及び前記親指によって「半分に傾けられた」位置で保持され、一方、指は、（適切な入力が、「半分傾けられる」前記セクションによって記録され、また前記「半分に傾けられた」位置で保持される場合に）前記「半分に傾けられた」位置及び（適切な入力が、ジェスチャー認識システムによって記録される場合に）前記インターフェース要素の方を指す前記指のジェスチャーに対応する機能を実行するために、ディスプレイ上に表示されるインターフェース要素の方を指す。同じ例では、前記機能を終了させるために（工程２７７４）、または前記機能をキャンセルするために（工程２７７６）、前記セクションとの接触から取り除かれている親指などにより、前記「半分に傾けられる」位置から前記セクションを解放する。
【０４３９】
いくつかの方法において、工程２７７８で、工程２７７２に続いて、工程２７５４のために述べられたインターフェース要素は選択から外され得る。または、インターフェース要素の状態は、工程２７７２が行われる前の状態から工程２７７８で変化し得る。例えば、インターフェース要素は、工程２７５２を行うことによって、工程２７５４で選択され得、一方、例えば、前記インターフェース要素がツールであり、そして前記機能が前記ツールに対応する操作の処理である場合に、前記インターフェース要素を選択することは、前記インターフェース要素に対応する工程２７５８で機能を始動するためにあり得る。前記インターフェースが選択される間、前記機能は、タッチが検知される時、またはジェスチャーが認識される時に、行われ得る。同じ例として、前記インターフェース要素は、工程２７７２を行うことによって、工程２７７８で選択から外され得、一方、前記インターフェースを選択から外すことは、行われている前記機能からの任意の結果を終了させるまたは取り消すためであり得、そして、一方、前記機能は、例えば、工程２７５２を再び行うことによって、前記インターフェース要素が再度選択されるまで、随意に行われないことがあり得る。
【０４４０】
いくつかの方法において、工程２７８０で、工程２７７２に続いて、工程２７５６のために述べられたインターフェース要素（またはその任意の可視化表現）は、隠され得るか、または同様にディスプレイから取り除かれ得、または表示されるのをやめ得る。例えば、工程２７５２を行うことは、インターフェース要素を表示する（工程２７５６）ためにあり、その結果、ユーザは、前記インターフェース要素が表示されるタッチスクリーンにタッチするなどによって、前記インターフェースと相互作用し得、一方、前記ユーザが前記インターフェース要素と相互作用しない時に、前記インターフェース要素を隠すことが望ましいことがあり、その場合、工程２７７２は、（隠される時随意に相互作用され得ない）前記インターフェース要素を隠すために行われ得る。
【０４４１】
いくつかの方法において、工程２７５６および２７８０のために述べられるインターフェース要素が、工程２７５４および２７７８のために述べられる同じインターフェース要素であり得、その結果、インターフェース要素を選択すること（工程２７５４）および選択から外すこと（工程２７７８）（または、さもなければ、工程２７５４および２７７８のために記載されるように、インターフェース要素の状態を変化させること）は、インターフェース要素、またはその視覚化表現を表示する（工程２７５６）および隠す（工程２７８０）ためであることが明らかであることに注意されたい。
【０４４２】
いくつかの方法において、工程２７８０で、工程２７８０のために上記されたことに加えてまたはその代わりに、そして、工程２７５６のために記載されたことに従って、工程２７５４および２７７８のために述べられたインターフェース要素が工程２７５６および２７８０のために述べられたインターフェース要素と同じである場合、選択から外されるか（工程２７７８）、またはさもなければ、（工程２７７８のためにさらに記載されるように）一つの工程から別の工程へ変えられるインターフェース要素の指標が表示され得る。前記指標は、随意に、（インターフェースによるなど）別に指示されるまで表示されたままであるか、または、代替的に特定の時間の間（好ましくは短時間）表示されたままであり、その結果、ユーザは、また前記指標を受け取り得、前記指標が、表示されること、または表示スペースを「ふさぐ（taking up）」ことによって邪魔され（intrude）続けることはない。
【０４４３】
いくつかの方法において、工程２７６６で、（工程２７５２のために述べられた）指に装着される装置は、（工程２７５２のために述べられた第一の手法と対照的に）第二の手法で操作され得る。本発明の指に装着される装置のために記載されたのと同様に、前記第二の手法で前記指に装着される装置を操作することは、前記指に装着される装置（またはそのセクション）が工程２７５２（そこでは、前記指に装着される装置は、工程２７５２のために述べられた代表的な第一の手法として、制限された程度まで操作され得た）で操作され得た程度より大きな程度まで、前記指に装着される装置またはそのセクションを操作すること（または特に再配置すること）を指し得る。いくつかの方法において、第二の手法は、任意の手法であり、必ずしも前述の制限された程度より大きな程度までの操作でないことが明らかであることに注意されたい。
【０４４４】
いくつかの方法において、工程２７６８で、工程２７５８および２７６４のために述べられた機能は、承認されるかまたは与えられる(render)（またはさもなければ、「止める」または「動作をとめる」）など、終了され得る。または、行われている機能からの結果（または複数）(工程２７６４)は、前記結果が工程２７６６が行われる前にある状態以外の異なる状態に設定され得る(例えば、「一時的な」状態から「承認された」状態へ)。例えば、（どれが視覚化表現または図形記号（これは、（前記指が表示を指し示す場合）指がタッチスクリーンにタッチする場所、または指が指し示す場所に表示され得る）を有し得るが）を提出するなど、機能は、一次的にまたは部分的に形成または作成されたインターフェース要素を生じ得る。同じ例として、工程２７６６が行われるならば、前記インターフェース要素は、異なる状態に変えられるなどによって、または前記インターフェース要素を完全にまたは持続的に統合するための操作を行う（前記インターフェース要素が形成されまたは作成される）インターフェースによるなどによって、持続的または完全に形成されまたは作成される。
【０４４５】
いくつかの方法において、工程２７６６を行うことによって、工程２７５８および２７６４のために述べられた機能は、工程２７７６のために記載されたように、取り消され得、またはさもなければ、上記のように止められ得る。これは、代わりに、工程２７６６に続いて工程２７６８を行うためのものであり得る。従って、いくつかの方法において、工程２７７２のために記載されるように、指に装着される装置の操作をやめること（または指に装着される装置を操作し、またはそのセクションを最初またはデフォルトの状態または位置に戻すこと）は、機能を終わらせるためのものであり得、一方、前記指に装着される装置をどのように操作するか（または特に、前記指に装着される装置を以前操作されたのより大きな程度まで操作するか）は、機能を取り消すかまたはやめるためのものであり得る。
【０４４６】
いくつかの方法において、工程２７６６に続いて（そして、随意に工程２７６８の後に）、工程２７５４、２７５６、２７５８、２７６０、２７６２、２７６４、２７７２、２７７４、２７７６、２７７８および２７７８と同様の任意の数の工程のいずれかに続いて、（工程２７５４、２７５６、２７５８、２７６４、２７７４、２７７６、２７７８、および２７８０のために記載される以外に）他のインターフェース要素のために、および／または別の機能のためになされ得る。例えば、第一の手法で指に装着される装置を操作することによって（工程２７５２）、タッチスクリーン上でタッチするなどに対応して（工程２７６６）、第一の機能が始動され得（工程２７５８）、および実行され得（工程２７６４）、一方、第二の手法で前記指に装着される装置を操作することによって（工程２７６６）、前記第一の機能を終了させ得（工程２７６８）、そして、（工程２７６０と同様の工程で）タッチスクリーン上のタッチによって実行される（工程２７６４と同様の工程で、なお前記第二の機能と言われる）などのために、第二の機能を始動させ得る（工程２７５８と同様の工程で、なお前記第二の機能と言われる）。同じ例において、（工程２７７２のために記載されるように）第三の手法で指に装着される装置を操作することによって、前記第二の機能が終了され得るか（工程２７７４と同様の工程で、なお前記第二の機能と言われる）、または取り消され得る（工程２７７６と同様の工程で、なお前記第二の機能と言われる）。
【０４４７】
いくつかの方法において、工程２７７０で、工程２７６６に続いて、工程２７５４のために述べられるインターフェース要素は、例えば、工程２７５２がなされた後にインターフェース要素がある状態から、別の状態に、状態の間で変化し得る（また「一つの状態から別の状態に変化し得る」）。随意に、「選択された」状態（これは、選択されたインターフェース要素が記載されている工程２６５４で設定され得た）から（工程２７７８のために記載されたのと同様に）「選択から外された状態」に変えることなどによって、インターフェース要素は、工程２７７０で選択から外され得る。
【０４４８】
いくつかの方法において、工程２７８２で、工程２７６６に続いて、工程２７５６のために述べられるインターフェース要素は、工程２７８０のために記載されたのと同様に、隠されたり、または表示から除去されたり、または表示をやめられたりし得る。さらに工程２７８０のために記載されたのと同様に、工程２７５４のために述べられたインターフェース要素は、工程２７５６のために述べられたのと同じインターフェース要素である場合、表示からインターフェース要素が隠されまたは取り除かれることの代わりにまたは加えて、インターフェース要素の指標は、（随意に工程２７７０で）選択から外され、またはさもなければ、ある工程から別の工程に変えられる。
【０４４９】
図２８Aは、指に装着される装置２８００として本発明の実施形態を示す。装置２８００は、通常、ユーザに操作される制御装置２８０２および２８０４（すなわち、ユーザによって操作される制御装置）を含む。制御装置２８０２および２８０４は、手の親指によって操作され得、その指に装置２８００は装着されている（例えば、図２８Ｂに示されるように、指２３２に装着された装置２８００を操作することが示唆された手２３０の親指２３４を参照）。さらに、制御装置２８０２および２８０４は、入力を記録するのを容易にする装置２８００の任意の要素であり得る。例えば、制御装置２８０２および２８０４は、作動するために押され、および停止させるために解放され得る一組のボタンまたはスイッチであり得る。
【０４５０】
図２８Ｂは、装置２８００およびタッチスクリーン２８２０を含み得る本発明の装置２８１０を示す。図で、装置２８００は、手２３０の指２３２に装着されて示され、一方、手２３０、特に手の指２３２は、オブジェクト２８２２が表示されるタッチスクリーンと相互作用しているものが示される。
【０４５１】
オブジェクト２８２２は、本明細書に記載されるように、タッチスクリーン２８２０と相互作用することによって行われ得る機能を表すツールの図形記号（この図形記号は、タッチスクリーンに表示される）、またはプログレスバー（例えば、ファイル圧縮過程のプログレスの視覚的バー）、いわゆる「ウインドウ」、カーソル若しくはいわゆる「ドロップ‐ダウン」メニューのようなインターフェース要素であり得る。オブジュクト２８２２は、インターフェースのインターフェース要素のために上記されたのと同様に、タッチスクリーン２８２０によって表示されるインターフェースに含まれ得ることが明らかにされることに注意されたい。さらに、タッチスクリーン２８２０は、装置のための入力及び出力に対する手段として使用されるなどによって、前記装置に含まれ得ることが明らかにされることに注意されたい。例えば、タッチスクリーン２８２０は、（代表的なインターフェースとして）ゲームと相互作用するためにタッチスクリーン２８２０を使用するポータブルゲームコンソールに含まれ得る。別の例として、タッチスクリーン２８２０は、コンテントと相互するためにタッチスクリーンを利用するポータブルデジタルアシスタント（ＰＤＡ）に含まれ得る。さらに別の例として、タッチスクリーン２８２０は、キーの代わりにタッチスクリーンを使用するモバイルフォンに含まれ得る。
【０４５２】
装置２８００は、タッチスクリーン２８２０を含む装置と通信することができることが明らかにされるに注意されたい。例えば、装置２８００は、コミュニケーションユニットを含み得（例えば、図７Ｃおよび７Ｄでの装置７１８のコミュニケーションユニットを参照）、これは、信号をタッチスクリーン２８２０も含む装置に含まれるコミュニケーションユニットへと信号を伝達し得る（例えば、装置２８００がどの状態にあるかの入力または表示を伝達する）。別の例として、装置２８００は、タッチスクリーン２８２０も含む装置によって含まれる感知手段（例えば、図２１Ａのシステム２１２０の感知手段２１２２ａを参照）によって感知され得る。より具体的な例として、制御装置２８０２および２８０４は、受動型トランスポンダー（すなわち、無線ＩＤタグ（ＲＦＩＤ）回路網またはマイクロ制御装置のような電源に直接接続されないが、外部電源から信号を調節し得る装置）を（操作されることによって）制御し得、これは、タッチスクリーン２８２０を含むユニットによって発生させられた信号を調節し得、一方、調節された信号は、前記装置のセンサーによって感知れ得、制御装置２８０２および２８０４がどのように操作されているかについての情報を得ることができる。
【０４５３】
いくつかの実施形態において、ユーザ（手２３０の手のユーザ）は、オブジェクトがタッチスクリーン２８２０によって表示されている間、オブジェクトをタッチすること（すなわち、オブジェクトが表示されるタッチスクリーンの表面上の位置をタッチすること）によってオブジェクト２８２２と特に相互作用することができる。例えば、ユーザは、指２３２でタッチスクリーンにタッチすることによって、特に、タッチスクリーンによってオブジェクトが表示される場所にタッチすることによって、そしてそれから（いわゆる「タップ・アンド・ドラッグ」操作のために）タッチスクリーン上で指を別の位置へドラッグすることによって、オブジェクトが表示されているところから別の位置へオブジェクトを（ユーザインターフェースでドラッグ機能のために知られるように）「ドラッグ」することができる。
【０４５４】
いくつかの実施形態において、制御装置２８０２および２８０４のいずれかまたは両方を操作することは、装置２８００の状態を変化するためであり得る。随意に、オブジェクト２８２２をタッチすること（すなわち、オブジェクトが表示されるタッチスクリーン２８２０をタッチすること）は、装置２８００の異なる状態に依存して、異なるインターフェースまたはプログラムイベントを促進するか、または異なるインターフェースまたはプログラム機能を行うためであり得る。例えば、親指２３４は、指２３２がオブジェクト２８２２が表示されるタッチスクリーン２８２０に同時にタッチする間、（代表的な機能またはイベントとして）オブジェクトを削除するために、制御装置２８０２を操作（例えば、クリック）し得る。同様に、親指２３４は、オブジェクトに表される（またはさもなければ、「オブジェクトに対応する」）プログラムまたはフォルダを始動するために、指２３２が、オブジェクト２８２２が表示されるタッチスクリーン２８２０に同時にタッチし得る間、制御装置２８０４を操作し得る。従って、制御装置２８０２および２８０４は、タッチスクリーン２８２０にタッチ入力のためのコンテキスト、または、特に、オブジェクトが２８２２に関連するタッチ入力（すなわち、オブジェクトが表示されるタッチスクリーンをタッチすることによって記録される入力）のためのコンテキストを設定するために使用され得る。例えば、制御装置２８０２および２８０４は、タッチスクリーンをタッチすることによって異なる相互作用を行うために操作され得る。より具体的な例として、制御装置２８０２および２８０４は、コンピュータマウスを使用するのと協働して一般的に使用されるキーボード上のそのようなキーと同様に、「Ｓｈｉｆｔ」キー、または「Ｔａｂ」キーおよび「Ｃｔｒｌ」キーとして働き得、その結果、コンピュータマウスボタン上でクリックする間、および／または前記コンピュータマウスを動かしている間、そのようなキーの各々をクリックすることは、異なる機能を行うためであり得る（例えば、「Ｓｈｉｆｔ」キーがクリックされ続ける間にコンピュータマウスボタンがクリックされる時、いわゆる「シフト‐クリック」機能が実行され、「Ｓｈｉｆｔ」キーがクリックされ続ける間にコンピュータマウスボタンがクリックされる時、いわゆる「オルト‐クリック」機能が実行される）。別の例として、オブジェクト２８２２をタッチしている間に制御装置２８０２を操作することは、オブジェクトに表されるファイルを「カッティング」（キーボード上で「Ｃｔｒｌ」と「Ｘ」キーを同時にクリックするのと同様に、オペレーションシステムの通常の「カット」機能をさす）のためであり得、一方、タッチスクリーン２８２０のディスプレイ上の別の位置（すなわち、オブジェクト２８２２が表示されない位置）をタッチしている間に制御装置２８０４を操作することは、（マウスカーソルの位置に関連し、「Ｃｔｒｌ」と「Ｖ」をクリックすることで行われる通常の「ペースト」機能と同様に）前記位置へファイル（ファイルは以前に「カット」されていることが前提として）を「ペースト」するためのものであり得る。
【０４５５】
いくつかの実施形態において、特定のインターフェース（またはプログラム）要素、またはインターフェース（またはプログラム）イベント（例えば、タッチスクリーン２８２０によって表示されるインターフェース）は、タッチスクリーン２８２０がタッチされる時、どのインターフェース（またはプログラム）イベントがダイアログ表示されるか、またはその機能が実行されているかを決定するために、および／またはタッチスクリーンをタッチする時どのインターフェース（またはプログラム）イベントが制御されるかを決定するために、装置２８００の制御装置２８０２および２８０４の何れかに割り当てられ得る。従って、ユーザは、どのインターフェースまたはプログラムイベントまたはどのインターフェースまたはプログラム要素が任意の制御装置と関係するかを選択し得る。例えば、「コピー‐ペースト」機能（その実行は、代表的なインターフェースまたはプログラムイベントであり得る）は、（制御装置に割り当てられる機能のリストから機能を選択することなどによって）制御装置２８０２に割り当てられ得、一方、指（好ましくは装置２８００を装着している指）が、制御装置２８０２が親指２３４によって操作される間タッチスクリーン２８２０上に表示されるオブジェクトにタッチする時、前記オブジェクトはコピーされ得、そして、一方、前記親指が制御装置を操作している間、前記指が、タッチスクリーン上の異なる位置にタッチする時、前記オブジェクトは、（オブジェクトが以前コピーされたのを前提として）前記異なる位置にペーストされ得る。同様に、ユーザは、制御装置２８０２に対して異なる機能（例えば、「デリート」機能）を割り付け得、その結果、制御装置２８０２が操作される間、前述の指が前述のオブジェクトにタッチする時、前記異なる機能は、オブジェクト上で行われる。
【０４５６】
上記に続いて、本発明の指に装着される装置の制御装置は、タッチスクリーン上のタッチと関連し得（さもなければ、前後関係を有し得）、その結果、特定のインターフェースリアクション（例えば、インターフェースイベント）（これは、前記制御装置と対応する）は、前記制御装置を操作することによってダイアログ表示され得る。これは、特定の機能と関連したキーの組み合わせとして当該技術分野で公知なように、いわゆる「キーショートカット」をシミュレートするなどのために、キーボードおよび／またはコンピュータマウスなしでタッチスクリーンと相互作用するのに有用である。これはまた、指に装着される装置は、タッチスクリーンと相互作用する指にアクセスし得る準備ができているので、有益であり得る。
【０４５７】
いくつかの場合（例えば、いくつかの本発明のインターフェースにおいて、またはインターフェースのいくつかの状態において）、制御装置２８０２および２８０４は、制御装置を操作した後に記録された入力に対してコンテキストを設定するために、タッチスクリーン２８２０にタッチする前に制御装置の一つまたは両方でクリックするなどによって、タッチスクリーン２８２０にタッチするために操作され得る。従って、上記に続いて、本発明の指に装着される装置（例えば、装置２８００）は、異なる状態（例えば、回転可能なセクションの入力位置、例えば、以前記載したように、装置７００のセクション７０２の回転された位置を参照）を有し得、一方、前記指に装着される装置は、タッチスクリーンにタッチする前に特定の状態に設定され得、その結果、前記タッチスクリーンにタッチする時、前記特定の状態に対応する入力は記録され得る。例えば、タッチスクリーン２８２０と協働する装置７００を操作する時（図７Ａおよび７Ｂを参照）、ユーザは、第一の入力位置に装置７００のセクション７０２を回転し得、その結果、タッチスクリーン上の任意のその後に続くタッチは、前記第一の入力位置に前後関係を有する入力を記録するためであり得る。同様に、前記ユーザは、第二の入力位置へセクション７０２を回転させ得、その結果、任意のその後に続くタッチは、セクションの前記第二の入力位置と前後関係を有する入力を記録するためであり得る。
【０４５８】
いくつかの場合、制御装置２８０２および２８０４は、タッチスクリーンにタッチする間、またはタッチスクリーンにタッチした後、指が前記タッチスクリーンにすでにタッチしている間操作するなど操作され得る。例えば、ユーザは、タッチスクリーン２８２０にタッチし、オブジェクトを特定の位置から別の位置へ「ドラッグ」し得、その後、オブジェクトがドラッグされた位置でタッチスクリーンにまだタッチしている間、前記オブジェクト上で特定の機能を行うために、制御装置２８０２または制御装置２８０４（またはその両方）を操作し得る。別の例において、ユーザは、装置２８００を装着した指２３２でタッチスクリーン２８２０をタッチし得、その後、タッチスクリーン上の指のタッチを動かすことなく、（制御装置がボタンまたはキーである場合）親指２３４で制御装置２８０２または制御装置２８０４を二回クリック（「ダブルクリック」ともいう）、または代わりに、指２３２でタッチスクリーン上で２回タッピング（「ダブルタッピング」ともいう）し得、その結果、指２３２は、「ダブルクリック」する間、タッチスクリーンに接触し続け得る。これは、小さなタッチスクリーンと相互作用する時有益であり得、ここで、タッチスクリーン上に表示されるビジュアルディスプレイは、とても小さくて相互作用することが困難で、その結果、指は、特定の表示されたオブジェクト「上」に既にあり（すなわち、タッチし）、指がタッチする場所を表示するいずれかとさらに相互作用する間、タッチスクリーンから取り除かれないことが好ましいだろう。
【０４５９】
図２８Ｂでは、オブジェクト２８２２は、指２３２が、オブジェクトが表示されるタッチスクリーン２８２０をタッチする時、サイズ２８２２ａを有するものが示される。いくつかの場合において、タッチスクリーンがオブジェクト２８２２を表示される場所でタッチされない時、オブジェクト２８２２は、（破線のアウトラインによって図２８Ｂに図示される）サイズ２８２２ｂを有し得る。従って、オブジェクトが表示される場所でタッチスクリーン２８２０にタッチすることによって、オブジェクトは、そのオリジナルのサイズ、例えばサイズ２８２２ｂ（例えば、タッチされない時のオブジェクトに対するデフォルトサイズであるサイズ２８２２ｂ）からサイズ２８２２ａに「拡大」され得る。従って、制御装置２８０２および２８０４は、指２３２がオブジェクト２８２２が表示されるタッチスクリーンにタッチする間操作され得る。従って、上記に続いて、オブジェクトが表示される位置が指２３２によってタッチされるため、オブジェクト２８２２ａがサイズ２８２２ａのままである間、異なる機能は、制御装置のいずれかを操作することによってオブジェクト２８２２上で行われ得る。そのような相互作用セッション（すなわち、タッチスクリーン上に表示されている時、オブジェクトにタッチしている間の、指に装着される装置のオペレイティング制御装置）は、表示されるオブジェクト（例えば、オブジェクト２８２２）が拡大されたサイズ（例えば、２８２２ａ）で留まることが好ましい場合にとって有益であり得る。例えば、ユーザは、指２３２でタッチスクリーン２８２２をタッチし、指をオブジェクトが表示される場所にドラッグする（すなわち、タッチしつつ動かす）ことによって、オブジェクト２８２２で表わされるアプリケーションを選択し得、そこで、オブジェクトは、そのオリジナルのサイズ（すなわち、サイズ２８２２ｂ）から、それが表示される位置に指が到達した時のサイズ２８２２ａまで「拡大」される。タッチスクリーンは、表示されるオブジェクトもまた小さい、小さいタッチスクリーンであり得、正確にタッチすることは困難であり得、よって、特定のオブジェクトにタッチすることは、オブジェクト２８２２のサイズを変えるために上記されたように「拡大」機能によって容易にされ得る。別の例として、ユーザは、選択されたオブジェクトと特定の相互作用を行おう（例えば、選択されたオブジェクトに適用された機能を行う）とし得るが、一方、オブジェクトは、タッチされる時のみに選択され得る。従って、前記ユーザは、その後、オブジェクトが選択されないので、前記選択されたオブジェクトにタッチする（すなわち、前記選択されたオブジェクトが表示された場所にタッチする）指を動かしてはならなず、一方、オブジェクトをまだタッチしている間、特定の相互作用を行うことは、装置２８００を操作するユーザによって容易になされ得る。さらに特定の例として、ユーザは、（好ましくは、前記ツールバーが表示される場所で）前記指でタッチスクリーンにまだタッチしている間、制御装置２８０２を親指２３４で操作する（例えば、タッチセンサーであるなどによって、前記装置がタッチに敏感である場合、制御装置上で親指をスライドさせる）ことによって、タッチスクリーン２８２０の表面から指を動かすことなくタッチスクリーン２８２０上に表示された（代表的なオブジェクトとして）ツールバーを介してブラウズし得る。
【０４６０】
上記に続いて、本発明の指に装着された装置は、タッチスクリーンとの相互作用のために入力装置として働き得、一方、インターフェースで異なる位置と関連する入力は、（例えば、コンピュータマウスでインターフェースとナビゲートするのと対照的に）タッチを感知することから記録され得、一方、異なる機能と関連する入力は、前記指に装着される装置を操作することから記録され得る。
【０４６１】
（「拡大」機能のために記載されたように）表示されたオブジェクトのサイズのために本明細書に記載されたことと同様に、表示されたオブジェクトの任意の状態（例えば、その色、方向、形など）は、本明細書に記載の方法においてタッチスクリーンと協働する指に装着される装置を操作することによって設定され得る（さもなければ、「複数の有り得る状態から選択され得る」）ことに注意されたい。
【０４６２】
いくつかの場合、タッチスクリーン２８２０にタッチすることは、任意の他の手段および／または方法によって（例えば、コンピュータマウスを操作することによって）カーソル（コンピュータマウスカーソルとして知られる）を制御することに代替し得る。従って、前記カーソルは、タッチスクリーンが指によってタッチされるといつでもタッチスクリーン２８２０上に表示され得る。例えば、タッチスクリーン上に表示されたオブジェクト（例えば、ウェッブ・ページにおけるリンクまたはハイパーリンク）をタッチすることは、前記オブジェクトについての情報を表示する（例えば、いわゆる「ツール‐チップ」を表示すること）などのために、（いくつかのＧＵＩにおいてオブジェクトを超えてマウスカーソルを動かすのと同様に）いわゆる「ロールオーバー」リアクションを促すためであり得る。そのような場合において、特定の位置においてタッチスクリーンをタッチしている間、本発明の指に装着される装置の制御装置を操作することは、前記タッチスクリーン上の前記特定の位置に関連する、いわゆる「右クリック」、「左クリック」または「クリック・アンド・ホールド」機能を行うためなど、マウスカーソルが特定の位置にある間、コンピュータマウス（例えば、ボタンまたはスクロールホィ−ル）の制御装置を操作することと同様であり得る。従って、コンピュータマウスを操作することは（ディスプレイ上、またはＧＵＩでの）マウスカーソルの位置に対応し得るが、指に装着される装置を操作することは、タッチスクリーンがタッチされている位置に対応し得る。別の例として、ユーザは、ツールアイコンを超えてカーソルを動かし、「ツール‐チップ」を表示することと同様に、各ツールについての情報を表示するために、（タッチスクリーン上に表示されている）ツールバーにおけるツール上を指をスライドさせ得る。前記ユーザは、特定のツールを選択しようとすることができ、その場合、前記ユーザは、（例えば、前記指に装着される装置を装着している指で）前記特定のツールをまだタッチしている間、指に装着される装置に含まれる制御装置上で２回クリックし得る。さらに別の例として、ユーザは、前記タッチスクリーン上で指をドラッグすることなしに、タッチスクリーン上のインターフェースにおける第一の位置から第二の位置へ表示されたオブジェクトを動かしたいと思うことがあり得る。従って、前記ユーザは、指に装着される装置の制御装置をタッチする間、（別の指（例えば、前記表示されたオブジェクトにタッチしている指と同じ手の親指）で）、前記第一の位置で前記表示したオブジェクトをタッチし得、その後、前記ユーザは、前記タッチスクリーン上でさらにタッチする前述のインターフェースは、まだ前記表示されたオブジェクトと関連していることを知らせるために、前記制御装置上でまだタッチし続けている前記タッチスクリーンからタッチを動かし得る。それから、前記ユーザは、前記第二の位置に前記オブジェクトを「配置する」ために、前記第二の位置をタッチして前記制御装置からタッチを取り除き得る。
【０４６３】
上記に続いて、本明細書に開示されることは、特定の指に装着される装置がどのようにしてタッチスクリーンと協働するのか、または、タッチスクリーンと相互作用することに加えて、入力装置として使用され得るかについて記載することが明らかにされる。そのような指の装着される装置を操作することは、タッチスクリーン上のタッチによって行われることが分かっている相互作用に変わり得、および／または、タッチによってタッチスクリーンと相互作用することに加えて（または協働することによって）行われることによって特定の相互作用を強める（または「高める」）事ができる。
【０４６４】
指に装着される装置の制御装置、またはその複数、は、また、前記指に装着される装置が制御装置を含むことなしに操作され得る場合に、前記指に装着される装置それ自体を操作することをさし得る。例えば、指に装着される装置は、制御装置を含むことなく指の周りで回転し得る単一のセクションを含み得る（回転の検知は、前記指に装着される装置を装着している指に向かい合って位置しているモーションセンサーによって容易になされ得、指に関する回転を感知する）。
【０４６５】
図２８Ａおよび２８Ｂのために記載されることは、本発明の指に装着される装置（すなわち、装置２８００）を装着しているユーザによって操作され得る一組の制御装置（例えば、制御装置２８０２およ２８０４）をさす一方、本発明の指に装着される装置は任意の数の制御装置（および「入力要素」）を含み得ることが明らかとされることに注意されたい。例えば、本発明の指に装着される装置は、制御装置２８０２および２８０４の代わりに、３つのボタンを含み得る。各ボタンは、「Ｃｔｒｌ＋Ｃ」（すなわり、「コピー」機能のためにキーボードのキー「Ｃｔｒｌ」および「Ｃ」を同時に押す）など、キーボードのいわゆる「キーショートカット」と同様に作動する。別の例として、本発明の指に装着される装置は、前記回転できるセクションの４つの異なる回転した位置（「入力位置」とも呼ばれる）が、装置２８００における次の提案された状態の各々を代替する：制御装置２８０２作動中、制御装置２８０４作動中、制御装置２８０２および２８０４は両方とも作動中、そして制御装置２８０２および２８０４は両方とも停止中である。
【０４６６】
図２８Ｃは、システム２８１０と同様な本発明のシステムを示す。図２８Ｃでは、装置２８００と同様の装置２８４０として指に装着される装置、およびタッチスクリーン２８２０と同様なタッチスクリーン２８５０が示される。装置２８４０は、手２３０の指２３２に装着されて示され、指２３２（および手２３０の任意の他の指）がタッチスクリーン２８５０をタッチしていない間、タッチスクリーンに、特にビジュアルが表示されているタッチスクリーンの表面に極めて接近している。図２８Ｃでは、タッチスクリーン２８５０は、装置２８４０が特定の範囲（または「特定の距離」、または「特定の近似」）内にある時、装置２８４０を感知することができ、その結果、装置２８４０がタッチスクリーンに接近する（または「近く」にある）時、タッチスクリーンに沿った（または「対する」）装置２８４０の位置（描写の目的のためだけに図中に破線の円として図示された位置２８４２）は、検知され得る。装置２８４０は、位置を検知するために当該技術分野で公知の任意の手法（米国特許第４８９００９６号参照）によって離れたまま感知し得（すなわち、タッチスクリーン２８５０に直接接していない、または間接的に接している間に感知され）、この装置は、タッチスクリーン２８５０も含む装置に含まれ得、その結果、タッチスクリーンの表面に対する装置の位置（例えば、タッチスクリーンの表面の２次元（２Ｄ）マトリックスマッピングに沿った、およびタッチスクリーンによって表示されるＧＵＩに対応する装置の位置）を検知するために装置がタッチスクリーンと接触することは必要とされない。
【０４６７】
いくつかの実施形態において、タッチスクリーン２８５０に対する装置２８４０の位置を検知することに加えて、タッチスクリーンに対する装置２８４０の方向（図２８Ｃで破線の矢印によって図示された方向２８４８）が検知され得る。装置の方向は、通常、装置が指に装着された時、および指が真っ直ぐな（すなわち、曲がったり湾曲したりしていない）時、指２３２と同じ方向であり得る。従って、装置２８４０の方向の検知は、装置を装着している指の方向を推測することを容易に（またはさもなければ、「装置を装着している指の方向について手の情報を得ることを容易に」）し得る。装置２８４０の位置および方向（本明細書では、両方の値のための、すなわち、位置及び方向のための「位置」）の検知は、当該技術分野で公知の任意の手法によって容易にし得る（例えば、米国特許第５７４８１１０号参照）。
【０４６８】
いくつかの実施形態において、タッチスクリーン２８５０に対する装置２８４０の方向を検知することは、インジケーター２８４４および２８４６を含む装置２８４０によって容易にされ得、そのインジケーターの各々は、信号（例えば、送信ラジオ波、または発光）を積極的に発するなどすることによって、または感知される（例えば、受動ＲＦＩD回路）などによってタッチスクリーン２８５０に沿ったその位置を示すことができる。インジケーター２８４４および２８４６は両方とも、装置２８５０の長さに沿ってまたはさもなければ、装置を横切る垂線に沿って配置され得る。２つの地点の間には、１本の線しか存在してはならず、インジケーター２８４４および２８４６の位置を、お互いに相関して処理することは、装置２８４０の通常の方向を検知（例えば、幾何学計算処理によって得る）、または推測することを容易にし得る。インジケーターの位置を処理することは、装置２８４０の長さに平行な「仮想の」線上の２点として位置を処理し得る。例えば、センサーの列は、タッチスクリーンの表示機構（例えば、ＬＣＤパネル）の下に、タッチスクリーン２８５０も含む装置に含まれ得、一方、インジケーター２８４４および２８４６は、装置２８４０に含まれ得、その結果、それらは、装置を装着している指に平行に位置される（すなわち、前記指の長さと一直線でもあるそれらの間を横切り得るように位置される）。従って、上述のセンサーの列のセンサーは、インジケーター２８４４および２８４６を感知しそれらの位置を検知することができ、その結果、装置の方向は、前記位置を計算することによって計算され得、従って、（通常「真っ直ぐな」状態であることを前提として）装置を装着している指の通常の方向が計算され得る。
【０４６９】
（特に、インジケーター２８４４および２８４６の位置を検知することなどによって）タッチスクリーン２８５０に対する装置２８４０の通常の位置を検知すること、および／または、タッチスクリーンに対する装置２８４０の方向を検知することは、タッチスクリーンに含まれ得る（図２８Ｃで破線によって図示された）感知手段２８５４によって、または、タッチスクリーンも含む装置において、容易にされ得ることに注意されたい。感知手段２８５４は、配置、方向および／又は位置を検知することを容易にする当該技術分野で公知の任意の感知手段であり得る。
【０４７０】
いくつかの実施形態において、（装置２８４０を装着し得る）想定される指２３２は、通常、真っ直ぐで、タッチスクリーン２８５０「の上に」水平に（すなわち、タッチスクリーンの正面、そして通常、タッチスクリーンの表面の面に平行に）広がっている。そして、指２３２の通常の長さは、（上記の手段によって検知されるように、装置２８４０の方向および位置（または、方向と配置の両方のための「位置」）と共に）分かっているならば、オブジェクト（例えば、図２８Ｃに示されるようなカーソル２８５２）は、（すなわち、その「上に」またはその正面に指の先端が位置する通常の場所で、タッチスクリーンのディスプレイ表面上に）指２３２が通常位置する場所にタッチスクリーンによって表示され得る。そのような場合、カーソル２８５２が、指２３２の先端が位置する場所の通常正面にタッチスクリーン上に表示されるために、指２３２がタッチスクリーン２８５０にタッチすることが必要とされない。図２８Ｃでは、カーソル２８５２は、タッチスクリーンの正面近くに位置するが、タッチスクリーンにタッチしていない位置であることが示唆される指２３２の先端近くのタッチスクリーン２８５０上に表示されて示される。これは、上述の関連ある値（すなわち、指２３２の長さおよびタッチスクリーン２８５０に対する装置２８４０の配置及び方向（これは、両方の値に対する「位置」ともいわれる）が分かっている場合、指は通常真っ直ぐであることが前提とされて、タッチスクリーンに対する指の先端の通常の位置を推測することによって容易にされる（例えば、装置２８４０の位置の検知された値から計算または推測される）。
【０４７１】
上記に続いて、本明細書に記載されることは、タッチスクリーンに対する（または、特に前記タッチスクリーンの表面に対する）指に装着される装の配置及び方向（または配置と方向の両方のための「位置」）を検知することによって、および、指に装着される装置が装着された指の長さを知ることによって、そして前記指が、前記タッチスクリーンに（または特に前記タッチスクリーンの表面に）通常平行、かつ近くとして位置することを前提として、前記指が通常真っ直ぐであることを前提として、指がタッチスクリーンに実際にタッチすることを必要とせず、通常前記先端が位置する近くの前記タッチスクリーン上にオブジェクト（例えば、インターフェース要素または特にカーソル）を表示するなどのために、前記指の先端の通常の位置がどのように推定され得るかを開示することが明らかにされる。従って、前述の指の手（またはその指自体）は、前述のタッチスクリーンに沿って、タッチスクリーンにタッチせずにタッチスクリーンの正面で動くことができ、一方、（指の先端近くに通常表示される）先述のオブジェクトは、指の先端の動きへとそれぞれ動くことができる。前記指の先端は、前述のオブジェクトと、および／または指の先端がタッチしている場所に表示もされ得る任意のインターフェース要素（オブジェクトに加えて、例えば、オブジェクトがカーソルなどの場合、オブジェクトが指示し得るインターフェース要素）と相互作用するために、（例えば、タッチスクリーンに向かって少し曲がるかまたは湾曲することによって）後でタッチスクリーンにタッチし得る。
【０４７２】
本発明の指に装着される装置を装着している指の長さについて本明細書に述べられることは全て、前記指に装着される装置と前記指の先端との間の通常の長さ（または「距離」）をさすことに注意されたい。本明細書に記載の、指に装着される装置を装着している指を示しているほとんどの図では（図２８Ｉにおけるのを除く）、前記指に装着される装置は、前記指の「基底骨」部分（すなわち、手のひらに最も近い指の部分または言い換えると、指輪をつけるのに最も一般的である部分）に装着されて示される、しかし、指に装着される装置は、指の任意の他の部分に装着され得ることが明らかにされる（例えば、図２８Ｉで指２３２の「中間の指骨」部分、または「真ん中」部分に装着された装置２８７０を参照）。本明細書に記載のような指の長さは、前記指に装着される装置がその指の先端から前記指の最も遠い部分（すなわち、「基底骨」部分上）に装着されない場合でも、指に装着される装置と指の先端との間の長さをさし得ることも明らかにされる。
【０４７３】
さらに、通常指に装着される装置を装着している指の先端近くの位置にタッチスクリーンによって表示されているオブジェクト（またはその複数）の代わりに、またはそれに加えて、任意のインターフェースまたはプログラム要素、または任意のインターフェースまたはプログラムイベントは、特に前記位置に表示されたオブジェクト上で、位置に対応して機能を行うなどのために、前記位置に関連し得ることが明らかにされることに注意されたい。より具体的に、図２８Ｃに示されるのは、指２３２がタッチスクリーンに対して位置するタッチスクリーン２８５０上に表示されたカーソル（すなわち、カーソル２８５２）であるが、タッチスクリーンに実際タッチせずに指の先端の通常の位置を知ることは、他の結果および特徴を容易にし得る。例えば、通常指２３２の先端近くに表示されるオブジェクトは、図２８Ｂにおけるオブジェクト２８２２のために記載されたのと同様に、指がタッチスクリーン２８５０の正面で、そしてそれに沿って（すなわち、タッチスクリーンの表面にとても近くで、指が動くときに前記オブジェクトの正面を通過して）動く時、拡大され得る。従って、上記のように本発明の指に装着される装置を利用することによって、「拡大する」機能を容易にし得、その結果、タッチスクリーンに表示されるビジュアルは、前記指に装着される装置を装着した指の先端が、それらの表示された位置の正面で動くか、または、さもなければ、それらがその先端がタッチスクリーンのディスプレイ表面上に表示されている場所近くに来る時に拡大され得る。指は、その後、前記ビジュアルが拡大される時それらと相互作用するために、前記ビジュアルが表示されたタッチスクリーンにタッチし得る。
【０４７４】
さらに、タッチスクリーンに対する指に装着される装置の方向（例えば、図２８Ｃにおける装置２８４０の方向２８４８を参照）を検知することによって、タッチスクリーンによって表示されるオブジェクト（またはその複数）は、通常前記指に装着される装置を装着している指の先端があると推測される位置で、前記指に装着される装置の方向に関して任意の望ましい方向で表示され得、従って、前記指に装着される装置が差し得るまたは向けられ得る通常の方向に関して、任意の望ましい方向で表示され得ることに注意されたい。例えば、タッチスクリーンに沿って指に装着される装置の方向、および（好ましくは分かっている）特定の長さの指に装着された前記指に装着される装置の方向を検知することによって、矢印カーソルは、通常、前記指の先端があり、前記指に装着される装置と、従って通常前記指と同じ方向を指していると推定される場所に、前記タッチスクリーンによって表示され得る。このことは、前記指に装着される装置が、上記に続いて、（代表的に表示されたオブジェクトとして）検知され得るのと同じ方向に前記矢印カーソルを向けることによって容易にされ得る。
【０４７５】
さらに、タッチスクリーン、本発明の指に装着される装置を装着している指の先端に関して本明細書に記載されることは、通常の位置を推測するためのものであるが、任意の装置またはシステムに関して、またはそれらの表示に関して、指に装着される装置を装着した指の先端の通常の位置は、本明細書の記載と同様に得られ（またはさもなければ「推測され」）得ることが明らかにされることに注意されたい。例えば、別の装置の（タッチを感知し得ない）ディスプレイに対する指に装着される装置を装着している指の先端の通常の位置は、感知手段２８５４を含む前記他の装置によって推定され得る（タッチスクリーン２８５０に随意に結合して図２８Ｃに示される）。従って、カーソルは、前記通常の位置に対応して（すなわち、前記先端が位置する場所の近くの前記ディスプレイ上の位置に）表示され得、一方、前記カーソルが指している表示されたオブジェクトと相互作用することは、前述の指に装着される装置を操作することにより、あるいは、そのようなオブジェクトがタッチスクリーン上に表示されているようなオブジェクトをタッチすることにより得る。
【０４７６】
上記に続いて、タッチスクリーンに関して指に装着される装置を装着している指の先端の通常の位置を得る（またはさもなくば「推測する」）および／または利用するために本明細書に記載される本発明の任意の方法（例えば、図３１Ａにおける方法３１００を参照）は、ディスプレイを含む任意の装置またはシステムに対して、特に前記ディスプレイに対して、そのような通常の位置（すなわち、先端の通常の位置）をさらに指し得る。
【０４７７】
図２８Ｄは、プログラム２８６０の代表例を示し、そのプログラムによって、ユーザが彼／彼女の手（または特に、指、またはその複数）の測定、および／又は特定の選択（例えば、図２９Ａおよび２９Ｂのために記載されたような相互作用の好ましい方向を参照）を、タッチスクリーンに（すなわち、タッチスクリーンを含む任意の装置に）与え得る。プログラム２８６０は、プログラム（または「ソフトウェア」、または「アプリケーション」）、またはさもなければ、いわゆる「デバイスドライバ」または「ソフトウェアドライバ」であり得る。プログラム２８６０は、本明細書に記載のように（例えば、図２８Ｃのために記載されたことを参照）結果および特徴を容易にするために、前述の測定に従って、および／または前述の選択に従って、タッチスクリーンによって表示される任意のインターフェースを「較正する」ために利用され得る。言い換えると、プログラム２８６０は、前記測定および前記選択を得るために利用され得、その結果、前記測定および前記選択は、任意のインターフェースまたはプログラムによって利用され得る。さらに言い換えると、手（または特に指）の測定、および／又はユーザの選択をプログラムに与えることは、知られるべきまたは得られるべきそのような測定（またはそれらの値）、および／またはそのような選択を必要とする本発明の方法を容易にし得る。
【０４７８】
図２８Ｄでは、ユーザの手の外形を最もよく表すビジュアル要素（または、「表示されたオブジェクト」）であり得る手、好ましくは、前記ユーザがインターフェースと相互作用しようと意図する手の外形を含むプログラム２８６０が示される。
【０４７９】
いくつかの実施形態において、その上に外形２８６２が表示されるタッチスクリーン（例えば、図２８Ｃに示されるタッチスクリーン２８５０）は、随意に、（手がタッチスクリーン上に、好ましくは外形が表示される場所に、配される間に前記手を感知する前記タッチスクリーンによって）前記測定が得られてしまった後、外形２８６２は、前記手の外形を最もよく表すために（測定が適切になされたことを視覚的に示すなどのために）、前記手の得られた測定に従って調節され得る。例えば、当該技術分野で公知の光学感知手段によって検知され得ることができ（例えば、カメラは、前記タッチスクリーンのディスプレイ表面の「後ろ」に位置され得）、その結果、ユーザの手が外形２８６２によって示される前記タッチスクリーン上に配される時、タッチスクリーンは、前記手の測定を得るために（および特に測定に従って外形２８６２を調整するために）、前記光学感知手段からのデータ（例えば、タッチスクリーンのディスプレイの「正面」からのイメージを撮っているカメラのための信号）を処理する（「分析する」ともいう）ことができる。別の例として、タッチスクリーンは、いわゆる「マルチタッチ型」感知手段を含み、そして利用し得、その結果、手が前記タッチスクリーンのディスプレイ表面に配される時、前記タッチスクリーンは、前記ディスプレイ表面のどの領域が前記手と接触してくるかを検知することができ、従って、前記手の寸法値（すなわち、測定）を計算する（または「推測する」またはさもなければ処理することによって得る）ことができる。
【０４８０】
いくつかの実施形態において、ユーザは、前記ユーザの手の測定に最もよく合うように外形２８６２を調整するために、（図２８Ｄに示されるように）プログラム２８６０の調整パネル２８６６を利用することができる。外形２８６２を調整することは、前記手の測定（「寸法値」でもある）をプログラム２８６０に与えることによるものであり得、その結果、前記測定は、プログラムに、随意に、任意のインターフェースまたは他のプログラムに、分かり得る。例えば、ユーザは、図２８Ｄで示されるように、外形２８６２を外形２８６４（破線の外形によって図示された外形２８６４）まで拡大するためにパネル２８６６と相互作用し得る。（異なるユーザは、異なる手の形を有し得るので）個々の指の測定（または通常のサイズ）を設定する、および／または異なる手の形の間をブラウズするなどして、パネル２８６６は、外形までの他の調整を容易にし得る。
【０４８１】
いくつかの実施形態において、ユーザは、前記ユーザの手の測定の値（例えば、整数）を任意の他の動作によって（または任意の他の手段によって、タイプするまたは与えることができる。例えば、本発明のプログラムは、手の指の各々の長さを記載するテキスト（特に数字）を受け取るための入力「テキストフィールド」を含み得る。ユーザは、前記「テキストフィールド」を「埋める」ことができ、その結果、指の長さは、指に関連するその後の相互作用として分かる。
【０４８２】
プログラム２８６０のために上記されたことは、通常ユーザの手をさすが、記載されることは、特にユーザの指またはそれらの複数のことをさすことが明らかとされることに注意されたい。例えば、タッチスクリーンを含む装置のために、前記タッチスクリーンと相互作用するために前記ユーザにとって意図される、ユーザの指の長さを知ることは好ましくあり得（一方、前記ユーザの手の任意の他の測定を知ることが求められることはなく）、そして本発明のプログラムは、前記指の長さについてのみ情報を得るために手全体の外形を得るためにプログラム２８６０を使用することに代わって、利用され得る。
【０４８３】
上記に続いて、本発明のプログラムは、任意の感知手段によるか、および／またはユーザによって手作業で前記測定を与えることによって、手、またはその複数の測定、または特に指、またはその複数の測定を得るためにタッチスクリーンによって利用され得る。（任意の手段または方法によって得られるように）手または指の測定の情報は、そのような情報を知ることが必要とされる相互作用のために利用され得る。そのような相互作用のいくつかは、本明細書に記載される。例えば、前記タッチスクリーンがタッチされていることなく、タッチスクリーン上にカーソルを表示するために上記されるように（例えば、図２８Ｃに示されるタッチスクリーン２８５０上に表示されたカーソル２８５２を参照）、与えられた時間で指に装着される装置（例えば、図２８Ｃに示されるような装置２８４０）の位置を検知することは、（前記指に装着される装置を装着している）指の先端が通常位置する場所に（またはその近くに）カーソルを表示することを容易にし得、一方、前記カーソルを表示する前記タッチスクリーンのために、または前記カーソルを含むインターフェースのために、（代表的な値としての）前記指の長さが分かる場合、前記指は、真っ直ぐである。前記指に装着されている時、前記指に装着される装置の位置を知ることによって、および指の長さを知ることによって、前記タッチスクリーンを含む装置は、前記カーソルが表示されるであろう場所（すなわち、前記指の先端が通常存在する場所、またはその近く）を推測できる。
【０４８４】
いくつかの実施形態において、ユーザは、タッチスクリーンと相互作用するために、好ましい手及び／又は指の位置及び／又は状態（すなわち、そのユーザがそのタッチスクリーンと相互作用するのを好む位置及び／又は状態、図２８Ｅ乃至２８Ｇのための記載を参照）に関して、本発明のプログラム（例えば、プログラム２８６０）に情報を供することができ、その結果、より高度な正確さをもって、そのタッチスクリーンに対する指の先端の通常の位置を推測することができる。
【０４８５】
図２８Ｅ乃至２８Ｇは、手２３０の指２３２上に装着された指に装着される装置２８７０、および指２３２が相互作用することができるタッチスクリーン２８８０の表面２８８２を示す（図の断面点から示されている）。表面２８８２は、ビジュアルが表示されることができ、そしてタッチスクリーンと相互作用するために触ることができるタッチスクリーンの任意の表面であり得る。タッチスクリーン２８８０は、タッチスクリーン２８５０と類似しており、表面２８８２に関して装置２８７０の配置および方向（または、両方に対する「位置」）は、タッチスクリーンによって検知することができる（例えば、図２８Ｃを参照、ここで、タッチスクリーン２８５０が、感知手段２８５４に結合されることによって装置２８４０の位置を検知することができる）。指２３２は、タッチスクリーン２８８０の表面２８８２にタッチしないで、しかしそれに近接した状態で（言い換えると、「その辺に位置して」）、図２８Ｅ乃至２８Ｇに示される。装置２８７２の位置を検知することに加えて、タッチスクリーン２８８０は、任意の与えられた時間にディスプレイ表面２８８２からの装置２８７０の通常の距離を検知することができる。前記距離は、当該技術分野において知られている任意の手法によって、例えば、装置におけるシグナルモジュレーター（または「トランスポンダー」）から返信される信号、または装置から反射される信号の強度を測定することによって、検知することができる。前記信号は、タッチスクリーン２８８０に、またはタッチスクリーンを含む装置に包含される任意の手法から起こり、または発生されることができる。例えば、装置２８７０は、タッチスクリーン２８８０によって（またはタッチスクリーンに結合された検出ユニットによって）検知することができる信号又はエネルギーを発することができ、ここで、その信号またはエネルギーは、ディスプレイ表面２８８２からの装置の距離に関する情報を得るために処理され得る。
【０４８６】
図２８Ｅ、２８Ｆ、および２８Ｇには、ぞれぞれ、距離２８７２ａ、２８７２ｂ、および２８７２ｃが示される。各距離は、各図における手２３０の各状態に従って、ディスプレイ表面２８８２からの装置２８７０の通常の距離である。距離２８７２ａ−ｃは、図において図の断面点から示唆されるように、表面２８８２まで垂直に測定され得る。（上記に続いて）指２３２の長さが分かっている場合（例えば、図の手２３０の配置に従って、指２３２の先端が近くにある通常の位置のために２８Eの位置２８７４として示される）、任意の指における表面２８８２に沿った指の先端の通常の位置を概算するために、単純な式（例えば、ピタゴラスの定理（直角三角形の斜辺の二乗は、他の二辺の二乗の和に等しい）を使用して）は、各距離２８７２ａ−ｃ、および指の長さを利用し得る。例えば、タッチスクリーン２８８０を含む装置のプログラムは、指２３２と表面２８８２との間に形成される「仮想の」三角形の近似（すなわち、計算の目的のための三角形）を見積もることができ（図２８Eにおいて破線で描かれた三角形）、一方、表面と装置２８７０との間の距離、および指の長さは、前記「仮想の」三角形の２辺である（指の長さは斜辺である）。従って、指２３２の先端が表面近くにあるとすると、前記プログラムは、（既知の、または得られた値、すなわち、指の長さと表面２８８２から装置２８７０までの距離から）前述の「仮想の」三角形の頂点（または「角」）の通常の位置を演繹することができ、指２３２の先端は、通常、その頂点に、またはその近くにある。前記頂点は、通常、図２８Eの表面２８８２上の位置２８７４に（またはその近くに）示される。上記は、タッチスクリーン２８８０に触るため（または特に、表面２８８２に触るために）、指２３２を必要とせず、さらに、指の先端がタッチスクリーンの表面近くにある方が好ましい。先端が表面に近ければ近いほど、先端の通常の位置の推測は、より正確（または、「精密」）になる。同様に、指がまっすくであればあるほど、前記推測は、より正確となる。同様に、指２３２の長さがより正確に分かればわかるほど、前記推測はより正確になる。
【０４８７】
（例えば、前述の「仮想の」三角形の頂点の通常の位置を演繹することによって）表面２８８２に沿って指２３２の先端の通常の位置を推測することは、上記のように、（指に装着された）装置２８７０の位置と方向（例えば、図２８Cにおいて、タッチスクリーン２８５０に対する装置２８４０の位置２８４２および方向２８４８を参照）を知ることを必要とし得、手２３０が、より高いレベルの正確さに達するために異なる状態である限り、表面２８８２からの装置２８７０の距離を知ることは、指２８８２の先端の通常の位置を推測することを容易にし得ることが明らかとされたことに注意されたい。指２３２の長さ、および装置２８７０の位置と方向のみを知ることは、指が表面２８８２の面に関して平行かつ真っ直ぐである場合、（図２８Cにおいて、装置２８４０は、指に装着されている間、手２３０、特に、指２３２が、タッチスクリーン２８５０に真っ直ぐ、かつ並行である（さもなければ、「その前で広げられている」）ことを示唆するように）指の先端の通常の位置を推測することを容易にし得る。
【０４８８】
上記に続いて、いくつかの実施形態において、オブジェクト（例えば、タッチスクリーン２８５０によって表示された図２８Cにおいて示されるようにカーソル２８５２）は、指２３２の先端の近く（またはさもなければ「先端に接した」）表面２８８２上に（例えば、図２８Eにおける位置２８７４に）表示され得、一方、指の先端は、前記オブジェクトが表示された表面に随意にタッチし得る。さらに、指２３２が動くと、装置２８７０は、ぞれぞれ、指と共に動き、指の先端の通常の位置を推測するための適切な値が、動き（すなわち、指の動き）の間の任意の所与の時間に分かる（例えば、リアルタイムで前もって示され、および／または検知される）という条件で、上述のオブジェクトも、それぞれ（すなわち、指と装置の動きに従って、または対応して）動くことができる。同様に、機能（例えば、上記のような「拡大する」機能）は、（前記の通常の位置でオブジェクトを追加的にまたは代替的に表示するために）指２３２の先端の上述の通常の位置に関連し得、よって、前記機能は、通常、前記の通常の位置の近くに（タッチスクリーン２８８０によって）表示され得る任意のオブジェクトまたはインターフェース要素上で実行され得る。
【０４８９】
図２８Fでは、手２３０は、図２８Eにおけるのとは異なる状態で示される。図２８Fでは、装置２８７０は、表面２８８２により接近して示される（すなわち距離２８７２ｂは、距離２８７２ａより短い）。両方の図（すなわち、図２８Ｆおよび２８Ｆ）においても、指２３２の先端は、表面近くにあり、よって、各図において、先端の位置は、（先端の通常の位置を推測する目的のために）各図と状態のために幾分正確に、異なる「仮想の」三角形の角として役立つ。図２８Dでは、装置２８７０と表面２８８２との間の距離に対応し得る（「仮想の」三角形の）辺（距離２９７２ｂ）は、図２８Eにおける（「仮想の」三角形の）相当する辺（距離２８７２ａ）より小さい。
【０４９０】
指に装着される装置を装着している指の先端の通常の位置を推測するための本明細書の記載は、ピタゴラスの定理と「仮想の」三角形を使用することをさし得るが、任意の方法が同じ結果のために使用され得ることが明らかであることに注意されたい。
【０４９１】
図２８Ｇにおいて特に示されるように、指は、直線として機能することがないので、指２３２は、少し曲り（「折りたたまれ」、または「丸くなり」、または「歪曲され」）、よって、指の先端の通常の位置を推測することは、（装置２８７０において角として機能する）指と表面２８８２との間に形成され得る「仮想の」三角形がないので、いくぶん誤差を有するものであり得る（または「不正確」なものであり得る）。しかし、指２３２をまっすぐにすることによって、指は、（指はまっすぐであると仮定することによって推測された）その先端の推測された通常の位置に達し、そして表面２８８２にタッチし得、そこでは、前記推測された通常の位置が、それらの表示されたインターフェース要素と相互作用するために、前記推測された通常の位置に関与する機能を始動する。従って、オブジェクトは、図２８Ｇにおいて表面２８２２上に表示されたオブジェクト２８７８に示されるように、指２３２の先端の近くではなく表面上に、「誤って」表示され得、その近くでは指の先端は、指が曲がっていない場合と考えられる。しかし、指は、真っ直ぐにすることによって、前記オブジェクト（例えば、オブジェクト２８７８）に依然として到達する（すなわち、その先端と接近及び／又はタッチする）ことができる。そのような場合、指は、好ましくは、ユーザによって調節され得（例えば、真っ直ぐにされ得）、その結果、指の先端が推定される一般的に表示されたオブジェクトのために上に記載されたように、その先端は、表面２８２２上に表示されたオブジェクトにより近づく（または「上に」または「前に」）。従って、図２８Ｇにおいて指２３２が真っ直ぐにされれば、手２３０は、通常動かないが、指の先端は、オブジェクト２８７８に達し得る。
【０４９２】
同様の場合において、図２８Ｈに示されるように、手２３０は、指２３２の先端がタッチスクリーン２８８０の表面２８８２の近くにないような状態および位置を有し得、随意に、先端は、表面を指していない（または、表面に向かって「方向付けられていない」）。従って、装置が指に装着された時、指の長さを知り、そして表面からの装置２８７０の距離を得ることによって、「仮想の」三角形（またはそれらの近似）を一つも形成することができない。しかし、装置２８７０を装着している指の先端の通常の位置を推測するプログラムは、手２３０の状態と表面２８８２からの指２３２の先端の距離を知らないで、そのような「仮想の」三角形（一辺として働く装置と表面との間の垂直距離から、および、斜辺として働く指の長さの値から、形成された、図において破線で描かれた三角形）をなお計算し得、または、指２３２の先端が、先端が表面の近くで、それに向いているならば、通常有りうるであろう位置を推測するために、例えば、前記位置が通常ある表面２８８２上のオブジェクトを表示するために、同じ計算方法を使用することができる。（表面近くに先端を有している指の先端の通常の位置が示唆するところである上述の「仮想の」三角形の一角が通常示されている、図２８Ｈのオブジェクト２８７６が示される）。このような場合、手２３０および／または指２３２の状態は、指２３２の先端が表面２８８０の近くにあるように調節され得、そして、先端が、通常、オブジェクト２８７６に（または近くに）配置されるか、さもなければ、オブジェクト２８７６に到達し得る。例えば、図２８Ｈの手２３０の状態から、ユーザは、手、特に指を、表面２８８２に対して傾けることができ、一方、指の先端は、オブジェクトとタッチすることによって、またはオブジェクトに近接させることによって、最終的にはオブジェクト２８７６と「接触する」ことができる。上記は、指２３２の先端が、タッチスクリーンの表面近くにない、および／または前記表面に向かっていない手２３０の状態のためである一方、タッチスクリーンと相互作用する間、指がタッチスクリーンのディスプレイ表面の近くにあるのが通常であることに注意されたい。
【０４９３】
図２８Ｉは、２８Ｅ乃至２８Ｈで示されるような「基節骨」部分に装着される代わりに、指２３２の「中間の指節骨」部分（すなわち「真ん中」部分）上に装着された装置２８７０を示す。指の「中間の指節骨」部分上に装置２８７０を装着することによって、指２３２の先端の通常の位置の予測は、本明細書に記載されるように、より正確となり得る。これは、指が曲がることにより生じ得る誤差の範囲がより小さくなり得るからである。例えば、そのような場合、（上記に従って、与えられた値から、どこに指の先端が通常あるかを推測する典型的な方法として）「末節骨」部分（すなわちその先端がある指の部分）と「中間の指節骨」の間の角度のみが、指の先端の通常の位置の推定のために利用された「仮想の」三角形を歪ませることができる。さらに、前記角度は、ほとんどの人々の中では、９０度未満でありえず、よって、誤差の範囲は、指の「基節骨」部分上に指に装着される装置を装着する代替と比較して、さらに少なくされる。さらに、指２３２とタッチスクリーン２８８０の間に形成された（破線によって図示された）「仮想の」三角形が、指の先端の通常の位置を推測するための「仮想の」三角形として、図２８Ｈに示される。そのような三角形は、それ自体、（ほとんどの人々で）平角から９０度以上でありえない指の先端が曲がることによってのみ歪められ得る。
【０４９４】
図２８Ｊは、装置２８４０（図２８Ｃを参照）に類似する装置２８４０’の実施形態を示し、そこで、タッチスクリーンによって、またはタッチスクリーンに繋がれた任意の感知手段によって感知されることなどによってインジケータ２８４４’および２８４６’は、タッチスクリーン２８５０’の表面からの垂直距離（各インジケータからタッチスクリーンまで破線の部分によって図示される距離）を示すことができる。例えば、インジケータの各々は無線ＩＤタグ（ＲＦＩＤ）回路を含んでもよく、それまでの距離が、ＲＦＩＤ読取り装置によって検知され得る（例えば、米国特許第７１１９７３８号参照）。
【０４９５】
垂直距離を表示することは、タッチスクリーン２８５０’の表面に沿って、または、表面に関して、インジケータの位置を示すことに加え、または代替され得る（すなわち、その表面に値が表示され、そして、入力を記録するために触ることができるが、その表面は、通常２次元パネルである）。各インジケータの垂直距離の値を得ることは、図２８Ｃにおける装置２８４０のインジケータ２８４４および２８４６のために述べられているように、タッチスクリーンの表面と平行な平面においてのみでなく、さらなる次元においても、（指２３２に装着された場合）装置２８４０’が向いている通常の方向の推定のためにさなれ得る。例えば、指２３２とタッチスクリーン２８５０’の表面との間に形成され得る「仮想の」三角形の角度は、各インジゲータは、前記仮想の三角形の直角三角形の斜辺に沿った点として動作するので、タッチスクリーンの表面からインジケータ２８４４およびインジケータ２８４６’の各々の垂直距離を処理することから計算することができる。
【０４９６】
上記に続いて、タッチスクリーン２８５０’の表面に関する装置２８４０’の通常の方向は、（タッチスクリーンにおいて通常であるように）タッチスクリーンの表面の二次元に関してのみでなく、表面の前の空間のさらなる次元においても、（例えば、上記のような「仮想の」三角形を計算することにより得られ得る）分かり得る。さらに、従って、（装置２８４０を装着し、タッチスクリーン２８５０と相互作用する代わりに）指が装置２８４０’を装着している場合（タッチスクリーンの表面に対する装置の方向は、その表面の二次元に対応する二次元でのみ知られ得る）、タッチスクリーン２８５０’に（および特にその表面に）対する指２３２の先端の通常の位置の推測は、より正確であり得る。
【０４９７】
図２８Ｊには、指２３２の先端が通常あるタッチスクリーン２８５０’によって表示されたカーソる２８５２を示す（一方、指はカーソルを随意に指していてもよい）。カーソルの表示は、上記の任意の方法によって容易になされ得る。
【０４９８】
図２８Ｋは、２つのインジケータ（図に示されたインジケータ２８９４および２８９６）を含むことにより、装置２８４０’に類似した装置２８９０として指に装着される装置の別の実施形態を示す。装置２８９０は、手２３０の指２３２上に装着して示され、一方、指は、（指の長さに対応する部分として図示された）長さ２３８と破線の矢印として図示された方向を有して示される。随意に、手２３０は、当該技術分野で公知のジェスチャー認識システムのための入力としてジェスチャーをするために、または、入力を記録するためにビジュアルを感知（またはキャプチャー）することができる任意のシステムで使用されている（例えば、図２１Ａおよび２１Ｂにおけるシステム２１００を参照）。従って、インジケータ２８９４および２８９６は、指の通常の位置に加えて、手によって行なわれたジェスチャーを認識するのために、手２３０の画像を既にキャプチャーしているシステムのような、ビジュアルを感知し処理することができるシステムに対する（上記のような）任意の与えられた時間での指２３２の方向を示すために、視覚的なインジケータであり得る。上記に続いて、指２３２の長さ（すなわち図２８Ｋに示される長さ２３８）を知ることによって、例えばプログラム２８６０に前もって与えられた長さの値によって、または、例えば手２３０の取り込まれたイメージから長さを計算することによって、システム（ビジュアルを感知するシステムかまたは他のシステム）は、指の先端の位置を推測し得る。これは、他のビジュアル（すなわち、インジケータ２８９４および２８９６からの視覚的なインジケータ以外のビジュアル）を感知することが、制限または妨害されている場合、暗い環境など、またはさもなければ、わずがな光しか当たっていない状態下などで、有益でありうる。類似の場合において、本発明の指に装着される装置は、（その上に装着されている）指及び/又は手を照らすための発光源を含んでもよい。指及び/又は手を照らすことは、手及び/又は指ジェスチャーを入力するために、ビジュアル認識システムによって行なわれた感知のように、前記指及び/又は手を感知することを容易にする。前記指に装着される装置内に配置された発光ダイオード（ＬＥＤ）などの指に装着される装置の発光源は、指及び/又は手を照らすことができるように、感知されるように意図される指及び/又は手の方へ向けられ得る。本発明の指に装着される装置は、前記指に装着される装置が装着される指及び/又は手を照らすための発光源を含んでもよいことに注意されたい。従って、本発明の指に装着される装置は、発光源を含んでもよく、それによって、（前記発光源の利用によって）前記指に装着される装置が装着された指及び/又は手を照らし、前記指及び/又は手を光学的に感知することが容易にされ得る、ということが明確にされる。
【０４９９】
幾つかの実施形態において、指２３２の場所及び/又は方向を（自分の場所を示すことによって）示すことに加えて、インジケータ２８９４および２８９６は、装置２８９０の状態を示し得る。例えば、インジケータによって発せられた光の強さは、（光検出子からのそれらの場所、位置及び/又は距離を得るために）それらを識別することを容易にし得るが、一方、前記光の色は、装置の状態の間で変わるために装置の制御装置を操作するように、装置２８９０が役立つことを示し得る。
【０５００】
図２８Ｋには、インジケータ２８９４’および２８９６’を含む装置２８９２および２８９８をさらにそれぞれ示す。装置は、手２３０のいわゆる薬指上に装着されて示される。インジケータはそれぞれ各装置に含まれ、指２３２の方向および随意に位置を示す、装置２８９０のインジケータ２８９４および２８９６用として記載されたのと同様に、両方は、前記薬指の位置及び/又は方向を示すための１組のインジケータとして働く。前記薬指の通常の方向は、（インジケータが、その間を唯一のラインが通過することができる２点と見なされる場合に）、インジケータの間を通過することができる唯一のラインを示唆して、薬指と交差する破線によって図示される。従って、インジケータ２８９３および２８９８の位置およびインジケータの位置は、識別できるように（すなわち、検知することができる程度に異なって）提供され、（指が一般に直線の位置にあると仮定して）薬指の方向を推定することを容易にするために、インジケータによって示され得る。
【０５０１】
図２９Ａは、いわゆる「マルチタッチ型」タッチスクリーン装置（すなわち、特に視覚的な出力を表示する表面で多種多様なタッチの例を同時に検知することができる）と呼ばれ得るタッチスクリーン２９２０と相互作用する手２３０を示す。本明細書に記載されているものについては、タッチスクリーン２９２０は、「マルチタッチ型」のタッチスクリーンを含む装置のことをさし得ることが明確にされる。
【０５０２】
図２９Ａでは、手２３０の指２３２は、（図で破線の円によって図示された）位置２９１２でタッチスクリーンにタッチしているものが示される。どの方向からユーザ（すなわち手２３０のユーザ）がタッチスクリーンと相互作用しているかが分かっており、手２３０の測定もまた分かっており（例えば、手の測定を得るためのプログラム、すなわちプログラム２８６０、のための図２８Dを参照）、手２３０の指のどれがタッチスクリーンに触れているか分かっているならば、手２３０の親指２３４が通常どこにあるかの近似が推測され得る。従って、オブジェクトは、ほぼ親指２３４があるところに、表示され得（例えば図でタッチスクリーンに表示されて示されるオブジェクト２９２２ａ-ｃ）、特に、手２３０の親指２３４が、それらのいずれかに達することができ、そしてそれらが表示されたタッチスクリーンにタッチすることができるように表示され、一方、指２３２は、位置2912でタッチスクリーンにまだタッチしている。同様に、手２３０の指２３６がどこに一般にあるかの近似は推測され得る。さらに、従って、オブジェクト２９２６ａ-ｃは、指２３２が同じ位置のままにある（そして、タッチスクリーンにタッチしている）間に、（手２３０の中指として示される）指２３６が、それらのいずれかに随意に達することができる場所でタッチスクリーン２９２０上に表示されて得る。従って、親指２３４は、タッチスクリーンから指２３２を取り除くことなく（すなわち、指が、位置２９１２でタッチスクリーン２９２０にタッチするのをやめることなく）、オブジェクト２９２２ａ-ｃの何れかが表示されるタッチスクリーンにタッチすることができ、及び/又は指２３６は、オブジェクト２９２６ａ-ｃの何れかがタッチスクリーンにタッチすることができる。例えば、タッチスクリーンと相互作用する手の測定および形を知ることなく、指の先端２３２と親指２３４の先端との間の最大の距離（すなわち、手２３０が可能な限り遠くに伸ばされる場合の先端の間の最も遠い距離）は、推定され得、一方、（どの方向から手２３０がタッチスクリーンと相互作用するかを知ることによって（例えば、図２９Aに示されるように方向２９３８））、親指２３４が、指２３２に対してどの方向から位置されるかをさらに推定することによって、オブジェクト２９２２ａ−ｃを、（タッチスクリーンと相互作用する手２３０の方向を知ることによって推測されるように）上述の最大の距離より小さく、そして親指２３４の方向にある（指２３２がタッチしている）位置２９１２から任意の距離に表示することは、親指がオブジェクトの何れかに達するのを容易にすることができる。別の例において、タッチスクリーン２９２０は、（「マルチタッチ型」のタッチスクリーン装置を含むことを提案された）ポータブル・ゲームコンソールまたは携帯電話であり得、それはユーザの（手２３０以外の）手によって一定の位置に保持され得、その結果、（前記ユーザの）手２３０は、タッチスクリーンの側面２９２０ａ（タッチスクリーン２９２０の４つの側面の２９２０ａ-ｄのうちの１つとして図２９Ａに示される側面２９２０ａ）からタッチスクリーンに接近し得る。それは、タッチスクリーンが別の手によって前述の一定の位置で保持される場合に、手２３０が側面２９２０ａからタッチスクリーン２９２０と相互作用するのに最も都合がよくあり得る。
【０５０３】
（「マルチタッチ型」の特徴を有する）タッチスクリーンと相互作用する手のサイズ、測定及び/又は形（またはそれらの値）、および望ましい方向（またはその値）は、図２８Ｄのために記載されたことに従って、例えば、ユーザによってタッチスクリーンのプログラムに供されて、事前にプログラムされて得ることが明確にされることに注意されたい。さらに、または、代替的に、上で特定された値（すなわち測定および形および状態および接近する好ましい方向）のいくつかまたはすべては、当該技術分野で公知の任意の手段によって検知され得る。手について関連情報を知ることによって、前記手の指の通常の位置の推測する（または近似する）こと、または前記指によって達することができるタッチスクリーン上（または特にその表面上）の位置を推測することは、手の特定の指が前記タッチスクリーンにタッチしている場合、どの指がタッチスクリーンとタッチしている前記特定の指であるか分かれば、容易である。
【０５０４】
上記に続いて、いくつかの場合において、手２３０のサイズおよび形、手２３０がタッチスクリーン２９２０に近づき、そして相互作用する方向（例えば、随意にタッチスクリーンが保持または配置される位置を知ることによって推測される側面１０２０ａ）、および手の指（例えば、図２９Ａに示されるような指２３２）がタッチスクリーンと相互作用する方向は、親指２３４の通常の位置の推測をより高い精度（「精密」ともいう）とするために、（例えば、プログラム２８６０を使用することによって、図２８Ｄを参照）前もってタッチスクリーンに、または、そのインターフェースに提供され得る。親指２３４の前記通常の位置を推測することは、従って、前記のより高い精度に達するために、手２３０の測定の値、および手に関する任意の他の情報（例えば、相互作用の状態およびより好ましい方向）を利用することができる。前記近似は、親指が位置する場所の近くで、タッチスクリーン２９２０上にオブジェクト２９２２ａ−ｃを表示することを容易にし得、（オブジェクトがタッチスクリーンによって表示されるように）親指はオブジェクトに達し、タッチすることができる。
【０５０５】
いくつかの実施形態において、タッチスクリーン２９２０は、当該技術分野において公知のように、（例えばジャイロスコープの利用によって）タッチスクリーンが保持される位置を感知するための手段を含み得る。例えば、タッチスクリーン２９２０は、それが（タッチスクリーンを保持するユーザに対するタッチスクリーンの方向及び/又は傾きを特に検知するように）保持され、または配置される位置を検知するジャイロスコープを含み得、その結果、（タッチスクリーンは、通常、それらと相互作用するユーザに最も近い側面から相互作用されるので）タッチスクリーンは、手２３０によって相互作用される（「または接近される」）方向は、推定され得る。
指２３２のタッチの位置を検知することによって、そして相互作用の方向（すなわち、タッチスクリーンの位置の検知から得られるように、タッチスクリーンが相互作用する前述の方向）を知ることによって、そして、手２３０の測定（またはその値）を知ることによって、タッチスクリーン２９２０は、（タッチスクリーンが指２３２によってタッチしている間）指２３６の通常の位置を推定することができ、そして、指２３６が近似される場所の近くにオブジェクト２９２６ａ−ｃを表示することができ、その結果、指２３６は、オブジェクトが通常表示される場合、オブジェクトのいずれかに近づきそしてタッチすることができる。
【０５０６】
タッチスクリーンにタッチする指以外の指（例えば、図２９Ａのために記載される親指２３４および指２３６）の位置の近似は、正確（または「精密」）でないかもしれないが、ユーザは、相互作用する手（例えば、図２９Ａの手２３０）の位置、及び/又は前記タッチスクリーンにタッチしない相互作用する手の指の位置を調節することができ、その結果、これらの指は、これらの指が近づく場所の近くのタッチスクリーン上に表示されるオブジェクトに達することができる。そのような調節は、手および指の少なくとも一つの位置において、タッチスクリーンにタッチしていない指は、前述のオブジェクトに達することができるから、タッチスクリーン上のそのタッチする位置から移動するのに、タッチしている指（すなわち、タッチスクリーンにタッチする指）を必要としない。
【０５０７】
いくつかの場合において、「到達可能な」オブジェクト（すなわち、オブジェクトが前記タッチスクリーンと相互作用する手の指によって達することができるようにタッチスクリーン上に表示されたオブジェクト、ここで、特に、前記手の一本の指がタッチスクリーンに触れている）の表示が、前記タッチスクリーンと相互作用する手の測定または形を知ることを必要としなくてもよい。しかしながら、手が接近し、または前記タッチスクリーンと相互作用する方向を知ることは好ましい。（親指以外の）互いに隣接した指の先端が、前記隣接した何れかの曲った指を伸ばすことによって、互いに近接して位置し得ることは周知である。隣接した指のうちの１つの先端は、同じ場所でのままであってもよく、一方で、他の指の先端は、（他の指を曲げること、または伸ばすことよって）隣接した指のうちの１つの前述の先端に（すなわち同じ場所に留まる先端に）隣接している位置に移動されていてもよい。従って上記に続いて、手の１本の指によって触れられ、その結果、前記オブジェクトが前記１本の指以外の指の先端に届くような、タッチスクリーン上にオブジェクトを表示することは、１本の指が前記タッチスクリーンにタッチする位置を検知することによって、および、前記手が、前記タッチスクリーンに関して位置する方向を知ることによって、容易になされ得る。前述のオブジェクトは、前記１本の指が前記タッチスクリーンにタッチする位置に隣接して表示される。手のどの指がタッチスクリーンにタッチするかを知るべきであることに注意されたい。ユーザがタッチをどちらの手（すなわち、左手か右手か）によって行うかも知らなくてはならない。例えば、図２９Ａに示されるように、指２３２は、位置２９１２でタッチスクリーン２９２０とタッチし得、一方、指２３２がインデックスフィンガーであることが分かっている場合、および手２３０が方向２９３８からタッチスクリーンに関して配置されていることが分かっている場合、オブジェクト２９２６ａ−ｃは、位置２９１２に近接して表示され得、その結果、指２３６は、手２３０の中指であるが、オブジェクトに達することができる。手２３０は、図２９Ａで左手として示されるので、そして、指２３６は、手２３０の中指であるので、オブジェクトは、位置の左側に表示され得、その結果、手２３０は左手であるならば、指２３６の先端は、（図２９Ａおよび図２９Ｂにおいて、他の図において必ずしもそうではないが）通常、指２３２の先端の左側にあると推定され得る。他の例として、図２９Ｂに示されるように、指２３６は、位置２９１６でタッチスクリーン２９２０とタッチし得、一方、タッチする指（すなわち、指２３６）が中指であることが分かっている場合、および手２３０が左手であること（図２９Ａおよび２９Ｂのみを参照）、および手２３０が方向２３８からタッチスクリーンに接近することが分かっている場合、オブジェクト２９２８ａ−ｃは、位置２９１６の右側に表示され得、（図２９Ｂに示されるように）位置２９１６に通常近接しており、その結果、オブジェクトは、指２３２の先端によって達することができる。
【０５０８】
図２８Ａのために上記したことは、相互作用といわれる、（またはインデックスフィンガー（すなわち手２３０の指２３２）のタッチによって始動される）が、記載されたことは、（その指によってタッチスクリーン上にタッチすることによって、および検知されている前記タッチによって）ユーザがそのような相互作用を始動する指が分かっているならば、任意の他の指によって始動された任意の相互作用をさし得ることは明らかであることに注意されたい。そのような相互作用においては、手の特定の指が相互作用を始動するためのタッチスクリーンを最初にタッチし、一方、オブジェクトは、前記手の他の指に特に達するタッチスクリーンによって結果的に表示され得る。例えば、本発明の方法の相互作用は、タッチスクリーン２９２０上の指２３２のタッチによって始動され得、そこでは、オブジェクト２９２２ａ−ｃおよびオブジェクト２９２６ａ−ｃを表示することがその後なされ、その結果、親指２３４および指２３６は、それぞれ、オブジェクト１０２２ａ−ｃおよび１０２６ａ−ｃのいずれかが表示されるタッチスクリーンにタッチされ得る。上記に続いて、ユーザは、どの指でそのような相互作用を始動すべきかを通知する（例えば、タッチスクリーンのプログラムに情報を提供する）ことができ、その結果、前期ユーザはそのような相互作用を始動する指を使うことができる。従って、指の任意の組み合わせ、ここでは、一本の指が、任意の他の指が通常位置する（さもなければ、「任意の他の指に通常達している」）場所の近くのタッチスクリーン上にオブジェクトを表示するために、タッチスクリーンにタッチするが、その組み合わせは、本発明によって容易になされる。
【０５０９】
さらに、いくつかの場合において、ユーザは、オブジェクトが、タッチスクリーンによって検知されるタッチがある位置に隣接したそのタッチスクリーン上に表示されるであろう好ましい方向を提供することができることに注意されたい。そのような場合において、タッチスクリーンと相互作用する手の方向が分かることは必要とされておらず、ユーザのどちらの手が前記手であるか（すなわち、左手かまたは右手か）を知ることは必要とされておらず、そして、タッチが検知されるタッチスクリーンにどの指がタッチするのかを知ることが必要とされていない。そのような情報は、（タッチスクリーンによって、またはそのインターフェースあるいはそのプログラムによって、またはタッチスクリーンを含む装置によって知らされるのと対照的に）、上述のユーザに知らされることができ、その結果、好ましい方向を（例えば、プログラム２８６０（図２８Dを参照）と類似するプログラム）に供することで、前記ユーザは、前記ユーザがタッチしている一本の指の位置に隣接して表示されたオブジェクトに達するのを容易にするために、（意識的に、または無意識に）適切な計算を行っている。
【０５１０】
上記に続いて、ユーザは、指でタッチスクリーン２９２０にタッチした後、タッチスクリーンに最初にタッチした指を除くことなくそれを他の指でタッチすることによって、タッチスクリーンと相互作用し得る。特に図２９Aに示すように、オブジェクト２９２２ａ−ｃは、親指２３４の「動きの自由度」に沿って（すなわち、親指のその「動きの自由度」に従って可能な動きとして図示された湾曲した破線の矢印で示された、指２３２がタッチ位置２９１２にある間に親指が自由に動くことができる領域に従って）、通常「湾曲した」ツールバーまたは通常「湾曲した」オプションメニューを形成し得、その結果、親指は、（それぞれ、上述の「歪曲した」ツールバーまたは「歪曲した」オプションメニューから）ツールを選択するためにまたはオプションの選択のために、任意のオブジェクト上のタッチスクリーンとタッチすることができる。特定のツールまたはオプションを選ぶことが指２３２がタッチスクリーン２９２０にタッチしている場所（すなわち、位置２９１２）を表示するインターフェース要素上で特定の機能を行うためである場合、前記ツールまたはオプションは、タッチスクリーンにタッチしている指２３２からのタッチ入力と関連し得る。同様に、指２３６は、任意のオブジェクト２９２６ａ−ｃ上でタッチスクリーンとタッチするために少し曲がったり、または少し伸びたりすることがあり得、オブジェクトは、指２３６に達して表示されている（図２９Ａに示されるように、指２３６は、オブジェクト２９２６ａとその先端でタッチするために少し曲がらなくてはならず、そしてオブジェクト２９２６ｃとその先端でタッチするために少し伸ばさなければならない）。
【０５１１】
図２９Ｂは、タッチスクリーン２９２０とタッチスクリーンと相互作用している手２３０を示す。特に、指２３６は位置２９１６でタッチスクリーンにタッチして示される。いくつかの場合、タッチスクリーン２９２０のプログラムに対して、指２３６は図２９Ａのために記されたのと同様なタッチ相互作用を始動することが知られている。従って、タッチスクリーンにタッチすることによって、タッチが指２３６によってなされたことが前記プログラムによって「確信され」ることができ、その結果、前記プログラムは、手２３０の他の指に達したオブジェクトを表示させ得る。図２９Ｂにおいて、位置２９１６での指２３６のタッチは、図２９Ａのために上記されたことに従って、（指２３６が位置２９１６でタッチスクリーンにタッチする場合）通常親指２３４がほぼ位置する場所にオブジェクト２９３２を表示させ得る。オブジェクト２９３２は、再配置フレーム２９３４によって囲まれて図２９Ｂに示される。再配置フレーム２９３４が表示される場所で親指２３４でタッチスクリーン２９２０にタッチし、その後、タッチスクリーン上でそのタッチを「ドラッグ」によって、再配置、およびそれぞれそれと共にオブジェクト２９３４は、別の位置へ（特に「ドラッグ」がなされた場所へ）タッチスクリーン上を移転することができ、その結果、親指はオブジェクトと相互作用する（特に、オブジェクトが前記「ドラッグ」後に表示された場所でタッチスクリーン２９２０とタッチする）ことができる。例えば、親指２３４は、例えば、タッチスクリーンの表面と再配置フレームが表示される場所でタッチするように少し動くかまたは曲がることによって再配置フレームの表示がなされた場所でタッチスクリーンとタッチすることができる（結果として、指２３６によって位置２９１６でタッチスクリーンとタッチし）、その後、親指は、オブジェクト２９３２を再配置するためにタッチスクリーンにタッチしている間、（通常の「タップ・アンド・ドラッグ」操作と同様に）それ自身をドラッグすることができる。これは、オブジェクト２９３２がより便利に親指にアクセスできるように行われ得る。このことは、親指２３４の大体の通常の位置が（指２３６のタッチの位置を検知することによって）正確でなく、そして（指２３６のタッチ後になされる）オブジェクトの表示が親指によって達せられ得ないならば、または（それが表示される場所でタッチスクリーンとタッチすることによって）親指がそれと相互作用するのが不便であるならば、有益である。従って、親指は、指２３６が位置２９１６でタッチスクリーンとまだタッチしている間、再配置フレームとタッチしそしてオブジェクトを表示することを調節する（または「再配置する」）ために再配置フレームをドラッグする。
【０５１２】
いくつかの実施形態において、図２９Ａおよび図２９Ｂのために上述されたような相互作用（または方法）は、指のタッチより他のタッチ作用によって始動され得る。例えば、親指２３４が、指２３２と２３６自身が一緒に（お互いを）押している間にタッチスクリーンに同時にタッチしている指２３２と２３６の両方によって通常なされ得るタッチスクリーン２９２０上の場所にオブジェクト２９３２の表示をダイアログ表示することがなされ得る。そのような場合において、タッチスクリーンによって検知される指２３２または指２３６の各タッチは、オブジェクト２９３２の表示をなす以外の異なるインターフェースリアクション（または「インターフェースイベント」）をなし得る。これは、タッチスクリーンは、一つの指のタッチと複数の指のタッチとの間の違いを同時に区別し得るので、タッチスクリーン２９２０の「マルチタッチ型」特性によって容易になされ得る。別の例として、オブジェクト２９２６ａ−ｃ（図２９Ａを参照）は、タッチスクリーン上の指２３２の「ダブルクリック」、および「ダブルクリック」操作の第2のクリックを維持することによって（すなわち、指２３２が２回目にタッチスクリーンにタッチした後、タッチスクリーンから指を動かさない（これは、ときどき、通常、ワンアンドハーフクリックと言われる））、通常指２３６の近くのタッチスクリーン上（すなわち、指が位置する、および／または達することができると推測される場所）に表示され得る。
【０５１３】
図３０Ａおよび３０Ｂは、ヒトの指のタッチおよび／又は接近（すなわち、タッチスクリーンの表面３００２に沿った位置に対するヒトの指のタッチおよび／または接近の位置）を感知することができる（断面図からの）タッチスクリーン３０００を示す。図３０Ａおよび３０Ｂには、タッチスクリーン３０００の表面３００２上に表示されたオブジェクト３００４が示される。オブジェクト３００４は、デフォルトの状態３００６ａを有し、図３０Ａに示されるように、オブジェクト３００４は、デフォルトの状態３００６ａにある。
【０５１４】
ビジュアルが表示される表面へのタッチおよびまたは接近を感知することができるタッチスクリーンは当該技術分野において公知であることに注意されたい。
【０５１５】
いくつかの実施形態において、タッチスクリーン３０００がオブジェクト３００４に対する指２３２の（特に指の先端の）接近（すなわち、オブジェクトが表示される表面３００２に沿った位置への接近）を感知した場合、図３０Ｂに示されるように、指２３２は、オブジェクトが状態３００６ｂにある間、オブジェクト３００４へ接近しており、オブジェクトは、デフォルトの状態３００６ａと異なる状態３００６ｂに変化し得る。例えば、デフォルトの状態３００６ａは、オブジェクト３００４の最初のサイズであり得、一方、状態３００６ｂは、オブジェクトの（図においてより大きなサイズが示される）第２のサイズであり得る。従って、（必ずしもディスプレイ表面にタッチすることなく）指２３２を表面３００２に沿って動かすことによって、オブジェクト３００４のサイズは、（前記のように、拡大されるなど）変化し得る。
【０５１６】
同様の相互作用は、指に装着される装置を装着している指の先端の通常の位置を推測するために上記されたのと同様に、指の先端の接近を感知する代わりに、指２３２の先端の通常の位置を推測することによって容易になされ得ることに注意されたい（図２８Ｃ乃至２８Ｊを参照）。さらに、他の相互作用、特に、先端の接近が感知された位置に関連する相互作用は、指の先端の接近を感知することによって容易になされ得ることに注意されたい。
【０５１７】
いくつかの実施形態において、指に装着される装置を装着している指の先端が通常推測される場所にオブジェクトを表示するために上記されたのと同様に（図２８Ｃ乃至２８Ｊを参照）、タッチスクリーンの表面に沿った位置への指（または、特に、指の先端）の接近を検知することによって、前記位置でオブジェクトを表示することは容易になり得る。
【０５１８】
指、および特に指に装着される装置を装着している指の先端、の位置を推測または近似するために上記されたことは、通常大きなインターフェース要素を含むインターフェースと相互作用する場合（そのような場合、正確性は必要とされず、そして通常の推測又は近似がそのようなインターフェースには十分であり得る）、有用であり得ることに注意されたい。
【０５１９】
図３１Ａは、図２８Ａ乃至２８Ｊのために記された後の、本発明の方法３１００のフローチャートを示す。
【０５２０】
特定の工程において「得る（obtaining）」ために以下に示されることは、（各工程のために記されることに従って）前記特定の工程の各々に関連のある情報を得ること、または各工程で得られるであろう内容を知ることを容易にすることをいうことがあることに注意されたい。または、「得る（obtaining）」は、各工程に関連情報に対応する入力を記録することを言うことがある。
【０５２１】
さらに、特定の工程において指に装着される装置のための方法３１００に対して記載されたことは、前記特定の工程のすべてにおいて同じ指に装着される装置のことを指し得ることに注意されたい。同様に、特定の工程においてタッチスクリーンのための方法３１００に対して記載されたことは、前記特定の工程の全てにおいて同じタッチスクリーンのことを言い得る。
【０５２２】
いくつかの方法において、工程３１０２で、手の測定、または特に指に装着される装置を装着している指の測定が得られ得る。または、工程３１０２で、手、または特に指に装着される装置を装着している前記指の次元に関する値（または「測定情報」）を含むまたは対応する入力が記録され得る。例えば、前記指に装着される装置を装着している前記指の長さ（または「長さに関する情報」）がプログラムに供され得るか（例えば、図２８Ｄのプログラム２８６０を参照）、または任意の感知手段によって測定され得る。
【０５２３】
いくつかの方法において、工程３１０４で、工程３１０２のために述べられた指に装着される装置の位置は、タッチスクリーンに関して（または「前記タッチスクリーンの表面に平行な表面平面に沿って」）、得られ得る。または、特に前記タッチスクリーンに関して、指に装着される装置の位置を含むまたは対応する入力は、工程３１０４で記録され得る。
【０５２４】
いくつかの方法において、工程３１０６で、工程３１０２のために述べられた指に装着される装置の方向は、タッチスクリーンに関して、得られ得る。または、特に前記タッチスクリーンに関して、指に装着される装置の方向を含むまたは対応する入力は、工程３１０６で記録され得る。指に装着される装置のいくつかの実施形態において（例えば、図３８Ｃの指に装着される装置２８４０を参照）、方向とは、前記タッチスクリーンの表面に平行な平面での方向を言うことがあり、一方、指に装着される装置の他の実施形態において、方向とは、前記タッチスクリーンの正面の３次元空間での方向を言うことがあることに注意されたい（図２８Ｊでの指に装着される装置２８４０’を参照）。
【０５２５】
いくつかの方法において、工程３１０８で、工程３１０２のために述べられた指に装着される装置の距離は、タッチスクリーンに関して（または「前記タッチスクリーンの表面から」）、得られ得る。または、前記タッチスクリーンの表面からの指に装着される装置の距離を含むまたは対応する入力は、工程３１０８で記録され得る。
【０５２６】
いくつかの方法において、工程３１１０で、工程３１０２のために述べられた（そして工程３１０４、３１０６、および３１０８のために述べられたのと同じ指に装着される装置（finger-word device）であり得る）指に装着される装置を装着している指の先端の通常の位置が推定され得る。前記指の先端の通常の位置を推測することは、工程３１０４、３１０６、および３１０８の任意の工程からの結果によって容易になされ得る。例えば、前記指の長さを得ることによって（工程３１０２）、タッチスクリーンに沿った指に装着される装置の位置、前記タッチスクリーンに関する指に装着される装置の方向、および／または前記タッチスクリーンからの指に装着される装置の距離は、前記指の先端が通常位置する場所を大体推測することを容易にし得る。
【０５２７】
いくつかの方法において、工程３１１２で、オブジェクト（またはその複数）は、（工程３１１０のために述べられた）先端の通常の位置に対応する前述のタッチスクリーン上の位置に表示され得る。随意に、前記オブジェクトが表示され得る前記位置は、先端があると推測される場所に最も近い（すなわち、工程３１１０で推測されるように先端の通常の位置に最も近い）タッチスクリーン上の位置であり得る。前記オブジェクトは、タッチスクリーンによって表示されるインターフェース上に表示され得、一方、前記オブジェクトは、タッチスクリーン上の前記位置に関連し、または、前記インターフェースでの対応する位置に関し得るインターフェース要素を表し得る。
【０５２８】
いくつかの方法において、工程３１１４で、工程３１１２のために述べられたオブジェクトは、（工程３１０６で得られたような）指に装着される装置の方向に対応する方向づけを受け得る。言い換えると、オブジェクトは、指に装着される装置の方向に関連する、または指に装着される装置の方向に相関する任意の方向に向けられ得る。例えば、オブジェクトは、指に装着される装置の方向と反対の方向に向けられている間タッチスクリーン上に表示されることが望ましいことがあり、その場合、指に装着される装置の方向は、オブジェクトに反対の方向付けを供するように処理され得る。
【０５２９】
いくつかの方法において、工程３１１６で、機能は、工程３１１２のために述べられたインターフェースにおける位置において（in）（または「で（at）」、または「上で（on）」）なされ得、一方、前記位置は、（工程３１１２のために記載されたように）指に装着される装置を装着している指の先端があるであろうと推測され、および／または工程３１１０で推測されるように先端の通常の位置に対応し得る、タッチスクリーン上の最も近い位置に対応し得る。さらに、または代わりに、機能は、インターフェースにおける（タッチスクリーン上の前述の最も近い位置に、および／または工程３１１０で推定されたような先端の通常の位置に対応し得る）前記位置に表示されるオブジェクト（またはその複数）上でなされ得る。
【０５３０】
図３１Ｂは、図２９Ａおよび２９Ｂのため、および図３０Ａおよび３０Ｂのために記載された後の、本発明の方法３１２０のフローチャートを示す。
【０５３１】
方法３１００のために記載されたのと同様に、「得る（obtaining）」とは、各工程のための関連情報を得ること、または各工程で得られるために記載された内容を知るのを容易にすることをさすことがあるということに注意されたい。
【０５３２】
さらに、方法３１００のために記載されるのと同様に、方法３１２０の特定の工程において手について述べることは、同じ手について言うことがあり、一方、方法３１２０の特定の工程においてタッチスクリーンについて述べることは、同じタッチスクリーンについて言うことがあることに注意されたい。
【０５３３】
いくつかの方法において、工程３１２２で、手の測定（または、「測定情報」または「次元に関する値」）を得ることができる。
【０５３４】
いくつかの方法において、工程３１２４で、工程３１２２のために述べられた手の通常の方向、特にタッチスクリーンに対する通常の方向を得ることができる。
【０５３５】
いくつかの方法において、工程３１２６で、（工程３１２２のために述べられた手が属する）ユーザの利き手が得られ得る。または、工程３１２６で、ユーザのどちらの手（すなわち、右手か左手か）がタッチスクリーンと相互作用するために意図されまたは好ましいかを知ることが容易になされ得る。
【０５３６】
いくつかの方法において、工程３１２８で、工程３１３４のために記載された表示を始動するためにどちらの指が好ましいかまたは意図されるかについての情報（以下を参照）が得られ得る。言い換えると、工程３１２８で、前の工程のために述べられた手のどの指が表示を始動するために意図されまたは好ましいかを知ることが容易にされ得る（工程３１３４を参照）。
【０５３７】
いくつかの方法において、工程３１３０で、タッチスクリーンの位置（その上に工程３１３４のために記載された表示がなされ得る）が、得られ得る。前記位置は、（例えば、地面に対して）絶対的であり得、または前の工程のために述べられた手に相関し得る。
【０５３８】
いくつかの方法において、工程３１３２で、タッチスクリーンがタッチする位置、これは前の工程のために述べられている、が検知され得る。
【０５３９】
いくつかの方法において、工程３１２２、３１２４、３１２６、３１２８および３１３０の任意の工程で得られる情報、および工程３１３２で検知された情報は、（前の工程で述べられた）手の（工程３１３２で検知された位置でタッチスクリーンにタッチしている指以外の）指が達する（前の工程のために述べられた）タッチスクリーン上に位置を近似させるために、工程３１３４で処理され得る。
【０５４０】
いくつかの方法において、工程３１３４に続いて、および／または工程３１３４を行うことによって容易にされて、タッチスクリーンにタッチしている指以外の（前の工程のために述べられた）手の指に達する（前の工程のために述べられた）タッチスクリーンのインターフェース要素を表示することがなされ得、その結果、手の前記指は、工程３１３４で禁止された位置でタッチスクリーンに達し、タッチし得る。
【０５４１】
タッチスクリーンと相互作用するために本明細書に記載されることは、同様に、例えば、ジェスチャーを指摘することでタッチ入力を行うことによって、（例えば、図９Aでインターフェース要素９０９Aに向かってポインティングジェスチャーを行っている手２３０、または特に指２３２を参照）（好ましくは、表示に結合する、または表示を含む）ジェスチャー認識システムと相互作用することを記載し得ることが明らかとされるということに注意されたい。例えば、タッチスクリーン上で指のタッチの位置を検知するために記載されることは、ディスプレイによって表示されるインターフェースにおいて、どこにポインティングジェスチャーが向けられているか、特に、どのインターフェース要素が前記ポインティングジェスチャーに向けられているかを得る（例えば、認識の間に推測する）ことによってなされ得る。
【０５４２】
さらに、ジェスチャー認識システムと相互作用するために本明細書に記載されることは、同様に、例えば、指がタッチしていることを検知されるタッチスクリーン上の位置と共に、ポインティングジェスチャーが（好ましくはインターフェースを表示するスクリーンに対して）向けられる方向を供することによって、タッチスクリーンと相互作用することを記載し得ることが明らかにされるということに注意されたい。
【０５４３】
さらに、本発明の指に装着される装置は、本明細書に記載されるように、特に、本明細書に記載の特性または結果のために、それらの操作のために必要な任意の構成要素または要素（これは、本明細書に特に述べられることがないかもしれないが）、を含み得ることが明らかにされることに注意されたい。例えば、本明細書に記載のいくつかの指に装着される装置は、そのような装置の電気的な構成要素に対して電力を供給するための電源（例えば、バッテリー）を必要とし得る。従って、電源が、前記指に装着される装置のいくつかに含まれるように述べられていないが、そのような構成要素または要素（例えば、前記電源）がこれらの指に装着される装置に含まれることが予期されることは明らかにされる。これは、入力装置に含まれると当業者に当然予期される、または当該技術分野で重要でない、構成要素または要素、例えば、通信ユニット、接続回路網（すなわち、構成要素または要素の間を接続している回路網）、機械的に動的なセクションのためのアクチュエーターなど、に対して同様にあてはまり得る。
【０５４４】
さらに、指に装着される装置のために本明細書に記載されたことは、同様に、構成要素、要素、パーツ、またはユニットについて言い得ることに注意されたい。
【０５４５】
さらに、表示されているオブジェクトのために本明細書に記載されたことは、同様に、インターフェース要素についても言うことができ、またはインターフェースまたはプログラム要素の視覚的表示にも言うことができることに注意されたい。
【０５４６】
さらに、インターフェース要素のために本明細書に記載されたことは、同様に、視覚的および／または非視覚的（または「非表示の」）要素についても言う（例えば、インターフェースにおける要素について言うことができ、一方、前記要素は、視覚的および／または非視覚的セクションを含み得ることができることに注意されたい。
【０５４７】
さらに、手２３０はいくつかの図において左手として示されることがあり、そして他の図において右手として示されることがあり、一方、これは、図示の制約に起因するものであり、（図２９Aおよび２９Bのために記載されるのを除いて）利き手を提案するのではないことに注意されたい。
【０５４８】
さらに、インターフェースまたはプログラムイベントのために本明細書に記載されたことは、行われるまたは遂行される機能の結果を言い得ることに注意されたい。
【０５４９】
さらに、命令のために本明細書に記載されたことは、特定の入力に関係し得る、または特定の入力に対応し得る機能を言い得ることに注意されたい。
【０５５０】
さらに、インターフェースが本明細書で記載される場合に「いくつかの実施形態」についての言及は、記載のインターフェースのいくつかのバリエーション、または記載のインターフェースのいくつかの状態を言い得ることに注意されたい。
【０５５１】
さらに、本明細書に記載されたことは、音声認識システムおよび声認識システムであるが、各用語は、当該技術分野において音声認識および声認識に対して公知の任意のまたは全ての特徴を有するシステム、または、さもなければ、声および／または音声についての情報の任意の処理を容易にし得るシステムのことを言い得ることに注意されたい。
【０５５２】
本明細書に述べられた全ての特許および特許出願は、たとえ、各個別の特許または特許出願が参照によって本明細書に組み込まれると特にかつ個別に示されていなくても、同程度に、参照としてその全体がここに本明細書に組み込まれる。さらに、本出願において任意の参照の言及または確認は、そのような参照が本発明の先行技術として利用可能であることの承認としてなされていない。
【０５５３】
本発明は制限された数の実施形態に関して記載されたが、本発明の多くの改変、修正、および他の適用がなされ得ることが予期される。
【図１Ａ】
2012503244.tif 000003
【図１Ｂ】
2012503244.tif 000004
【図１Ｃ】
2012503244.tif 000005
【図１Ｄ】
2012503244.tif 000006
【図１Ｅ】
2012503244.tif 000007
【図１Ｆ】
2012503244.tif 000008
【図１Ｇ】
2012503244.tif 000009
【図１Ｈ】
2012503244.tif 000010
【図１Ｉ】
2012503244.tif 000011
【図１Ｊ】
2012503244.tif 000012
【図１Ｋ】
2012503244.tif 000013
【図１Ｌ】
2012503244.tif 000014
【図２Ａ】
2012503244.tif 000015
【図２Ｂ】
2012503244.tif 000016
【図２Ｃ】
2012503244.tif 000017
【図２Ｄ】
2012503244.tif 000018
【図３Ａ】
2012503244.tif 000019
【図３Ｂ】
2012503244.tif 000020
【図３Ｃ】
2012503244.tif 000021
【図３Ｄ】
2012503244.tif 000022
【図３Ｅ】
2012503244.tif 000023
【図３Ｆ】
2012503244.tif 000024
【図３Ｇ】
2012503244.tif 000025
【図４Ａ】
2012503244.tif 000026
【図４Ｂ】
2012503244.tif 000027
【図４Ｃ】
2012503244.tif 000028
【図４Ｄ】
2012503244.tif 000029
【図５Ａ】
2012503244.tif 000030
【図５Ｂ】
2012503244.tif 000031
【図５Ｃ】
2012503244.tif 000032
【図５Ｄ】
2012503244.tif 000033
【図６Ａ】
2012503244.tif 000034
【図６Ｂ】
2012503244.tif 000035
【図６Ｃ】
2012503244.tif 000036
【図７Ａ】
2012503244.tif 000037
【図７Ｂ】
2012503244.tif 000038
【図７Ｃ】
2012503244.tif 000039
【図７Ｄ】
2012503244.tif 000040
【図７Ｅ】
2012503244.tif 000041
【図８Ａ】
2012503244.tif 000042
【図８Ｂ】
2012503244.tif 000043
【図８Ｃ】
2012503244.tif 000044
【図８Ｄ】
2012503244.tif 000045
【図８Ｅ】
2012503244.tif 000046
【図８Ｆ】
2012503244.tif 000047
【図８Ｇ】
2012503244.tif 000048
【図８Ｈ】
2012503244.tif 000049
【図９Ａ】
2012503244.tif 000050
【図９Ｂ】
2012503244.tif 000051
【図９Ｃ】
2012503244.tif 000052
【図１０Ａ】
2012503244.tif 000053
【図１０Ｂ】
2012503244.tif 000054
【図１０Ｃ】
2012503244.tif 000055
【図１１】
2012503244.tif 000056
【図１３Ａ】
2012503244.tif 000057
【図１３Ｂ】
2012503244.tif 000058
【図１３Ｃ】
2012503244.tif 000059
【図１３Ｄ】
2012503244.tif 000060
【図１３Ｅ】
2012503244.tif 000061
【図１４Ａ】
2012503244.tif 000062
【図１４Ｂ】
2012503244.tif 000063
【図１５】
2012503244.tif 000064
【図１６】
2012503244.tif 000065
【図１８Ａ】
2012503244.tif 000066
【図１８Ｂ】
2012503244.tif 000067
【図１８Ｃ】
2012503244.tif 000068
【図１８Ｄ】
2012503244.tif 000069
【図１８Ｅ】
2012503244.tif 000070
【図１８Ｆ】
2012503244.tif 000071
【図１８Ｇ】
2012503244.tif 000072
【図１８Ｈ】
2012503244.tif 000073
【図１８Ｉ】
2012503244.tif 000074
【図１８Ｊ】
2012503244.tif 000075
【図１８Ｋ】
2012503244.tif 000076
【図１８Ｌ】
2012503244.tif 000077
【図１８Ｍ】
2012503244.tif 000078
【図１８Ｎ】
2012503244.tif 000079
【図１９Ａ】
2012503244.tif 000080
【図１９Ｂ】
2012503244.tif 000081
【図１９Ｃ】
2012503244.tif 000082
【図１９Ｄ】
2012503244.tif 000083
【図２０Ａ】
2012503244.tif 000084
【図２０Ｂ】
2012503244.tif 000085
【図２０Ｃ】
2012503244.tif 000086
【図２０Ｄ】
2012503244.tif 000087
【図２０Ｅ】
2012503244.tif 000088
【図２１Ａ】
2012503244.tif 000089
【図２１Ｂ】
2012503244.tif 000090
【図２１Ｃ】
2012503244.tif 000091
【図２１Ｄ】
2012503244.tif 000092
【図２１Ｅ】
2012503244.tif 000093
【図２２Ａ】
2012503244.tif 000094
【図２３Ａ】
2012503244.tif 000095
【図２３Ｂ】
2012503244.tif 000096
【図２４Ａ】
2012503244.tif 000097
【図２４Ｂ】
2012503244.tif 000098
【図２４Ｃ】
2012503244.tif 000099
【図２４Ｄ】
2012503244.tif 000100
【図２５Ａ】
2012503244.tif 000101
【図２５Ｂ】
2012503244.tif 000102
【図２５Ｃ】
2012503244.tif 000103
【図２５Ｄ】
2012503244.tif 000104
【図２５Ｅ】
2012503244.tif 000105
【図２５Ｆ】
2012503244.tif 000106
【図２５Ｇ】
2012503244.tif 000107
【図２６Ａ】
2012503244.tif 000108
【図２６Ｂ】
2012503244.tif 000109
【図２６Ｃ】
2012503244.tif 000110
【図２６Ｄ】
2012503244.tif 000111
【図２６Ｅ】
2012503244.tif 000112
【図２７Ａ】
2012503244.tif 000113
【図２７Ｂ】
2012503244.tif 000114
【図２７Ｃ】
2012503244.tif 000115
【図２７Ｄ】
2012503244.tif 000116
【図２７Ｅ】
2012503244.tif 000117
【図２７Ｆ】
2012503244.tif 000118
【図２８Ａ】
2012503244.tif 000119
【図２８Ｂ】
2012503244.tif 000120
【図２８Ｃ】
2012503244.tif 000121
【図２８Ｄ】
2012503244.tif 000122
【図２８Ｅ】
2012503244.tif 000123
【図２８Ｆ】
2012503244.tif 000124
【図２８Ｇ】
2012503244.tif 000125
【図２８Ｈ】
2012503244.tif 000126
【図２８Ｉ】
2012503244.tif 000127
【図２８Ｊ】
2012503244.tif 000128
【図２８Ｋ】
2012503244.tif 000129
【図２９Ａ】
2012503244.tif 000130
【図２９Ｂ】
2012503244.tif 000131
【図３０Ａ】
2012503244.tif 000132
【図３０Ｂ】
2012503244.tif 000133
【図１２】
2012503244.tif 000134
【図１７】
2012503244.tif 000135
【図２０Ｆ】
2012503244.tif 000136
【図２２Ｂ】
2012503244.tif 000137
【図２７Ｇ】
2012503244.tif 000138
【図２７Ｈ】
2012503244.tif 000139
【図３１Ａ】
2012503244.tif 000140
【図３１Ｂ】
2012503244.tif 000141
【国際調査報告】
2012503244.tif 000142